(57)【要約】【課題】興趣性が高い演出を実行可能な遊技機を提供すること。【解決手段】遊技機１では、大当たりに対する信頼度を示唆する複数の信頼度示唆演出を実行することが可能である。信頼度示唆演出には、例えば、第１態様の装飾図柄を表示しているときに実行可能な演出と、第２態様の装飾図柄を表示しているときに実行可能な演出とがある。第１態様の装飾図柄を表示しているときに実行可能な信頼度示唆演出には、例えば、保留アイコン変化演出、当該アイコン変化演出、擬似連演出、操作促進演出、背景演出、チャンス目演出、図柄変化演出等がある。また、第２態様の装飾図柄を表示しているときに実行可能な信頼度示唆演出には、例えば、当該アイコン変化演出、タイトル表示、操作促進演出、カットイン等がある。【選択図】図７
2019201791.tif 000002
【特許請求の範囲】
【請求項１】
特別遊技を実行するか否かを判定し、識別可能な識別情報を変動表示してから前記判定の結果を導出表示したことに応じて遊技者にとって有利な第１有利状態、又は当該第１有利状態よりも有利な第２有利状態に制御可能な遊技機であって、
演出を制御する演出制御手段を備え、
前記演出制御手段は、
前記識別情報の変動表示に対応する対応表示を表示し、
複数のタイミングのうちの何れかのタイミングで前記特別遊技が実行される可能性を示唆する予告演出を実行することが可能であり、
前記予告演出には、
前記対応表示が通常態様であるときに実行される第１予告演出と、
前記対応表示が特別態様であるときに実行される第２予告演出と、があり、
前記対応表示を前記通常態様または前記特別態様で表示可能な共通演出を実行することが可能であり、
前記対応表示は、
色彩に関する第１要素と、
前記第１要素に付加する第２要素と、を含み、
前記第１要素と前記第２要素とが特定の態様である場合の方が、特定の態様でない場合よりも前記第２有利状態に制御され易い、遊技機。
【発明の詳細な説明】
【技術分野】
【０００１】
本発明は、特別遊技を実行するか否かの判定に基づく演出を実行可能な遊技機に関する。
【背景技術】
【０００２】
例えばパチンコ遊技機では、所定の始動口に遊技球が入賞すると、遊技者に有利な大当たり遊技を実行するか否かが判定される。この種の遊技機の中には、大当たり遊技を実行すると判定されたことが報知されるのに先立って、大当たり遊技が実行されることを予告する予告演出（例えばプレミア演出）を実行可能なものがある（例えば特許文献１参照）。
【先行技術文献】
【特許文献】
【０００３】
【特許文献１】特開２０１５−９６０９１号公報
【発明の概要】
【発明が解決しようとする課題】
【０００４】
ところで、従来の遊技機で行われる演出は、必ずしも興趣性が高いとは言えず、興趣性を向上させるという点に関して改善の余地があった。
【０００５】
それ故に、本発明の目的は、興趣性が高い演出を実行可能な遊技機を提供することである。
【課題を解決するための手段】
【０００６】
本発明は、上記の課題を解決するために以下の構成を採用した。
すなわち、本発明に係る遊技機は、特別遊技を実行するか否かを判定し、識別可能な識別情報を変動表示してから前記判定の結果を導出表示したことに応じて遊技者にとって有利な第１有利状態、又は当該第１有利状態よりも有利な第２有利状態に制御可能な遊技機であって、演出を制御する演出制御手段を備え、前記演出制御手段は、前記識別情報の変動表示に対応する対応表示を表示し、複数のタイミングのうちの何れかのタイミングで前記特別遊技が実行される可能性を示唆する予告演出を実行することが可能であり、前記予告演出には、前記対応表示が通常態様であるときに実行される第１予告演出と、前記対応表示が特別態様であるときに実行される第２予告演出と、があり、前記対応表示を前記通常態様または前記特別態様で表示可能な共通演出を実行することが可能であり、前記対応表示は、色彩に関する第１要素と、前記第１要素に付加する第２要素と、を含み、前記第１要素と前記第２要素とが特定の態様である場合の方が、特定の態様でない場合よりも前記第２有利状態に制御され易い。
【発明の効果】
【０００７】
この発明によれば、興趣性が高い演出を実行可能である。
【図面の簡単な説明】
【０００８】
【図１】遊技機１の概略正面図
【図２】遊技機１の一部を示す平面図
【図３】図１における表示器４の拡大図
【図４】遊技機１が備える制御装置の構成例を示すブロック図
【図５】遊技状態について説明するための説明図
【図６】特別図柄判定に使用される各種乱数について説明するための説明図
【図７】通常遊技状態における演出の流れを例示した流れ図
【図８】確変遊技状態における演出の流れを例示した流れ図
【図９】装飾図柄の装飾性について説明するための説明図
【図１０】ノーマルリーチを経由してＳＰＳＰリーチに発展する演出の具体例を示す画面図（その１）
【図１１】ノーマルリーチを経由してＳＰＳＰリーチに発展する演出の具体例を示す画面図（その２）
【図１２】昇格演出が実行される場合における装飾図柄の表示態様の具体例を示すタイムチャート
【図１３】キャラＳＰリーチの具体例を示す画面図
【図１４】通常遊技状態における突当たり演出の具体例を示す画面図
【図１５】確変遊技状態におけるバトルリーチの具体例を示す画面図
【図１６】確変遊技状態における突当たり演出の具体例を示す画面図
【図１７】通常遊技状態において特別図柄の変動パターンを選択する処理に使用される変動パターン選択テーブルについて説明するための説明図
【図１８】確変遊技状態において特別図柄の変動パターンを選択する処理に使用される変動パターン選択テーブルについて説明するための説明図
【図１９】通常遊技状態におけるリーチ図柄の信頼度について説明するための説明図
【図２０】確変遊技状態におけるリーチ図柄の信頼度について説明するための説明図
【図２１】各種の大当たり予告について説明するための説明図
【図２２】プレミアキャラ演出の具体例を示す画面図
【図２３】虹色タイトル表示の具体例を示す画面図
【図２４】青色タイトル表示および赤色タイトル表示の具体例を示す画面図
【図２５】虹色文字表示の具体例を示す画面図
【図２６】操作に応じて行われるカットインの具体例を示す画面図
【図２７】一発告知の具体例を示す遊技機１の概略正面図
【図２８】プレミアキャラ演出が同一変動内で複数回行われる様子を例示する画面図
【図２９】大当たり予告種別選択テーブルについて説明するための説明図
【図３０】通常遊技状態における演出の具体例を示すタイムチャート
【図３１】確変遊技状態における演出の具体例を示すタイムチャート
【図３２】保留アイコンの大当たり信頼度を例示する説明図
【図３３】客待ちメニュー画面を例示する画面図
【図３４】大当たり予告アップモードに設定されているときに使用される大当たり予告種別選択テーブルについて説明するための説明図
【図３５】メインＲＡＭ１０３の構成およびメインＲＡＭ１０３に格納される各種情報を例示するブロック図
【図３６】遊技制御基板１００において実行されるタイマ割込み処理の一例を示すフローチャート
【図３７】図３６のステップＳ２におけるスイッチ処理の詳細フローチャート
【図３８】図３７のステップＳ２１における第１始動口スイッチ処理の詳細フローチャート
【図３９】図３７のステップＳ２２における第２始動口スイッチ処理の詳細フローチャート
【図４０】図３８，３９のステップＳ２１８，Ｓ２２８における事前判定処理の詳細フローチャート
【図４１】図３６のステップＳ３における特別図柄処理の詳細フローチャート
【図４２】図４１のステップＳ３０９における大当たり判定処理の詳細フローチャート
【図４３】図４１のステップＳ３１０における変動パターン選択処理の詳細フローチャート
【図４４】図４１のステップＳ３１９における停止中処理の詳細フローチャート
【図４５】遊技制御基板１００において大当たり遊技の終了時に実行される遊技状態設定処理の一例を示すフローチャート
【図４６】演出制御基板１３０において実行されるタイマ割込み処理の一例を示すフローチャート
【図４７】図４６のステップＳ１０におけるコマンド受信処理の詳細フローチャート
【図４８】図４７のステップＳ１３における保留コマンド受信処理の詳細フローチャート
【図４９】図４７のステップＳ１５における変動開始コマンド受信処理の詳細フローチャート
【図５０】図４９のステップＳ１５３における大当たり予告演出パターン設定処理の詳細フローチャート
【図５１】図４９のステップＳ１５４における変動演出パターン設定処理の詳細フローチャート
【図５２】図４９のステップＳ１５５における信頼度示唆演出パターン設定処理の詳細フローチャート
【図５３】画像音響制御基板１４０において実行されるタイマ割込み処理の一例を示すフローチャート
【図５４】図５３のステップＳ４１における画像出力制御処理の詳細フローチャート
【図５５】第１ミッション演出の具体例を示す画面図
【図５６】第２ミッション演出の具体例を示す画面図
【図５７】第２実施形態において通常遊技状態のときに特別図柄の変動パターンを選択する処理に使用される変動パターン選択テーブルについて説明するための説明図
【図５８】保留アイコン変化演出を実行可能な期間と実行不可能な期間との具体例を示すタイムチャート
【図５９】大当たり時における当該アイコンの表示態様について説明するための説明図
【図６０】ハズレ時における当該アイコンの表示態様について説明するための説明図
【図６１】当該アイコン変化演出を実行可能な期間と実行不可能な期間との具体例を示すタイムチャート
【図６２】擬似連演出における一連の演出の具体例について説明するための説明図
【図６３】擬似連演出の実行回数と信頼度との関係について説明するための説明図
【図６４】背景演出が実行される場合における一連の演出の具体例について説明するための説明図
【図６５】背景演出の開始直前に実行される操作促進演出の具体例について説明するための説明図
【図６６】大当たり時における、背景演出の開始直前に実行される操作促進演出後の演出の流れについて説明するための説明図
【図６７】ハズレ時における、背景演出の開始直前に実行される操作促進演出後の演出の流れについて説明するための説明図
【図６８】チャンス目演出および図柄変化演出について説明するためのタイムチャート
【図６９】信頼度示唆演出同士の関係について説明するための説明図
【図７０】通常モードＡにおいて背景演出および通常擬似連演出が実行される様子を例示する画面図
【図７１】通常モードＡにおいて当該アイコン変化演出（大当たり予告）、背景演出、及び通常擬似連演出が実行される様子を例示する画面図
【図７２】通常モードＡにおいて当該アイコン変化演出、背景演出、及び通常擬似連演出が実行される様子を例示する画面図
【図７３】通常モードＡにおいて当該アイコン変化演出（大当たり予告）、背景演出、及び通常擬似連演出が実行される様子を例示する画面図
【図７４】通常モードＡにおいてチャンス目演出および図柄変化演出が実行される様子を例示する画面図
【図７５】通常モードＡにおいてチャンス目演出、図柄変化演出、及び当該アイコン変化演出が実行される様子を例示する画面図
【図７６】ＳＰＳＰリーチ（バトル演出）の態様について説明するための説明図
【図７７】装飾図柄を構成する数字に付加して表示される付加表示の変形例について説明するための説明図
【図７８】第１態様および第２態様の装飾図柄の変形例について説明するための説明図
【発明を実施するための形態】
【０００９】
［第１実施形態］
以下、適宜図面を参照しつつ、本発明の遊技機の一実施形態に係る遊技機１について説明する。
【００１０】
［遊技機１の概略構成例］
まず、図１と図２を参照しつつ、遊技機１の概略構成例について説明する。ここで、図１は、遊技機１の概略正面図である。図２は、遊技機１の一部を示す平面図である。図１に例示されるように、遊技機１は、入賞や判定に関する役物等が設けられた遊技盤２と、遊技盤２を囲む枠部材３とを備えている。枠部材３は、遊技盤２と所定の間隔を隔てて平行配置された透明なガラス板を支持しており、このガラス板と遊技盤２とによって、遊技球が流下可能な遊技領域１０が形成されている。
【００１１】
遊技者がハンドル２０を握ってレバー２１を時計回りに回転させると、上皿２８に溜められた遊技球が不図示の発射装置へと案内され、ハンドル２０の回転角度に応じた打球力で遊技領域１０へと発射される。この遊技領域１０には、不図示の遊技クギや風車等が設けられており、発射された遊技球は、遊技領域１０における上部位置へと案内され、遊技クギや風車等に接触することでその移動方向を変化させながら遊技盤２に沿って遊技領域１０を落下する。なお、遊技球の発射は、遊技者が停止ボタン２２を操作することによって一時的に停止される。
【００１２】
上皿２８は、発射装置へ供給される遊技球及び賞球を溜めるものである。この上皿２８の下方には、賞球を溜める下皿２９が設けられている。取り出しボタン２３を遊技者が操作すると下皿２９の下面の一部が開口して、下皿２９に溜まった遊技球が下皿２９の下方に配置された不図示の箱に落下する。なお、上皿２８及び下皿２９は、１つの皿で構成されてもよい。
【００１３】
遊技者がハンドル２０を小さい回転角で回転させた状態を維持するいわゆる「左打ち」を行うと、遊技球が相対的に弱い打球力で打ち出される。この場合、遊技球は、矢印３１に例示されるように遊技領域１０における左側領域を流下する。一方、遊技者がハンドル２０を大きい回転角で回転させた状態を維持するいわゆる「右打ち」を行うと、遊技球が相対的に強い打球力で打ち出される。この場合、遊技球は、矢印３２に例示されるように遊技領域１０における右側領域を流下する。
【００１４】
左打ちされた遊技球の通過経路には、入賞や判定に関する役物として、第１始動口１１、第２始動口１２、２つの普通入賞口１４、第１ゲート１５、及び電動チューリップ１７が設けられている。また、右打ちされた遊技球の通過経路には、入賞や判定に関する役物として、上記第２始動口１２、大入賞口１３、２つの普通入賞口１４、第２ゲート１６、及び上記電動チューリップ１７が設けられている。
【００１５】
遊技領域１０に打ち出された遊技球は、遊技盤２に沿って流下する過程で、第１始動口１１、第２始動口１２、大入賞口１３、及び普通入賞口１４のいずれかに入球して入賞する場合がある。この場合、入賞した箇所に応じた所定数の賞球が上皿２８か下皿２９に払い出される。なお、入賞しなかった遊技球は、排出口１８を介して遊技領域１０から排出される。
【００１６】
第１始動口１１は、常時開放されている始動領域であり、第２始動口１２は、普通電動役物としての電動チューリップ１７が作動しているときだけ開放される始動領域である。遊技機１では、遊技球が第１始動口１１を通過して入賞した場合、又は遊技球が第２始動口１２を通過して入賞した場合、遊技者に有利な大当たり遊技（特別遊技）を実行するか否かが判定され、その判定結果を示す図柄が後述する表示器４の第１特別図柄表示器４１または第２特別図柄表示器４２に表示される。そして、大当たりを示す図柄が停止表示された場合、大入賞口１３を開放する大当たり遊技が実行される。
【００１７】
なお、以下の説明では、第１始動口１１への遊技球の入賞を条件として実行される判定を「第１特別図柄判定」と呼び、第２始動口１２への遊技球の入賞を条件として実行される判定を「第２特別図柄判定」と呼び、これらの判定を総称して「特別図柄判定」と呼ぶものとする。
【００１８】
大入賞口１３は、特別図柄判定の結果に応じて開放される特別入賞領域である。この大入賞口１３の開口部には、大入賞口１３を開閉するプレートが設けられている。大入賞口１３は、通常はこのプレートによって閉塞されている。これに対して、特別図柄判定の判定結果が「大当たり」であることを示す所定の大当たり図柄が表示器４に停止表示された場合、上記プレートを作動させて大入賞口１３を開放する大当たり遊技が実行される。大当たり遊技中は、所定条件（本実施形態では、大入賞口１３への８個の遊技球の入賞、又は大入賞口１３が開放されてから２９．５秒の経過）を満たすまで大入賞口１３が開放状態に維持されてから閉塞される長開放ラウンド遊技が所定の時間間隔で所定回数実行される。
【００１９】
このように、大当たり遊技中には大入賞口１３が長開放されるため、遊技者は、大当たり遊技中に右打ちを行うことで、大当たり遊技が行われていないときに比べてより多くの賞球を得ることができる。
【００２０】
電動チューリップ１７は、第２始動口１２に近接配置されており、一対の羽根部材を有している。この電動チューリップ１７は、一対の羽根部材が第２始動口１２を閉塞する閉姿勢（図１の実線を参照）と、第２始動口１２を開放する開姿勢（図１の破線を参照）とに姿勢変化可能である。
【００２１】
第２始動口１２は、図１に例示されるように、通常は電動チューリップ１７によって閉塞されている。これに対して、遊技球が第１ゲート１５又は第２ゲート１６を通過すると、賞球の払い出しは行われないものの、第２始動口１２を開放するか否かが判定される。ここで、第２始動口１２を開放すると判定された場合、電動チューリップ１７の一対の羽根部材が規定時間開姿勢を維持した後に閉姿勢に戻る動作が規定回数行われる。このように、第２始動口１２は、電動チューリップ１７が作動していないときには遊技球が通過し難い状態であるのに対して、電動チューリップ１７が作動することによって遊技球が通過し易い状態となる。
【００２２】
なお、以下の説明では、第１ゲート１５又は第２ゲート１６に対する遊技球の通過を条件として実行される判定を「普通図柄判定」と呼ぶものとする。
【００２３】
普通入賞口１４は、第１始動口１１と同様に常時開放されており、遊技球の入賞によって所定個数の賞球が払い出される入賞口である。なお、第１始動口１１等とは異なり、普通入賞口１４に遊技球が入賞しても判定が行われることはない。
【００２４】
［遊技機１の演出手段の構成例］
図１に例示されるように、遊技盤２又は枠部材３には、各種の演出を行うものとして、液晶表示装置５、スピーカ２４、演出役物７、盤ランプ２５等が設けられている。また、枠部材３には、図１には示されていない枠ランプ３７（図４参照）が内蔵されている。
【００２５】
液晶表示装置５は、演出画像を表示する画像表示装置であり、液晶表示装置５の表示画面（以下「液晶画面５」と呼ぶ）は、遊技者によって視認され易い位置に設けられている。この液晶画面５には、例えば、特別図柄判定の判定結果を報知する装飾図柄、キャラクタやアイテム、特別図柄判定が保留されている数だけ表示される保留画像（保留アイコン）、特別図柄の変動表示中であることを示唆する当該アイコン等の各種表示オブジェクトを含む演出画像が表示される。なお、画像表示装置は、ＥＬ表示装置等の他の画像表示装置によって構成されてもよい。
【００２６】
スピーカ２４は、液晶表示装置５で行われる表示演出と同期するように、或いは非同期に、楽曲や音声、効果音等を出力して音による演出を行う。
【００２７】
演出役物７は、液晶画面５の前方且つ側方に配置されている。演出役物７には、発光素子（例えばＬＥＤ）が内蔵されている。演出役物７は、役物自体の動きと光との両方或いは一方によって所定の演出を行う。演出役物７は、本実施形態では、刀を模した形状に構成されており、刀の柄の部分（下端部）を回動中心として、刀がほぼ直立したように見える初期姿勢（図１参照）と、刀が略水平となるように見える回動姿勢（図１１（Ａ）参照）との間で回動可能に構成されている。
【００２８】
盤ランプ２５及び枠ランプ３７は、点灯又は点滅のパターンの変更、発光色の変更等の光による各種の演出を行う。
【００２９】
［遊技機１の入力手段］
図２に例示されるように、枠部材３には、遊技者が入力を行うための入力手段として、演出ボタン２６と演出キー２７が設けられている。演出ボタン２６は、遊技者が押下することによって操作情報を入力するための押ボタンである。演出キー２７は、遊技者が選択操作やカーソル移動等を行うためのいわゆる十字キーであり、上キー、下キー、左キー、及び右キーを有して構成されている。遊技機１では、演出ボタン２６と演出キー２７の操作に応じた演出が行われる場合がある。また、遊技機１は、演出ボタン２６と演出キー２７の操作によって音量調整や光量調整、所定の演出の出現率の設定変更等を行うことが可能であるが、これらについては、図３３に基づいて後に詳述する。
【００３０】
［表示器４の構成例］
図３は、図１における表示器４の拡大図である。表示器４は、主に特別図柄判定や普通図柄判定に関する情報を表示するものであり、図３に例示されるように、第１特別図柄表示器４１、第２特別図柄表示器４２、第１特別図柄保留表示器４３、第２特別図柄保留表示器４４、普通図柄表示器４５、普通図柄保留表示器４６、遊技状態表示器４７、ラウンド表示器４８等を有して構成されている。
【００３１】
第１特別図柄表示器４１は、第１特別図柄判定が行われると、図柄を変動表示してから第１特別図柄判定の判定結果を示す図柄を停止表示することによって第１特別図柄判定の判定結果を報知する。第２特別図柄表示器４２は、第２特別図柄判定が行われると、図柄を変動表示してから第２特別図柄判定の判定結果を示す図柄を停止表示することによって第２特別図柄判定の判定結果を報知する。第１特別図柄表示器４１と第２特別図柄表示器４２には、判定結果を示す図柄として、特別図柄判定の判定結果が「大当たり」であることを示す大当たり図柄、又は特別図柄判定の判定結果が「ハズレ」であることを示すハズレ図柄が停止表示される。
【００３２】
第１特別図柄保留表示器４３は、第１特別図柄判定の保留数を表示する。第２特別図柄保留表示器４４は、第２特別図柄判定の保留数を表示する。なお、本実施形態では、これらの保留数の上限がどちらも「４」に設定されている。
【００３３】
普通図柄表示器４５は、普通図柄判定が行われると、図柄を変動表示してから普通図柄判定の判定結果を示す図柄を停止表示することによって普通図柄判定の判定結果を報知する。普通図柄保留表示器４６は、普通図柄判定の保留数を表示する。遊技状態表示器４７は、遊技機１の電源投入時点における遊技状態を表示する。ラウンド表示器４８は、第１特別図柄表示器４１又は第２特別図柄表示器４２に大当たり図柄が停止表示されると、大当たり遊技中の大入賞口１３の開放パターン（ラウンド遊技の回数であるラウンド数）を表示する。
【００３４】
なお、以下の説明では、第１特別図柄表示器４１や第２特別図柄表示器４２に表示される図柄を「特別図柄」と呼び、普通図柄表示器４５に表示される図柄を「普通図柄」と呼ぶものとする。また、第１特別図柄表示器４１に表示される特別図柄を「第１特別図柄」と呼び、第２特別図柄表示器４２に表示される特別図柄を「第２特別図柄」と呼んで両者を区別する場合がある。
【００３５】
［遊技機１の制御装置の構成］
図４は、遊技機１が備える制御装置の構成例を示すブロック図である。
遊技盤２の裏側には、遊技機１の動作を制御する制御装置が設けられている。図４に例示されるように、遊技機１の制御装置は、各種判定やコマンドの送信といった遊技の進行を制御する遊技制御基板１００、遊技制御基板１００から受信したコマンドに基づいて演出を統括的に制御する演出制御基板１３０、画像や音による演出を制御する画像音響制御基板１４０、各種のランプや可動体による演出を制御するランプ制御基板１５０等から構成されている。なお、制御装置の構成はこれに限定されるものではなく、例えば演出制御基板１３０、画像音響制御基板１４０、及びランプ制御基板１５０が１つの基板で構成されていてもよい。
【００３６】
［遊技制御基板１００の構成例］
遊技制御基板１００は、メインＣＰＵ１０１、メインＲＯＭ１０２、及びメインＲＡＭ１０３を備えている。メインＣＰＵ１０１は、メインＲＯＭ１０２に記憶されたプログラム等に基づいて、判定や払い出し賞球数に関連する各種の演算処理を行う。メインＲＡＭ１０３は、メインＣＰＵ１０１が上記プログラムを実行する際に用いる各種データを一時的に記憶する記憶領域又はデータ処理などの作業領域として使用される。
【００３７】
遊技制御基板１００には、第１始動口スイッチ１１１、第２始動口スイッチ１１２、電動チューリップ制御部１１３、第１ゲートスイッチ１１４、第２ゲートスイッチ１１５、大入賞口スイッチ１１６、大入賞口制御部１１７、普通入賞口スイッチ１１８、及び表示器４を構成する各表示器４１〜４８が接続されている。なお、本実施形態における遊技機１は４つの普通入賞口１４（図１参照）に対応する４つの普通入賞口スイッチ１２２を備えているが、図４においては、普通入賞口スイッチ１２２を１つだけ表記している。
【００３８】
第１始動口スイッチ１１１は、第１始動口１１に遊技球が入賞したことを検知して、その検知信号を遊技制御基板１００に出力する。第２始動口スイッチ１１２は、第２始動口１２に遊技球が入賞したことを検知して、その検知信号を遊技制御基板１００に出力する。電動チューリップ制御部１１３は、遊技制御基板１００からの制御信号に応じて、電動チューリップ１７の一対の羽根部材に駆動伝達可能に連結された電動ソレノイドを作動させることによって、第２始動口１２を開閉する。第１ゲートスイッチ１１４は、第１ゲート１５に対する遊技球の通過を検知して、その検知信号を遊技制御基板１００に出力する。第２ゲートスイッチ１１５は、第２ゲート１６に対する遊技球の通過を検知して、その検知信号を遊技制御基板１００に出力する。
【００３９】
大入賞口スイッチ１１６は、大入賞口１３に対する遊技球の入賞を検知して、その検知信号を遊技制御基板１００に出力する。大入賞口制御部１１７は、遊技制御基板１００からの制御信号に基づいて、大入賞口１３を閉塞するプレートに駆動伝達可能に連結された電動ソレノイドを作動させることによって、大入賞口１３を開閉する。普通入賞口スイッチ１１８は、遊技球が普通入賞口１４に入賞したことを検知して、その検知信号を遊技制御基板１００に出力する。
【００４０】
メインＣＰＵ１０１は、第１始動口スイッチ１１１、第２始動口スイッチ１１２、大入賞口スイッチ１１６、又は普通入賞口スイッチ１１８から検知信号が入力されると、遊技球が入賞した場所に応じた所定数の賞球の払い出しを払出制御基板（不図示）に指示し、払出制御基板からの情報に基づいて、払い出す賞球の個数を管理する。詳細な説明は省略するが、払出制御基板は、遊技盤２の裏側に設けられた球タンクから遊技球を送り出す駆動モータを制御することによって、上皿２８又は下皿２９に遊技球を供給する。
【００４１】
メインＣＰＵ１０１は、第１始動口スイッチ１１１からの検知信号が入力されたタイミングで取得情報としての各種乱数を取得し、取得した乱数を用いて第１特別図柄判定を実行する。また、第２始動口スイッチ１１２からの検知信号が入力されたタイミングで取得情報としての各種乱数を取得し、取得した乱数を用いて第２特別図柄判定を実行する。各種乱数は、具体的には、大当たり乱数、図柄乱数、リーチ乱数、変動パターン乱数である。
【００４２】
ここで、大当たり乱数は、大当たり又はハズレを決定するための乱数である。図柄乱数は、大当たりであると判定された場合に、大当たりの種類（大当たり遊技のラウンド数や大当たり遊技終了後の遊技状態など）を決定するための乱数である。リーチ乱数は、ハズレであると判定された場合に、リーチ有りの演出を行うか或いはリーチ無しの演出を行うかを決定するための乱数である。変動パターン乱数は、特別図柄が変動表示される際の変動パターンを決定するための乱数である。
【００４３】
メインＣＰＵ１０１は、これらの乱数を取得すると、先ずは、取得した大当たり乱数が、メインＲＯＭ１０２に記憶されている所定の乱数値と一致するか否かに基づいて、大当たり遊技を実行するか否かを判定する。ここで、大当たり遊技を実行すると判定した場合には、取得した図柄乱数が、メインＲＯＭ１０２に記憶されている所定の乱数値のどの乱数値と一致するかに基づいて、大当たりの種類を決定する。ここで、大当たりの種類としては、例えば、大当たり遊技が終了した後に確変遊技状態で遊技が制御されることになる「確変大当たり」や、大当たり遊技が終了した後に時短遊技状態で遊技が制御されることになる「通常大当たり」が例として挙げられる。なお、遊技状態や大当たりの種類については、図６に基づいて後に詳述する。
【００４４】
一方、メインＣＰＵ１０１は、大当たり乱数に基づく判定で、大当たり遊技を実行しないと判定した場合、取得したリーチ乱数が、メインＲＯＭ１０２に記憶されている所定の乱数値と一致するか否かに基づいて、リーチ有り演出を行うか、或いはリーチ無し演出を行うかを決定する。また、メインＣＰＵ１０１は、大当たり遊技を行うか否かに関わらず、特別図柄を変動表示する際の特別図柄の変動パターンを決定する。これにより、特別図柄の変動時間が決定されることになる。
【００４５】
メインＣＰＵ１０１は、大当たり遊技を実行すると判定して、大当たりの種類を決定した場合、大入賞口制御部１１７を介して大入賞口１３の開閉を制御することによって、大当たりの種類に応じた大当たり遊技を実行する。
【００４６】
また、メインＣＰＵ１０１は、第１ゲートスイッチ１１４又は第２ゲートスイッチ１１５からの検知信号が入力されたタイミングで乱数を取得し、取得した乱数を用いて普通図柄判定を実行する。そして、第２始動口１２を開放すると判定した場合、電動チューリップ制御部１１３を介して電動チューリップ１７を作動させることによって、第２始動口１２を一時的に開放する。
【００４７】
また、メインＣＰＵ１０１は、表示器４を構成する各表示器４１〜４８に図３に基づいて上述した処理を実行させる。
【００４８】
［演出制御基板１３０の構成例］
演出制御基板１３０は、サブＣＰＵ１３１、サブＲＯＭ１３２、サブＲＡＭ１３３、及びＲＴＣ（リアルタイムクロック）１３４を備えている。サブＣＰＵ１３１は、サブＲＯＭ１３２に記憶されたプログラムに基づいて、演出を制御する際の演算処理を行う。サブＲＡＭ１３３は、サブＣＰＵ１３１が上記プログラムを実行する際に用いる各種データを一時的に記憶する記憶領域やデータ処理などの作業領域として使用される。ＲＴＣ１３４は、現時点の日時（日付や時刻）を計測する。
【００４９】
サブＣＰＵ１３１は、遊技制御基板１００から送信される特別図柄判定や普通図柄判定、大当たり遊技等に関する遊技情報に基づいて演出内容を設定する。その際、演出ボタン２６や演出キー２７からの操作情報の入力を受け付けて、その操作情報に応じた演出内容を設定する場合もある。サブＣＰＵ１３１は、設定した演出内容の演出の実行を指示するコマンドを画像音響制御基板１４０及びランプ制御基板１５０に送信する。
【００５０】
［画像音響制御基板１４０の構成例］
画像音響制御基板１４０は、統括ＣＰＵ１４１、制御用ＲＯＭ１４２、制御用ＲＡＭ１４３、ＶＤＰ（Ｖｉｄｅｏ  Ｄｉｓｐｌａｙ  Ｐｒｏｃｅｓｓｏｒ）１４４、音響ＤＳＰ（Ｄｉｇｉｔａｌ  Ｓｉｇｎａｌ  Ｐｒｏｃｅｓｓｏｒ）１４５、信号出力部１４７（不図示）等を有して構成されている。統括ＣＰＵ１４１は、制御用ＲＯＭ１４２に記憶されたプログラムに基づいて、演出制御基板１３０において演出内容が設定された演出を実現する画像や音を制御する際の演算処理を行う。制御用ＲＡＭ１４３は、統括ＣＰＵ１４１が上記プログラムを実行する際に用いる各種データを一時的に記憶する記憶領域やデータ処理などの作業領域として使用される。
【００５１】
ＶＤＰ１４４は、液晶画面５に表示される演出画像を生成する。音響ＤＳＰ１４５は、スピーカ２４から出力される音響データを生成する。統括ＣＰＵ１４１は、演出制御基板１３０からのコマンドや制御用ＲＯＭ１４２に記憶されているプログラムに基づいて制御信号を生成してＶＤＰ１４４や音響ＤＳＰ１４５に出力して、これらの動作を制御する。
【００５２】
図には示されていないが、ＶＤＰ１４４は、演出画像の生成に必要な素材データを記憶する画像用ＲＯＭ、演出画像の描画処理を実行する描画エンジン、描画エンジンによって描画された演出画像を液晶表示装置５に出力する出力回路等を有して構成されている。描画エンジンは、統括ＣＰＵ１４１からの制御信号に基づいて、画像用ＲＯＭに記憶されている素材データを用いて、フレームバッファに演出画像を描画する。出力回路は、このフレームバッファに描画された演出画像を所定のタイミングで液晶表示装置５に出力する。
【００５３】
また、図には示されていないが、音響ＤＳＰ１４５には、楽曲や音声、効果音等の演出音に関する各種音響データを記憶する音響用ＲＯＭと、音響ＤＳＰ１４５によるデータ処理等の作業領域として使用されるＳＤＲＡＭが接続されている。音響ＤＳＰ１４５は、統括ＣＰＵ１４１からの制御信号に対応する音響データを音響用ＲＯＭからＳＤＲＡＭに読み出してデータ処理を実行し、データ処理後の音響データをスピーカ２４へ出力する。
【００５４】
信号出力部１４７は、所定の時間間隔（例えば１秒間隔）で、所定の信号を所定時間（例えば０．５秒間）統括ＣＰＵ１４１に出力する。例えば、信号出力部１４７は、一定の時間間隔で所定の信号を出力してもよい。統括ＣＰＵ１４１は、信号出力部１４７から所定の信号が入力されているときと、信号出力部１４７から所定の信号が入力されていないときとで異なる処理を実行する。
【００５５】
［ランプ制御基板１５０の構成例］
ランプ制御基板１５０は、ランプＣＰＵ１５１、ランプＲＯＭ１５２、及びランプＲＡＭ１５３を備えている。ランプＣＰＵ１５１は、ランプＲＯＭ１５２に記憶されたプログラムに基づいて、演出役物７、盤ランプ２５、枠ランプ３７等の動作を制御する際の演算処理を行う。ランプＲＡＭ１５３は、ランプＣＰＵ１５１が上記プログラムを実行する際に用いる各種データを一時的に記憶する記憶領域やデータ処理などの作業領域として使用される。
【００５６】
ランプＲＯＭ１５２には、発光パターンデータや動作パターンデータが記憶されている。ここで、発光パターンデータは、演出役物７に内蔵された発光素子、盤ランプ２５、枠ランプ３７等のそれぞれの発光パターンを示すデータである。動作パターンデータは、演出役物７等の動作パターンを示すデータである。
【００５７】
ランプＣＰＵ１５１は、ランプＲＯＭ１５２に記憶された発光パターンデータの中から、演出制御基板１３０から受信したコマンドに対応する発光パターンデータをランプＲＡＭ１５３に読み出して、演出役物７の発光素子、盤ランプ２５、枠ランプ３７の発光を制御する。また、ランプＣＰＵ１５１は、ランプＲＯＭ１５２に記憶された動作パターンデータの中から、演出制御基板１３０から受信したコマンドに対応する動作パターンデータをランプＲＡＭ１５３に読み出して、演出役物７を動作させるモータの駆動を制御する。
【００５８】
また、ランプＣＰＵ１５１は、遊技者によって演出ボタン２６や演出キー２７が操作された場合に、その旨を通知する操作コマンドを演出制御基板１３０に送信する。
【００５９】
［変動演出について］
本実施形態の遊技機１では、第１特別図柄や第２特別図柄の変動表示中において、液晶画面５において各種の演出が行われるが、ここでは、第１特別図柄の変動表示中に行われる変動演出の概要説明を行う。
【００６０】
遊技機１では、第１始動口１１に遊技球が入賞すると第１特別図柄判定が実行され、第１特別図柄が変動表示された後に第１特別図柄判定の判定結果を示す第１特別図柄が停止表示される。これに対して、液晶画面５では、第１特別図柄の変動表示に伴って、装飾図柄の変動表示を含む変動演出が行われる（例えば図１０参照）。そして、第１特別図柄判定が実行された際に選択された変動パターンに応じた変動時間だけ第１特別図柄が変動表示されると、この第１特別図柄が停止表示されるのに伴って、第１特別図柄判定の判定結果を示す態様で装飾図柄が停止表示される（例えば図１１（Ｈ）参照）。このように、第１特別図柄の変動表示と装飾図柄の変動表示とは同期する。また、装飾図柄は、第２特別図柄の変動表示の開始に伴って変動表示を開始し、第２特別図柄の停止表示に伴って停止表示されるものであり、第２特別図柄の変動表示と装飾図柄の変動表示も同期する。すなわち、装飾図柄は、実行中の特別図柄の変動表示に対応する表示（以下、「対応表示」と呼ぶ。）である。
【００６１】
このような図柄の変動表示中には、いわゆるリーチ演出が行われる場合がある。具体的には、液晶画面５には、例えば、１〜９の数字が下から上へ縦方向に連続して記された装飾図柄の図柄列の一部が横方向に３列表示されており、第１特別図柄の変動表示が開始されると、これらの図柄列が上から下へのスクロールするように変動表示される（例えば図１０（Ａ）及び（Ｂ）参照）。これに対して、リーチ演出が行われる場合には、全ての装飾図柄が停止表示されるのに先立って、まず、例えば左列と右列の装飾図柄（左図柄と右図柄）が完全には停止しないように擬似停止する。なお、擬似停止は、装飾図柄をほとんど移動させずにその場で微動させる演出であり、以下の説明では、装飾図柄を完全に静止させる本停止（単に「停止表示」と呼ぶ場合もある）と区別する場合には、擬似停止と呼ぶ場合がある。
【００６２】
左図柄と右図柄が擬似停止する際、これらの図柄として有効ライン上に同一の装飾図柄が擬似停止すればリーチ成立となり、大当たりを示す組み合わせ（例えば、「３３３」や「７７７」といった同一の装飾図柄が３つ揃うゾロ目）で装飾図柄が擬似停止（及び本停止）することに対する期待感を遊技者に感じさせるリーチ演出が行われる。このリーチ演出は、左図柄と右図柄として擬似停止した同一の装飾図柄（以下、「リーチ図柄」と呼ぶ。）を擬似停止させた状態で中列の図柄列を構成する装飾図柄を遊技者が識別可能に低速でスクロールさせ、最終的に、リーチ図柄と共通する中図柄かリーチ図柄とは異なる中図柄を有効ライン上に停止させて当落を報知する演出である。
【００６３】
なお、このリーチ演出には、装飾図柄以外に、キャラクタやアイテムといった他の演出画像が用いられる場合がある（図１０（Ｇ）参照）。また、以下の説明では、リーチ演出が行われる図柄変動において、リーチが成立するまでに行われる演出を「リーチ前演出」と呼ぶ場合がある。リーチ前演出とリーチ演出とは、装飾図柄が大当たりを示す組み合わせ態様で擬似停止（及び本停止）する場合と、大当たりを示す組み合わせ態様以外（すなわち、ハズレを示す組み合わせ態様）で本停止する場合との両方において実行可能な演出である。
【００６４】
リーチ演出については後に詳述するが、第１特別図柄判定の判定結果が「ハズレ」である場合、第１特別図柄としてハズレ図柄が停止表示されるのに伴って、ハズレを報知すべくハズレを示す組み合わせ態様で３つの装飾図柄が本停止する。例えば、リーチ演出が行われた場合には、ハズレ図柄が停止表示されるのに伴ってリーチハズレ目（例えば「３４３」））を示す３つの装飾図柄が本停止する。一方、リーチ演出が行われない場合には、ハズレ図柄が停止表示されるのに伴って、バラケ目（例えば「１５４」）を示す３つの装飾図柄が本停止する。このように、大当たり遊技を実行しないと判定された場合、ハズレを示す態様で３つの装飾図柄を擬似停止させてから本停止させてハズレ（大当たり遊技が実行されないこと）を報知するハズレ報知演出が実行される。
【００６５】
このハズレ報知演出が実行された場合は大当たり遊技が実行されず、第１特別図柄判定の権利が保留されていれば、その第１特別図柄判定と第１特別図柄の変動表示が直ちに開始される。
【００６６】
一方、第１特別図柄判定の判定結果が「大当たり」である場合、第１特別図柄の変動表示中に大抵はリーチ演出が実行され、第１特別図柄として大当たり図柄が停止表示されるのに伴って、大当たりを示す態様（例えば「３３３」や「７７７」といったゾロ目）で３つの装飾図柄が擬似停止してから本停止する。このように、大当たり遊技を実行すると判定された場合、大当たりを示す態様で３つの装飾図柄を擬似停止させてから本停止させて大当たり（大当たり遊技が実行されること）を報知する当たり報知演出が実行される。この当たり報知演出が実行された場合、大当たり遊技が実行される。
【００６７】
［アイコンについて］
特別図柄の変動表示中や大当たり遊技中には、第１始動口１１や第２始動口１２に遊技球が入賞したとしても、この入賞を契機とする特別図柄判定や図柄の変動表示を即座に実行することはできない。このため、遊技機１では、第１始動口１１（又は第２始動口１２）に遊技球が入賞しても第１特別図柄判定（又は第２特別図柄判定）や図柄の変動表示を即座に実行できない場合には、所定数（本実施形態では「４」）を超えない範囲で第１特別図柄判定（又は第２特別図柄判定）が保留されて、その保留数が第１特別図柄保留表示器４３（又は第２特別図柄保留表示器４４）に表示される。
【００６８】
これに対して、液晶画面５には、特別図柄判定や図柄の変動表示が保留されていることを示唆する演出画像である保留アイコンが表示される表示領域として、第１保留アイコン表示領域５１および第２保留アイコン表示領域５２が設けられている（図１参照）。
【００６９】
第１保留アイコン表示領域５１は、第１特別図柄判定が保留されていることを示唆する保留アイコンが表示される領域である。この第１保留アイコン表示領域５１には、第１特別図柄保留表示器４３（図３参照）が示す第１特別図柄判定の保留数と同数の保留アイコンが表示される。
【００７０】
第２保留アイコン表示領域５２は、第２特別図柄判定が保留されていることを示唆する保留アイコンが表示される領域である。この第２保留アイコン表示領域５２には、第２特別図柄保留表示器４４（図３参照）が示す第２特別図柄判定の保留数と同数の保留アイコンが表示される。
【００７１】
図１には、第１特別図柄判定の保留数が「３」であることを示唆するために第１保留アイコン表示領域５１に３個の保留アイコンが表示されると共に、第２特別図柄判定の保留数が「２」であることを示唆するために第２保留アイコン表示領域５２に２個の保留アイコンが表示された状態が例示されている。
【００７２】
また、液晶画面５には、第１特別図柄または第２特別図柄が変動表示されていることを示唆する変動示唆画像（以下「当該アイコン」と呼ぶ）を表示する表示領域として、当該領域５３が設けられている（図１参照）。
【００７３】
遊技機１では、保留されている第１特別図柄判定の権利を消化すべく図柄の変動表示が開始されるに際して、第１保留アイコン表示領域５１に表示されている保留アイコンの中で最初に表示された保留アイコン（当該領域５３に最も近い保留アイコン）が第１保留アイコン表示領域５１から当該領域５３に移動して当該アイコンとして表示される。そして、第１保留表示領域５１に他の保留アイコンが表示されている場合には、他の保留アイコンは、第１保留アイコン表示領域５１内において、当該領域５３側にシフトする。
【００７４】
なお、このようなシフト処理は、第２保留アイコン表示領域５２に表示されている保留アイコンについても同様に行われる。当該アイコンは、特別図柄の変動表示に伴って表示される画像であり、実行中の特別図柄の変動表示に対応する対応表示である。また、保留アイコンは、特別図柄の変動表示中（又は、特別図柄の停止表示開始時から所定の確定時間（例えば１秒）が経過する前）であるために保留中の特別図柄判定の権利がすぐに消化できない状態であることを報知する画像である。このため、保留アイコンは、特別図柄が変動表示されていることに対応して表示される画像であり、実行中の特別図柄の変動表示に対応する対応表示であるといえる。
【００７５】
また、本実施形態における遊技機１では、第１特別図柄判定と第２特別図柄判定の両方が保留されている場合、第１特別図柄判定よりも第２特別図柄判定の方が優先消化される。このため、第１保留アイコン表示領域５１に表示されている保留アイコンに対するシフト処理よりも第２保留アイコン表示領域５２に表示されている保留アイコンに対するシフト処理が優先して行われる。
【００７６】
第１始動口１１（又は第２始動口１２）に遊技球が入賞したことに応じて取得された大当たり乱数などの取得情報に基づく第１特別図柄判定（又は第２特別図柄判定）が行われる前は、その取得情報に対応する保留アイコンが第１保留アイコン表示領域５１（又は第２保留アイコン表示領域５２）に表示される。そして、この第１保留アイコン表示領域５１（又は第２保留アイコン表示領域５２）に表示されている保留アイコンに対応する取得情報に基づいて特別図柄判定と特別図柄の変動表示が行われるのに際して、保留アイコンが当該領域５３に移動して、特別図柄が変動表示されていることを示唆する当該アイコンとして当該領域５３に表示される。
【００７７】
なお、第１保留アイコン表示領域５１には、例えば、通常アイコンや特別アイコンが表示される。ここで、通常アイコンは、デフォルトの保留アイコンであって、例えば白色の保留アイコンである。特別アイコンは、大当たり信頼度を示唆する保留アイコンであって、白色以外の色で表示される保留アイコンがこれに該当する。本実施形態における特別アイコンは、示唆する大当たり信頼度が低いものから高いものへ順に並べると、青色の保留アイコン（青保留）、緑色の保留アイコン（緑保留）、赤色の保留アイコン（赤保留）、金色の保留アイコン（金保留）、虹色の保留アイコン（虹保留）の順となり、それぞれの大当たり信頼度は、５％、１５％、５０％、７５％、１００％である（図３２参照）。
【００７８】
通常アイコンは、その保留アイコンに対応する特別図柄判定が消化されるまで、すなわち、通常アイコンが当該領域５３に移動してから当該領域５３から消去されるまで、その表示態様が変化しない場合がある。また、保留アイコンが例えば第１保留アイコン表示領域５１に表示される場合に、始めから特別アイコンとして表示される場合がある。また、例えば第１保留アイコン表示領域５１に表示された通常アイコンが第１保留アイコン表示領域５１又は当該領域５３において特別アイコンに変化する場合や、例えば第１保留アイコン表示領域５１に表示されている特別アイコンが第１保留アイコン表示領域５１又は当該領域５３においてより上位の特別アイコンに１回又は複数回変化する場合もある。以下の説明では、保留アイコンとして特別アイコンを表示して大当たり信頼度を示唆する演出のことを「事前演出」と言う。
【００７９】
一方の第２保留アイコン表示領域５２には、第１保留アイコン表示領域５１と同様に、通常アイコンや特別アイコンが表示される。このため、第２保留アイコン表示領域５２に表示される保留アイコンに関する説明は省略する。
【００８０】
［遊技状態について］
以下、図５を参照しつつ、遊技機１の遊技状態について説明する。ここで、図５は、遊技状態について説明するための説明図である。本実施形態の遊技機１は、「通常遊技状態」、「確変遊技状態」、及び「時短遊技状態」の３つの遊技状態のいずれかの遊技状態で遊技が制御される。
【００８１】
「通常遊技状態」は、大当たり遊技を実行すると判定される確率が相対的に低い低確率状態で特別図柄判定が行われると共に、電チューサポート機能が付与されない通常の遊技状態である。すなわち、通常遊技状態では、特別図柄判定によって大当たり遊技を実行すると判定される確率が相対的に低い確率（例えば１／２００）に設定される（図６（Ａ）参照）。また、普通図柄判定によって第２始動口１２を開放すると判定される確率が相対的に低い確率（例えば１／１２）に設定され、普通図柄の変動時間が相対的に長い時間（例えば２５秒）に設定され、且つ第２始動口１２を開放すると判定された場合の第２始動口１２の開放時間が相対的に短い時間（例えば０．１秒×１回）に設定される。
【００８２】
「確変遊技状態」は、大当たり遊技を実行すると判定される確率が相対的に高い高確率状態で特別図柄判定が行われると共に、電チューサポート機能が付与される遊技状態である。すなわち、確変遊技状態では、特別図柄判定によって大当たり遊技を実行すると判定される確率が相対的に高い確率（例えば１／５０）に設定される（図６（Ａ）参照）。また、普通図柄判定によって第２始動口１２を開放すると判定される確率が相対的に高い確率（例えば１２／１２）に設定され、普通図柄の変動時間が相対的に短い時間（例えば２秒）に設定され、且つ第２始動口１２を開放すると判定された場合の第２始動口１２の開放時間が相対的に長い時間（例えば１．６秒×３回）に設定される。
【００８３】
「時短遊技状態」は、上述した低確率状態で特別図柄判定が行われると共に、電チューサポート機能が付与される遊技状態である。すなわち、時短遊技状態では、特別図柄判定によって大当たり遊技を実行すると判定される確率が相対的に低い確率（例えば約１／２００）に設定される。また、普通図柄判定によって第２始動口１２を開放すると判定される確率が相対的に高い確率（例えば１２／１２）に設定され、普通図柄の変動時間が相対的に短い時間（例えば２秒）に設定され、且つ第２始動口１２を開放すると判定された場合の第２始動口１２の開放時間が相対的に長い時間（例えば１．６秒×３回）に設定される。
【００８４】
特別図柄の変動時間に関して各遊技状態を比較すると、「通常遊技状態」における特別図柄の変動時間に比べて、「確変遊技状態」や「時短遊技状態」における特別図柄の変動時間が相対的に短い時間に設定され易い。
【００８５】
なお、各遊技状態の説明で示した、特別遊技を実行すると判定される確率（大当たり確率）、第２始動口１２を開放すると判定される確率（普通図柄判定の当選確率）、普通図柄の変動時間、第２始動口１２の開放時間は単なる一例であって、他の確率や時間であってもよいことは言うまでもない。
【００８６】
なお、以下の説明では、電チューサポート機能が付与されていることによって第２始動口１２への遊技球の入賞が容易な状態を「高ベース状態」と呼び、電チューサポート機能が付与されていないことによって第２始動口１２への遊技球の入賞が容易ではない状態を「低ベース状態」と呼ぶものとする。
【００８７】
遊技者が右打ちした遊技球は、第１始動口１１には入賞せず、第２始動口１２に入賞し得る。しかしながら、低ベース状態のときには、第２始動口１２が開放され難く、開放されたとしてもその開放時間は短い。このため、低ベース状態（本実施形態では「通常遊技状態」がこれに該当）で遊技が制御されているときには、遊技者は、第１始動口１１を狙った左打ちにより遊技を行うことになる。
【００８８】
通常遊技状態のときに左打ちされた遊技球が第１始動口１１に入賞すると、第１特別図柄判定が実行され、第１特別図柄が変動表示されてから第１特別図柄判定の判定結果を示す第１特別図柄として、大当たり図柄またはハズレ図柄が停止表示される。
【００８９】
ここで、ハズレ図柄が停止表示された場合は、大当たり遊技が行われることはなく、遊技状態も変化しない。一方、第１特別図柄として「確変大当たり」を示す大当たり図柄が停止表示された場合、その大当たり図柄に応じた所定回数の長開放ラウンド遊技を行う大当たり遊技が実行され、その大当たり遊技終了後は、確変遊技状態で遊技が制御されることになる。なお、本実施形態の遊技機１は、確変ループタイプと呼ばれる遊技機として構成されており、大当たり遊技終了後は、基本的に次の大当たりまで確変遊技状態が継続する。
【００９０】
なお、遊技状態が確変遊技状態に移行した場合、すなわち、低ベース状態から高ベース状態に移行した場合、第１始動口１１よりも第２始動口１２の方が、遊技球が入賞し易くなる。このため、高ベース状態で遊技が制御されているときには、遊技者は、第２始動口１２を狙った右打ちにより遊技を行うことになる。このことは、時短遊技状態にて遊技が制御される場合も同様であり、確変遊技状態や通常遊技状態では、基本的には、第２特別図柄判定が行われる。
【００９１】
確変遊技状態において第２特別図柄として「確変大当たり」を示す大当たり図柄が停止表示された場合には、大当たり遊技終了後に再び確変遊技状態で遊技が制御され、第２特別図柄として「通常大当たり」を示す大当たり図柄が停止表示された場合には、大当たり遊技終了後に時短遊技状態で遊技が制御される。
【００９２】
一方、通常遊技状態において、第１特別図柄として「通常大当たり」を示す大当たり図柄が停止表示された場合、その大当たり図柄に応じた所定回数の長開放ラウンド遊技を行う大当たり遊技が実行され、大当たり遊技終了後は、時短遊技状態で遊技が制御されることになる。そして、この時短遊技状態において、特別図柄判定（基本的には第２特別図柄判定）が５０回（図５における規定回数の一例）行われても大当たりと判定されることがなければ、遊技状態が時短遊技状態から通常遊技状態に移行する。
【００９３】
なお、時短遊技状態において、５０回以内の第２特別図柄判定において大当たりと判定され、第２特別図柄として「確変大当たり」を示す大当たり図柄が停止表示された場合には、その大当たり図柄に応じた大当たり遊技の終了後に、確変遊技状態で遊技が制御される。また、第２特別図柄として「通常大当たり」を示す大当たり図柄が停止表示された場合には、その大当たり図柄に応じた所定回数の長開放ラウンド遊技を含む大当たり遊技の終了後に、再び時短遊技状態にて遊技が制御されることになる。
【００９４】
ここまでの説明から明らかなように、メインＣＰＵ１０１は、通常遊技状態、確変遊技状態、及び時短遊技状態の３つの遊技状態のうちのいずれかの遊技状態にて遊技を制御可能である。なお、大当たり遊技を実行した後は、確変遊技状態および時短遊技状態の２種類の遊技状態のうちのいずれかの遊技状態にて遊技を制御可能である。
【００９５】
なお、他の実施形態では、例えば、大当たり遊技終了後に通常遊技状態で遊技が制御される大当たりを新たに設けて、大当たり遊技終了後に、確変遊技状態、時短遊技状態、及び通常遊技状態の３つの遊技状態のうちのいずれかの遊技状態で遊技を制御可能な構成を採用してもよい。
【００９６】
［乱数を用いた特別図柄判定について］
次に、図６を参照しつつ、大当たり乱数および図柄乱数を用いた特別図柄判定について説明する。ここで、図６は、特別図柄判定に使用される各種乱数について説明するための説明図である。
【００９７】
図６（Ａ）に例示される大当たり乱数は、大当たり遊技を実行するか否かの大当たり判定処理（図４１のステップＳ３０９）に使用される乱数であり、大当たり遊技を実行すると判定される確率が相対的に低い低確率状態と、大当たり遊技を実行すると判定される確率が相対的に高い高確率状態のそれぞれについて、個別に設定されている。
【００９８】
本実施形態では、低確率状態に関して、「０」と「１」の２個の当選値がメインＲＯＭ１０２に記憶されており、メインＣＰＵ１０１は、低確率状態で遊技が制御されているときに取得した大当たり乱数がこれら２つの当選値のいずれかと一致した場合に、大当たり遊技を実行すると判定する。また、高確率状態に関して、本実施形態では「０」〜「７」の８個の当選値がメインＲＯＭ１０２に記憶されており、高確率状態で遊技が制御されているときに取得した大当たり乱数がこれら８個の当選値のいずれかと一致した場合に、大当たり遊技を実行すると判定する。
【００９９】
なお、大当たり乱数の取り得る範囲は、低確率状態と高確率状態とのいずれの場合も本実施形態では「０」〜「３９９」である。このため、低確率状態での大当たり確率は１／２００（＝２／４００）であり、高確率状態での大当たり確率は１／５０（＝８／４００）である。このため、本実施形態では、高確率状態のときには、低確率状態のときに比べて４倍大当たりとなり易い。
【０１００】
メインＣＰＵ１０１は、大当たり遊技を実行すると判定した場合、その判定に用いた大当たり乱数と一緒に取得した図柄乱数が、大当たりの種類毎に予め設定された乱数値のうちのどの乱数値と一致するかに基づいて、大当たりの種類を決定する。
【０１０１】
なお、例えば、ホール店員が所定の操作を行うことによって大当たり確率を異なる確率に設定可能でもよい。例えば、遊技機１に電源が投入された際に遊技制御基板１００の裏面に設けられた設定値スイッチ（不図示）を操作（例えば押下）したことに応じて、大当たり確率に係る設定値を所定の値（例えば、「１」〜「３」のうちの何れかの値）に設定可能な構成とする。設定値スイッチは、例えば、大当たり確率を異なる確率に設定するためのスイッチである。
【０１０２】
例えば、設定値の値が大きいほど大当たりとなり易く、高確率状態における大当たり確率と低確率状態における大当たり確率との比率は設定値によらず固定でもよい。例えば、低確率状態であるときの大当たり確率は、設定値が「１」であるときは１／２２０に設定され、設定値が「２」であるときには１／２００に設定され、設定値が「３」であるときには１／１８０に設定される。また、高確率状態であるときの大当たり確率は、設定値が「１」であるときは１／２７．５（＝１／２２０×８倍）に設定され、設定値が「２」であるときには１／２５（＝１／２００×８倍）に設定され、設定値が「３」であるときには１／２２．５（＝１／１８０×８倍）に設定される。
【０１０３】
（第１特別図柄判定に係る大当たりの種類）
図６（Ｂ）に例示されるように、本実施形態では、第１始動口入賞による大当たりの種類として、「１６Ｒ確変大当たり」、「６Ｒ確変大当たり」、「６Ｒ通常大当たり」の３種類が用意されている。ここで、「１６Ｒ確変大当たり」（１６Ｒ確変）は、１６回の長開放ラウンド遊技を行う大当たり遊技が実行された後に、確変遊技状態で遊技が制御される大当たりである。「６Ｒ確変大当たり」（６Ｒ確変）は、６回の長開放ラウンド遊技を行う大当たり遊技が実行された後に、確変遊技状態で遊技が制御される大当たりである。「６Ｒ通常大当たり」（６Ｒ通常）は、６回の長開放ラウンド遊技を行う大当たり遊技が実行された後に、時短遊技状態で遊技が制御される大当たりである。
【０１０４】
図６（Ｂ）に例示されるように、本実施形態では、第１特別図柄判定の判定結果が大当たりとなった場合に、その大当たりの種類を決定するための乱数値がメインＲＯＭ１０２に記憶されている。具体的には、１６Ｒ確変に対して「０」〜「９」の１０個の乱数値が記憶され、６Ｒ確変に対して「１０」〜「１１９」の１１０個の乱数値が記憶され、６Ｒ通常に対して「１２０」〜「１９９」の８０個の乱数値が記憶されている。
【０１０５】
なお、本実施形態では、図柄乱数の取り得る範囲が「０」〜「１９９」に設定されている。このため、第１始動口入賞に応じて大当たりと判定された場合、大当たりの種類が１６Ｒ確変に決定される割合は５％（＝１０／２００×１００）であり、大当たりの種類が６Ｒ確変に決定される割合は５５％（＝１１０／２００×１００）であり、大当たりの種類が６Ｒ通常に決定される割合は４０％（＝８０／２００×１００）である。
【０１０６】
このため、第１特別図柄判定の判定結果が大当たりとなった場合、第１特別図柄として１６Ｒ確変を示す大当たり図柄Ｘ１が停止表示される割合は５％であり、６Ｒ確変を示す大当たり図柄Ｘ２が停止表示される割合は５５％であり、６Ｒ通常を示す大当たり図柄Ｘ３が停止表示される割合は４０％である。
【０１０７】
なお、これら３種類の大当たりを遊技者が獲得可能な賞球数で比較した場合、以下のことが言える。すなわち、例えば、大入賞口１３に遊技球が入賞する毎に１５個の賞球が払い出され、８個の遊技球が入賞すると１回の長開放ラウンド遊技が終了すると仮定した場合に、１６Ｒ確変では、遊技者が１９２０個（＝１５×８×１６）の賞球を獲得可能である。また、同様の仮定において、６Ｒ通常と６Ｒ確変では、遊技者が７２０個（＝１５×８×６）の賞球を獲得可能である。
【０１０８】
（第２特別図柄判定に係る大当たりの種類）
図６（Ｃ）に例示されるように、本実施形態では、第２始動口入賞による大当たりの種類として、「１６Ｒ確変大当たり」、「８Ｒ確変大当たり」、「４Ｒ確変大当たり」、「８Ｒ通常大当たり」の４種類が用意されている。ここで、「１６Ｒ確変大当たり」（１６Ｒ確変）となった場合に行われる大当たり遊技とその後の遊技状態は、大当たり図柄Ｘ１が停止表示された場合と同じである。一方、「８Ｒ確変大当たり」（８Ｒ確変）は、８回の長開放ラウンド遊技を行う大当たり遊技が実行された後に、確変遊技状態で遊技が制御される大当たりである。「４Ｒ確変大当たり」（４Ｒ確変）は、４回の長開放ラウンド遊技を行う大当たり遊技が実行された後に、確変遊技状態で遊技が制御される大当たりである。「８Ｒ通常大当たり」（８Ｒ通常）は、８回の長開放ラウンド遊技を行う大当たり遊技が実行された後に、時短遊技状態で遊技が制御される大当たりである。
【０１０９】
図６（Ｃ）に例示されるように、本実施形態では、第２特別図柄判定の判定結果が大当たりとなった場合に、その大当たりの種類を決定するための乱数値がメインＲＯＭ１０２に記憶されている。具体的には、１６Ｒ確変に対して「０」〜「７９」の８０個の乱数値が記憶され、８Ｒ確変に対して「８０」〜「９９」の２０個の乱数値が記憶され、４Ｒ確変に対して「１１０」〜「１１９」の２０個の乱数値が記憶され、８Ｒ通常に対して「１２０」〜「１９９」の８０個の乱数値が記憶されている。
【０１１０】
ここで、本実施形態では、第２特別図柄判定に係る図柄乱数の取り得る範囲が、第２特別図柄判定に係る図柄乱数の取り得る範囲と共通している。このため、第２始動口入賞に応じて大当たりと判定された場合、大当たりの種類が１６Ｒ確変に決定される割合は４０％（＝８０／２００×１００）であり、大当たりの種類が８Ｒ確変に決定される割合は１０％（＝２０／２００×１００）であり、大当たりの種類が４Ｒ確変に決定される割合は同じく１０％（＝２０／２００×１００）であり、大当たりの種類が８Ｒ通常に決定される割合は４０％（＝８０／２００×１００）である。
【０１１１】
このため、第２特別図柄判定の判定結果が大当たりとなった場合、第２特別図柄として１６Ｒ確変を示す大当たり図柄Ｙ１が停止表示される割合は４０％であり、８Ｒ確変を示す大当たり図柄Ｙ２が停止表示される割合は１０％であり、４Ｒ確変を示す大当たり図柄Ｙ３が停止表示される割合は１０％であり、８Ｒ通常を示す大当たり図柄Ｙ４が停止表示される割合は４０％である。
【０１１２】
なお、これら４種類の大当たりを遊技者が獲得可能な賞球数で比較した場合、以下のことが言える。すなわち、例えば、大入賞口１３に遊技球が入賞する毎に１５個の賞球が払い出され、８個の遊技球が入賞すると１回の長開放ラウンド遊技が終了すると仮定した場合に、１６Ｒ確変では、大当たり図柄Ｘ１が停止表示された場合と同様、遊技者が１９２０個（＝１５×８×１６）の賞球を獲得可能である。また、同様の仮定において、８Ｒ確変と８Ｒ通常では、遊技者が９６０個（＝１５×８×８）の賞球を獲得可能である。また、４Ｒ確変では、遊技者が４８０個（＝１５×８×４）の賞球を獲得可能である。
【０１１３】
このように、本実施形態の遊技機１は、大当たり遊技として、遊技者が４８０個の賞球を獲得可能な４Ｒの大当たり遊技と、遊技者が７２０個の賞球を獲得可能な６Ｒの大当たり遊技と、遊技者が９６０個の賞球を獲得可能な８Ｒの大当たり遊技と、遊技者が１９２０個の賞球を獲得可能な１６Ｒの大当たり遊技とを実行可能である。
【０１１４】
なお、本実施形態では、装飾図柄を構成する数字が緑色の奇数である奇数図柄（１図柄、３図柄、５図柄、７図柄、９図柄）が確変図柄として機能する。また、装飾図柄を構成する数字が青色の偶数である偶数図柄（２図柄、４図柄、６図柄、８図柄）が通常図柄として機能する。そして、７図柄は、１６Ｒ確変となった場合にしか当たり報知演出に使用されることがない。このため、通常遊技状態または確変遊技状態において、１６Ｒ確変に対応する大当たり図柄Ｘ１，Ｙ１が本停止する際には「７７７」のゾロ目を示す３つの装飾図柄が本停止し、他の確変大当たりに対応する大当たり図柄Ｘ２，Ｙ２，Ｙ３が本停止する際には、「１１１」、「３３３」、「５５５」、「９９９」といった７図柄とは異なる奇数図柄のゾロ目を示す３つの装飾図柄が本停止する。また、６Ｒ通常や８Ｒ通常に対応する大当たり図柄Ｘ３，Ｙ４が本停止する際には、偶数図柄のゾロ目を示す３つの装飾図柄が本停止する。
【０１１５】
なお、大当たりの種類は上述したものに限らず、特別図柄判定の判定結果に応じて遊技者が有利な状態になり得る態様であればどのようなものでもよい。例えば、大当たり図柄Ｘ１，Ｙ１に対応する大当たりは、１０回の長開放ラウンド遊技（例えば、遊技者が１５００個（＝１５×８×１０）の賞球を獲得可能）を行い、大当たり遊技終了直後に確変遊技状態で遊技が制御される大当たりでもよい。
【０１１６】
［通常遊技状態における演出の流れ］
以下、図７を参照しつつ、通常遊技状態で遊技が制御されているときに、第１特別図柄の変動表示が開始されてから第１特別図柄が停止表示されるまでの間に行われる演出の流れについて説明する。ここで、図７は、通常遊技状態における演出の流れを例示した流れ図である。
【０１１７】
上述したように、通常遊技状態で遊技が制御されているときには、遊技者は、第１始動口１１への遊技球の入賞を狙った左打ちを行うことになる。これに対して、メインＣＰＵ１０１は、第１始動口１１に遊技球が入賞すると、第１特別図柄判定を実行する。この第１特別図柄判定では、図６に基づいて上述した大当たりか否かを判定する処理や大当たりである場合に大当たりの種類を決定する処理の他に、第１特別図柄の変動パターンを選択する処理が含まれており、第１特別図柄の変動パターンが選択されることによって、第１特別図柄の変動時間が決まることになる。
【０１１８】
これに対して、サブＣＰＵ１３１は、第１特別図柄判定の結果を示す情報を含む変動開始コマンドを遊技制御基板１００から受信し、この情報に基づいて、液晶画面５、スピーカ２４、盤ランプ２５、枠ランプ３７、演出役物７といった各種の演出手段を用いて行われる演出の演出パターンを設定する。そして、画像音響制御基板１４０及びランプ制御基板１５０が、この設定に基づく演出を実現するための処理を行う。
【０１１９】
第１特別図柄判定が行われると、液晶画面５では、第１特別図柄の変動表示の開始に伴って、装飾図柄の変動表示が開始される（図７（Ａ）参照）。ここで、リーチ無し演出を行うことが図柄変動開始時に決定されている場合、例えば、左図柄および右図柄がリーチを形成しない態様で擬似停止するリーチ無し演出が行われる（図７（Ｂ）参照）。このリーチ無し演出としては、左図柄として２図柄が擬似停止した後に右図柄として５図柄が擬似停止する演出、左図柄としての６図柄と右図柄としての４図柄が同時に擬似停止する演出が例として挙げられる。このリーチ無し演出が行われると、大抵は、バラケ目を示す３つの装飾図柄が擬似停止してから本停止するハズレ報知演出が行われる（図７（Ｃ）参照）。本実施形態では、リーチが成立しない点を除き、リーチ無し演出としてリーチ前演出と同じ（又は類似する）演出が実行される。このため、装飾図柄が本停止することにより、この変動表示においてリーチが成立する可能性がないことが示されるまで、リーチ無し演出が実行されているのかリーチ前演出が実行されているのかを遊技者は見分けることができない。
【０１２０】
一方、リーチ有り演出を行うことが図柄変動開始時に決定されている場合、例えば、左図柄および右図柄として互いに共通する装飾図柄が擬似停止してリーチが成立し（図７（Ｄ）参照）、ノーマルリーチ演出（以下「ノーマルリーチ」と略称する）が行われる（図７（Ｅ）参照）。このノーマルリーチ演出は、２つのリーチ図柄を結ぶ有効ライン上にリーチ図柄と同じ中図柄が停止することに対する遊技者の期待感を高めるリーチ演出である（図１０（Ｄ）参照）。このノーマルリーチが行われる場合、高速でスクロール表示されていた中列の図柄列のスクロール速度が徐々に低下していく。例えば、３図柄でリーチが成立している場合（図１０（Ｃ）参照）、中図柄として３図柄が有効ライン上に擬似停止してから２つのリーチ図柄と共に本停止した場合には、「３３３」の図柄揃いとなって大当たりが報知される（図７（Ｈ）参照）。一方、有効ライン上にリーチ図柄とは異なる中図柄が擬似停止してから２つのリーチ図柄と共に本停止した場合には、例えば「３４３」といったリーチハズレ目が停止表示されてハズレが報知される（図７（Ｃ）参照）。
【０１２１】
その一方で、リーチ図柄と同じ装飾図柄が有効ラインを通過した後も中列のスクロール表示が継続されると、ノーマルリーチからキャラＳＰリーチ演出（以下「キャラＳＰリーチ」と略称する）へとリーチ演出が発展することになる（図７（Ｆ）参照）。このキャラＳＰリーチは、ノーマルリーチよりも大当たり信頼度が高いリーチ演出である。本実施形態におけるキャラＳＰリーチでは、以下のような演出が行われる。すなわち、キャラＳＰリーチに発展すると、図には示されていないが、「敵から宝箱を奪い返せ！」といったメッセージを表示するキャラＳＰリーチに係るタイトル表示が行われる。そして、自分のキャラクタ（以下「自キャラ」と呼ぶ）と敵のキャラクタ（以下「敵キャラ」と呼ぶ）とが宝箱を奪い合う様子を表す争奪演出が行われる（図７（Ｆ−１）、図１３（Ａ）参照）。
【０１２２】
そして、この争奪演出の結果演出として、争奪失敗演出（図７（Ｆ−２）参照）または争奪成功演出（図７（Ｆ−５）参照）が行われる。ここで、争奪失敗演出は、例えば、敵キャラとの争奪に敗れる様子を表す演出表示として構成されている（図１３（Ｂ）参照）。この奪取失敗演出が実行されると、前段演出としてのキャラＳＰリーチから後段演出としてのＳＰＳＰリーチ演出（以下「ＳＰＳＰリーチ」と略称する）に発展することを示唆する発展示唆演出（図７（Ｆ−４）参照）、又はキャラＳＰリーチからＳＰＳＰリーチに発展しないことを示唆する非発展示唆演出（図７（Ｆ−３）参照）が行われる。この非発展示唆演出は、例えば、宝箱を奪い取った敵キャラが逃亡する様子を表す演出表示として構成されている（図１３（Ｃ）参照）。この非発展示唆演出が行われた場合には、大当たりが報知される可能性はなく、リーチハズレ目（例えば「３４３」）が擬似停止してから本停止することによってハズレが報知される（図７（Ｇ）参照）。一方、発展示唆演出は、例えば、味方のキャラクタ（味方キャラ）が自キャラを助けに来て自キャラが立ち上がり、その後に、逃亡した敵キャラを追いかける様子を表す演出表示として構成されている（図１３（Ｅ）及び（Ｆ）参照）。そして、この発展示唆演出が行われると、逃亡した敵キャラを自キャラが発見して自キャラと敵キャラとのバトルが繰り広げられる様子を表すＳＰＳＰリーチへと発展することになる（図７（Ｉ）参照）。
【０１２３】
このＳＰＳＰリーチは、ノーマルリーチやＳＰリーチに比べて大当たり信頼度が高いリーチ演出であり、自キャラが敵キャラとのバトルに勝利すると図柄揃いとなって大当たりが報知され（図７（Ｈ）参照）、自キャラが敵キャラに敗北するとリーチハズレ目が擬似停止してから本停止してハズレが報知される（図７（Ｇ）参照）。
【０１２４】
ここまでの説明から明らかなように、奪取失敗演出（図７（Ｆ−２）参照）は、第１特別図柄判定の判定結果が大当たりである場合とハズレである場合の両方において実行可能であるものの、非発展示唆演出へと演出が進行して行くと、その後に大当たり報知が行われることはない。その一方で、奪取失敗演出から発展示唆演出へと演出が進行した場合には、その後のＳＰＳＰリーチにて、大当たり報知が行われる場合とハズレ報知が行われる場合とがある。すなわち、非発展示唆演出へと演出が進行した場合には、大当たりの可能性が残されていないのに対して、発展示唆演出へと演出が進行した場合には、大当たりの可能性が残されている。
【０１２５】
このため、争奪失敗演出が行われた場合に、遊技者は、非発展示唆演出ではなく発展示唆演出が行われることを期待しながら遊技を楽しむことができる。
【０１２６】
一方、奪取成功演出（図７（Ｆ−５）参照）は、例えば、自キャラが敵キャラに競り勝って宝箱の奪取に成功する様子を表す演出表示として構成されており（図１３（Ａ）及び（Ｈ）参照）、この奪取成功演出が行われた場合、中列の図柄列のスクロール速度が低下していく様子を表す演出表示が行われることなく、奪取成功演出の直後にゾロ目を形成する３つの装飾図柄が擬似停止してから速やかに本停止することになる（図１３（Ｈ）及び（Ｉ）参照）。
【０１２７】
このように、奪取成功演出が行われると、大当たり遊技を実行すると判定されたことを報知する当たり報知演出が実行されることになる。このため、争奪演出に発展した場合、遊技者は、先ずは、奪取失敗演出ではなく奪取成功演出が行われることを期待しながら遊技を楽しむことができる。
【０１２８】
なお、本実施形態の遊技機１では、ノーマルリーチ中に「次回予告」と呼ばれる演出が行われる場合がある（図７（Ｋ）参照）。この次回予告は、後にＳＰＳＰリーチに発展することを示唆する演出であり、次回予告が行われると、キャラＳＰリーチを経由せずに、ノーマルリーチからＳＰＳＰリーチに直接発展することになる（図７（Ｅ），（Ｋ），（Ｉ）参照）。
【０１２９】
一方、第１特別図柄判定が行われた結果として確変大当たり（図６（Ｂ）の１６Ｒ確変）に当選している場合の一部において、リーチ無し演出（図７（Ｂ）参照）が行われた後に、突当たり演出（図７（Ｊ）参照）が行われて直後に大当たり報知（図７（Ｈ）参照）が行われる場合がある。この突当たり演出は、第１特別図柄として大当たり図柄が停止表示されるのに先立って、大当たり遊技が実行されることを予告する予告演出の１つであり、図１４に基づいて後に詳述するが、いきなり図柄（本実施形態では確変図柄）が揃う演出として構成されている。突当たり演出は、ゾロ目を形成する３つの確変図柄がいきなり飛び出してくる演出として構成されているため、大当たり遊技が終了した後に確変遊技状態で遊技が制御されることを示唆する示唆演出としての機能を有している。
【０１３０】
このように、リーチ無し演出を行った直後に突当たり演出を行うことで、リーチが成立していないことに基づいて大当たりを全く期待していなかった遊技者に意外性と驚きを感じさせることが可能であり、結果として、高い演出効果を得ることが可能である。
【０１３１】
なお、本実施形態では、第１特別図柄判定に係る大当たりが１６Ｒ確変や６Ｒ確変である場合に突当たり演出を実行可能である一方で、６Ｒ通常である場合には突当たり演出を実行しない構成が採用されている。換言すれば、突当たり演出は、第１特別図柄の停止表示に伴って奇数図柄揃いが本停止する場合は実行可能である一方、偶数図柄揃いが本停止する場合は実行されない。このような構成を採用することで、突然図柄が揃ったことに対する驚きを遊技者に与えることができ、また、大当たり遊技終了後に、６Ｒ通常に比べてより有利な遊技状態（確変遊技状態）で遊技が制御されることから、大当たりとなったことに対する遊技者の喜びを効果的に向上させることができる。
【０１３２】
これに対して、他の実施形態では、１６Ｒ確変である場合に限り突当たり演出を実行可能とし、６Ｒ確変や６Ｒ通常である場合には突当たり演出を実行しない構成を採用してもよい。また、大当たりの種類に関わらず、第１特別図柄判定の判定結果が大当たりであれば突当たり演出を実行可能な構成を採用してもよい。ただし、このような構成を採用した場合において、通常図柄として機能する偶数図柄がいきなり揃う突当たり演出を行った際に、確変大当たりを望んでいた遊技者に対して十分な喜びを感じさせることができず、結果として、高い演出効果を得られない可能性がある。このため、少なくとも、確変大当たりである場合に突当たり演出を実行可能とする一方で、通常大当たりである場合には突当たり演出を実行しない構成を採用するのが好ましい。
【０１３３】
なお、図７に例示した一連の演出に関して、図７（Ａ）の変動開始から図７（Ｈ）の大当たり報知に至るまでの演出の流れや、図７（Ａ）の変動開始から図７（Ｃ），（Ｇ）のハズレ報知に至るまでの演出の流れは、大当たり遊技を実行するか否かの判定結果、リーチ有り演出を行うか否かの決定結果、第１特別図柄の変動パターンに基づいて、サブＣＰＵ１３１により設定される。
【０１３４】
また、図７に基づいて説明した具体的な演出は単なる一例であって、各演出は他の演出であってもよい。例えば、争奪演出は、自キャラが敵キャラに携帯電話を奪われそうになりながらも奪い返そうとする様子を表す演出表示を行う演出であってもよい。この場合、自キャラが敵キャラから携帯電話を奪い返すことに成功する様子を表す演出表示を行う演出を奪取成功演出として実行し、逆に、自キャラが敵キャラに携帯電話を奪われる様子を表す演出表示を行う演出を奪取失敗演出として実行することが考えられる。また、キャラＳＰリーチは、争奪演出から始まるような演出ではなく、単に、自キャラがリーチ図柄とは異なる中図柄を破壊しようとする様子を表す演出表示を行う演出であって、破壊に成功すれば図柄揃いとなり、破壊に失敗すればリーチハズレ目が表示されるような演出であってもよい。
【０１３５】
また、他の実施形態では、リーチ成立からノーマルリーチを経由せずにキャラＳＰリーチやＳＰＳＰリーチに直接発展する演出パターンが用意されていてもよい。
【０１３６】
［確変遊技状態における演出の流れ］
次に、図８を参照しつつ、確変遊技状態で遊技が制御されているときに、第２特別図柄の変動表示が開始されてから第２特別図柄が停止表示されるまでの間に行われる演出の流れについて説明する。ここで、図８は、確変遊技状態における演出の流れを例示した流れ図である。
【０１３７】
上述したように、確変遊技状態で遊技が制御されているときには、遊技者は、第２始動口１２への遊技球の入賞を狙った右打ちを行うことになる。これに対して、メインＣＰＵ１０１は、第２始動口１２に遊技球が入賞すると、第２特別図柄判定を実行する。この第２特別図柄判定では、図６に基づいて上述した大当たりか否かを判定する処理や大当たりである場合に大当たりの種類を決定する処理の他に、第２特別図柄の変動パターンを選択する処理が含まれており、第２特別図柄の変動パターンが選択されることによって、第２特別図柄の変動時間が決まることになる。
【０１３８】
これに対して、サブＣＰＵ１３１は、第２特別図柄判定の結果を示す情報を含む変動開始コマンドを遊技制御基板１００から受信し、この情報に基づいて、液晶画面５、スピーカ２４、盤ランプ２５、枠ランプ３７、演出役物７といった各種の演出手段を用いて行われる演出の演出パターンを設定する。そして、画像音響制御基板１４０及びランプ制御基板１５０が、この設定に基づく演出を実現するための処理を行う。
【０１３９】
第２特別図柄判定が行われると、液晶画面５では、第２特別図柄の変動表示の開始に伴って、装飾図柄の変動表示が開始される（図８（Ａ）参照）。ここで、リーチ無し演出を行うことが図柄変動開始時に決定されている場合、例えば、左図柄および右図柄がリーチを形成しない態様で擬似停止するリーチ無し演出が行われる（図８（Ｂ）参照）。このリーチ無し演出は、図７（Ｂ）に基づいて説明したリーチ無し演出と類似したものとすることができるため、ここでの詳細な説明は省略する。このように、確変遊技状態でリーチ無し演出が行われた場合、大抵は、バラケ目を形成する３つの装飾図柄が擬似停止してからそのまま本停止するハズレ報知演出が行われる（図８（Ｃ）参照）。
【０１４０】
一方、リーチ有り演出を行うことが図柄変動開始時に決定されている場合、例えば、左図柄および右図柄として互いに共通する装飾図柄が擬似停止してリーチが成立し（図８（Ｄ）参照）、バトルリーチ演出（以下「バトルリーチ」と略称する）が行われる（図８（Ｅ）参照）。このバトルリーチは、自キャラと敵キャラとがバトルを行うリーチ演出であり、自キャラが敵キャラに勝利する様子を表す勝利示唆演出（図８（Ｆ）参照）が行われると、確変大当たりが報知される（図８（Ｇ）参照）。本実施形態の遊技機１では、確変遊技状態において、奇数図柄（１図柄、３図柄、５図柄、７図柄、９図柄）が確変図柄として機能し、偶数図柄（２図柄、４図柄、６図柄、８図柄）が通常図柄として機能する。このため、図８（Ｇ）の確変大当たり報知では、奇数図柄で図柄揃いとなった３つの装飾図柄が擬似停止してから本停止する演出表示が行われる。
【０１４１】
なお、勝利示唆演出は、第２特別図柄判定の判定結果が確変大当たりである場合に行われ、この勝利示唆演出が行われて確変大当たりが報知された場合、確変遊技状態が継続することになる。
【０１４２】
一方、バトルリーチに続いて、自キャラが敵キャラに敗北する様子を表す敗北示唆演出（図８（Ｈ）参照）が行われる場合がある。ここで、第２特別図柄判定の判定結果が通常大当たりである場合には、偶数図柄で図柄揃いとなった３つの装飾図柄が擬似停止してから本停止する通常当たり報知が行われる（図８（Ｉ）参照）。なお、通常大当たり報知に用いる装飾図柄の表示態様はこれに限定されるものではなく、例えば、確変大当たり報知に用いる装飾図柄の組み合わせ以外であればよく、「２４６」といったバラケ目を通常大当たり報知に用いるようにしてもよい。
【０１４３】
また、第２特別図柄判定の判定結果が確変大当たりである場合には、敗北示唆演出に続いて、復活演出（図８（Ｊ）参照）が行われることがある。この復活演出は、敵キャラに敗北して倒れていた自キャラが味方キャラの出現により復活して立ち上がる様子を表す演出表示を行う演出として構成されている。この復活演出が行われた場合、上述した勝利示唆演出（図８（Ｆ）参照）が行われて、確変大当たり報知（図８（Ｇ）参照）が行われる。
【０１４４】
なお、本実施形態では、大当たり図柄Ｙ１（図６（Ｃ）参照）が停止表示されることになる１６Ｒ確変である場合にしか復活演出を行わないようになっており、復活演出が行われた時点で、１６Ｒ確変の当選が濃厚となる。このため、復活演出は、大当たり遊技が実行されることを予告する予告演出（以下「大当たり予告」と呼ぶ）と捉えることができる。なお、大当たり予告は、特別図柄判定の判定結果が「大当たり」である場合に実行可能な演出であって、特別図柄判定の判定結果が「ハズレ」である場合には実行されない、大当たり信頼度が１００％の演出である。本実施形態では、復活演出以外にも多くの大当たり予告が用意されているが、本明細書中において、これらの大当たり予告についても適宜説明を行っていく。
【０１４５】
また、本実施形態の遊技機１は、バトルタイプと呼ばれる遊技機として構成されており、確変遊技状態において、確変大当たりや通常大当たりといった何らかの大当たりに当選していなければリーチが成立しないように構成されており、自キャラが敵キャラに勝利すれば確変遊技状態が継続し、自キャラが敵キャラに敗北すれば確変遊技状態が終了して時短遊技状態に転落するという、分かり易いゲーム性になっている。
【０１４６】
一方、第２特別図柄判定が行われた結果として確変大当たり（図６（Ｃ）の１６Ｒ確変）に当選している場合の一部において、リーチ無し演出（図８（Ｂ）参照）が行われた後に、突当たり演出（図８（Ｋ）参照）が行われて直後に確変大当たり報知（図８（Ｇ）参照）が行われる場合がある。換言すれば、突当たり演出は、第２特別図柄の停止表示に伴って７図柄揃いが本停止する場合は実行可能である一方、７図柄揃い以外が本停止する場合は実行されない。この突当たり演出は、第２特別図柄として大当たり図柄が停止表示されるのに先立って、大当たり遊技が実行されることを予告する予告演出の１つであり、図１６に基づいて後に詳述するが、いきなり図柄（確変図柄）が揃う演出として構成されている。
【０１４７】
このように、リーチ無し演出を行った直後に突当たり演出を行うことで、リーチが成立していないことに基づいて大当たりを全く期待していなかった遊技者に意外性と驚きを感じさせることが可能であり、結果として、高い演出効果を得ることが可能である。
【０１４８】
なお、本実施形態では、確変遊技状態において、第２特別図柄判定に係る大当たりが１６Ｒ確変、８Ｒ確変、４Ｒ確変である場合に突当たり演出を実行可能であり、８Ｒ通常である場合には突当たり演出を実行しない構成を採用している。これに対して、他の実施形態では、確変遊技状態において、１６Ｒ確変である場合にのみ突当たり演出を実行可能とし、８Ｒ確変、４Ｒ確変、８Ｒ通常といった他の大当たりである場合には突当たり演出を実行しない構成を採用してもよい。また、第２特別図柄判定に係る大当たりの種類に関わらず、突当たり演出を実行可能な構成を採用してもよい。
【０１４９】
なお、図８に例示した一連の演出に関して、図８（Ａ）の変動開始から図８（Ｃ）のハズレ報知に至るまでの演出の流れ、図８（Ａ）の変動開始から図８（Ｇ）の確変当たり報知に至るまでの演出の流れ、図８（Ａ）の変動開始から図８（Ｉ）の通常当たり報知に至るまでの演出の流れは、大当たり遊技を実行するか否かの判定結果、リーチ有り演出を行うか否かの決定結果、第２特別図柄の変動パターンに基づいて、サブＣＰＵ１３１により設定される。
【０１５０】
［装飾図柄の装飾性について］
次に、図９を参照しつつ、通常遊技状態と確変遊技状態における装飾図柄の装飾性について説明する。ここで、図９は、装飾図柄の装飾性について説明するための説明図である。
【０１５１】
（通常遊技状態での装飾図柄の装飾性）
通常遊技状態で遊技が制御されているときには、第１特別図柄の変動表示中における各演出区間において、以下のような表示態様の装飾図柄が表示される。すなわち、装飾図柄の変動表示が開始されてからリーチ成立となるまでの演出期間であるリーチ前には、図には表れていないが、大きい数字にキャラクタが付された装飾図柄が表示される。このことは、第１特別図柄の変動表示に伴うノーマルリーチ中についても同様である（図１０（Ｄ）参照）。
【０１５２】
その一方で、第１特別図柄の変動表示に伴うキャラＳＰリーチ中やＳＰＳＰリーチ中においては、キャラクタが付されていない小さな数字からなる装飾図柄が表示される。すなわち、ノーマルリーチからキャラＳＰリーチやＳＰＳＰリーチへと発展するような場合には、キャラクタが付された大きな数字からなる装飾図柄からキャラクタが外れ、その装飾図柄（数字）が小さくなりながら画面中央から画面周辺部へと移動する（例えば図１０（Ｅ）〜（Ｇ）参照）。このキャラクタは、装飾図柄を構成する数字（本実施形態では緑色または青色）の後ろ側に重畳される表示（以下、「付加表示」と呼ぶ。）であり、例えば、装飾図柄を構成する数字毎に異なる。
【０１５３】
以下の説明では、キャラクタが付された大きい数字からなる装飾図柄を「第１態様の装飾図柄」と呼び、キャラクタが付されていない小さい数字からなる装飾図柄を「第２態様の装飾図柄」と呼ぶ。
【０１５４】
例えば、第１態様の装飾図柄が擬似停止しているときと、第１態様の装飾図柄から第２態様の装飾図柄である状態になるとき（及びその逆のとき）には、付加表示であるキャラクタの手足が動き、格好つけてポーズを決める。しかしながら、スクロールしているときはその速度に関わらず付加表示であるキャラクタの手足は動かずポーズもとらない。また、特別図柄が停止表示しているときは装飾図柄を構成する数字が静止画像となると共に、付加表示であるキャラクタも全く動かず静止画像となる。なお、他の実施形態では、特別図柄の停止表示中は装飾図柄を構成する数字が静止画像となる一方で、付加表示であるキャラクタは格好つけてポーズを決めてもよい。
【０１５５】
また、第１特別図柄の停止表示に伴って大当たりまたはハズレを報知する態様の装飾図柄を停止表示させる当落報知時には、リーチ前と共通する表示態様の装飾図柄が表示される（例えば図１１（Ｅ），（Ｈ）参照）。このため、キャラＳＰリーチやＳＰＳＰリーチに続いて当たり報知演出またはハズレ報知演出が行われる場合には、例えば、装飾図柄の表示態様に関して、図１０（Ｆ）に例示されているのとは逆の変化が生じる。すなわち、キャラクタが付されていない小さな数字からなる装飾図柄（第２態様の装飾図柄）が大きくなりながら画面周辺部から画面中央へと移動し、これに伴い、装飾図柄（数字）にキャラクタが付される。装飾図柄は、第２態様の装飾図柄である状態が、３倍に拡大された第２態様の装飾図柄である状態まで拡大された後、第１態様の装飾図柄である状態になる。なお、３倍に拡大された第２態様の装飾図柄と、第１態様の装飾図柄とは、縦横の大きさが概ね同じでもよい。
【０１５６】
ここまでの説明から明らかなように、通常遊技状態においては、装飾図柄を構成する数字が大きく且つキャラクタが付されている装飾図柄（すなわち第１態様の装飾図柄）が表示されるリーチ前、ノーマルリーチ中、当落報知時が、装飾図柄の装飾性が高いと言える。その一方で、キャラＳＰリーチやＳＰＳＰリーチでは、キャラクタやアイテムといった装飾図柄とは異なるオブジェクトを用いた演出が展開されることから、この演出の妨げとならないように、キャラクタが付されていない小さな数字からなる装飾図柄（すなわち第２態様の装飾図柄）を画面周辺部に表示することで、装飾図柄が上記の演出に用いられる演出画像の視認性を低下させるのを抑制している。
【０１５７】
（確変遊技状態での装飾図柄の装飾性）
確変遊技状態で遊技が制御されているときには、例えば、第２特別図柄の変動表示と同期して第２態様の装飾図柄を変動表示する。具体的には、第２特別図柄の変動表示中における各演出区間において、図９に示されるように、以下のような表示態様の装飾図柄が表示される。すなわち、装飾図柄の変動表示が開始されてからリーチ成立となるまでの演出期間であるリーチ前には、図には示されていないが、大きい数字にキャラクタが付されていない装飾図柄（具体的には、第２態様の装飾図柄を３倍に拡大した装飾図柄）が表示される（例えば図１５（Ｃ）参照）。このことは、第２特別図柄の本停止に伴って第２特別図柄判定の判定結果を示す装飾図柄を本停止させる当落報知時についても同様である。なお、「第２態様の装飾図柄を３倍に拡大した装飾図柄」は、第２態様の装飾図柄を拡大して表示してもよいし、第２態様の装飾図柄を３倍に拡大した状態の画像データが第２態様の装飾図柄に係る画像データとは別に画像音響制御基板１４０の制御用ＲＯＭ１４４に予め用意されており、このデータを用いて表示してもよい。
【０１５８】
なお、確変遊技状態では、確変図柄でリーチが成立するのか、或いは、通常図柄でリーチが成立するのかが遊技者の１番の興味の対象である。また、確変遊技状態では通常遊技状態に比べて大当たり確率が高く（図６（Ａ）参照）、確変遊技状態における第２特別図柄の変動時間が、通常遊技状態における第１特別図柄の変動時間よりも相対的に短く、確変遊技状態では、テンポ良く演出が展開され、大当たり遊技が終了した後に、比較的短時間で当落が報知されることになる。これらのことから、確変遊技状態においては、装飾図柄の装飾性を必要以上に高める必要性が低く、本実施形態では、装飾図柄を構成する数字にキャラクタを付さない構成が採用されている。
【０１５９】
一方、確変遊技状態において、リーチが成立してバトルリーチに発展した場合には、液晶画面５の画面中央部にて自キャラと敵キャラとのバトルが展開される。このため、キャラクタが付されていないとは言え大きな数字の装飾図柄を画面中央部に表示してしまうと、バトル演出の妨げとなる。このため、バトルリーチ中においては、通常遊技状態におけるキャラＳＰリーチ中やＳＰＳＰリーチ中と同様に第２態様の装飾図柄を表示すべく、装飾図柄の大きさと表示位置とに変化が生じる。すなわち、３倍に拡大された第２態様の装飾図柄である状態を、バトルリーチ発展時に、キャラＳＰリーチ中やＳＰＳＰリーチ中の第２態様の装飾図柄と同じ大きさまで装飾図柄を小さくして、拡大されていない第２態様の装飾図柄が画面周縁部に表示された状態とすることとしている。
【０１６０】
図９の表記から明らかなように、確変遊技状態におけるリーチ前や当落報知時は、装飾図柄を構成する数字が大きく表示されるという点で通常遊技状態におけるリーチ前や当落報知時と共通するものの、キャラクタが付されていない点で相違する。また、通常遊技状態におけるキャラＳＰリーチ中やＳＰＳＰリーチ中と比較すると、キャラクタが付されていないという点では共通するものの、装飾図柄を構成する数字が大きいという点で相違する。これらのことから、確変遊技状態におけるリーチ前や当落報知時に表示される装飾図柄は、その装飾性が中程度であると言える。一方、バトルリーチ中は、装飾図柄を構成する数字が小さく、且つキャラクタが付与されていない点でキャラＳＰリーチ中やＳＰＳＰリーチ中と同じであるため、バトルリーチ中に表示される装飾図柄の装飾性は、低いと言える。
【０１６１】
このように、本実施形態の遊技機１は、液晶画面５で行われる表示演出に応じて、装飾図柄の装飾性を変更すべく、装飾図柄の表示態様を変化させる制御が行われる。具体的には、第１態様の装飾図柄である状態が第２態様の装飾図柄である状態となったり、第２態様の装飾図柄である状態が第１態様の装飾図柄である状態となったりする。なお、第１態様の装飾図柄と第２態様の装飾図柄との両方が同時に表示されてもよい。例えば、ノーマルリーチにおいて、擬似停止した左図柄と右図柄とを第１態様の装飾図柄である状態とし、下方向にゆっくりスクロールする中図柄を第２態様の装飾図柄（例えば、スクロールに伴って拡大したり縮小したりしてもよい）である状態としてもよい。
【０１６２】
［具体例：ノーマルリーチからＳＰＳＰリーチに発展するパターン］
図１０，１１は、ノーマルリーチを経由してＳＰＳＰリーチに発展する演出の具体例を示す画面図である。図１２は、昇格演出が実行される場合における装飾図柄の表示態様の具体例を示すタイムチャートである。
【０１６３】
図１０（Ａ）には、第１保留アイコン表示領域５１に２つの保留アイコンが表示された状態で、当該領域５３に表示された当該アイコンに対応する第１特別図柄判定の判定結果がハズレであることを示す態様の装飾図柄が停止表示するハズレ報知演出が行われている様子が例示されている。なお、最先の保留アイコンは、緑保留として表示されている。
【０１６４】
第１特別図柄および装飾図柄の停止表示が開始されてから所定の確定時間（例えば１秒）が経過すると、第１保留アイコン表示領域５１に表示されている最先の保留アイコンに対応する第１特別図柄判定が実行される。これに応じて、第１保留アイコン表示領域５１に表示されている最先の保留アイコンを当該領域５３にシフトさせ、２つ目の保留アイコンを最先の保留アイコンが表示されていた位置にシフトさせるシフト処理が行われ、これに伴い、装飾図柄の変動表示が開始される（図１０（Ａ）及び（Ｂ）参照）。
【０１６５】
ここで、装飾図柄の変動表示が開始される際に、ノーマルリーチを経由してＳＰＳＰリーチに発展させる変動演出パターンが設定されている場合、例えば以下のような演出が行われる。
【０１６６】
すなわち、装飾図柄の変動表示から所定時間が経過すると、先ずは左図柄として３図柄が擬似停止し、続いて右図柄として同じ３図柄が擬似停止して、リーチ成立となる（図１０（Ｃ）参照）。このようにしてリーチが成立すると、上述したノーマルリーチが行われる（図１０（Ｄ）参照）。
【０１６７】
このノーマルリーチ中において、中列の図柄列がスクロール表示された結果としてリーチ図柄と同じ中図柄（ここでは３図柄）が有効ラインを通過した場合、その後に中列の図柄列のスクロール速度が上昇して、ＳＰＳＰリーチに発展する場合がある（図１０（Ｅ）〜（Ｇ）参照）。その際、液晶画面５の中央に大きく表示されていた３つの図柄列が、リーチ状態を保ったまま縮小されて液晶画面５の左上端の領域へと移動する（図１０（Ｆ）参照）。装飾図柄は、第１態様の装飾図柄である状態が、まず３倍に拡大された第２態様の装飾図柄である状態になった後に縮小されて、拡大されていない第２態様の装飾図柄である状態になる。このようにして３つの図柄列の大きさ及び表示領域が変更されると（すなわち、第１態様の装飾図柄である状態から第２態様の装飾図柄である状態に変更されると）、液晶画面５の画面中央の領域を用いてＳＰＳＰリーチが実行される（図１０（Ｇ）参照）。
【０１６８】
なお、本実施形態では、液晶画面５の左上端の領域においてリーチ図柄（第２態様の装飾図柄）は擬似停止されているのに対し、中図柄は高速でスクロールされ続ける。第１態様の装飾図柄が表示されているときには、中図柄の動向に注目させるためにスクロール速度を遅くしたり早くしたりしたのに対し、第２態様の装飾図柄は小さいので、仮に中図柄のスクロール速度を変更しても分かり難く、演出効果を効果的に向上できないおそれがある。このため、第２態様の装飾図柄が表示されているときは、第１態様の装飾図柄が表示されているときとは中図柄の表示態様を異ならせる構成を採用している。具体的には、第２態様の装飾図柄が表示されているときは中図柄のスクロール速度を一定（高速変動）にしている。なお、他の実施形態では、第２態様の装飾図柄が表示されているときに、中図柄のスクロール速度を遅く（又は早く）してもよいし、高速変動中の中図柄を非表示にしてもよい。また、第２態様の装飾図柄が高速でスクロールする速度の方が、第１態様の装飾図柄が高速でスクロールする速度よりも速く（又は遅く）てもよいし、どちらも同じ速度でもよい。
【０１６９】
また、液晶画面５の左上端の領域に表示されるリーチ図柄（第２態様の装飾図柄）は、他の演出画像の手前側に表示される。このため、例えば、画面全体に他の演出画像が表示されると、上記リーチ図柄の方が手前側に重畳表示されることになる。なお、液晶画面５の左上端の領域には上記リーチ図柄のみを表示することによって、他の演出画像が表示されても上記リーチ図柄を視認できるようにしてもよい。
【０１７０】
図１０（Ｇ）には、２人の自キャラと敵キャラとが対峙している様子が示されているが、ＳＰＳＰリーチに発展すると、先ず、「決戦  〇〇〇ＶＳ×××」といったＳＰＳＰリーチ演出に係るリーチタイトルを表示するタイトル表示が行われる。そして、自キャラと敵キャラとがバトルする様子を示すバトル演出が開始される。
【０１７１】
このようにしてＳＰＳＰリーチが行われている際に、ＳＰＳＰリーチの終盤になると、操作促進演出が行われる（図１０（Ｈ）参照）。この操作促進演出は、遊技者に演出ボタン２６の操作を促す演出であり、具体的には、例えば、演出ボタン２６を模したボタン画像と、操作を促す「押せ！」といったメッセージと、遊技者によるボタン操作が有効な有効期間の残時間を示すゲージ画像とを表示する演出として構成されている。
【０１７２】
ここで、有効期間内に遊技者が操作を行った場合、その操作に応じた演出である操作対応演出として、カットインと呼ばれる演出が行われる（図１０（Ｉ）参照）。ここで、カットインは、ＳＰＳＰリーチに係る演出画像に特定の演出画像を重畳表示する演出として構成されており、特定の演出画像の表示態様によって、大当たり信頼度が示唆される。後に詳述するが、本実施形態では、大当たり信頼度が１０％程度であることを示唆する青カットイン、大当たり信頼度が６０％程度である赤カットイン、大当たり信頼度が１００％であることを示唆する虹色カットインが用意されていて、第１特別図柄判定の判定結果に基づいて、これら３つのカットインのうちのいずれか１つのカットインが操作に応じて実行される。
【０１７３】
なお、本実施形態では、遊技者が操作を行わなければカットインが発生しない構成が採用されているが、他の実施形態では、操作が行われなかった場合には有効期間が終了するタイミングで自動的にカットインを発生させる構成を採用してもよい。また、本実施形態では、操作促進演出および操作に応じたカットインは、ＳＰＳＰリーチ中には発生するもののキャラＳＰリーチ中には発生しない構成が採用されているが、他の実施形態では、ＳＰＳＰリーチ以外のリーチ演出（例えばキャラＳＰリーチ中）にもカットインが発生し得る構成を採用してもよい。
【０１７４】
第１特別図柄判定の判定結果が大当たりである場合、第１特別図柄の変動表示の終盤、すなわちＳＰＳＰリーチの終盤において、自キャラが敵キャラを倒してバトルに勝利したことを報知する勝利報知演出が行われる（図１１（Ａ）参照）。この勝利報知演出は、例えば、「勝利！！」という文字を液晶画面５に表示すると共に「勝利！！」という音声をスピーカ２４から出力し、演出役物７を虹色で発光させながら回動させる演出が一例として挙げられる。なお、この勝利報知演出が行われる際には、リーチ図柄（第２態様の装飾図柄）の間に中図柄としてリーチ図柄と同じ装飾図柄（第２態様の装飾図柄）が擬似停止する（図１１（Ａ）及び図１２（Ａ）のタイミングＴ１参照）。これに伴い、図には示されていないが、盤ランプ２５や枠ランプ３７が虹色に発光する。
【０１７５】
そして、第１特別図柄の変動表示が終わりに近づいてくると、大きな数字にキャラクタが付された３つの装飾図柄（第１態様の装飾図柄）が液晶画面５の中央で擬似停止する（図１１（Ｂ）及び図１２（Ａ）のタイミングＴ２参照）。なお、図１１（Ｂ）では、説明の便宜上、装飾図柄を構成する数字に付されているキャラクタの表記が省略されている。
【０１７６】
ゾロ目を形成する３つの第１態様の装飾図柄が擬似停止してから所定時間（例えば３秒）が経過すると、「第１反射演出」が所定の実行時間（例えば１秒間）で実行される（図１２（Ａ）参照）。「第１反射演出」は、金属光沢のようなハイライト光を各装飾図柄に付加すると共に、例えば「ピシャーン！」といった演出音をスピーカ２４から出力する演出である。第１反射演出では、例えば、左図柄の左下隅から右上隅に向かってハイライト光を付加するのと同時に、中図柄および右図柄に対しても同様にハイライト光を付加する。これにより、装飾図柄に照射された光が装飾図柄の前面で鏡面反射したように見せることができ、３つの同一の装飾図柄をあたかも金属光沢を有する物体のように強調できるので、図柄揃いとなったことをより強調できる。
【０１７７】
なお、本実施形態では、第１反射演出は、第１態様の装飾図柄を用いて実行される演出であり、第２態様の装飾図柄を用いて実行されない演出である。
【０１７８】
なお、３つの装飾図柄（図１１（Ｂ）に示される例では「３３３」）がそのまま本停止する当たり報知演出が行われる場合がある一方で、ゾロ目を形成する３つの装飾図柄が擬似停止した後に、昇格演出（図１１（Ｃ）参照）が行われる場合がある（図１２（Ａ）のタイミングＴ３）。この昇格演出は、ゾロ目を形成する３つの装飾図柄が「７７７」のゾロ目を形成する３つの装飾図柄に変化するか否かによって、１６Ｒ確変に昇格するか否かを報知する演出である。この昇格演出は、前半と後半とから構成されており、後半で昇格失敗演出が行われる場合と昇格成功演出が行われる場合の両方において、前半の演出が共通している。この昇格演出の前半では、具体的には、例えば、図１１（Ｃ）に例示されるように、３つの装飾図柄（第１態様の装飾図柄）が液晶画面５の奥に向けてフェードアウトするように小さくなって行き、３つの装飾図柄が小さくなった状態が数秒程度（例えば３秒）維持される。
【０１７９】
図１１（Ｂ）に示される例では、「３３３」のゾロ目を示す３つの装飾図柄が擬似停止している。このため、第１特別図柄として大当たり図柄Ｘ２が本停止するのに伴って、これらの装飾図柄がそのまま本停止することにより、６Ｒ確変に当選したことが報知される。
【０１８０】
ここで、第１特別図柄判定に係る大当たりが６Ｒ確変である場合、昇格演出の前半に続いて、昇格演出の後半としての昇格失敗演出が行われる（図１１（Ｃ）及び（Ｄ）、図１２（Ａ）のタイミングＴ４参照）。この昇格失敗演出は、昇格演出の前半にて小さくなった３つの装飾図柄が、他の装飾図柄に変化することなく、大きくなりながらそのまま戻ってきて擬似停止する演出であり、昇格失敗を報知する演出音の出力を伴う。図１１に示される例では、昇格失敗演出に続いて、「３３３」のゾロ目を形成する３つの装飾図柄がそのまま本停止する当たり報知演出が行われる（図１１（Ｅ）、図１２（Ａ）のタイミングＴ５参照）。そして、この当たり報知演出が所定時間行われると、大当たり遊技のオープニング期間が開始され、当該オープニング期間において、大当たりの種類を報知する演出や遊技者に右打ちを促す右打ち示唆が行われる（図１１（Ｆ）参照）。具体的には、「ＢＩＧ  ＢＯＮＵＳ」の文字を表示すると共にその音声を出力して大当たりの種類が６Ｒ確変であることを報知すると共に、「右打ちしてください」という音声を出力し、「右打ち」という文字と右向きの矢印とを液晶画面５の右上端に表示する演出が行われる。なお、その後のラウンド遊技中には、本停止された装飾図柄と同じ数字を示す１つの装飾図柄（第２態様の装飾図柄）が表示され、この装飾図柄はエンディングが開始されると消去される。
【０１８１】
一方、第１特別図柄判定に係る大当たりが１６Ｒ確変である場合、昇格演出の前半に続いて、昇格演出の後半としての昇格成功演出が行われる（図１１（Ｃ）及び（Ｇ）、図１２（Ａ）のタイミングＴ４参照）。この昇格成功演出は、液晶画面５の奥にフェードアウトして小さくなっていた３つの装飾図柄（ここでは「３３３」）が、１６Ｒ確変であることを示す「７７７」の３つの装飾図柄に変化して液晶画面５の中央に大きく擬似停止する演出であり、昇格成功を報知する演出音の出力を伴う。この昇格成功演出が行われると、「７７７」のゾロ目を示す３つの装飾図柄がそのまま本停止する当たり報知演出が行われる（図１１（Ｈ）、図１２（Ａ）のタイミングＴ５参照）。そして、大当たり遊技のオープニング期間において、大当たりの種類を報知する演出や遊技者に右打ちを促す右打ち示唆が行われる（図１１（Ｉ）参照）。なお、このオープニング期間における演出は、「ＢＩＧ  ＢＯＮＵＳ」ではなく「ＨＹＰＥＲ  ＢＯＮＵＳ」という文字の表示と音声の出力とが行われる点を除いて、図１１（Ｆ）に基づいて上述したオープニング演出と共通するものである。なお、ラウンド遊技中には、１つの７図柄（第２態様の装飾図柄）が表示され、この７図柄はエンディングが開始されると消去される。
【０１８２】
なお、昇格失敗演出または昇格成功演出が開始されてから所定時間（例えば３秒）が経過すると、「第２反射演出」が所定の実行時間（例えば１秒間）で実行される（図１２（Ａ）参照）。「第２反射演出」は、例えば、第１反射演出と同様にハイライト光を各装飾図柄に付加すると共に、装飾図柄を構成する数字に付されているキャラクタのセリフ（例えば「時は満ちた」といったセリフ）をスピーカ２４から出力する演出である。第２反射演出では、例えば、左図柄を構成する数字の左下隅から右上隅に向かってハイライト光を付加するのと同時に、中図柄および右図柄を構成する数字に対しても同様にハイライト光を付加する。このように、第２反射演出は、数字に対してハイライト光が付される一方で上記キャラクタに対してハイライト光が付されない点で、装飾図柄全体にハイライト光が付される第１反射演出と異なる。これにより、上記セリフを発するキャラクタの視認性を低下させずに、これから本停止する図柄揃いの態様の装飾図柄を強調できる。
【０１８３】
なお、本実施形態では、第２反射演出は、第１態様の装飾図柄を用いて実行される演出であり、第２態様の装飾図柄を用いて実行されない演出である。
【０１８４】
図１２（Ａ）に例示するように、本実施形態では、第２反射演出終了時から所定時間（例えば４秒）が経過したときに第１特別図柄の停止表示タイミングが到来するように構成されている。すなわち、第２反射演出終了時から所定時間（図１２（Ａ）の例では４秒）が経過した時に装飾図柄が本停止を開始する構成を採用している。第２反射演出と本停止との間に所定時間を設けることにより、例えば、第２反射演出においてダブルバッファリングによるコマ落ちが生じても本停止の際に影響することを防止できる。
【０１８５】
具体的には、遊技機１では、画像音響制御基板１４０の統括ＣＰＵ１４１は、画像データの描画処理を実行する際、画像データの展開領域を２箇所設けて各展開領域に交互に画像データを展開するダブルバッファリングを行う。例えば、第２反射演出実行時の画像データのデータ量が大きい場合には、画像の生成に時間を要してしまうことにより、前回表示された画面が再表示されてしまうためコマ落ちが生じるおそれがある。
【０１８６】
本実施形態では、画像音響制御基板１４０は、信号出力部１４７（不図示）からの所定の信号が入力されているときには、変動演出開始時に定められた（演出制御基板１３０によって決定された）画像を生成して出力する。一方、画像音響制御基板１４０は、信号出力部１４７から所定の信号が入力されていないときには、変動演出開始時に定められた（演出制御基板１３０によって決定された）画像を生成しない。例えば、信号出力部１４７は、前回表示された画面が再表示されているような場合（コマ落ちが生じたような場合）に所定の信号を出力しない。この場合、画像音響制御基板１４０は、変動演出開始時に定められた（演出制御基板１３０によって決定された）画像とは異なる別の画像を生成して出力してもよい。
【０１８７】
例えば、変動パターンＤ又はＩが選択されたことにより、第１特別図柄の変動開始時から７０秒が経過したタイミングで大当たり態様の装飾図柄（第１態様の装飾図柄）を本停止することが決定されている場合、信号出力部１４７からの所定の信号が入力されているときには、画像音響制御基板１４０は上記タイミングで装飾図柄を本停止できる。一方、上記タイミングで装飾図柄を本停止した画像を出力することが決定されている場合であっても、信号出力部１４７からの所定の信号が入力されていないときには、画像音響制御基板１４０は、上記タイミングにおいて装飾図柄を本停止しない。この場合、画像音響制御基板１４０は、本停止された装飾図柄以外の画像を出力してもよい。このため、本実施形態では、コマ落ちが生じた状況では装飾図柄が表示されないことがある。
【０１８８】
本実施形態は、第２反射演出と本停止との間に所定時間を設ける構成の採用していることにより、第２反射演出終了後は画像データのデータ量が少ない期間（上記所定時間）を介して装飾図柄を本停止させることができる。これにより、コマ落ちの影響が出ることなく確実に装飾図柄を本停止できる。
【０１８９】
図１２（Ｂ）に例示するように、本実施形態では、確変遊技状態および時短遊技状態（すなわち、第２特別図柄の変動表示中）においても、通常遊技状態のとき（すなわち、第１特別図柄の変動表示中）と類似する昇格演出が実行される場合がある。具体的には、例えば、第２特別図柄の変動表示が終わりに近づいてくると、３つの装飾図柄（例えば、第２態様の装飾図柄を３倍に拡大した装飾図柄）が液晶画面５の中央で擬似停止する（例えば、図２８（Ｈ）及び図１２（Ｂ）のタイミングＴ６参照）。擬似停止してから所定時間（例えば２秒）が経過すると、通常遊技状態の昇格演出の前半と同様の演出が、通常遊技状態のときよりも短い実行時間（例えば、２秒間）で行われる（図１２（Ｂ）のタイミングＴ７）。
【０１９０】
昇格演出の前半に続いて昇格失敗演出または昇格成功演出が開始されてから所定時間（例えば３秒）が経過すると、「第３反射演出」が所定の実行時間（例えば１秒間）で実行される（図１２（Ｂ）のタイミングＴ８）。「第３反射演出」は、第１反射演出と同様の演出であるが、ハイライト光が付されるのが第２態様の装飾図柄を３倍に拡大した装飾図柄であり、第１態様の装飾図柄でない点が第１反射演出と異なる。第３反射演出終了時から所定時間（例えば２秒）が経過したときに第２特別図柄の停止表示タイミングが到来し、これに伴って装飾図柄が本停止する（図１２（Ｂ）のタイミングＴ９）。第３反射演出と本停止との間の所定時間は、第３反射演出においてコマ落ちが生じても本停止の際に影響することを防止するための期間である。この期間をコマ落ちの影響を防止できる最小限の時間に抑えることにより、通常遊技状態における反射演出と本停止との間の期間よりも短く構成でき、確変遊技状態および時短遊技状態における遊技の進行のスピーディ化を図ることができる。
【０１９１】
なお、図１１を参照して７図柄以外のゾロ目の奇数図柄（確変図柄）を７図柄に変化させて６Ｒ確変が１６Ｒ確変に昇格したように見せ掛ける昇格演出を行う場合について説明したが、ゾロ目の偶数図柄をゾロ目の奇数図柄に変化させて、通常大当たりが確変大当たりに昇格したように見せ掛ける昇格演出を行うようにしてもよい。また、これらの昇格演出は、本実施形態では、第１特別図柄が本停止する少し前に行われるが、他の実施形態では、これらの昇格演出を大当たり遊技中に行うようにしてもよい。
【０１９２】
大当たり遊技中に、通常大当たりが確変大当たりに昇格したように見せ掛ける昇格演出としては、例えば、所定ラウンド目のラウンド遊技中に遊技者に演出ボタン２６の操作を促す操作促進演出を行い、遊技者によるボタン操作に応じて、「確変ゲット！」といった文字を表示したり、所定の告知音を出力したりする演出が一例として挙げられる。
【０１９３】
また、大当たり遊技中に、６Ｒ確変や６Ｒ通常が１６Ｒ確変にラウンド昇格したように見せ掛ける昇格演出としては、例えば、６回目の長開放ラウンド遊技において、「ＥＸＴＲＡ  ＲＯＵＮＤ  ゲット！」といった文字を表示すると共にその音声を出力しつつ、演出役物７を動作させる演出が一例として挙げられる。なお、このようなラウンド昇格演出は、６ラウンド目の長開放ラウンド遊技中ではなく、７ラウンド目の長開放ラウンド遊技が開始される際に行ってもよい。
【０１９４】
なお、第１特別図柄判定の判定結果が確変大当たりである場合の方が、通常大当たりである場合に比べて、大当たり予告が実行され易くなる（必ず実行されてもよい）ような構成を採用することが考えられる。このような構成を採用することで、大当たり予告演出が実行されると、大当たり予告演出が実行されない場合に比べて、昇格成功演出が実行され易くなり、大当たり予告が実行されることに対する遊技者の期待感を効果的に高めることができる。なお、大当たり予告が実行された場合は必ず昇格成功演出が実行されてもよい。
【０１９５】
なお、変動パターンＡが選択された場合には、いきなり図柄が揃ってそのまま本停止することになる突当たり演出が行われるため、変動パターンＡで第１装飾図柄が変動表示されるときに昇格演出が行われることはない。
【０１９６】
なお、他の実施形態では、第２の装飾図柄を用いて第１反射演出を実行してもよい。例えば、勝利報知演出の終了直後（図１２（Ａ）のタイミングＴ２）に、第２態様の装飾図柄を３倍に拡大した装飾図柄を液晶画面５の中央で擬似停止する。このような装飾図柄を用いて第１反射演出を実行することにより、勝利報知演出との連続性を高めて統一感を向上できる。この第１反射演出後には、上記装飾図柄を用いて第２反射演出を実行してもよい。この場合、装飾図柄にキャラクタが付されていないので、第２反射演出では第１反射演出と同様に装飾図柄全体がハイライトされることになる。または、上記第１反射演出後には、昇格演出の前半が終了してから所定時間（例えば２秒）が経過したときに上記装飾図柄に代えて第１態様の装飾図柄を液晶画面５の中央で擬似停止させ、この装飾図柄を用いて第２反射演出を実行してもよい。
【０１９７】
また、他の実施形態では、例えば、装飾図柄を構成する数字に対してハイライト光を付さない一方で上記装飾図柄を構成するキャラクタに対してハイライト光を付す演出を、第２反射演出としてもよい。これにより、数字の視認性を低下させずに、図柄揃いの態様の装飾図柄を強調できる。
【０１９８】
また、他の実施形態では、例えば、装飾図柄全体（具体的には、装飾図柄を構成する数字およびキャラクタ全体）をハイライトする演出や、装飾図柄を中心として画面全体をハイライトする演出を、第２反射演出としてもよい。これにより、例えば、数字だけをハイライトするのと比べてダイナミックな演出を実現でき、図柄揃いの態様の装飾図柄をより強調できる。
【０１９９】
また、他の実施形態では、第１反射演出を実行せずに第２反射演出だけ実行してもよい。また、第２反射演出終了時から装飾図柄の本停止までの期間（通常遊技状態）と、第３反射演出終了時から装飾図柄の本停止までの期間（確変遊技状態または時短遊技状態）とを同じ時間（例えば４秒）にしてもよい。
【０２００】
また、第２反射演出終了時から装飾図柄の本停止までの期間（通常遊技状態）と、確変遊技状態における第３反射演出終了時から装飾図柄の本停止までの期間と、時短遊技状態における第３反射演出終了時から装飾図柄の本停止までの期間とは、異ならせてもよいし、同じにしてもよい。
【０２０１】
装飾図柄が図柄揃いの態様で擬似停止して本停止するまでに実行される各演出は、大当たり遊技が実行されることを確定的に予告する大当たり予告と捉えることができる。さらに、昇格失敗演出開始時または昇格成功演出開始時から装飾図柄が本停止するまでの各演出は、何れの種類の大当たり遊技が実行されるかを予告する機能と、大当たり遊技終了後の遊技状態を予告する機能とを備えた大当たり予告と捉えることができる。
【０２０２】
なお、ＳＰＳＰリーチで大当たりが報知される場合に限らず、ノーマルリーチまたはキャラＳＰリーチで大当たりが報知される場合にも、図１１（Ｂ）以降および図１２（Ａ）を参照して説明したのと同様の演出が実行される。
【０２０３】
また、図１１（Ｂ）以降および図１２を参照して説明した演出は、リーチ図柄が７図柄である場合（すなわち１６Ｒ確変である場合）に実行してもよいし、実行しなくてもよい。前者の場合、図柄揃い以降の演出の尺をリーチ図柄の種類に応じて変更する必要がなく、後者の場合、図柄揃いの態様が変化する可能性が全くない昇格演出の実行を抑制することができる。
【０２０４】
また、大当たりの種類によって、第２反射演出（又は第３反射演出）終了時から装飾図柄の本停止までの期間を異ならせてもよいし、同じにしてもよい。例えば、１６Ｒ確変である場合の方が他の大当たりである場合よりも、第２反射演出（又は第３反射演出）終了時から装飾図柄の本停止までの期間が、長くてもよいし、短くてもよい。
【０２０５】
［キャラＳＰリーチの具体例］
次に、図１３を参照しつつ、通常遊技状態におけるキャラＳＰリーチの具体例について説明する。ここで、図１３は、キャラＳＰリーチの具体例を示す画面図である。
【０２０６】
第１特別図柄の変動表示中において、ノーマルリーチ（図７（Ｅ）参照）からキャラＳＰリーチの争奪演出（図７（Ｆ−１）参照）に発展する場合には、リーチを形成する３つの図柄列を液晶画面５の画面左上隅に小さく表示した状態で、自キャラと敵キャラとが宝箱（アイテムの一例）を奪い合う様子を示す争奪演出が行われる（図１３（Ａ）参照）。なお、図１３（Ａ）には表れていないが、争奪演出が開始される際には、「敵から宝箱を奪い返せ！」といった文字を表示すると共にその音声を出力する、キャラＳＰリーチに係るリーチタイトルを表示するタイトル表示が行われる。
【０２０７】
この争奪演出に続いて、自キャラが敵キャラに宝箱を奪われて倒れ込む様子を表す奪取失敗演出が行われる場合がある（図１３（Ｂ）参照）。ここで、図柄変動開始時に行われた第１特別図柄判定の判定結果がハズレである場合、宝箱を奪った敵キャラが立ち去って行って「逃亡・・・」といった文字を表示する非発展示唆演出が行われる（図１３（Ｃ）参照）。この非発展示唆演出は、キャラＳＰリーチからＳＰＳＰリーチに発展しないことを示唆する演出であり、非発展示唆演出が行われた場合、リーチハズレ目（例えば「３４３」）を擬似停止してから本停止するハズレ報知演出が行われる（図１３（Ｄ）参照）。
【０２０８】
その一方で、争奪演出に続いて、仲間が助けに来て倒れ込んでいた自キャラが立ち上がり、「敵を追うぞ！」といった文字が表示される発展示唆演出が行われる（図１３（Ｅ）及び（Ｆ）参照）。この発展示唆演出は、キャラＳＰリーチからＳＰＳＰリーチに発展することを示唆する演出である。発展示唆演出が行われた場合、「決戦  〇〇〇ＶＳ×××」といったＳＰＳＰリーチに係るリーチタイトルを表示するタイトル表示が行われて、自キャラと敵キャラとがバトルを繰り広げるバトル演出が開始される（図１３（Ｇ）参照）。
【０２０９】
なお、このようにしてＳＰＳＰリーチに発展すると、第１特別図柄判定の判定結果が大当たりである場合には、ＳＰＳＰリーチに続いて当たり報知演出が実行され、ハズレである場合には、ＳＰＳＰリーチに続いてハズレ報知演出が実行されることになる。
【０２１０】
一方、第１特別図柄判定の判定結果が大当たりである場合に、争奪演出に続いて、自キャラが敵キャラからの宝箱の奪取に成功する様子を表す奪取成功演出が行われる場合がある（図１３（Ｈ）参照）。この奪取成功演出では、奪い返した宝箱からゾロ目を形成する３つの装飾図柄（確変図柄または通常図柄）が飛び出してくる演出表示が行われて、これら３つの装飾図柄が本停止することによって大当たりが報知される（図１３（Ｉ）参照）。
【０２１１】
このように、本実施形態の遊技機１は、争奪演出（図１３（Ａ）参照）の結果演出として、奪取成功演出（図１３（Ｈ）参照）または奪取失敗演出（図１３（Ｂ）参照）を実行可能であり、奪取成功演出は、第１特別図柄の変動パターンとして変動パターンＣが選択された場合に実行されて、その後は必ず当たり報知演出が実行される（例えば図１７（Ａ）及び（Ｂ）参照）。
【０２１２】
一方、奪取失敗演出（図１３（Ｂ）参照）が実行された場合、キャラＳＰリーチ（前段演出）からＳＰＳＰリーチ（後段演出）へと演出が発展することを示唆する発展示唆演出（図１３（Ｅ）及び（Ｆ）参照）が行われるときと、キャラＳＰリーチからＳＰＳＰリーチに発展しないことを示唆する非発展示唆演出（図１３（Ｃ）参照）が行われるときとがある。
【０２１３】
この非発展示唆演出が行われてしまうと、その後に当たり報知演出が行われる可能性が残されていないが、発展示唆演出が行われた場合には、後のＳＰＳＰリーチにて当たり報知演出が行われる場合がある（図７の（Ｆ−４）、（Ｉ）、（Ｈ）の流れ、図１７の変動パターンＥの欄を参照）。このように、争奪演出に続いて奪取失敗演出が行われたとしても、その後に当たり報知演出が行われる可能性が残されていることから、奪取失敗演出が行われたとしても、遊技者は、大当たりの望みを失うことなく、発展示唆演出が行われることを期待しながら、遊技を楽しむことができる。
【０２１４】
［通常遊技状態における突当たり演出の具体例］
次に、図１４を参照しつつ、通常遊技状態における突当たり演出の具体例について説明する。ここで、図１４は、通常遊技状態における突当たり演出の具体例を示す画面図である。
【０２１５】
図１４（Ａ）には、第１保留アイコン表示領域５１に２つの保留アイコンが表示された状態で、当該領域５３に表示された当該アイコンに対応する第１特別図柄判定の判定結果がハズレであることを示す態様の装飾図柄が停止表示するハズレ報知演出が行われている様子が例示されている。なお、最先の保留アイコンは、白保留として表示されている。
【０２１６】
第１特別図柄および装飾図柄の停止表示が開始されてから所定の確定時間（例えば１秒）が経過すると、第１保留アイコン表示領域５１に表示されている最先の保留アイコンに対応する第１特別図柄判定が実行される。これに応じて、第１保留アイコン表示領域５１に表示されている最先の保留アイコンを当該領域５３にシフトさせ、２つ目の保留アイコンを最先の保留アイコンが表示されていた位置にシフトさせるシフト処理が行われ、これに伴い、装飾図柄の高速スクロール表示が開始される（図１４（Ａ）及び（Ｂ）参照）。
【０２１７】
ここで、第１特別図柄判定の判定結果が確変大当たりであり、且つ、第１特別図柄の変動パターンとして変動時間が５秒の変動パターンが選択されている場合、突当たり演出が実行される。
【０２１８】
具体的には、例えば、装飾図柄の高速スクロール表示の開始直後に、液晶画面５に黒色の演出画像を全画面表示する暗転演出が行われる（図１４（Ｃ）参照）。この暗転演出は、本実施形態では、装飾図柄の変動表示が開始されてから２秒が経過するまでの間に行われるが、この暗転演出が行われることによって、画面が真っ暗になって遊技機１が故障したのではなかいかと遊技者に感じさせることが可能である。
【０２１９】
暗転演出は、例えば、装飾図柄の手前側に黒色の演出画像を全画面表示する演出である。このため、暗転演出中は、第１態様の装飾図柄が変動表示され続けているものの、装飾図柄が視認できない状態（第１態様の装飾図柄が非表示である状態）となる。なお、暗転演出の開始に伴って、第１態様の装飾図柄を変動表示させる状態から、小さな装飾図柄（例えば、第２態様の装飾図柄）を、キャラＳＰリーチ中およびＳＰＳＰリーチ中に第２態様の装飾図柄を表示する位置とは異なる位置（例えば、演液晶画面５の左下隅）で変動表示させる状態にしてもよい。
【０２２０】
なお、この暗転演出は、盤ランプ２５や枠ランプ３７、演出役物７に内蔵された発光素子の消灯を伴うものであってもよい。また、本実施形態のように、液晶画面５に装飾図柄を非表示にする暗転演出を行った場合、第１特別図柄が変動表示中であるのか否かを遊技者が認識できなくなる可能性がある。このため、本実施形態の遊技機１では、特別図柄が変動表示中であることを報知する、装飾図柄とは別の第４図柄と呼ばれる図柄を液晶画面５の周縁部に小さく表示して、その図柄を、特別図柄の変動表示中に一定の速度で変動表示させ続け、特別図柄の停止表示に伴って当落を示す態様で停止表示する構成が採用されている。なお、第４図柄には、第１特別図柄に対応するものと、第２特別図柄に対応するものとの２つが別々に用意されている。第４図柄は、赤色、黄色、緑色、及び青色の同じ形状の小さな画像（例えば、一辺が５ｍｍの正方形）であり、これらが赤色→黄色→緑色→青色→赤色→・・といった順番で同じ位置に表示されることによって変動表示が行われる。例えば、第１特別図柄の停止表示に伴って赤色の第４図柄が停止表示されるときは１６Ｒ確変であり、黄色の第４図柄が停止表示されるときは６Ｒ確変であり、緑色の第４図柄が停止表示されるときは６Ｒ通常であり、青色の第４図柄が停止表示されるときはハズレである。第４図柄は、特別図柄の変動表示に伴って表示される画像であり、実行中の特別図柄の変動表示に対応する対応表示である。なお、第４図柄は、他の演出画像の手前側に表示され、演出役物７が動作されても視認できる位置に表示されるため、一部または全部が視認できなくなることがない。しかしながら、このような構成を採用した場合、暗転演出の興趣性を低下させる可能性がある。このため、他の実施形態では、第４図柄を液晶画面５に表示するのではなく、第４図柄を表示する第４図柄ランプ（例えばＬＥＤ）を別途設けて、暗転演出中には上記黒色の演出画像以外の演出画像を表示しないといった構成を採用してもよい。
【０２２１】
第４図柄および装飾図柄は、特別図柄の変動表示に伴って変動表示を開始し、特別図柄の停止表示に伴って停止表示される。ここで、停止表示される第４図柄は、特別図柄が停止表示して遊技者に報知する内容と同一の内容（大当たり又はハズレ）を報知するものであり、この点で装飾図柄と同じである。しかしながら、第４図柄は装飾図柄よりも小さく、目立たない位置および態様で表示されるため、遊技者が意識し難い図柄である。また、第４図柄の方が装飾図柄よりも変動表示される図柄の数が少なく、第４図柄は実行中の演出の種類に関わらず一定速度で変動表示するのに対して装飾図柄はスクロール速度が遅くなったり早くなったりするため、両者は表示態様が異なるものであるといえる。なお、第４図柄が変動表示するスピードは、第１態様および第２態様の装飾図柄が高速でスクロールする速度よりも速く（又は遅く）てもよい。
【０２２２】
次に、暗転演出に続いて、「７７７」のゾロ目を構成する３つの装飾図柄がいきなり飛び出してきて液晶画面５の中央に擬似停止する演出表示が、例えば約３秒間掛けて行われる（図１４（Ｄ）参照）。そして、これら「７７７」の３つの装飾図柄がそのまま本停止して１６Ｒ確変を報知する当たり報知演出が行われる（図１４（Ｅ）参照）。
【０２２３】
このような突当たり演出は、第１特別図柄判定の判定結果が確変大当たりである場合には実行され得るものの、その判定結果がハズレである場合には実行されることがない。このため、突当たり演出は、大当たり遊技が実行されることを確定的に予告する大当たり予告と捉えることができる。
【０２２４】
また、突当たり演出は、リーチ成立を経由せずに大当たりを予告する演出である。このため、突当たり演出が行われる際には、装飾図柄が小さく表示されることはない。これにより、大当たりに期待が持てるキャラＳＰリーチやＳＰＳＰリーチに発展していないのに、いきなり当たったといった印象を遊技者に与えることが可能であり、高い演出効果を得ることができる。
【０２２５】
なお、突当たり演出は、装飾図柄の変動表示が開始された直後にいきなり大当たりが報知されたと遊技者に感じさせる演出であるため、装飾図柄の変動表示が開始されてから突当たり演出が開始されるまでの時間や、突当たり演出に要する時間は、短めの時間であることが好ましいが、このような条件を大きく逸脱しない限りにおいては、装飾図柄の変動表示が開始されてから突当たり演出が開始されるまでの時間や、突当たり演出が開始されてから当たり報知演出が行われるまでの時間は、本実施形態で例示する時間と異なる時間であってもよい。
【０２２６】
また、ここでは、突当たり演出が、暗転演出（図１４（Ｃ）参照）と、ゾロ目が突然出現する演出（図１４（Ｄ）参照）とから構成される場合を例に説明したが、他の実施形態では、暗転演出を含まない突当たり演出を行うようにしてもよい。すなわち、いきなり大当たりになったと遊技者に感じさせることができれば、突当たり演出に係る演出表示は、どのような演出表示であっても構わない。
【０２２７】
［確変遊技状態におけるバトルリーチの具体例］
次に、図１５を参照しつつ、確変遊技状態におけるバトルリーチの具体例について説明する。ここで、図１５は、確変遊技状態におけるバトルリーチの具体例を示す画面図である。
【０２２８】
図１５（Ａ）には、第２保留アイコン表示領域５２に３つの保留アイコンが表示された状態で、当該領域５３に表示された当該アイコンに対応する第２特別図柄判定の判定結果がハズレであることを示す態様の装飾図柄が停止表示するハズレ報知演出が行われている様子が例示されている。なお、最先の保留アイコンは、緑保留として表示されている。
【０２２９】
第２特別図柄および装飾図柄の停止表示が開始されてから所定の確定時間（例えば１秒）が経過すると、第２保留アイコン表示領域５２に表示されている最先の保留アイコンに対応する第２特別図柄判定が実行される。これに応じて、第２保留アイコン表示領域５２に表示されている最先の保留アイコンを当該領域５３にシフトさせ、残りの保留アイコンを第２保留アイコン表示領域５２内で当該領域５３側にシフトさせるシフト処理が行われ、これに伴い、装飾図柄の高速スクロール表示が開始される（図１５（Ａ）及び（Ｂ）参照）。
【０２３０】
当該領域５３にシフトした当該アイコンに対応する第２特別図柄判定の判定結果が１６Ｒ確変である場合、すなわち、大当たり図柄Ｙ１（図６（Ｃ）参照）を示す第２特別図柄が停止表示されることになる場合、以下のような演出が行われることがある。
【０２３１】
すなわち、第２特別図柄の変動表示が開始されてから所定時間が経過すると、左列に７図柄（第１態様の装飾図柄）が擬似停止し、右列にも７図柄が擬似停止することに対する遊技者の期待感を煽るリーチ成立煽り演出が行われる（図１５（Ｃ）参照）。このリーチ成立煽り演出は、左図柄（ここでは７図柄）と共通する数字を示す装飾図柄（第１態様の装飾図柄）を、右列において上から下にゆっくりと移動させる演出であり、左図柄と共通する数字を示す装飾図柄が右列に擬似停止するとリーチ成立となる（図１５（Ｄ）参照）。逆に左図柄と異なる数字を示す装飾図柄が右列に擬似停止すると、大抵リーチ不成立となりハズレが報知される。
【０２３２】
なお、本実施形態の遊技機１は、第２特別図柄判定の判定結果が１６Ｒ確変である場合に限り、７図柄でリーチを成立させることが可能な構成が採用されている。言い換えれば、確変遊技状態において７図柄でリーチが成立すれば、その後に７図柄揃いとなる当たり報知演出が必ず行われる構成が採用されている。このため、７図柄でのリーチ成立は、大当たり予告の１つと捉えることができる。
【０２３３】
また、ここでは、７図柄リーチの成立を煽るリーチ成立煽り演出を行う場合を例に説明したが、他の装飾図柄でのリーチ成立を煽る場合にも、同様の演出が行われる。
【０２３４】
上記のようにリーチが成立すると、図１５に表れていないが、「決戦  〇〇〇ＶＳ×××」といったバトルリーチに係るリーチタイトルを表示するタイトル表示が行われる。このリーチタイトル表示中には第２態様の装飾図柄が表示される。そして、第２態様の装飾図柄が表示されたまま自キャラと敵キャラとがバトルする様子を示すバトル演出が開始される（図１５（Ｅ）参照）。その際、リーチを形成する３つの図柄列は、縮小されながら液晶画面５の左上隅へと移動する。
【０２３５】
そして、バトルリーチの終盤では、演出ボタン２６の操作を遊技者に促す操作促進演出が行われる（図１５（Ｆ）参照）。なお、この操作促進演出は、図１０（Ｈ）に基づいて上述したＳＰＳＰリーチ中に行われる操作促進演出と同様のものであるため、ここでの詳細な説明は省略する。
【０２３６】
ここで、操作促進演出に係る有効期間中に遊技者が演出ボタン２６を操作すると、自キャラが敵キャラを倒して勝利したことを示唆する勝利示唆演出が行われる（図１５（Ｇ）参照）。この勝利示唆演出では、自キャラが敵キャラを倒したことを示す「撃破！！」の文字が表示されると共にその音声が出力され、演出役物７が虹色で発光しながら動作する。その際、液晶画面５の左上隅に小さく表示されている３つの図柄列は、ゾロ目を示す態様で擬似停止する（図１５（Ｇ）参照）。
【０２３７】
なお、第２特別図柄判定の判定結果が確変大当たりである場合には、有効期間中に遊技者が演出ボタン２６を操作したか否かに関わらず、勝利示唆演出を行うことが好ましい。このため、本実施形態の遊技機１では、バトルリーチ中の操作促進演出に係る有効期間中に遊技者がボタン操作を行わなかった場合には、有効期間が終了するタイミングで勝利示唆演出を行う構成が採用されている。
【０２３８】
このように、勝利示唆演出が行われると、液晶画面５の左上隅に擬似停止していた３つの装飾図柄が液晶画面５の中央に擬似停止した状態で大きく表示され（図１５（Ｈ）参照）、第２特別図柄の本停止に伴い、これら３つの装飾図柄が本停止する（図１５（Ｉ）参照）。
【０２３９】
なお、ここでは、７図柄でリーチが成立してバトルリーチ中に操作促進演出が行われる場合を例に説明したが、他の装飾図柄でリーチが成立した場合にも同様の演出が行われる。ただし、第２特別図柄判定に係る大当たりが確変大当たりである場合には勝利示唆演出が行われるものの、通常大当たりである場合には、自キャラが敵キャラに敗北する様子を表す敗北示唆演出が行われる。すなわち、操作促進演出に係る有効期間中に遊技者が演出ボタン２６を操作したとしても勝利示唆演出が行われることはなく、代わりに敗北示唆演出が行われる。この敗北示唆演出が行われた場合、通常大当たり（本実施形態では、大当たり図柄Ｙ４に対応する８Ｒ通常）を示す３つの装飾図柄（例えば偶数図柄のゾロ目）が液晶画面５の中央に大きく擬似停止してからそのまま本停止する。この場合、８回の長開放ラウンド遊技を行う大当たり遊技が終了した後に、時短遊技状態で遊技が制御されることになる。すなわち、確変遊技状態から転落する。
【０２４０】
［確変遊技状態における突当たり演出の具体例］
次に、図１６を参照しつつ、確変遊技状態における突当たり演出の具体例について説明する。ここで、図１６は、確変遊技状態における突当たり演出の具体例を示す画面図である。
【０２４１】
図１６（Ａ）には、第２保留アイコン表示領域５２に３つの保留アイコンが表示された状態で、当該領域５３に表示された当該アイコンに対応する第２特別図柄判定の判定結果がハズレであることを示す態様（ここでは「２４６」）の装飾図柄が停止表示するハズレ報知演出が行われている様子が例示されている。なお、最先の保留アイコンは、赤保留として表示されている。
【０２４２】
第２特別図柄および装飾図柄の停止表示が開始されてから所定の確定時間（例えば１秒）が経過すると、第２保留アイコン表示領域５１に表示されている最先の保留アイコンに対応する第１特別図柄判定が実行される。これに応じて、第２保留アイコン表示領域５１に表示されている各保留アイコンに対するシフト処理が行われ、装飾図柄の変動表示（高速スクロール表示）が開始される（図１６（Ａ）及び（Ｂ）参照）。
【０２４３】
ここで、第２特別図柄判定の判定結果が確変大当たりであり、且つ、第２特別図柄の変動パターンとして変動時間が５秒の変動パターンが選択されている場合、突当たり演出が実行される。
【０２４４】
この突当たり演出は、通常遊技状態のときに行われる突当たり演出と一部共通するものであるため、共通する点については説明を省略するが、第２特別図柄の変動表示が開始された直後に暗転演出が行われ（図１６（Ｃ）参照）、「７７７」のゾロ目を示す３つの装飾図柄が液晶画面５の中央に突然表示されるのとほぼ同時に、演出役物７が動作する（図１６（Ｄ）参照）。そして、擬似停止している３つの装飾図柄がそのまま本停止してする当たり報知演出が行われる（図１６（Ｅ）参照）。
【０２４５】
なお、この突当たり演出は、通常遊技状態のときに行われる突当たり演出と同様、確変大当たりに当選した場合の専用演出である。このため、第２特別図柄判定の判定結果が通常大当たりやハズレである場合には、突当たり演出が行われることはない。このことから明らかなように、確変遊技状態における突当たり演出は、大当たり遊技が実行されることを確定的に予告する大当たり予告の１つと捉えることができる。
【０２４６】
なお、本実施形態では、第２特別図柄判定に係る大当たりの種類として、１６Ｒ確変、８Ｒ確変、４Ｒ確変の３種類の確変大当たりが用意されており、いずれの確変大当たりに当選した場合にも突当たり演出を実行可能な構成が採用されている。これに対して、他の実施形態では、１６確変に当選した場合には突当たり演出の実行が可能な一方で、８Ｒ確変や４Ｒ確変に当選した場合には突当たり演出を実行しないといった構成を採用してもよい。また、第２特別図柄判定に係る大当たりの種類に関わらず、突当たり演出を実行可能な構成を採用してもよい。
【０２４７】
また、本実施形態では、突当たり演出が行われる場合の第１特別図柄の変動時間と第２特別図柄の変動時間が同じである場合について説明するが、これらの変動時間は互いに異なっていてもよい。また、通常遊技状態のときに行われる突当たり演出の演出態様と、確変遊技状態のときに行われる突当たり演出の演出態様とは、互いに同じであってもよいし、互いに異なっていてもよい。
【０２４８】
なお、突当たり演出の演出態様は上述したものに限らず、いきなり大当たりになったと遊技者に感じさせることができればどのような演出態様でもよい。例えば、第１特別図柄判定（又は第２特別図柄判定）が行われた結果として１６Ｒ確変に当選している場合の一部において、リーチ成立直後またはリーチ演出中に突当たり演出が実行されてもよい。
【０２４９】
例えば、リーチ成立直後の突当たり演出は、リーチが成立した直後（例えば、０．５秒後）に、擬似停止しているリーチ図柄と同じ数字を示す中図柄がいきなり有効ライン上に表れて擬似停止し、その直後に全ての装飾図柄が本停止してもよい（何れも第１態様の装飾図柄）。このような場合、突当たり演出は、リーチ成立を経由してもリーチ演出が実行されずに大当たりとなる演出であるといえる。なお、突当たり演出はリーチ成立とほぼ同時に実行されてもよい。この場合、例えば、左図柄が擬似停止しているときに、左図柄と同じ数字を示す右図柄が有効ライン上に擬似停止するのとほぼ同時に、左図柄と同じ数字を示す中図柄がいきなり有効ライン上に表れて擬似停止し、その直後に全ての装飾図柄が本停止してもよい（何れも第１態様の装飾図柄）。
【０２５０】
例えば、ノーマルリーチ中の突当たり演出は、高速でスクロール表示されていた中図柄のスクロール速度が徐々に低下したときに実行されてもよい。例えば、ノーマルリーチ中に突当たり演出が実行されると、ゆっくり下方向に中図柄がスクロールし始めたタイミングで、擬似停止しているリーチ図柄と同じ数字を示す中図柄がいきなり有効ライン上に表れて擬似停止し、その直後に全ての装飾図柄が本停止してもよい（何れも第１態様の装飾図柄）。このような場合、突当たり演出は、キャラＳＰリーチまたはＳＰＳＰリーチに発展せずに、ノーマルリーチでいきなり大当たりとなる演出であるといえる。
【０２５１】
また、例えば、キャラＳＰリーチ中の突当たり演出は、リーチ図柄（第２態様の装飾図柄）を液晶画面５の画面左上隅に小さく表示した状態で、自キャラと敵キャラとが宝箱を奪い合う様子を示す争奪演出中に実行されてもよい。例えば、争奪演出中に突当たり演出が実行されると、擬似停止しているリーチ図柄と同じ数字を示す中図柄（例えば、３倍に拡大された第２態様の装飾図柄）が液晶画面５の中央にいきなり表れて擬似停止する。そして、リーチ図柄が消去されると共に、３つの装飾図柄（例えば、第２態様の装飾図柄を３倍に拡大した装飾図柄）が図柄揃いの態様で液晶画面５の中央に擬似停止し、その直後に全ての装飾図柄が本停止してもよい。このような場合、突当たり演出は、キャラＳＰリーチ終盤で実行される演出が実行されずに、また、ＳＰＳＰリーチに発展せずに、キャラＳＰリーチでいきなり大当たりとなる演出であるといえる。
【０２５２】
また、例えば、バトルリーチ中の突当たり演出は、リーチ図柄（第２態様の装飾図柄）を液晶画面５の画面左上隅に小さく表示した状態で、自キャラと敵キャラとがバトルする様子を示すバトル演出中に実行されてもよい。例えば、バトル演出の中盤で突当たり演出が実行されると、擬似停止しているリーチ図柄と同じ数字を示す中図柄（例えば、３倍に拡大された第２態様の装飾図柄）が液晶画面５の中央にいきなり表れて擬似停止する。そして、リーチ図柄が消去されると共に、３つの装飾図柄（例えば、第２態様の装飾図柄を３倍に拡大した装飾図柄）が図柄揃いの態様で液晶画面５の中央に擬似停止し、その直後に全ての装飾図柄が本停止してもよい。このような場合、突当たり演出は、バトルリーチ終盤で実行される演出が実行されずに、バトルリーチでいきなり大当たりとなる演出であるといえる。
【０２５３】
［通常遊技状態で使用する変動パターン選択テーブル］
図１７は、通常遊技状態において特別図柄の変動パターンを選択する処理に使用される変動パターン選択テーブルについて説明するための説明図である。
【０２５４】
メインＲＯＭ１０２には、通常遊技状態のときに特別図柄の変動パターンを選択する際に参照する変動パターン選択テーブルとして、確変大当たり用変動パターン選択テーブル（図１７（Ａ）参照）と、通常大当たり用変動パターン選択テーブル（図１７（Ｂ）参照）と、リーチハズレ用変動パターン選択テーブル（図１７（Ｃ）参照）とが記憶されている。ここで、確変大当たり用変動パターン選択テーブルは、通常遊技状態において、第１特別図柄判定の判定結果が「確変大当たり」となった場合に、第１特別図柄の変動パターンを選択する処理に使用される。また、通常大当たり用変動パターン選択テーブルは、通常遊技状態において、第１特別図柄判定の判定結果が「通常大当たり」となった場合に、第１特別図柄の変動パターンを選択する処理に使用される。また、リーチハズレ用変動パターン選択テーブルは、通常遊技状態において、第１特別図柄判定の判定結果がハズレであってリーチ有り演出を行うと決定された場合に、第１特別図柄の変動パターンを選択する処理に使用される。
【０２５５】
なお、図１７以降に示されている各種のテーブルに関する説明図では、説明を容易に行うために、各乱数の取り得る範囲が実際よりも少ない範囲に設定されている。
【０２５６】
（確変大当たり用変動パターン選択テーブル）
図１７（Ａ）に例示されるように、確変大当たり用変動パターン選択テーブルでは、第１特別図柄の変動パターンと、変動パターン乱数とが対応付けられている。なお、図１７では、説明の便宜上、変動パターンおよび変動パターン乱数の他に、第１特別図柄の変動時間、各変動パターンに対してサブＣＰＵ１３１により選択される変動演出パターンの種類、変動演出パターンの具体的な演出内容、変動パターン乱数の取り得る範囲、各変動パターンが選択される割合が併せて表記されている。
【０２５７】
図１７（Ａ）〜（Ｃ）に示されるように、第１特別図柄の変動パターンを選択するための変動パターン乱数の取り得る範囲は、「０」〜「９９」に設定されている。メインＣＰＵ１０１は、通常遊技状態において、大当たり遊技を実行すると判定し、大当たりの種類として１６Ｒ確変または６Ｒ確変を選択した場合に、大当たり乱数や図柄乱数と一緒に取得した変動パターン乱数が「０」〜「９」のいずれかであれば、確変大当たり用変動パターン選択テーブルから変動パターンＡを読み出すことによって、第１特別図柄の変動パターンとして変動パターンＡを選択する。また、取得した変動パターン乱数が「１０」〜「１１」のいずれかであれば、確変大当たり用変動パターン選択テーブルから変動パターンＢを読み出すことによって、第１特別図柄の変動パターンとして変動パターンＢを選択する。また、取得した変動パターン乱数が「１２」〜「１９」のいずれかであれば、確変大当たり用変動パターン選択テーブルから変動パターンＣを読み出すことによって、第１特別図柄の変動パターンとして変動パターンＣを選択する。また、取得した変動パターン乱数が「２０」〜「４９」のいずれかであれば、確変大当たり用変動パターン選択テーブルから変動パターンＤを読み出すことによって、第１特別図柄の変動パターンとして変動パターンＤを選択する。また、取得した変動パターン乱数が「５０」〜「９９」のいずれかであれば、確変大当たり用変動パターン選択テーブルから変動パターンＥを読み出すことによって、第１特別図柄の変動パターンとして変動パターンＥを選択する。
【０２５８】
確変大当たり用変動パターン選択テーブル（図１７（Ａ）参照）では、変動パターンＡに対して、「０」〜「９」の１０個の乱数値が割り当てられている。このため、確変大当たりである場合に変動パターンＡが選択される割合は、１０％（＝１０／１００）である。また、変動パターンＢに対して、「１０」〜「１１」の２個の乱数値が割り当てられているため、確変大当たりである場合に変動パターンＢが選択される割合は、２％（＝２／１００）である。また、変動パターンＣに対して、「１２」〜「１９」の８個の乱数値が割り当てられているため、確変大当たりである場合に変動パターンＣが選択される割合は、８％（＝８／１００）である。また、変動パターンＤに対して、「２０」〜「４９」の３０個の乱数値が割り当てられているため、確変大当たりである場合に変動パターンＤが選択される割合は、３０％（＝３０／１００）である。また、変動パターンＥに対して、「５０」〜「９９」の５０個の乱数値が割り当てられているため、確変大当たりである場合に変動パターンＥが選択される割合は、５０％（＝５０／１００）である。
【０２５９】
（通常大当たり用変動パターン選択テーブル）
メインＣＰＵ１０１は、通常遊技状態において、大当たり遊技を実行すると判定し、大当たりの種類として６Ｒ通常を選択した場合に、大当たり乱数や図柄乱数と一緒に取得した変動パターン乱数が「０」〜「３」のいずれかであれば、通常大当たり用変動パターン選択テーブル（図１７（Ｂ）参照）から変動パターンＢを読み出すことによって、第１特別図柄の変動パターンとして変動パターンＢを選択する。また、取得した変動パターン乱数が「４」〜「１４」のいずれかであれば、通常大当たり用変動パターン選択テーブルから変動パターンＣを読み出すことによって、第１特別図柄の変動パターンとして変動パターンＣを選択する。また、取得した変動パターン乱数が「１５」〜「４６」のいずれかであれば、通常大当たり用変動パターン選択テーブルから変動パターンＤを読み出すことによって、第１特別図柄の変動パターンとして変動パターンＤを選択する。また、取得した変動パターン乱数が「４７」〜「９９」のいずれかであれば、通常大当たり用変動パターン選択テーブルから変動パターンＥを読み出すことによって、第１特別図柄の変動パターンとして変動パターンＥを選択する。
【０２６０】
通常大当たり用変動パターン選択テーブル（図１７（Ｂ）参照）では、変動パターンＢに対して、「０」〜「３」の４個の乱数値が割り当てられている。このため、通常大当たりである場合に変動パターンＢが選択される割合は、４％（＝４／１００）である。また、変動パターンＣに対して、「４」〜「１４」の１１個の乱数値が割り当てられているため、通常大当たりである場合に変動パターンＣが選択される割合は、１１％（＝１１／１００）である。また、変動パターンＤに対して、「１５」〜「４６」の３２個の乱数値が割り当てられているため、通常大当たりである場合に変動パターンＤが選択される割合は、３２％（＝３２／１００）である。また、変動パターンＥに対して、「４７」〜「９９」の５３個の乱数値が割り当てられているため、通常大当たりである場合に変動パターンＥが選択される割合は、５３％（＝５３／１００）である。
【０２６１】
（リーチハズレ用変動パターン選択テーブル）
メインＣＰＵ１０１は、第１特別図柄判定において、大当たり遊技を実行しないと判定した場合、大当たり乱数、図柄乱数、変動パターン乱数と一緒に取得したリーチ乱数に基づいて、リーチ有り演出を行うか否かを選択する。具体的には、リーチ有り演出が行われる変動パターン群の中からいずれかの変動パターンを選択するのか、或いはリーチ無し演出が行われる変動パターン群の中からいずれかの変動パターンを選択するのかを決定する。ここで、リーチ有り演出を行うことを選択した場合、リーチハズレ用変動パターン選択テーブル（図１７（Ｃ）参照）を参照して第１特別図柄の変動パターンを選択する。
【０２６２】
メインＣＰＵ１０１は、通常遊技状態において、大当たり遊技を実行しないと判定し、リーチ有り演出を行うことを選択した場合、大当たり乱数、図柄乱数、リーチ乱数と一緒に取得した変動パターン乱数が「０」〜「３９」のいずれかであれば、リーチハズレ用変動パターン選択テーブルから変動パターンＧを読み出すことによって、第１特別図柄の変動パターンとして変動パターンＧを選択する。また、取得した変動パターン乱数が「４０」〜「６９」のいずれかであれば、リーチハズレ用変動パターン選択テーブルから変動パターンＨを読み出すことによって、第１特別図柄の変動パターンとして変動パターンＨを選択する。また、取得した変動パターン乱数が「７０」〜「８９」のいずれかであれば、リーチハズレ用変動パターン選択テーブルから変動パターンＩを読み出すことによって、第１特別図柄の変動パターンとして変動パターンＩを選択する。また、取得した変動パターン乱数が「９０」〜「９９」のいずれかであれば、リーチハズレ用変動パターン選択テーブルから変動パターンＪを読み出すことによって、第１特別図柄の変動パターンとして変動パターンＪを選択する。
【０２６３】
リーチハズレ用変動パターン選択テーブル（図１７（Ｃ）参照）では、変動パターンＧに対して、「０」〜「３９」の４０個の乱数値が割り当てられている。このため、リーチ演出を行ってハズレを報知する場合に変動パターンＧが選択される割合は、４０％（＝４０／１００）である。また、変動パターンＨに対して、「４０」〜「６９」の３０個の乱数値が割り当てられているため、リーチ演出を行ってハズレを報知する場合に変動パターンＨが選択される割合は、３０％（＝３０／１００）である。また、変動パターンＩに対して、「７０」〜「８９」の２０個の乱数値が割り当てられているため、リーチ演出を行ってハズレを報知する場合に変動パターンＩが選択される割合は、２０％（＝２０／１００）である。また、変動パターンＪに対して、「９０」〜「９９」の１０個の乱数値が割り当てられているため、リーチ演出を行ってハズレを報知する場合に変動パターンＪが選択される割合は、１０％（＝１０／１００）である。
【０２６４】
メインＣＰＵ１０１は、第１特別図柄判定に係る大当たり遊技を実行するか否かの判定結果等に基づいて、図１７に例示されている変動パターン選択テーブルのうちのいずれかの変動パターン選択テーブルを参照して、複数の変動パターンの中からいずれかの変動パターンを選択する。
【０２６５】
なお、図には示されていないが、リーチ演出を行わずにハズレを報知する場合に使用されるリーチ無しハズレ用変動パターン選択テーブルも用意されており、メインＣＰＵ１０１は、大当たり遊技を実行しないと判定し、且つリーチ無し演出を行うことを選択した場合、第１特別図柄の変動表示が開始される際の保留数等に応じて、変動時間が３秒の変動パターン、変動時間が８秒の変動パターン、及び変動時間が１３．５秒の変動パターンのうちのいずれかの変動パターンを選択する。
【０２６６】
また、図１７（Ａ）〜（Ｃ）の変動パターン選択テーブルの比較から明らかなように、変動パターンＡを除き、各変動パターンが選択された場合の変動時間と演出内容とが対応している。例えば、確変大当たり用変動パターン選択テーブルから変動パターンＢが選択された場合と、通常大当たり用変動パターン選択テーブルから変動パターンＢが選択された場合と、リーチハズレ用変動パターン選択テーブルから変動パターンＧが選択された場合とでは、特別図柄の変動時間が２０秒であり、且つリーチ演出としてノーマルリーチのみが行われるという点で互いに共通している。このような構成が採用されているのは、当たり報知演出またはハズレ報知演出が行われる直前までの演出を共通化して、それ以降の演出を、判定結果に応じたものとしているためである。
【０２６７】
これに対して、他の実施形態においては、図１７（Ａ）〜（Ｃ）に例示されている３つの選択テーブルに関して、当落報知の直前までの演出内容が共通していたとしても、互いの変動時間を異ならせるようにしてもよい。
【０２６８】
図１７に例示されている３つの変動パターン選択テーブルに関する説明から、以下のことが言える。すなわち、第１特別図柄判定の判定結果が確変大当たり又は通常大当たりである場合には、概ね、変動時間が長い変動パターンが選択され易く、変動時間が短い変動パターンが選択され難い傾向がある（図１７（Ａ）及び（Ｂ）参照）。また、第１特別図柄判定の判定結果がハズレであってリーチ演出が行われる場合には、変動時間が長い変動パターンが選択され難く、変動時間が短い変動パターンが選択され易い傾向がある（図１７（Ｃ）参照）。これらのことから、第１特別図柄の変動時間が長いほど当たり報知演出が実行され易く、逆に、第１特別図柄の変動時間が短いほどハズレ報知演出が実行され易いということが言える。言い換えれば、ノーマルリーチからキャラＳＰリーチを経由してＳＰＳＰリーチに発展するといった、相対的に長い時間を掛けてリーチ演出が行われる場合には当たり報知演出が実行され易く、ノーマルリーチ演出しか行われないようなリーチ演出に要する時間が相対的に短い場合には、ハズレ報知演出が実行され易いと言える。すなわち、ノーマルリーチ演出にて当落が報知されるのではなく、ノーマルリーチからキャラＳＰリーチやＳＰＳＰリーチへと発展したり、或いは、ノーマルリーチからキャラＳＰリーチを経由してＳＰＳＰリーチへと発展したりする方が、大当たり信頼度が高いと言える。
【０２６９】
＜通常遊技状態における突当たり演出について＞
通常遊技状態のときに行われる突当たり演出については、以下のことが言える。すなわち、第１特別図柄判定の判定結果が確変大当たりである場合に突当たり演出が実行される割合は、確変大当たり用変動パターン選択テーブルを参照して変動パターンＡが選択される割合と同じ１０％（＝１０／１００）である。これに対して、通常大当たり用変動パターン選択テーブルやリーチハズレ用変動パターン選択テーブルでは、突当たり演出が行われる変動パターンは用意されていない（図１７（Ｂ）及び（Ｃ）参照）。
これらのことから、通常遊技状態における突当たり演出は、大当たり遊技が実行されることを確定的に予告する大当たり予告であり、且つ、大当たり遊技終了後には必ず確変遊技状態に移行することを予告する確変大当たり予告であると言える。すなわち、本実施形態には、突当たり演出が実行されると、大当たり遊技終了後に確変遊技状態で遊技が制御される確率（ここでは１００％）の方が、時短遊技状態で遊技が制御される確率（０％）よりも高いという特徴がある。
【０２７０】
また、確変大当たり用変動パターン選択テーブル（図１７（Ａ）参照）において、変動時間が５秒と最も短い変動パターンＡに着目した場合、演出内容としては突当たり演出が対応付けられている一方で他の演出が対応付けられていない。このことから、第１特別図柄判定の判定結果が確変大当たりとなって変動パターンＡが選択された場合には、確変大当たり予告として機能する突当たり演出が１００％の確率で実行されることが明らかである。
【０２７１】
なお、第１特別図柄判定に係る大当たりに関して確変大当たりが占める割合は６０％（＝５％＋５５％）である（図６（Ｂ）参照）。また、確変大当たりである場合に突当たり演出が実行される割合は１０％（＝１０／１００）である。このため、第１特別図柄判定の判定結果が大当たりとなる場合の全体で見た場合に、突当たり演出が実行される確率は、６％（＝０．６×０．１×１００）である。
【０２７２】
本実施形態では、通常遊技状態のときに突当たり演出が実行されると、大当たり遊技終了後に１００％の確率で確変遊技状態に移行する場合について説明するが、他の実施形態では、突当たり演出が実行された場合に大当たり遊技終了後に確変遊技状態に移行する確率を１００％未満の値として、大当たり遊技終了後に一定の確率（例えば２０％）で時短遊技状態にて遊技が制御され得るようにしてもよい。この場合、突当たり演出が実行された場合に、確変遊技状態に移行する確率を時短遊技状態に移行する確率よりも高くしてもよいし、これらの確率を同じにしてもよいし、確変遊技状態に移行する確率を時短遊技状態に移行する確率よりも低くしてもよい。
【０２７３】
また、本実施形態では、変動パターンＡが選択されると突当たり演出が必ず実行される場合について説明するが、他の実施形態では、変動パターンＡが選択されても突当たり演出が実行されない場合があるという構成を採用してもよい。すなわち、変動パターンＡが選択された場合に突当たり演出が実行される確率は１００％に限定されるものではなく、１００％未満の値であってもよい。また、本実施形態では、変動パターンＡが選択されて突当たり演出が実行される確率が、他の変動パターンが選択されて他の大当たり予告が実行される確率よりも高い値に設定されているが、他の実施形態では、これらの確率の大小関係が逆であってもよい。
【０２７４】
また、突当たり演出は、確変大当たり予告として機能する演出であり、本実施形態では、突当たり演出が実行された後に、１６Ｒの大当たり遊技が実行される場合と、６Ｒの大当たり遊技が実行される場合とがある。これに対して、他の実施形態では、突当たり演出が実行された場合には、１６Ｒの大当たり遊技が実行される一方で、６Ｒの大当たり遊技が実行されることがないという構成を採用してもよい。言い換えれば、１６Ｒ確変の場合には突当たり演出を実行し、６Ｒ確変の場合には突当たり演出を実行しないようにしてもよい。
【０２７５】
＜奪取成功演出について＞
本実施形態では、通常遊技状態ではキャラＳＰリーチが実行される場合がある一方で、確変遊技状態ではキャラＳＰリーチが実行されることはない。このため、キャラＳＰリーチ中に実行される可能性がある奪取成功演出（例えば図１３（Ｈ）参照）は、確変遊技状態のときには行われない、通常遊技状態に専用の専用演出と言うことができる。この通常遊技状態の専用演出である奪取成功演出については、以下のことが言える。
【０２７６】
第１特別図柄判定の判定結果が確変大当たりである場合、奪取成功演出が行われる変動パターンＣが確変大当たり用変動パターン選択テーブル（図１７（Ａ）参照）から選択される割合は８％（＝８／１００）である。また、第１特別図柄判定の判定結果が通常大当たりである場合、奪取成功演出が行われる変動パターンＣが通常大当たり用変動パターン選択テーブル（図１７（Ｂ）参照）から選択される割合は１１％（＝１１／１００）である。そして、リーチハズレ用変動パターン選択テーブル（図１７（Ｃ）参照）には、奪取失敗演出が行われる変動パターンＨが用意されているものの、奪取成功演出が行われる変動パターンは用意されていない。このことは、第１特別図柄判定の判定結果がハズレであり、且つリーチ無し演出が行われる場合に参照される変動パターン選択テーブルについても同様である。
これらのことから、奪取成功演出は、大当たり遊技が実行されることを確定的に予告する大当たり予告であると言える。
【０２７７】
また、確変大当たり用変動パターン選択テーブル（図１７（Ａ）参照）、及び通常大当たり用変動パターン選択テーブル（図１７（Ｂ）参照）の表記から明らかなように、奪取成功演出は、第１特別図柄判定に係る大当たりが、確変大当たりである場合と通常大当たりである場合の両方において、実行可能である。すなわち、奪取成功演出に続いて当たり報知演出が行われると、大当たり遊技終了後に、確変遊技状態で遊技が制御される場合と、通常遊技状態で遊技が制御される場合とがある。このことから、奪取成功演出は、大当たり遊技が実行されることを予告する一方で、大当たり遊技終了後の遊技状態を示唆しない演出であると言える。遊技者は、奪取成功演出が行われた段階では、大当たり遊技終了後に確変遊技状態で遊技が制御されるのか、或いは通常遊技状態で遊技が制御されるのかを判別できないため、確変遊技状態で遊技が制御されることを期待しながら遊技を楽しむことができる。
【０２７８】
なお、第１特別図柄判定に係る大当たりに関して確変大当たりが占める割合は６０％であり、確変大当たり用変動パターン選択テーブル（図１７（Ａ）参照）を参照して、奪取成功演出が行われる変動パターンＣが選択される割合は８％である。このため、奪取成功演出が行われて大当たり遊技終了後に確変遊技状態で遊技が制御される確率は、４．８％（＝０．６×０．０８×１００）である。
一方、第１特別図柄判定に係る大当たりに関して通常大当たりが占める割合は４０％であり、通常大当たり用変動パターン選択テーブル（図１７（Ｂ）参照）を参照して、奪取成功演出が行われる変動パターンＣが選択される割合は１１％である。このため、奪取成功演出が行われて大当たり遊技終了後に通常遊技状態で遊技が制御される確率は、４．４％（＝０．４×０．１１×１００）である。
これらのことから、奪取成功演出が実行された場合には、大当たり遊技終了後に確変遊技状態で遊技が制御される場合と、通常遊技状態で遊技が制御される場合とがあるが、前者の確率の方が後者の確率よりも若干高い。
【０２７９】
また、確変大当たり用変動パターン選択テーブル（図１７（Ａ）参照）において、変動時間が４０秒である変動パターンＣに着目した場合、演出内容として奪取成功演出が対応付けられている一方で、奪取成功演出が対応付けられていない演出は用意されていない。このことから、第１特別図柄判定の判定結果が確変大当たりとなって変動パターンＣが選択された場合には、大当たり予告として機能する奪取成功演出が１００％の確率で実行されることが明らかである。
【０２８０】
また、通常大当たり用変動パターン選択テーブル（図１７（Ｂ）参照）において、変動時間が４０秒である変動パターンＣに着目した場合、演出内容として奪取成功演出が対応付けられている一方で、奪取成功演出が対応付けられていない演出は用意されていない。このことから、第１特別図柄判定の判定結果が通常大当たりとなって変動パターンＣが選択された場合にも、大当たり予告として機能する奪取成功演出が１００％の確率で実行されることが明らかである。
【０２８１】
なお、本実施形態では、変動パターンＣが選択されると奪取成功演出が必ず実行される場合について説明するが、他の実施形態では、変動パターンＣが選択されても奪取成功演出が実行されない場合があるという構成を採用してもよい。すなわち、変動パターンＣが選択された場合に奪取成功演出が実行される確率は１００％に限定されるものではなく、１００％未満の値であってもよい。また、他の実施形態では、確変大当たりである場合には奪取成功演出が実行される一方で、通常大当たりである場合には奪取成功演出が実行されない構成を採用してもよい。すなわち、奪取成功演出を、本実施形態の突当たり演出と同じように、確変大当たり専用演出としてもよい。また、逆に、通常大当たりである場合には奪取成功演出が実行される一方で、確変大当たりである場合には奪取成功演出が実行されない構成を採用してもよい。
【０２８２】
［確変遊技状態で使用する変動パターン選択テーブル］
図１８は、確変遊技状態において特別図柄の変動パターンを選択する処理に使用される変動パターン選択テーブルについて説明するための説明図である。
【０２８３】
メインＲＯＭ１０２には、確変遊技状態のときに特別図柄の変動パターンを選択する際に参照する変動パターン選択テーブルとして、確変大当たり用変動パターン選択テーブル（図１８（Ａ）参照）と、通常大当たり用変動パターン選択テーブル（図１８（Ｂ）参照）とが記憶されている。ここで、確変大当たり用変動パターン選択テーブルは、確変遊技状態において、第２特別図柄判定の判定結果が「確変大当たり」となった場合に、第２特別図柄の変動パターンを選択する処理に使用される。また、通常大当たり用変動パターン選択テーブルは、確変遊技状態において、第２特別図柄判定の判定結果が「通常大当たり」となった場合に、第２特別図柄の変動パターンを選択する処理に使用される。なお、第２特別図柄判定の判定結果がハズレの場合に参照される変動パターン選択テーブルも用意されているが、図示を省略している。
【０２８４】
（確変大当たり用変動パターン選択テーブル）
図１８（Ａ）に例示されるように、確変大当たり用変動パターン選択テーブルでは、第２特別図柄の変動パターンと、変動パターン乱数とが対応付けられている。なお、図１８では、説明の便宜上、変動パターンおよび変動パターン乱数の他に、第２特別図柄の変動時間、各変動パターンに対してサブＣＰＵ１３１により選択される変動演出パターンの種類、変動演出パターンの具体的な演出内容、変動パターン乱数の取り得る範囲、各変動パターンが選択される割合が併せて表記されている。
【０２８５】
図１８（Ａ），（Ｂ）に示されるように、第２特別図柄の変動パターンを選択するための変動パターン乱数の取り得る範囲は、「０」〜「９９」に設定されている。メインＣＰＵ１０１は、確変遊技状態において、大当たり遊技を実行すると判定し、大当たりの種類として１６Ｒ確変、８Ｒ確変、４Ｒ確変を選択した場合に、大当たり乱数や図柄乱数と一緒に取得した変動パターン乱数が「０」〜「２９」のいずれかであれば、確変大当たり用変動パターン選択テーブルから変動パターンＬを読み出すことによって、第２特別図柄の変動パターンとして変動パターンＬを選択する。また、取得した変動パターン乱数が「３０」〜「７９」のいずれかであれば、確変大当たり用変動パターン選択テーブルから変動パターンＭを読み出すことによって、第２特別図柄の変動パターンとして変動パターンＭを選択する。また、取得した変動パターン乱数が「８０」〜「９９」のいずれかであれば、確変大当たり用変動パターン選択テーブルから変動パターンＮを読み出すことによって、第２特別図柄の変動パターンとして変動パターンＮを選択する。
【０２８６】
確変大当たり用変動パターン選択テーブル（図１８（Ａ）参照）では、変動パターンＬに対して、「０」〜「２９」の３０個の乱数値が割り当てられている。このため、確変大当たりである場合に変動パターンＬが選択される割合は、３０％（＝３０／１００）である。また、変動パターンＭに対して、「３０」〜「７９」の５０個の乱数値が割り当てられているため、確変大当たりである場合に変動パターンＭが選択される割合は、５０％（＝５０／１００）である。また、変動パターンＮに対して、「８０」〜「９９」の２０個の乱数値が割り当てられているため、確変大当たりである場合に変動パターンＮが選択される割合は、２０％（＝２０／１００）である。
【０２８７】
（通常大当たり用変動パターン選択テーブル）
メインＣＰＵ１０１は、確変遊技状態において、大当たり遊技を実行すると判定し、大当たりの種類として８Ｒ通常を選択した場合に、大当たり乱数や図柄乱数と一緒に取得した変動パターン乱数が「０」〜「９９」のいずれかであれば、通常大当たり用変動パターン選択テーブル（図１８（Ｂ）参照）から変動パターンＯを読み出すことによって、第２特別図柄の変動パターンとして変動パターンＯを選択する。通常大当たり用変動パターン選択テーブル（図１８（Ｂ）参照）では、変動パターンＯに対して、「０」〜「９９」の１００個の乱数値が割り当てられているため、通常大当たりである場合に変動パターンＯが選択される割合は、１００％（＝１００／１００）である。
【０２８８】
メインＣＰＵ１０１は、第２特別図柄判定において、大当たり遊技を実行すると判定した場合に、大当たりの種類に応じて、図１８に例示されている変動パターン選択テーブルのうちのいずれかの変動パターン選択テーブルを参照して、複数の変動パターンの中からいずれかの変動パターンを選択する。
【０２８９】
＜確変遊技状態における突当たり演出について＞
確変遊技状態のときに行われる突当たり演出については、以下のことが言える。すなわち、第２特別図柄判定の判定結果が確変大当たりである場合に突当たり演出が実行される割合は、確変大当たり用変動パターン選択テーブル（図１８（Ａ）参照）を参照して変動パターンＬが選択される割合と同じ３０％（＝３０／１００）である。これに対して、通常大当たり用変動パターン選択テーブル（図１８（Ｂ）参照）では、突当たり演出が行われる変動パターンは用意されていない（図１８（Ｂ）参照）。このことは、第２特別図柄判定の判定結果がハズレの場合に参照される変動パターン選択テーブルについても同様である。これらのことから、確変遊技状態における突当たり演出は、大当たり遊技が実行されることを確定的に予告する大当たり予告であり、且つ、大当たり遊技終了後には必ず確変遊技状態に移行することを予告する確変大当たり予告であると言える。
【０２９０】
また、確変大当たり用変動パターン選択テーブル（図１８（Ａ）参照）において、変動時間が５秒と最も短い変動パターンＬに着目した場合、演出内容としては突当たり演出が対応付けられている一方で他の演出が対応付けられていない。このことから、第２特別図柄判定の判定結果が確変大当たりとなって変動パターンＬが選択された場合には、確変大当たり予告として機能する突当たり演出が１００％の確率で実行されることが明らかである。
【０２９１】
なお、第２特別図柄判定に係る大当たりに関して確変大当たりが占める割合は６０％であり、確変大当たりである場合に突当たり演出が実行される割合は上記の通り３０％である。このため、第２特別図柄判定の判定結果が大当たりとなる場合の全体で見た場合に、突当たり演出が実行される確率は、１８％（＝０．６×０．３×１００）である。
【０２９２】
本実施形態では、確変遊技状態のときに突当たり演出が実行されると、大当たり遊技終了後に１００％の確率で確変遊技状態に移行する場合について説明するが、他の実施形態では、突当たり演出が実行された場合に大当たり遊技終了後に確変遊技状態に移行する確率を１００％未満の値として、大当たり遊技終了後に通常遊技状態で遊技が制御され得るようにしてもよい。この場合、突当たり演出が実行された場合に、確変遊技状態に移行する確率を時短遊技状態に移行する確率よりも高くしてもよいし、これらの確率を同じにしてもよいし、確変遊技状態に移行する確率を時短遊技状態に移行する確率よりも低くしてもよい。
【０２９３】
また、本実施形態では、変動パターンＬが選択されると突当たり演出が必ず実行される場合について説明するが、他の実施形態では、変動パターンＬが選択されても突当たり演出が実行されない場合があるという構成を採用してもよい。すなわち、変動パターンＬが選択された場合に突当たり演出が実行される確率は１００％に限定されるものではなく、１００％未満の値であってもよい。また、本実施形態では、変動パターンＬが選択されて突当たり演出が実行される確率が、他の変動パターンが選択されて他の大当たり予告が実行される確率よりも高い値に設定されているが、他の実施形態では、これらの確率の大小関係が逆であってもよい。
【０２９４】
＜復活演出について＞
図１８（Ａ）の表記から明らかなように、第２特別図柄判定の判定結果が確変大当たりである場合、第２特別図柄の変動パターンとして、復活演出（図８（Ｊ）参照）が実行される変動パターンＮが選択されることがある。その一方で、第２特別図柄判定の判定結果が通常大当たりである場合、図１８（Ｂ）の表記から明らかなように、第２特別図柄の変動パターンとして、復活演出が行われる変動パターンが選択されることはない。このことは、第２特別図柄判定の判定結果がハズレである場合についても同様である。これらのことから、確変遊技状態のときに行われる復活演出は、突当たり演出と同様に、確変大当たり予告であると言える。
【０２９５】
また、変動パターンＬが選択された場合には、突当たり演出が実行されるものの、復活演出が実行されることはない。また、変動パターンＮが選択された場合には、復活演出が実行されるものの、突当たり演出が実行されることはない。これらのことから、確変遊技状態における突当たり演出と復活演出とは、同一変動内で両方が行われることがないように、禁則が掛けられていると言える。
【０２９６】
なお、図７には示されていないものの、例えば、ＳＰＳＰリーチの終盤で、ハズレと見せ掛けておいてから図柄揃いの３つの装飾図柄を擬似停止させる復活演出を通常遊技状態でも実行可能であり、この復活演出は、変動パターンＡが選択された場合に、同一変動内で突当たり演出と共に実行されることがないように、確変遊技状態と同様の禁則が掛けられている。
【０２９７】
なお、第２特別図柄判定に係る大当たりに関して確変大当たりが占める割合は６０％であり、確変大当たり用変動パターン選択テーブル（図１８（Ａ）参照）を参照して、復活演出が行われる変動パターンＮが選択される割合は２０％である。このため、復活演出が行われて大当たり遊技終了後に確変遊技状態で遊技が制御される確率は、１２％（＝０．６×０．２×１００）である。
一方、確変大当たり用変動パターン選択テーブル（図１８（Ａ）参照）を参照して、突当たり演出が行われる変動パターンＬが選択される割合は３０％である。このため、突当たり演出が行われて大当たり遊技終了後に確変遊技状態で遊技が制御される確率は、１８％（＝０．６×０．３×１００）である。
これらのことから、第２特別図柄判定の判定結果が大当たりとなった場合に、突当たり演出が実行される確率の方が、復活演出が実行される確率よりも高いと言える。
【０２９８】
なお、本実施形態では、変動パターンＮが選択されると復活演出が必ず実行される場合について説明するが、他の実施形態では、変動パターンＮが選択されても復活演出が実行されない場合があるという構成を採用してもよい。すなわち、変動パターンＮが選択された場合に復活演出が実行される確率は１００％に限定されるものではなく、１００％未満の値であってもよい。また、本実施形態では、変動パターンＮが選択されて復活演出が実行される確率が、他の変動パターンが選択されて他の大当たり予告が実行される確率よりも高い値に設定されているが、他の実施形態では、これらの確率の大小関係が逆であってもよい。
【０２９９】
また、本実施形態では、確変遊技状態において、確変大当たりの種類に関わらず、変動パターンＮが選択された場合には必ず復活演出を実行する場合について説明するが、他の実施形態では、１６Ｒ確変である場合には、復活演出を実行可能とする一方で、８Ｒ確変や４Ｒ確変である場合には、復活演出を実行しないようにしてもよい。すなわち、復活演出を、１６Ｒ確変に専用の大当たり予告として機能させてもよい。
【０３００】
［７図柄リーチの信頼度（通常遊技状態）について］
図１９は、通常遊技状態におけるリーチ図柄の信頼度について説明するための説明図である。図１９（Ａ）は、第１特別図柄判定の判定結果が「ハズレ」である場合において最終リーチ図柄を決定するために参照される通常時ハズレ用リーチ図柄選択テーブルを示す図である。
【０３０１】
本実施形態の遊技機１では、左列および右列に同一の装飾図柄が擬似停止してリーチが成立すると所定のリーチ演出が行われるが、上記の「最終リーチ図柄」とは、当たり報知演出またはハズレ報知演出が行われる直前に行われるリーチ演出において表示されるリーチ図柄を指す。例えば、ノーマルリーチが行われて当たり報知演出またはハズレ報知演出が行われる場合、ノーマルリーチ中に表示されているリーチ図柄が最終リーチ図柄に該当する。また、ノーマルリーチからキャラＳＰリーチを経由してＳＰＳＰリーチへと発展し、このＳＰＳＰリーチに続いて当たり報知演出またはハズレ報知演出が行われる場合には、このＳＰＳＰリーチ演出中に表示されているリーチ図柄が最終リーチ図柄に該当する。
【０３０２】
サブＣＰＵ１３１は、最終リーチ図柄を選択する際にリーチ図柄選択乱数を取得し、第１特別図柄判定の判定結果がハズレである場合には、そのリーチ図柄選択乱数に対応する最終リーチ図柄を通常時ハズレ用リーチ図柄選択テーブル（図１９（Ａ）参照）から読み出すことによって、最終リーチ図柄を選択する。
【０３０３】
本実施形態では、リーチ図柄選択乱数の取り得る範囲が「０」〜「９９」に設定されている。通常時ハズレ用リーチ図柄選択テーブル（図１９（Ａ）参照）では、１図柄、２図柄、４図柄、５図柄、６図柄、８図柄、及び９図柄に対して、それぞれ１２個の乱数値が割り当てられている。また、３図柄に対しては１０個の乱数値が割り当てられており、７図柄に対しては６個の乱数値が割り当てられている。このため、第１特別図柄判定の判定結果がハズレの場合、最終リーチ図柄として、１図柄、２図柄、４図柄、５図柄、６図柄、８図柄、又は９図柄が選択される割合は１２％（＝１２／１００）であり、３図柄が選択される割合は１０％（＝１０／１００）であり、７図柄が選択される割合は６％（＝６／１００）である。
【０３０４】
図１９（Ｂ）は、第１特別図柄判定の判定結果が「１６Ｒ確変」である場合において最終リーチ図柄を決定するために参照される通常時１６Ｒ確変大当たり用リーチ図柄選択テーブルを示す図である。
【０３０５】
サブＣＰＵ１３１は、最終リーチ図柄を選択する際にリーチ図柄選択乱数を取得し、第１特別図柄判定の判定結果が１６Ｒ確変である場合には、そのリーチ図柄選択乱数に対応する最終リーチ図柄を通常時１６Ｒ確変大当たり用リーチ図柄選択テーブル（図１９（Ｂ）参照）から読み出すことによって、最終リーチ図柄を選択する。
【０３０６】
通常時１６Ｒ確変大当たり用リーチ図柄選択テーブル（図１９（Ｂ）参照）では、７図柄に対して４４個の乱数値が割り当てられており、それ以外の装飾図柄に対していずれも７個の乱数値が割り当てられている。このため、第１特別図柄判定の判定結果が１６Ｒ確変である場合、最終リーチ図柄として、７図柄が選択される割合は４４％（＝４４／１００）であり、それ以外の装飾図柄が選択される割合は、いずれも７％（＝７／１００）である。
【０３０７】
図１９（Ｃ）は、第１特別図柄判定の判定結果が「６Ｒ通常」である場合において最終リーチ図柄を決定するために参照される通常時６Ｒ通常大当たり用リーチ図柄選択テーブルを示す図である。
【０３０８】
サブＣＰＵ１３１は、最終リーチ図柄を選択する際にリーチ図柄選択乱数を取得し、第１特別図柄判定の判定結果が６Ｒ通常である場合には、そのリーチ図柄選択乱数に対応する最終リーチ図柄を通常時６Ｒ通常大当たり用リーチ図柄選択テーブル（図１９（Ｃ）参照）から読み出すことによって、最終リーチ図柄を選択する。
【０３０９】
通常時６Ｒ通常大当たり用リーチ図柄選択テーブル（図１９（Ｃ）参照）では、奇数図柄に対しては乱数値が割り当てられていない。これは、奇数図柄が確変図柄として機能するためである。一方、偶数図柄に対して、いずれも２５個の乱数値が割り当てられている。このため、第１特別図柄判定の判定結果が６Ｒ通常である場合、各偶数図柄が選択される割合は、いずれも２５％（＝２５／１００）であり、奇数図柄が選択される割合は０％である。
【０３１０】
図１９（Ａ）〜（Ｃ）に例示されているリーチ図柄選択テーブルから、以下のことが言える。すなわち、通常時ハズレ用リーチ図柄選択テーブル（図１９（Ａ）参照）では、７図柄に対して６個の乱数値が割り当てられており、第１特別図柄判定の判定結果が「ハズレ」である場合には、６％の割合でリーチ図柄として７図柄が選択される。このことは、７図柄でリーチが成立したとしても、後にハズレ報知演出が行われる場合があることを意味している。
一方、第１特別図柄判定の判定結果が「６Ｒ通常」である場合には、リーチ図柄として７図柄が選択されることはないものの（図１９（Ｃ）参照）、第１特別図柄判定の判定結果が「１６Ｒ確変」である場合には、４４％という高い割合で、リーチ図柄として７図柄が選択される。
このように、第１特別図柄判定の判定結果が「１６Ｒ確変」である場合には、リーチ図柄として７図柄が選択され易く、第１特別図柄判定の判定結果が「ハズレ」である場合には、リーチ図柄として７図柄が選択され難いことから、通常遊技状態において、７図柄でリーチが成立する７図柄リーチは、大当たり信頼度が相対的に高い演出であると言える。なお、「１６Ｒ確変」である場合には必ずリーチ図柄として７図柄が選択されてもよい。
【０３１１】
なお、図１９（Ｂ）の表記から明らかなように、第１特別図柄判定の判定結果が１６Ｒ確変であっても、リーチ図柄として偶数図柄や７図柄以外の奇数図柄が選択される場合があるが、これらのリーチ図柄が選択された場合には、図１１に基づいて上述した昇格演出（前半）と昇格成功演出とが行われて、最終的に「７７７」のゾロ目が揃う当たり報知演出が行われる。このため、図１１（Ｂ）に例示されるように、７図柄以外の３つの装飾図柄が擬似停止したとしても、遊技者は、１６Ｒ確変大当たりに対する期待感を失うことなく遊技を楽しむことができる。
【０３１２】
［７図柄リーチの信頼度（確変遊技状態）について］
図２０は、確変遊技状態におけるリーチ図柄の信頼度について説明するための説明図である。図２０（Ａ）は、第２特別図柄判定の判定結果が「ハズレ」である場合において最終リーチ図柄を決定するために参照される確変中ハズレ用リーチ図柄選択テーブルを示す図である。
【０３１３】
本実施形態の遊技機１では、確変遊技状態においてバトルリーチ以外のリーチ演出は行われないため、バトルリーチ中に表示されるリーチ図柄が、確変遊技状態における最終リーチ図柄に該当する。
【０３１４】
サブＣＰＵ１３１は、最終リーチ図柄を選択する際にリーチ図柄選択乱数を取得し、第２特別図柄判定の判定結果がハズレである場合には、そのリーチ図柄選択乱数に対応する最終リーチ図柄を確変中ハズレ用リーチ図柄選択テーブル（図２０（Ａ）参照）から読み出すことによって、最終リーチ図柄を選択する。
【０３１５】
確変中ハズレ用リーチ図柄選択テーブル（図２０（Ａ）参照）では、１図柄、２図柄、４図柄、６図柄、８図柄、９図柄に対して、それぞれ１５個の乱数値が割り当てられている。また、３図柄と５図柄に対しては、それぞれ５個の乱数値が割り当てられている。そして、７図柄には、乱数値が割り当てられていない。このため、第２特別図柄判定の判定結果がハズレの場合、最終リーチ図柄として、１図柄、２図柄、４図柄、６図柄、８図柄、又は９図柄が選択される割合は１５％（＝１５／１００）であり、３図柄か５図柄が選択される割合は５％（＝５／１００）であり、７図柄が選択される割合は０％（＝０／１００）である。
【０３１６】
図１９（Ｂ）は、第１特別図柄判定の判定結果が「１６Ｒ確変」である場合において最終リーチ図柄を決定するために参照される確変中１６Ｒ確変大当たり用リーチ図柄選択テーブルを示す図である。
【０３１７】
サブＣＰＵ１３１は、最終リーチ図柄を選択する際にリーチ図柄選択乱数を取得し、第２特別図柄判定の判定結果が１６Ｒ確変である場合には、そのリーチ図柄選択乱数に対応する最終リーチ図柄を確変中１６Ｒ確変大当たり用リーチ図柄選択テーブル（図２０（Ｂ）参照）から読み出すことによって、最終リーチ図柄を選択する。
【０３１８】
確変中１６Ｒ確変大当たり用リーチ図柄選択テーブル（図２０（Ｂ）参照）では、７図柄に対して５０個の乱数値が割り当てられており、３図柄に対して１６個の乱数値が割り当てられており、５図柄に対して１０個の乱数値が割り当てられている。そして、それ以外のリーチ図柄に対して、それぞれ４個の乱数値が割り当てられている。このため、第２特別図柄判定の判定結果が１６Ｒ確変である場合、最終リーチ図柄として、７図柄が選択される割合は５０％（＝５０／１００）であり、３図柄が選択される割合は１６％（＝１６／１００）であり、５図柄が選択される割合は１０％（＝１０／１００）であり、それ以外の装飾図柄が選択される割合は、いずれも４％（＝４／１００）である。
【０３１９】
図２０（Ｃ）は、第２特別図柄判定の判定結果が「８Ｒ通常」である場合において最終リーチ図柄を決定するために参照される確変中８Ｒ通常大当たり用リーチ図柄選択テーブルを示す図である。
【０３２０】
サブＣＰＵ１３１は、最終リーチ図柄を選択する際にリーチ図柄選択乱数を取得し、第２特別図柄判定の判定結果が８Ｒ通常である場合には、そのリーチ図柄選択乱数に対応する最終リーチ図柄を確変中８Ｒ通常大当たり用リーチ図柄選択テーブル（図２０（Ｃ）参照）から読み出すことによって、最終リーチ図柄を選択する。
【０３２１】
確変中８Ｒ通常大当たり用リーチ図柄選択テーブル（図２０（Ｃ）参照）では、奇数図柄に対しては乱数値が割り当てられていない。一方、４図柄に対して４０個の乱数値が割り当てられており、それ以外の偶数図柄に対して、いずれも２０個の乱数値が割り当てられている。このため、第２特別図柄判定の判定結果が８Ｒ通常である場合、４図柄が選択される割合は４０％（＝４０／１００）であり、それ以外の偶数図柄が選択される割合はいずれも２０％（＝２０／１００）であり、奇数図柄が選択される割合は０％である。
【０３２２】
図２０（Ａ）〜（Ｃ）に例示されているリーチ図柄選択テーブルから、以下のことが言える。すなわち、確変中８Ｒ通常大当たり用リーチ図柄選択テーブル（図２０（Ｃ）参照）では、７図柄に対して乱数値が割り当てられていないものの、確変中１６Ｒ確変大当たり用リーチ図柄選択テーブル（図２０（Ｂ）参照）では、７図柄に対して５０個の乱数値が割り当てられている。そして、確変中ハズレ用リーチ図柄選択テーブル（図２０（Ａ）参照）では、７図柄に対して乱数値が割り当てられていない。
これらのことから、確変遊技状態において７図柄でリーチが成立した場合には、その後にハズレが報知されることはなく、「７７７」のゾロ目を示す３つの装飾図柄が本停止する当たり報知演出が行われる。このような意味で考えると、確変遊技状態において７図柄でリーチが成立する７図柄リーチは、大当たり遊技が実行されることを確定的に予告する大当たり予告として捉えることができ、また、７図柄揃いが１６Ｒ確変の専用演出であることから、確変遊技状態における７図柄リーチは、確変大当たり予告であるとも言える。
【０３２３】
なお、図２０（Ｂ）の表記から明らかなように、第２特別図柄判定の判定結果が１６Ｒ確変であっても、リーチ図柄として偶数図柄や７図柄以外の奇数図柄が選択される場合があるが、これらのリーチ図柄が選択された場合には、通常遊技状態のときに行われる昇格演出と類似する昇格演出が行われて、最終的に「７７７」のゾロ目が揃う当たり報知演出が行われる。
【０３２４】
［７図柄リーチの信頼度の変化について］
図１９に基づく７図柄リーチに関する説明から明らかなように、通常遊技状態における７図柄リーチは、第１特別図柄判定の判定結果が「大当たり」であるか否かに関わらず実行可能であるため、大当たり信頼度が相対的に高いものの、その大当たり信頼度は１００％未満の値である。これに対して、図２０に基づく７図柄リーチに関する説明から明らかなように、確変遊技状態における７図柄リーチは、第２特別図柄判定の判定結果が「大当たり」である場合には実行可能であるものの、「ハズレ」である場合には実行されない、大当たり信頼度が１００％の演出である。これらのことから明らかなように、同じ７図柄リーチであっても、遊技状態によって大当たり信頼度に差異があり、通常遊技状態から確変遊技状態へと遊技状態が変化することで、７図柄リーチの大当たり信頼度が、１００％未満の値から１００％へと変化する。
【０３２５】
なお、大当たり信頼度が１００％である大当たり予告としての７図柄リーチは、確変遊技状態の専用演出であり、通常遊技状態では、この７図柄リーチとは異なる大当たり予告（例えば突当たり演出）が行われる。
【０３２６】
［各種の大当たり予告について］
以下、図２１〜図２３及び図２５〜図２８を参照しつつ、遊技機１で実行可能な各種の大当たり予告について説明する。ここで、図２１は、各種の大当たり予告について説明するための説明図である。図２２は、プレミアキャラ演出の具体例を示す画面図である。図２３は、虹色タイトル表示の具体例を示す画面図である。図２５は、虹色文字表示の具体例を示す画面図である。図２６は、操作に応じて行われるカットインの具体例を示す画面図である。図２７は、一発告知の具体例を示す遊技機１の概略正面図である。図２８は、プレミアキャラ演出が同一変動内で複数回行われる様子を例示する画面図である。
【０３２７】
本実施形態の遊技機１は、上述した通常遊技状態における突当たり演出および奪取成功演出、確変遊技状態における突当たり演出および７図柄リーチの他に、大当たり予告として、プレミアキャラ演出、虹色タイトル表示、虹色カットイン、虹色文字表示、及び一発告知を実行可能である。
【０３２８】
＜プレミアキャラ演出の概要＞
プレミアキャラ演出（図２２参照）は、特定のキャラクタ（以下「プレミアキャラ」と呼ぶ）を示す演出画像を液晶画面５に表示すると共に、そのプレミアキャラの音声をスピーカ２４から出力する演出である。図２２には、プレミアキャラとして狸のキャラクタが表示されると共に、その狸のキャラクタが「頑張れー！！」という音声を発している様子が例示されている。このプレミアキャラ演出には、同一変動内において複数の実行タイミングがあり、例えば、キャラＳＰリーチにおける争奪演出中（図２２（Ａ）参照）や、ＳＰＳＰリーチ中（図２２（Ｂ）参照）において実行可能である。なお、このプレミアキャラは、特別図柄判定の判定結果が「ハズレ」である場合には出現しない。
【０３２９】
なお、プレミアキャラの種類は１種類に限定されるものではなく、複数種類のプレミアキャラを用意しておいて、いずれかのプレミアキャラを表示したり、複数のプレミアキャラを同時に表示したりしてもよい。また、プレミアキャラは、特別図柄判定の判定結果が「ハズレ」である場合には出現しないものであれば、どのようなキャラクタであっても構わない。
【０３３０】
＜虹色タイトル表示の概要＞
虹色タイトル表示（図２３参照）は、キャラＳＰリーチやＳＰＳＰリーチといった特定のリーチ演出が開始される際に液晶画面５に表示されるリーチタイトルを虹色の文字で表示する演出である。この虹色タイトル表示も、同一変動内において複数の実行タイミングがある。図２３（Ａ）には、キャラＳＰリーチで争奪演出（図７（Ｆ−１）参照）が開始されるのに先立って、「宝箱を奪い返せ！」というリーチタイトルが虹色の文字で表示されている様子が例示されている。図２３（Ｂ）には、ＳＰＳＰリーチの開始時に「敵ボスを撃破せよ！」というリーチタイトルが虹色の文字で表示されている様子が例示されている。
【０３３１】
なお、キャラＳＰリーチやＳＰＳＰリーチといった特定のリーチ演出が開始される際にこの虹色タイトル表示が行われない場合には、リーチタイトルを青色文字で表示する青色タイトル表示や、リーチタイトルを赤色文字で表示する赤色タイトル表示が行われる（図２４参照）。図２４は、青色タイトル表示および赤色タイトル表示の具体例を示す画面図である。図２４（Ａ）及び（Ｃ）に例示する青色タイトル表示では、リーチタイトルが青色の文字で表示され、図２４（Ｂ）及び（Ｄ）に例示する赤色タイトル表示では、リーチタイトルが赤色の文字で表示される。なお、上記３種類のタイトル表示は何れも画面全体に表示される画像であり、画面全体に対する表示領域が広い画像である。
【０３３２】
ここで、青色タイトル表示は、大当たり信頼度が相対的に低いことを示すタイトル表示であり（例えば大当たり信頼度：約１０％）、赤色タイトル表示は、大当たり信頼度が相対的に高いことを示すタイトル表示である（例えば大当たり信頼度３０％）。これら２種類のタイトル表示（青色タイトル表示および赤色タイトル表示）は、第１特別図柄判定の判定結果が「大当たり」である場合と「ハズレ」である場合の両方で実行可能である。これに対して、虹色タイトル表示は、第１特別図柄判定の判定結果が「大当たり」である場合に一定の確率で実行され得るものの、第１特別図柄判定の判定結果が「ハズレ」である場合には実行されないという点で、上記２種類のタイトル表示と相違する。
【０３３３】
なお、本実施形態では、タイトル表示自体が、通常遊技状態では行われるものの確変遊技状態では行われない場合について説明するが、確変遊技状態でも、例えばバトルリーチを対象として、同様のタイトル表示や虹色タイトル表示を行うようにしてもよい。また、大当たり予告として機能するタイトル表示の色は虹色に限定されるものではなく、例えば金色等であってもよい。また、タイトルの周囲に特定の絵柄を表示して大当たり予告として機能させてもよい。
【０３３４】
なお、タイトル表示を表示する前に、青色タイトル表示、赤色タイトル表示、虹色タイトル表示の順に画面全体に対する表示領域が小さい態様で表示した後、これらの画像をスクロール表示して何れのタイトル表示が実際に表示されるかを期待させる演出を実行してもよい。
【０３３５】
＜虹色文字表示の概要＞
虹色文字表示（図２５参照）は、キャラＳＰリーチやＳＰＳＰリーチといった特定のリーチ演出の最中に表示される文字（例えば、特定の楽曲が再生されている場合に表示される歌詞）を虹色で表示する演出である。図２５（Ａ）には、キャラＳＰリーチにおける争奪演出中に表示される文字が虹色で表示されている様子が示されている。また、図２５（Ｂ）には、ＳＰＳＰリーチ中に表示される文字が虹色で表示されている様子が示されている。
【０３３６】
なお、この虹色文字表示が行われない場合には、リーチ演出中に文字を青色で表示する青色文字表示や、リーチ演出中に文字を赤色で表示する青色文字表示が行われる場合がある。ここで、青色文字表示は、大当たり信頼度が相対的に低いことを示す演出であり（例えば大当たり信頼度１５％）、赤色文字表示は、大当たり信頼度が相対的に高いことを示す演出である（例えば大当たり信頼度４０％）。これら２種類の色の文字表示は、第１特別図柄判定の判定結果が「大当たり」である場合と「ハズレ」である場合の両方で実行可能である。これに対して、虹色文字表示は、第１特別図柄判定の判定結果が「大当たり」である場合に一定の確率で実行され得るものの、第１特別図柄判定の判定結果が「ハズレ」である場合には実行されないという点で、上記２種類の文字表示と相違する。
【０３３７】
なお、本実施形態では、文字表示自体が、通常遊技状態では行われるものの確変遊技状態では行われない場合について説明するが、確変遊技状態でも、例えばバトルリーチを対象として、同様の青色文字表示、赤色文字表示、虹色文字表示を行うようにしてもよい。また、大当たり予告として機能する文字表示の色は虹色に限定されるものではなく、例えば金色等であってもよい。
【０３３８】
＜虹色カットインの概要＞
虹色カットイン（図２６参照）は、図１０に基づいて上述した操作対応演出を虹色の演出画像を用いて行う演出である。本実施形態の遊技機１では、例えばＳＰＳＰリーチの終盤において、図１０（Ｈ）に基づいて上述した操作促進演出が行われる（図２６（Ａ）参照）。これに対して、有効期間内に遊技者が演出ボタン２６を操作した場合に、液晶画面５に表示されている演出画像に青色のエフェクトが掛かったカットイン画像を重畳表示する青色カットイン（図２６（Ｂ）参照）が行われる場合と、液晶画面５に表示されている演出画像に赤色のエフェクトが掛かったカットイン画像を重畳表示する赤色カットイン（図２６（Ｃ）参照）が行われる場合とがある。ここで、青色カットインは大当たり信頼度が１０％の演出とされている一方で、赤色カットインは大当たり信頼度が６０％の演出とされており、これら２つのカットインを比較した場合に、カットイン画像に係るエフェクトの色とカットイン画像に含まれているキャラクタの数とが相違することに基づいて、遊技者は、青色カットインよりも赤色カットインの方が、大当たり信頼度が高いことを容易に認識することが可能である。
【０３３９】
なお、これらの青カットインと赤カットインは、第１特別図柄判定の判定結果が「大当たり」である場合と「ハズレ」の場合の両方で実行可能であり、青カットインには、第１特別図柄判定の判定結果が「ハズレ」の場合に実行され易く、「大当たり」の場合には実行され難いという特徴がある。逆に、赤カットインには、第１特別図柄判定の判定結果が「大当たり」である場合に実行され易く、「ハズレ」の場合には実行され難いという特徴がある。また、本実施形態の遊技機１では、第１特別図柄判定に係る大当たりとして、１６Ｒ確変、６Ｒ確変、及び６Ｒ通常の３種類の大当たりが用意されているが、青カットインと赤カットインは、第１特別図柄判定の判定結果が「大当たり」である場合に、これらの大当たりの種類に関わらず実行可能である。なお、ハズレの場合は必ず青カットインが実行され、大当たりの場合は赤カットイン又は青カットインが実行されてもよい。
【０３４０】
一方、第１特別図柄判定の判定結果が「１６Ｒ確変」である場合には、演出キー２７の上キー又は下キーを遊技者が操作した場合に、虹色カットイン（図２６（Ｄ）参照）が行われる場合がある。この虹色カットインは、液晶画面５に表示されている演出画像に虹色のエフェクトが掛かったカットイン画像を重畳表示する演出であり、図２６（Ａ）に例示されるように、演出ボタン２６の操作を促す操作促進演出が行われている状況で、有効期間内に遊技者が上キー又は下キーを操作しなければ発生しない演出である。
【０３４１】
なお、サブＣＰＵ１３１は、第１特別図柄判定の判定結果が「１６Ｒ確変」であることを示す情報を遊技制御基板１００から取得して、ＳＰＳＰリーチ中に操作促進演出を行う演出パターンを設定する場合には、上キーと下キーのどちらを操作すれば虹色カットインが発生するかを併せて設定する。例えば、上キーが操作されたら虹色カットインを発生させる一方で、下キーが操作されたら青カットイン又は赤カットインを発生させることを設定する場合がある。また、例えば、上キーが操作されたら青カットイン又は赤カットインを発生させる一方で、下キーが操作されたら虹色カットインを発生させることを設定する場合がある。
【０３４２】
虹色カットインは、第１特別図柄判定の判定結果が「１６Ｒ確変」である場合には実行される可能性があるものの、その判定結果が「ハズレ」である場合には実行されることがない。このため、虹色カットインの大当たり信頼度は、１００％である。
【０３４３】
また、本実施形態における虹色カットインは、１６Ｒ確変に関する専用演出である。このため、第１特別図柄判定の判定結果が「大当たり」であるとしても、その種類が「１６Ｒ確変」ではない「６Ｒ確変」や「６Ｒ通常」である場合には、有効期間内に上キー又は下キーを操作したとしても、虹色カットインが発生することはない。このため、上キー又は下キーの操作に応じて虹色カットインが発生しなかったとしても、遊技者は、「６Ｒ確変」や「６Ｒ通常」に期待しながら遊技を楽しむことができる。
【０３４４】
このように、本実施形態の遊技機１は、複数の演出態様のいずれかにてカットインを実行可能であり、複数の演出態様のうちのいずれか１つの演出態様のカットイン（本実施形態では「虹色カットイン」）を大当たり予告として実行可能である。
【０３４５】
遊技機１は、大当たり遊技を実行すると判定された場合に、青色カットインを実行するときと、赤色カットインを実行するときと、虹色カットインを実行するときとがある。すなわち、大当たりの場合には、３つのカットインのどのカットインも実行可能である。これに対して、大当たり遊技を実行しないと判定された場合には、青色カットインを実行するときと、赤色カットインを実行するときとがある一方で、虹色カットインを実行するときはない。虹色カットインが大当たり遊技の実行を確定的に予告する大当たり予告として機能するのは、このためである。
【０３４６】
なお、本実施形態では、第１特別図柄判定の判定結果が「１６Ｒ確変」であり、上キーと下キーのうちのサブＣＰＵ１３１が割り当てた方のキーを有効期間内に操作すれば１００％の確率で虹色カットインが発生する場合について説明する。これに対して、他の実施形態では、上記の状況で、割り当てられた方のキーが操作された場合に、虹色カットインを発生させるか否かを決定するための乱数を用いた演出抽選を実行し、この演出抽選に当選した場合に限り、虹色カットインを発生させるようにしてもよい。なお、この当選確率は、例えば５０％とすることが考えられる。このように、虹色カットインを発生させるための必要な条件が満たされていたとしても、一定の割合で虹色カットインを発生させないようにすることで、虹色カットインが発生しなかった場合でも、遊技者が「１６Ｒ確変」の望みを持ち続けることができる。
【０３４７】
また、本実施形態の遊技機１では、図２６（Ａ）の操作促進演出の有効期間中に演出キー２７の左キー又は右キーが操作された場合に、第１特別図柄判定の判定結果が「１６Ｒ確変」であることを条件として、後述する一発告知（図２７参照）が発生する場合がある。
【０３４８】
なお、本実施形態では、３人のキャラクタを含む演出画像に虹色のエフェクトが掛かったカットイン画像を用いて虹色カットインを行う場合について説明するが、大当たり予告として機能するカットインに用いられるカットイン画像の表示態様は、これに限定されるものではない。他の実施形態では、例えば、金色の文字を示すカットイン画像を表示するカットインを大当たり予告として実行するようにしてもよい。
【０３４９】
また、第１演出態様および第２演出態様を複数の演出態様のいずれかの演出態様にて所定の演出を実行するという構成に関して、他の実施形態では、所定の演出としてステップアップ演出を行うことが考えられる。このステップアップ演出は、所定ステップ数（例えば「５」）を上限として所定ステップ数以下のステップまで段階的に発展可能な演出であり、最終的にステップ１〜ステップ４のいずれかのステップまで発展するステップアップ演出を、大当たりに対する信頼度を示唆する信頼度示唆演出として実行し、最終的にステップ５まで発展するステップアップ演出を大当たり予告として実行してもよい。
【０３５０】
また、本実施形態では、ＳＰＳＰリーチの終盤でカットインが発生する構成が採用されているため、ＳＰＳＰリーチが行われないような第１特別図柄の変動時間が相対的に短い変動パターンが選択された場合には、カットインが発生しない。これに対して、他の実施形態では、ＳＰＳＰリーチの終盤以外のタイミングでもカットインが発生し得る構成を採用し、例えば、変動パターンＡや変動パターンＢといった変動時間が相対的に短い変動パターンで第１特別図柄が変動表示されるときに虹色カットインが発生するようにしてもよい。
【０３５１】
（一発告知の概要）
一発告知（図２７参照）は、特別図柄判定の判定結果が「ハズレ」である場合には出力されない特殊演出音をスピーカ２４から出力すると共に、盤ランプ２５や枠ランプ３７を虹色で発光させる演出である。
【０３５２】
この一発告知は、本実施形態では、確変遊技状態のときに行われる演出であるが、他の実施形態では、通常遊技状態のときにも一発告知を行うようにしてもよい。
【０３５３】
［確変遊技状態におけるプレミアキャラ演出の具体例］
図２８は、プレミアキャラ演出が同一変動内で複数回行われる様子を例示する画面図である。図２８（Ａ）には、第２保留アイコン表示領域５２に２つの保留アイコンが表示された状態で、当該領域５３に表示された当該アイコンに対応する第２特別図柄判定の判定結果がハズレであることを示す態様の装飾図柄が停止表示するハズレ報知演出が行われている様子が例示されている。なお、最先の保留アイコンは、赤保留として表示されている。
【０３５４】
第２特別図柄および装飾図柄の停止表示が開始されてから所定の確定時間（例えば１秒）が経過すると、第２保留アイコン表示領域５２に表示されている最先の保留アイコンに対応する第２特別図柄判定が実行される。これに応じて、第２保留アイコン表示領域５２に表示されている各保留アイコンのシフト処理が行われると共に、装飾図柄の高速スクロール表示が開始される（図２８（Ａ）及び（Ｂ）参照）。
【０３５５】
当該領域５３にシフトした当該アイコンに対応する第２特別図柄判定の判定結果が８Ｒ確変である場合、すなわち、大当たり図柄Ｙ２（図６（Ｃ）参照）を示す第２特別図柄が停止表示されることになる場合、以下のような演出が行われることがある。
【０３５６】
すなわち、第２特別図柄の変動表示が開始されてから所定時間が経過すると、左列に３図柄が擬似停止し、右列にも７図柄が擬似停止することに対する遊技者の期待感を煽るリーチ成立煽り演出が行われる（図２８（Ｃ）参照）。このリーチ成立煽り演出が行われているときに、プレミアキャラ演出が行われる場合がある。図２８（Ｃ）には、女の子のキャラクタを示す演出画像を液晶画面５に表示すると共に、その女の子のキャラクタの「ガンバレ！  ガンバレ！」という音声をスピーカ２４から出力するプレミアキャラ演出が行われている様子が例示されている。なお、ここでは、通常遊技状態で行われるプレミアキャラ演出に登場するプレミアキャラ（狸のキャラクタ）とは異なるキャラクタが表示されるが、通常遊技状態のプレミアキャラ演出で表示されるキャラクタと共通するキャラクタを表示してもよい。このことは、プレミアキャラ演出をリーチ成立煽り演出以外の実行タイミングで実行する場合についても同様である。
【０３５７】
このように、リーチ成立煽り演出に伴ってプレミアキャラ演出が行われた後、左図柄と共通する装飾図柄が右列に擬似停止するとリーチ成立となる（図２８（Ｄ）参照）。リーチが成立すると、「決戦  〇〇〇ＶＳ×××」といったバトルリーチに係るリーチタイトルを表示するタイトル表示が行われるが、この際にも、プレミアキャラ演出が行われる場合がある（図２８（Ｅ）参照）。なお、図２８（Ｅ）では、リーチタイトルの具体的な表記が省略されており、また、プレミアキャラの表示位置がリーチ成立煽り演出時とは異なっているが、プレミアキャラの表示位置は、リーチ成立煽り演出時と同じであってもよい。
【０３５８】
バトルリーチの終盤では、演出ボタン２６の操作を遊技者に促す操作促進演出が行われる（図２８（Ｆ）参照）。操作促進演出に係る有効期間中に遊技者が演出ボタン２６を操作すると、自キャラが敵キャラを倒して勝利したことを示唆する勝利示唆演出が行われる（図２８（Ｇ）参照）。この勝利示唆演出では、自キャラが敵キャラを倒したことを示す「撃破！！」の文字が表示されると共にその音声が出力され、演出役物７が虹色で発光しながら動作する。その際、液晶画面５の左上隅に小さく表示されている３つの図柄列は、ゾロ目を示す態様で擬似停止する（図２８（Ｇ）参照）。なお、有効期間内に遊技者が操作を行わなかった場合には、有効期間が終了するタイミングで、勝利示唆演出が自動的に実行されるが、第２特別図柄判定の判定結果が「８Ｒ通常」である場合には、操作に応じて、或いは自動的に、敗北示唆演出が行われる。
【０３５９】
上記のように勝利示唆演出が行われると、液晶画面５の左上隅に擬似停止していた３つの装飾図柄が液晶画面５の中央に擬似停止した状態で大きく表示され（図２８（Ｈ）参照）、第２特別図柄の本停止に伴い、これら３つの装飾図柄が本停止する（図２８（Ｉ）参照）。
【０３６０】
このように、通常遊技状態のときのみならず、確変遊技状態においても、第２特別図柄の変動表示中において、複数回のプレミアキャラ演出を実行可能である。なお、ここでは、第２特別図柄の同一変動内で３回のプレミアキャラ演出が行われる場合を例に説明したが、同一変動内で２回のプレミアキャラ演出が行われる場合もあるし、同一変動内で１回だけプレミアキャラ演出が行われる場合もある。
【０３６１】
［各大当たり予告の特徴について］
以下、図２１を参照しつつ、各大当たり予告の特徴について説明する。通常遊技状態における第１特別図柄の変動表示中には、大当たり遊技が実行されることを確定的に予告する大当たり予告として、突当たり演出、奪取成功演出、プレミアキャラ演出、虹色タイトル表示、虹色カットイン、虹色文字表示を実行可能である。
【０３６２】
＜通常遊技状態における突当たり演出の特徴＞
通常遊技状態における突当たり演出は、リーチを経由せずにいきなり図柄が揃う演出である（図１４参照）。この突当たり演出は、第１特別図柄判定の判定結果が「確変大当たり」であって、且つ第１特別図柄の変動パターンとして変動時間が５秒である変動パターンＡが選択された場合に実行される大当たり予告である（図１７（Ａ）参照）。なお、変動パターンＡに対しては、突当たり演出が行われない演出パターンが用意されていないため、変動パターンＡが選択された場合に突当たり演出が実行される確率は、本実施形態では１００％である（図２１参照）。なお、この突当たり演出は、プレミアキャラ演出等とは異なり、実行タイミングが１つしか用意されておらず、通常遊技状態での第１特別図柄の変動開始直後にしか出現しないという特徴がある。
【０３６３】
また、第１特別図柄判定の判定結果が「確変大当たり」である場合に選択される変動パターンＡには、サブＲＯＭ１３２に記憶されているテーブルにおいて、突当たり演出が対応付けられているものの、通常大当たり用変動パターン選択テーブルで規定されている変動パターンの中には、突当たり演出が対応付けられているものはない（図１７（Ｂ）参照）。このため、突当たり演出に続いて当たり報知演出が行われた場合は、大当たり遊技終了後に必ず確変遊技状態で遊技が制御されることになる。すなわち、突当たり演出が行われると、大当たり遊技終了後に通常遊技状態で遊技が制御されることはない。
【０３６４】
また、本実施形態の遊技機１では、ノーマルリーチ中に「次回予告」と呼ばれる演出が行われる場合があるが（図７（Ｋ）参照）、この「次回予告」は、ＳＰＳＰリーチの実行を示唆する演出である。対して、突当たり演出は、リーチを経由せずにいきなり図柄が揃う演出である。このため、第１特別図柄の変動表示中に「次回予告」が行われた場合には、突当たり演出が実行されることはない。このことは、リーチ成立を示唆する演出等が行われた場合についても同様である。また、「次回予告」は、ＳＰＳＰリーチに発展しない場合には行われないため、ノーマルリーチ中に必ず実行される訳ではないが、ノーマルリーチからＳＰＳＰリーチへと発展する演出ルートが用意されていることと、一旦リーチが成立してしまうとその後に突当たり演出が実行されることがないことから、「次回予告」が実行されると、突当たり演出が実行されることがなく、突当たり演出に比べて、他の信頼度示唆演出（例えばタイトル表示）が必ず実行される上に、他の大当たり予告（例えば虹色タイトル表示）が実行され易いと言える。
【０３６５】
また、変動パターンＡが選択された場合には有効期間が設定されることはなく、変動パターンＡで第１特別図柄が変動表示されている時には、演出ボタン２６や演出キー２７の操作とは無関係に突当たり演出が行われる。このため、突当たり演出は、遊技者が予期しないタイミングで実行されることから、極めて高い演出効果を得ることができる大当たり予告であると言える。
【０３６６】
＜通常遊技状態における奪取成功演出の特徴＞
奪取成功演出は、第１特別図柄判定の判定結果が「確変大当たり」又は「通常大当たり」となって、変動パターンＣが選択された場合に実行される大当たり予告である（図１７（Ａ）及び（Ｂ）参照）。なお、変動パターンＣに対しては、奪取成功演出が行われない変動演出パターンが用意されていないため、変動パターンＣが選択された場合に奪取成功演出が実行される確率は、本実施形態では１００％である（図２１参照）。なお、この奪取成功演出は、キャラＳＰリーチの専用演出であるため、キャラＳＰリーチ中でしか実行されることがないという特徴がある。また、奪取成功演出には、その奪取成功演出が実行された直後に大当たり報知が行われるという特徴がある（図１３（Ａ），（Ｈ），（Ｉ）参照）。言い換えれば、奪取成功演出が行われた場合には、リーチ演出がキャラＳＰリーチからＳＰＳＰリーチへと発展することなく、キャラＳＰＳＰリーチにて大当たり報知が行われる（図７参照）。
【０３６７】
なお、奪取成功演出は、変動パターンＣに対する専用演出である。このため、第１特別図柄の変動パターンとして変動パターンＡが選択され、この変動パターンＡで第１特別図柄が変動表示されているときに、奪取成功演出が突当たり演出と一緒に行われることはない。このことは、変動パターンＡに対応付けられていない他の大当たり予告についても同様である。
【０３６８】
また、変動パターンＣは、第１特別図柄判定の判定結果が「確変大当たり」である場合と「通常大当たり」である場合の両方で選択可能である（図１７（Ａ）及び（Ｂ）参照）。このため、奪取成功演出の直後に当たり報知演出が実行されて大当たり遊技が行われると、大当たり遊技終了後は、確変遊技状態で遊技が制御される場合と、通常遊技状態で遊技が制御される場合とがある。
【０３６９】
また、キャラＳＰリーチは、確変遊技状態では実行されないリーチ演出であるため、奪取成功演出も同様に、確変遊技状態のときに実行されることはない。
【０３７０】
＜通常遊技状態におけるプレミアキャラ演出の特徴＞
プレミアキャラ演出は、本実施形態では、ノーマルリーチ、キャラＳＰリーチ、ＳＰＳＰリーチといった全てのリーチ演出に出現する可能性がある。その一方で、変動パターンＡが選択された場合には、突当たり演出以外の大当たり予告が実行されることがないため、プレミアキャラ演出は、大当たり用の第１特別図柄の変動パターンのうちの、変動パターンＡ以外の変動パターンが選択された場合に実行可能な大当たり予告であると言える。
【０３７１】
なお、プレミアキャラ演出は、大当たり用の第１特別図柄の変動パターンとして、どの変動パターンが選択されるかによって、その実行確率が異なるが、本実施形態では、プレミアキャラ演出の実行確率は、５〜４０％の範囲に収まる値に設定されている（図２９参照）。このため、変動パターンＡが選択された場合に実行される突当たり演出や、変動パターンＣが選択された場合に実行される奪取成功演出に比べて、実行確率が低い大当たり予告であると言える。
【０３７２】
なお、プレミアキャラ演出は、図２２に基づいて上述したように、同一変動内で複数回出現する可能性があり、本実施形態では、第１特別図柄の同一変動内で、プレミアキャラ演出が１回行われる場合と、２回行われる場合と、３回行われる場合とがある。
【０３７３】
また、プレミアキャラ演出を実行可能な変動パターンＢ〜Ｅは、第１特別図柄判定の判定結果が「確変大当たり」である場合と「通常大当たり」である場合の両方で選択可能である（図１７（Ａ）及び（Ｂ）参照）。このため、プレミアキャラ演出が行われてから当たり報知演出が実行されて大当たり遊技が行われると、大当たり遊技終了後は、確変遊技状態で遊技が制御される場合と、通常遊技状態で遊技が制御される場合とがある。
【０３７４】
＜通常遊技状態における虹色タイトル表示の特徴＞
虹色タイトル表示は、キャラＳＰリーチやＳＰＳＰリーチに係るリーチタイトルを虹色で表示する大当たり予告であり、キャラＳＰリーチやＳＰＳＰリーチが行われる変動パターンが対応付けられている変動パターンＣ〜Ｅのいずれかが選択された場合に実行可能である。
【０３７５】
上記のことから明らかなように、虹色タイトル表示は、その実行タイミングが予め定められており、キャラＳＰリーチの開始時か、ＳＰＳＰリーチの開始時に出現する可能性があるが、キャラＳＰリーチからＳＰＳＰリーチへとリーチ演出が発展する場合には、キャラＳＰリーチの開始時とＳＰＳＰリーチの開始時の両方において、虹色タイトル表示が行われる場合もある。
【０３７６】
なお、虹色タイトル表示の実行確率は、変動パターンＣ〜Ｅのうちのどの変動パターンが選択されるかによって異なるが、本実施形態では、虹色タイトル表示の実行確率は、５〜１５％の範囲に収まる値に設定されている。上述したプレミアキャラ演出や虹色タイトル表示、虹色カットインや虹色文字表示の具体的な実行確率については、図２９に基づいて後に詳述する。
【０３７７】
また、虹色タイトル表示が実行され得る変動パターンＣ〜Ｅは、第１特別図柄判定の判定結果が「確変大当たり」である場合と「通常大当たり」である場合の両方で選択可能である（図１７（Ａ）及び（Ｂ）参照）。このため、虹色タイトル表示が行われてから当たり報知演出が実行されて大当たり遊技が行われると、大当たり遊技終了後は、確変遊技状態で遊技が制御される場合と、通常遊技状態で遊技が制御される場合とがある。
【０３７８】
＜通常遊技状態における虹色カットインの特徴＞
虹色カットインは、ＳＰＳＰリーチ演出の終盤で出現する可能性がある大当たり予告である。このため、虹色タイトル表示は、変動演出パターンとしてＳＰＳＰリーチ演出を行う変動演出パターンが対応付けられている変動パターンＤ，Ｅが選択された場合に実行可能であり、その実行確率は、どの変動パターンが選択されても５％となるように設定されている。
【０３７９】
また、上述したように、虹色カットインは、所定操作（本実施形態では、演出キー２７の上キー又は下キーの操作）が行われないと出現しない。また、虹色カットインは、第１特別図柄判定に係る大当たりが「１６Ｒ確変」である場合にしか出現しないという特徴がある。これらのことは、図２６に基づいて上述した通りである。
【０３８０】
＜通常遊技状態における虹色文字表示の特徴＞
虹色文字表示は、キャラＳＰリーチ中とＳＰＳＰリーチ中に行われる、これら２種類のリーチ演出の専用演出であり、これらのリーチ演出が行われる変動演出パターンが対応付けられている変動パターンＣ〜Ｅ（図１７（Ａ）及び（Ｂ）参照）のいずれかが選択された場合に実行可能である。なお、虹色文字表示の実行確率は、選択される変動パターンによって異なるものの、本実施形態では、５〜２０％の範囲に収まる値に設定されている。
【０３８１】
なお、虹色文字表示は、キャラＳＰリーチ中に行われる場合と、ＳＰＳＰリーチ中に行われる場合とがあり、例えば、キャラＳＰリーチからＳＰＳＰリーチに発展する変動演出パターンが対応づけられた変動パターンが選択された場合には、同一変動内で複数回（例えば２回）出現する可能性がある。
【０３８２】
また、虹色文字表示が実行され得る変動パターンＣ〜Ｅは、第１特別図柄判定の判定結果が「確変大当たり」である場合と「通常大当たり」である場合の両方で選択可能である（図１７（Ａ）及び（Ｂ）参照）。このため、虹色文字表示が行われてから当たり報知演出が実行されて大当たり遊技が行われると、大当たり遊技終了後は、確変遊技状態で遊技が制御される場合と、通常遊技状態で遊技が制御される場合とがある。
【０３８３】
一方、確変遊技状態における第２特別図柄の変動表示中には、大当たり遊技が実行されることを確定的に予告する大当たり予告として、突当たり演出、一発告知、プレミアキャラ演出、７図柄リーチを実行可能である。
【０３８４】
＜確変遊技状態における突当たり演出の特徴＞
確変遊技状態における突当たり演出は、リーチを経由せずにいきなり図柄が揃う演出である（図１６参照）。この突当たり演出は、第２特別図柄判定の判定結果が「確変大当たり」であって、且つ第２特別図柄の変動パターンとして変動時間が５秒である変動パターンＬが選択された場合に実行される大当たり予告である（図１８（Ａ）参照）。なお、変動パターンＬに対しては、突当たり演出が行われない演出パターンが用意されていないため、変動パターンＬが選択された場合に突当たり演出が実行される確率は、本実施形態では１００％である（図２１参照）。なお、この突当たり演出は、確変遊技状態におけるプレミアキャラ演出等とは異なり、実行タイミングが１つしか用意されておらず、確変遊技状態での第２特別図柄の変動開始直後にしか出現しないという特徴がある。
【０３８５】
また、第２特別図柄判定の判定結果が「確変大当たり」である場合に選択される変動パターンＬには、突当たり演出が対応付けられているものの、通常大当たり用変動パターン選択テーブルで規定されている変動パターンの中には、突当たり演出が対応付けられているものはない（図１８（Ｂ）参照）。このため、突当たり演出に続いて当たり報知演出が行われた場合は、大当たり遊技終了後に必ず確変遊技状態で遊技が制御されることになる。すなわち、突当たり演出が行われると、大当たり遊技終了後に通常遊技状態で遊技が制御されることはない。
【０３８６】
また、本実施形態では、変動パターンＬが選択されれば突当たり演出が必ず実行されるが、例えば、確変遊技状態において、大当たり遊技が終了してから行われた第２特別図柄（又は第１特別図柄）の変動表示の回数である変動回数が所定の値（例えば３０回）に達するまでは突当たり演出を実行可能とする一方で、所定の値に達して以降は、突当たり演出を実行しないようにしてもよい。この制御は、例えば、変動回数が所定の値に達して以降は、変動パターンＬが選択されないようにすることで実現可能である。
【０３８７】
＜確変遊技状態における一発告知の特徴＞
一発告知は、盤ランプ２５や枠ランプ３７の虹色発光を伴って、スピーカ２４から特殊演出音を出力する大当たり予告である。この一発告知は、第２特別図柄判定の判定結果が「１６Ｒ確変」となって、変動パターンＭまたは変動パターンＮが選択された場合に実行可能な大当たり予告であり、その実行確率は、どちらの変動パターンが選択された場合も１５％となるように設定されている。第２特別図柄判定の判定結果が「１６Ｒ確変」でなければ一発告知が行われることがないため、一発告知が行われると、その時点で「１６Ｒ確変」が濃厚となる。このように、確変遊技状態で行われる一発告知は、「１６Ｒ確変」の専用演出であることから、本実施形態では、第２特別図柄判定の判定結果が「８Ｒ確変」である場合や、「４Ｒ確変」である場合、「８Ｒ通常」である場合に、一発告知が行われることはない。
【０３８８】
＜確変遊技状態における７図柄リーチの特徴＞
大当たり予告として機能する７図柄リーチは、変動パターンＬ〜Ｎのいずれかの変動パターンが選択された場合に実行され得る、確変遊技状態の専用演出である。すなわち、通常遊技状態での７図柄リーチは、その大当たり信頼度が１００％未満であることから、大当たり予告としての機能はない。この７図柄リーチは、第２特別図柄判定の判定結果が「１６Ｒ確変」である場合にしか選択されないことから、７図柄でリーチが成立した時点で、「１６Ｒ確変」が濃厚となる。
【０３８９】
［大当たり予告種別選択テーブルについて］
図２９は、大当たり予告種別選択テーブルについて説明するための説明図である。サブＲＯＭ１３２には、通常遊技状態における突当たり演出、通常遊技状態における奪取成功演出、確変遊技状態における突当たり演出、確変遊技状態における７図柄リーチといった変動パターンに紐付いている大当たり予告以外の大当たり予告を実行するか否かを決定する際に参照される大当たり予告種別選択テーブルが記憶されている。
【０３９０】
この大当たり予告種別選択テーブルは、第１大当たり予告種別選択テーブル（図２９（Ａ）参照）、第２大当たり予告種別選択テーブル（図２９（Ｂ）参照）、第３大当たり予告種別選択テーブル（図２９（Ｃ）参照）、及び第４大当たり予告種別選択テーブル（図２９（Ｄ）参照）から構成されている。
【０３９１】
（第１大当たり予告種別選択テーブル）
第１大当たり予告種別選択テーブル（図２９（Ａ）参照）は、第１特別図柄判定の判定結果が「大当たり」であり、且つ第１特別図柄の変動パターンとして変動パターンＢが選択された場合に、大当たり予告を実行するか否かを決定する際に参照される。
【０３９２】
サブＣＰＵ１３１は、第１特別図柄の変動パターンとして変動パターンＢが選択された場合に、大当たり予告を実行するか否かを決定するための大当たり予告乱数を取得し、その大当たり予告乱数に対応する大当たり予告種別を第１大当たり予告種別選択テーブルから読み出すことによって、大当たり予告を実行するか否かを決定する。なお、本実施形態では、大当たり予告乱数の取り得る範囲が「０」〜「９９」に設定されている。
【０３９３】
図２１の表記から明らかなように、変動パターンＢが選択された場合に実行可能な大当たり予告は、プレミアキャラ演出のみである。このため、第１大当たり予告種別選択テーブル（図２９（Ａ）参照）では、大当たり予告種別として「プレミアキャラ演出あり」と「プレミアキャラ演出なし」とが規定されていて、「プレミアキャラ演出あり」に対して４０個の乱数値が割り当てられており、「プレミアキャラ演出なし」に対して６０個の乱数値が割り当てられている。
【０３９４】
このため、第１特別図柄判定の判定結果が「大当たり」となって変動パターンＢが選択された場合には、「プレミアキャラ演出あり」が読み出されてプレミアキャラ演出が実行される確率は、４０％（＝４０／１００）である。
【０３９５】
（第２大当たり予告種別選択テーブル）
第２大当たり予告種別選択テーブル（図２９（Ｂ）参照）は、第１特別図柄判定の判定結果が「大当たり」であり、且つ第１特別図柄の変動パターンとして変動パターンＣが選択された場合に、大当たり予告を実行するか否かを決定する際に参照される。
【０３９６】
サブＣＰＵ１３１は、第１特別図柄の変動パターンとして変動パターンＣが選択された場合に、大当たり予告を実行するか否かを決定するための大当たり予告乱数を取得し、その大当たり予告乱数に対応する大当たり予告種別を第２大当たり予告種別選択テーブルから読み出すことによって、大当たり予告を実行するか否かを決定する。
【０３９７】
図２１の表記から明らかなように、変動パターンＣが選択された場合に、奪取成功演出以外で実行可能な大当たり予告は、プレミアキャラ演出、虹色タイトル表示、及び虹色文字表示の３種類である。このため、第２大当たり予告種別選択テーブル（図２９（Ｂ）参照）では、「プレミアキャラ演出あり」、「プレミアキャラ演出なし」、「虹色タイトル表示あり」、「虹色タイトル表示なし」、「虹色文字表示あり」、及び「虹色文字表示なし」が規定されている。
【０３９８】
第２大当たり予告種別選択テーブル（図２９（Ｂ）参照）では、「プレミアキャラ演出あり」に対して１０個の乱数値が割り当てられており、「プレミアキャラ演出なし」に対して９０個の乱数値が割り当てられている。このため、「プレミアキャラ演出あり」が読み出されて、変動パターンＣの変動でプレミアキャラ演出が実行される確率は、１０％（＝１０／１００）である。
【０３９９】
また、第２大当たり予告種別選択テーブル（図２９（Ｂ）参照）では、「虹色タイトル表示あり」に対して１５個の乱数値が割り当てられており、「虹色タイトル表示なし」に対して８５個の乱数値が割り当てられている。このため、「虹色タイトル表示あり」が読み出されて、変動パターンＣの変動で虹色タイトル表示が実行される確率は、１５％（＝１５／１００）である。
【０４００】
また、第２大当たり予告種別選択テーブル（図２９（Ｂ）参照）では、「虹色文字表示あり」に対して２０個の乱数値が割り当てられており、「虹色文字表示なし」に対して８０個の乱数値が割り当てられている。このため、「虹色文字表示あり」が読み出されて、変動パターンＣの変動で虹色文字表示が実行される確率は、２０％（＝２０／１００）である。
【０４０１】
なお、第２大当たり予告種別選択テーブル（図２９（Ｂ）参照）では、「プレミアキャラ演出あり」と「虹色タイトル表示あり」に対して、共通する乱数値が割り当てられている。このため、取得された大当たり予告乱数が例えば「６４」である場合には、第１特別図柄が変動パターンＣで変動表示されているときに、プレミアキャラ演出と虹色タイトル表示の両方が行われることになる。このことは、プレミアキャラ演出と虹色文字表示についても同様であり、また、虹色タイトル表示と虹色文字表示についても同様である。
【０４０２】
（第３大当たり予告種別選択テーブル）
第３大当たり予告種別選択テーブル（図２９（Ｃ）参照）は、第１特別図柄判定の判定結果が「大当たり」であり、且つ第１特別図柄の変動パターンとして変動パターンＤ（又は変動パターンＥ）が選択された場合に、大当たり予告を実行するか否かを決定する際に参照される。
【０４０３】
サブＣＰＵ１３１は、第１特別図柄の変動パターンとして変動パターンＤ（又は変動パターンＥ）が選択された場合に、大当たり予告を実行するか否かを決定するための大当たり予告乱数を取得し、その大当たり予告乱数に対応する大当たり予告種別を第３大当たり予告種別選択テーブルから読み出すことによって、大当たり予告を実行するか否かを決定する。
【０４０４】
図２１の表記から明らかなように、変動パターンＤまたは変動パターンＥが選択された場合に実行可能な大当たり予告は、プレミアキャラ演出、虹色タイトル表示、虹色カットイン、及び虹色文字表示の４種類である。このため、第３大当たり予告種別選択テーブル（図２９（Ｃ）参照）では、「プレミアキャラ演出あり」、「プレミアキャラ演出なし」、「虹色タイトル表示あり」、「虹色タイトル表示なし」、「虹色カットインあり」、「虹色カットインなし」、「虹色文字表示あり」、及び「虹色文字表示なし」が規定されている。
【０４０５】
第３大当たり予告種別選択テーブル（図２９（Ｃ）参照）では、「プレミアキャラ演出あり」に対して５個の乱数値が割り当てられており、「プレミアキャラ演出なし」に対して９５個の乱数値が割り当てられている。このため、「プレミアキャラ演出あり」が読み出されて、変動パターンＤ（又は変動パターンＥ）の変動でプレミアキャラ演出が実行される確率は、５％（＝５／１００）である。
【０４０６】
また、第３大当たり予告種別選択テーブル（図２９（Ｃ）参照）では、「虹色タイトル表示あり」に対して５個の乱数値が割り当てられており、「虹色タイトル表示なし」に対して９５個の乱数値が割り当てられている。このため、「虹色タイトル表示あり」が読み出されて、変動パターンＤ（又は変動パターンＥ）の変動で虹色タイトル表示が実行される確率は、５％（＝５／１００）である。
【０４０７】
また、第３大当たり予告種別選択テーブル（図２９（Ｃ）参照）では、「虹色カットインあり」に対して５個の乱数値が割り当てられており、「虹色カットインなし」に対して９５個の乱数値が割り当てられている。このため、「虹色カットインあり」が読み出されて、変動パターンＤ（又は変動パターンＥ）の変動で虹色カットインが実行される確率は、５％（＝５／１００）である。
ただし、虹色カットインは、第１特別図柄判定に係る大当たりが「１６Ｒ確変」でなければ実行されないため、虹色カットインを実行すると決定されたとしても、「１６Ｒ確変」でなければ、上キー又は下キーが操作されても虹色カットインが行われることはない。
【０４０８】
また、第３大当たり予告種別選択テーブル（図２９（Ｃ）参照）では、「虹色文字表示あり」に対して５個の乱数値が割り当てられており、「虹色文字表示なし」に対して９５個の乱数値が割り当てられている。このため、「虹色文字表示あり」が読み出されて、変動パターンＤ（又は変動パターンＥ）の変動で虹色文字表示が実行される確率は、２０％（＝２０／１００）である。
【０４０９】
なお、第３大当たり予告種別選択テーブル（図２９（Ｃ）参照）では、プレミアキャラ演出、虹色タイトル表示、虹色カットイン、及び虹色文字表示の実行確率がいずれも５％になっているが、これらの実行確率は互いに異なっていてもよいし、いずれか１つ或いは２つだけ実行確率が異なっていてもよい。
【０４１０】
また、第３大当たり予告種別選択テーブル（図２９（Ｃ）参照）では、第２大当たり予告種別選択テーブル（図２９（Ｂ）参照）と同様に、複数の大当たり予告に対して一部共通する乱数値が割り当てられている。このため、第１特別図柄が変動パターンＤ（又は変動パターンＥ）で変動表示される際に、複数の大当たり予告が複合することがある。
【０４１１】
（第４大当たり予告種別選択テーブル）
第４大当たり予告種別選択テーブル（図２９（Ｄ）参照）は、第２特別図柄判定の判定結果が「確変大当たり」であり、且つ第２特別図柄の変動パターンとして変動パターンＭ（又は変動パターンＮ）が選択された場合に、大当たり予告を実行するか否かを決定する際に参照される。
【０４１２】
サブＣＰＵ１３１は、第２特別図柄の変動パターンとして変動パターンＭ（又は変動パターンＮ）が選択された場合に、大当たり予告を実行するか否かを決定するための大当たり予告乱数を取得し、その大当たり予告乱数に対応する大当たり予告種別を第４大当たり予告種別選択テーブルから読み出すことによって、大当たり予告を実行するか否かを決定する。
【０４１３】
図２１の表記から明らかなように、変動パターンＭまたは変動パターンＮが選択された場合に、７図柄リーチ以外で実行可能な大当たり予告は、一発告知、及びプレミアキャラ演出の２種類である。このため、第４大当たり予告種別選択テーブル（図２９（Ｄ）参照）では、「一発告知あり」、「一発告知なし」、「プレミアキャラ演出あり」、及び「プレミアキャラ演出なし」が規定されている。
【０４１４】
第４大当たり予告種別選択テーブル（図２９（Ｄ）参照）では、「一発告知あり」に対して１５個の乱数値が割り当てられており、「一発告知なし」に対して８５個の乱数値が割り当てられている。このため、「一発告知あり」が読み出されて、変動パターンＭ（又は変動パターンＮ）の変動で一発告知が実行される確率は、１５％（＝１５／１００）である。
【０４１５】
なお、一発告知は、「１６Ｒ確変」の専用演出であるため、第２特別図柄判定に係る大当たりが「確変大当たり」であったとしても、「８Ｒ確変」や「４Ｒ確変」である場合には、「一発告知あり」が読み出されたとしても、一発告知を実行しない。
【０４１６】
また、第４大当たり予告種別選択テーブル（図２９（Ｄ）参照）では、「プレミアキャラ演出あり」に対して１５個の乱数値が割り当てられており、「プレミアキャラ演出なし」に対して８５個の乱数値が割り当てられている。このため、「プレミアキャラ演出あり」が読み出されて、変動パターンＭ（又は変動パターンＮ）の変動でプレミアキャラ演出が実行される確率は、１５％（＝１５／１００）である。
【０４１７】
なお、確変遊技状態における第２特別図柄判定の判定結果が「８Ｒ通常」となった場合、確変遊技状態が終了して時短遊技状態で遊技が制御されることになる。このため、第２特別図柄判定に係る「８Ｒ通常」は、遊技者にとってあまり好ましい大当たりとは言えず、このような大当たりに対して大当たり予告を行ってしまうと、遊技者に不快感を与え、却って演出効果を低下させてしまう可能性がある。
【０４１８】
このため、本実施形態の遊技機１では、第２特別図柄判定の判定結果が「８Ｒ通常」となった場合に参照される大当たり予告種別選択テーブルは、用意されていない。
【０４１９】
［通常遊技状態における各演出の実行タイミングについて］
次に、図３０を参照しつつ、通常遊技状態における各演出の実行タイミングについて説明する。ここで、図３０は、通常遊技状態における演出の具体例を示すタイムチャートである。
【０４２０】
図３０（Ａ）に例示されるように、第１特別図柄判定の判定結果が「確変大当たり」となって変動パターンＡが選択された場合、第１特別図柄の変動表示が開始されてから約２秒が経過するまでの間に、液晶画面５では、３列の図柄列を上から下へと高速スクロールさせる高速変動が行われ、これに伴い、暗転演出（図１４（Ｃ）参照）が行われる。そして、この暗転演出に続いて上述した突当たり演出が約３秒間掛けて実行され、第１特別図柄として大当たり図柄Ｘ１又はＸ２が本停止するのに伴い、確変大当たりを報知する当たり報知演出が行われる。
【０４２１】
このように、変動時間が５秒である変動パターンＡ（図１７（Ａ）参照）が選択された場合には、他の変動パターンが選択された場合に実行され得る、リーチ成立を報知する演出、ノーマルリーチ、キャラＳＰリーチ、ＳＰＳＰリーチ等が実行されないという特徴がある。
【０４２２】
また、通常遊技状態における突当たり演出は、変動パターンＡに対する専用演出である。このため、変動パターンＣ等の他の変動パターンが選択された場合には、突当たり演出が実行されることはない。また、逆に、変動パターンＡで第１特別図柄が変動表示される場合には、他の変動パターンで第１特別図柄が変動表示される際に実行される大当たり予告が実行されることはない。
【０４２３】
図３０（Ｂ）に例示されるように、第１特別図柄判定の判定結果が「大当たり」となって変動時間が４０秒である変動パターンＣが選択された場合、第１特別図柄の変動表示が開始されてからリーチが成立するまでの間は、リーチ前演出が行われる。このリーチ前演出は、３列の図柄列を上から下へと高速スクロールさせる高速変動と、各図柄列のスクロール速度を徐々に低下させて左図柄および右図柄を擬似停止させる低速変動とから構成されており、リーチ前演出の前半部分の演出である高速変動は、変動パターンＡが選択された場合に行われる高速変動と共通している。
【０４２４】
このことから明らかなように、変動パターンＡが選択された場合には、他の変動パターンが選択された場合と共通する図柄列の高速変動が行われている最中でいきなり突当たり演出が発生する。このため、これからスクロール速度が低下して行ってリーチが成立する演出等が行われると予測していた遊技者に対して、大きな驚きを感じさせて、高い演出効果を得ることができる。
【０４２５】
図３０（Ｂ）の説明に戻ると、上記のようにリーチ前演出が行われてリーチが成立し、ノーマルリーチからキャラＳＰリーチへと発展し、キャラＳＰリーチ中の争奪演出に続いて奪取成功演出が行われ、その直後に、第１特別図柄の停止表示に伴う当たり報知演出が行われる。ここで、奪取成功演出は、上述したように大当たり予告として機能する演出であるが、突当たり演出が、第１特別図柄の変動表示が開始されてから、変動パターンＡの変動時間である５秒が経過する前に行われるのに対して、５秒以上の３１秒という非常に長い時間が経過した後に行われる点で、突当たり演出とは異なっている。
【０４２６】
ところで、第２特別図柄の変動表示が開始されてから変動パターンＬの変動時間である５秒が経過しても突当たり演出が行われなかった場合、遊技者が大当たり予告の出現に対する期待感を次第に低下させてしまう可能性がある。これに対して、変動パターンＬが選択された場合に、第２特別図柄の変動表示が開始されてから５秒以上が経過し、変動パターンＭの変動時間である４０秒が経過するまでの間に大当たり予告としてのプレミアキャラ演出を行うことで、遊技者に驚きを感じさせることができ、高い演出効果を得ることができる。
【０４２７】
また、第１特別図柄判定の判定結果が「ハズレ」であり、第１特別図柄の変動パターンとして変動パターンＨ（図１７（Ｃ）参照）が選択された場合、リーチ前演出、ノーマルリーチ、キャラＳＰリーチのタイトル表示、及び争奪演出という共通する演出が実行され、奪取成功演出ではなく奪取失敗演出が行われる点で、変動パターンＣが選択された場合とは相違する。すなわち、変動パターンＣが選択された場合と変動パターンＨが選択された場合とを比較した場合、互いに共通する共通演出が実行されるものの、変動パターンＣが選択された場合には、共通演出と大当たり予告（ここでは奪取成功演出）の両方が行われるのに対して、変動パターンＨが選択された場合には、大当たり予告が実行されることなく共通演出が実行される点で、両者は相違する。
【０４２８】
また、通常遊技状態における突当たり演出は、第１特別図柄の変動表示が開始されてから５秒が経過するまでの間に終了するように構成されている演出である。このため、変動時間が４０秒である変動パターンＣが選択された場合には、確変大当たりであったとしても、突当たり演出が行われることはない。
【０４２９】
図３０（Ｃ）に例示されるように、第１特別図柄判定の判定結果が「大当たり」となって変動パターンＥが選択された場合、変動パターンＥで第１特別図柄が変動表示されるのに伴って、（高速変動および低速変動から構成される）リーチ前演出、ノーマルリーチ、キャラＳＰリーチ、ＳＰＳＰリーチが行われる。ここで、変動パターンＣが選択された場合に実行される演出と比較すると、リーチ前演出、ノーマルリーチ、タイトル表示、及び争奪演出が実行される点で、共通している。その一方で、争奪失敗演出やＳＰＳＰリーチ等の変動パターンＣでは実行されない演出が実行される。
【０４３０】
また、図３０（Ｃ）には、ＳＰＳＰリーチの終盤において、操作促進演出に対する操作に応じて虹色カットインが実行されることが示されているが、変動パターンＡが選択された場合に第１特別図柄の変動表示が開始されてから大当たり予告（突当たり演出）が実行されるまでの時間（２秒）と、変動パターンＣが選択された場合に第１特別図柄の変動表示が開始されてから大当たり予告（奪取成功演出）が実行されるまでの時間（３１秒）と、変動パターンＥが選択された場合に第１特別図柄の変動表示が開始されてから大当たり予告（虹色カットイン）が実行されるまでの時間（７９秒（＝４０秒＋３９秒））とが、互いに異なっている。また、変動パターンＥで第１特別図柄が変動表示されるときは、突当たり演出や奪取成功演出が行われることはない。
【０４３１】
また、図３０（Ａ）の表記と図３０（Ｂ）の表記との比較から明らかなように、変動パターンＡの選択に応じて突当たり演出が実行されてから当たり報知演出が実行されるまでの時間（第３時間）が３秒であるのに対して、変動パターンＣの選択に応じて奪取成功演出が実行されてから当たり報知演出が実行されるまでの時間（第４時間）は９秒であり、第３時間と第４時間とが互いに異なっている。ここでは、第３時間の方が第４時間よりも短いため、奪取成功演出に比べて、突当たり演出の方が、突然大当たりとなったと遊技者に感じさせる効果がより高いと言える。
【０４３２】
なお、本実施形態では、上記の第３時間の方が第４時間よりも短い場合について説明するが、他の実施形態では、第３時間の方が第４時間より長くてもよい。
【０４３３】
また、本実施形態の遊技機１では、変動パターンＡが選択された場合に、第１特別図柄の変動表示が開始された直後の第１の実行タイミングで突当たり演出が実行される。これに対して、変動パターンＡ以外の変動パターンが選択された場合に実行され得るプレミアキャラ演出は、キャラＳＰリーチの争奪演出中（図２２（Ａ）参照：第２タイミングの一例）に実行されるときと、ＳＰＳＰリーチ中（図２２（Ｂ）参照：第３タイミングの一例）に実行されるときとがあるという点で、突当たり演出とは異なっている。
【０４３４】
本実施形態の遊技機１は、実行タイミグや実行回数が固定されている突当たり演出と、実行回数や実行タイミングが可変なプレミアキャラ演出とを実行可能であるため、大当たり予告が単調になるのを抑制して、高い演出効果を得ることができる。
【０４３５】
［確変遊技状態における各演出の実行タイミングについて］
次に、図３１を参照しつつ、確変遊技状態における各演出の実行タイミングについて説明する。ここで、図３１は、確変遊技状態における演出の具体例を示すタイムチャートである。
【０４３６】
図３１（Ａ）に例示されるように、第２特別図柄判定の判定結果が「確変大当たり」となって変動パターンＬが選択された場合、第２特別図柄の変動表示が開始されてから約１秒が経過するまでの間に、液晶画面５では、３列の図柄列を上から下へと高速スクロールさせる高速変動が行われ、これに伴い、暗転演出（図１６（Ｃ）参照）が行われる。そして、この暗転演出に続いて上述した突当たり演出が約４秒間掛けて実行され、第２特別図柄として大当たり図柄Ｙ１〜Ｙ３のいずれかが本停止するのに伴い、確変大当たりを報知する当たり報知演出が行われる。
【０４３７】
このように、変動時間が５秒である変動パターンＬ（図１８（Ａ）参照）が選択された場合には、他の変動パターンが選択された場合に実行され得る、リーチ成立を報知する演出、バトルリーチ等が実行されないという特徴がある。
【０４３８】
また、確変遊技状態における突当たり演出は、変動パターンＬに対する専用演出である。このため、変動パターンＭ等の他の変動パターンが選択された場合には、突当たり演出が実行されることはない。また、逆に、変動パターンＬで第２特別図柄が変動表示される場合には、他の変動パターンで第２特別図柄が変動表示される際に実行される大当たり予告が実行されることはない。
【０４３９】
なお、変動パターンＬが選択された場合に、暗転演出を実行することなく、装飾図柄の高速変動の開始とほぼ同時に突当たり演出を開始するようにしてもよい。また、本実施形態では、通常遊技状態のときに選択される変動パターンＡと確変遊技状態のときに選択される変動パターンＬとで、変動時間が共通している場合について説明するが、他の実施形態では、これらの変動時間は異なっていてもよい。すなわち、変動パターンＡの変動時間が変動パターンＬの変動時間より短くてもいいし、変動パターンＡの変動時間が変動パターンＬの変動時間より長くてもいい。
【０４４０】
図３１（Ｂ）に例示されるように、第２特別図柄判定の判定結果が「確変大当たり」となって変動時間が４０秒である変動パターンＭが選択された場合、第２特別図柄の変動表示が開始されてからリーチが成立するまでの間は、リーチ前演出が行われる。このリーチ前演出は、３列の図柄列を上から下へと高速スクロールさせる高速変動と、各図柄列のスクロール速度を徐々に低下させて左図柄および右図柄を擬似停止させる低速変動とから構成されており、リーチ前演出の前半部分の演出である高速変動は、変動パターンＬが選択された場合に行われる高速変動と共通している。
【０４４１】
このことから明らかなように、変動パターンＬが選択された場合には、他の変動パターンが選択された場合と共通する図柄列の高速変動が行われている最中でいきなり突当たり演出が発生する。このため、これからスクロール速度が低下して行ってリーチが成立する演出等が行われると予測していた遊技者に対して、大きな驚きを感じさせて、高い演出効果を得ることができる。
【０４４２】
図３１（Ｂ）の説明に戻ると、上記のようにリーチ前演出が行われてリーチが成立して、バトルリーチが開始され、このバトルリーチの終盤で操作促進演出が行われ、演出ボタン２６の操作に応じて勝利示唆演出が実行される（図１５参照）。ここで、図３１（Ｂ）に例示されるように、操作促進演出が行われる際に大当たり予告としてのプレミアキャラ演出が行われる場合があるが、変動パターンＬに対して行われる突当たり演出が、第２特別図柄の変動表示が開始されてから、変動パターンＬの変動時間である５秒が経過する前に行われるのに対して、５秒以上の３０秒（＝１０秒＋３０秒）という非常に長い時間が経過した後に行われる点で、突当たり演出とは異なっている。
【０４４３】
また、第２特別図柄判定の判定結果が「確変大当たり」であり、第２特別図柄の変動パターンとして変動パターンＮ（図１８（Ａ）参照）が選択された場合、リーチ前演出からバトルリーチへと発展し、このバトルリーチ中に操作促進演出が行われた後に敗北示唆演出が行われ、ハズレと見せ掛けてから復活演出が行われて勝利示唆演出が行われることになる。この変動パターンＮに対して行われる演出を、変動パターンＬに対して行われる演出と比較した場合、３つの図柄列の高速変動が行われるという点では共通している。その一方で、変動パターンＮの変動では、変動パターンＬに対しては行われないバトルリーチ、操作促進演出、敗北示唆演出、復活演出、勝利示唆演出等が行われる点において、両者は相違している。
【０４４４】
また、確変遊技状態における突当たり演出は、第２特別図柄の変動表示が開始されてから５秒が経過するまでの間に終了するように構成されている演出である。このため、変動時間が５０秒である変動パターンＮが選択された場合には、確変大当たりではあるものの、突当たり演出が行われることはない。
【０４４５】
また、図３１（Ｃ）には、第２特別図柄の変動表示の開始直後に一発告知が行われることが示されているが、変動パターンＬが選択された場合に第２特別図柄の変動表示が開始されてから大当たり予告（突当たり演出）が実行されるまでの時間（１秒）と、変動パターンＭが選択された場合に第２特別図柄の変動表示が開始されてから大当たり予告（プレミアキャラ演出）が実行されるまでの時間（３０秒）と、変動パターンＮが選択された場合に第２特別図柄の変動表示が開始されてから大当たり予告（一発告知）が実行されるまでの時間（ここでは約０秒）とが、互いに異なっている。また、変動パターンＮで第２特別図柄が変動表示されるときは、突当たり演出が行われることはない。
【０４４６】
［事前演出の信頼度について、］
図３２は、保留アイコンの大当たり信頼度を例示する説明図である。上述したように、本実施形態の遊技機１では、保留アイコンとして特別アイコンを表示して大当たり信頼度を示唆する演出として、事前演出が行われる場合がある。遊技機１では、第１特別図柄判定が保留された場合に、大当たり遊技を実行するか否かの事前判定処理が実行される場合がある。具体的には、第１始動口１１への遊技球の入賞に応じて取得された大当たり乱数に基づいて、第１特別図柄判定が行われた場合に「大当たり」と判定されることになるか否かが事前判定される。また、上記の大当たり乱数と一緒に取得された変動パターン乱数に基づいて、第１特別図柄判定の実行に応じて変動表示される第１特別図柄の変動パターンとしてどの変動パターンが選択されるか等も併せて事前判定される。そして、これらの事前判定結果に基づいて、事前演出を実行するか否かと、事前演出を実行する場合には保留アイコンの表示色をどの色にするか等が決定されて、これらの決定結果に応じて、事前演出が実行される。
【０４４７】
図３２に例示されるように、事前演出が行われることなく保留アイコンとして通常アイコンを表示する演出は、大当たり信頼度が１％であることを示唆する演出である。一方、事前演出を実行する場合に、保留アイコンが青色、緑色、赤色、金色、虹色で表示されることがあるが、青色の保留アイコンを表示する事前演出の大当たり信頼度は、約５％である。また、緑色の保留アイコンを表示する事前演出の大当たり信頼度は約１０％であり、赤色の保留アイコンを表示する事前演出の大当たり信頼度は約５０％である。また、金色の保留アイコンを表示する事前演出の大当たり信頼度は約７５％であり、虹色の保留アイコンを表示する事前演出の大当たり信頼度は１００％である。
【０４４８】
これらのことから、先ず、虹色の保留アイコンを表示する事前演出は、大当たり遊技が実行されることを予告する大当たり予告としての機能を有していると言える。すなわち、事前演出は、保留アイコンが虹色以外の表示色で表示される場合には、大当たり遊技が実行されることを確定的に予告する大当たり予告として機能することはないが、保留アイコンが虹色で表示される場合は、事前演出が大当たり予告として機能する。
【０４４９】
また、本実施形態の遊技機１は、第１特別図柄判定が実行された場合に、少なくともノーマルリーチ演出が行われることになる第１特別図柄の変動パターンが選択されることを示す事前判定結果が得られなければ、青色の保留アイコンを表示する事前演出が実行されないように構成されている。すなわち、リーチ無し演出に対応する特別図柄の変動パターンが選択されることを示す事前判定結果が得られた場合には、青色の保留アイコンを表示する事前演出を行わないようにしている。
【０４５０】
なお、緑保留、赤保留、金保留、虹保留を表示する事前演出についても同様であり、キャラＳＰリーチとＳＰＳＰリーチの少なくともいずれか一方が実行されることになる第１特別図柄の変動パターンが選択されることを示す事前判定結果が得られなければ、緑色以上の保留アイコンを表示する事前演出が行われない構成が採用されている。
【０４５１】
なお、通常遊技状態のときに行われる大当たり予告は、第１特別図柄判定の判定結果が「大当たり」である場合には実行可能であるものの、「ハズレ」である場合には実行されることがない。このため、保留アイコンを青色以上の色で表示する事前演出が行われない場合に比べて、この事前演出が行われる方が、大当たり予告が実行され易いと言える（必ず実行されてもよい）。このため、事前演出を実行することによって、当該変動（保留されている第１特別図柄判定の実行に応じて行われる第１特別図柄の変動表示）での大当たり予告の出現を遊技者に対して効果的に期待させることができる。なお、事前演出が行われた場合、他の信頼度示唆演出が信頼度（大当たり期待度及び大当たりである場合に確変遊技状態に移行する期待度）の高い演出態様で実行され易い（必ず信頼度の高い演出態様で実行されてもよい。）。
【０４５２】
ところで、通常遊技状態のときに行われる突当たり演出は、リーチ演出が実行されない変動時間が５秒である変動パターンＡが選択されなければ、実行されることはない。このため、少なくともノーマルリーチ演出が行われることになる場合にしか実行されない事前演出が行われた場合には、当該変動で突当たり演出が実行されることはない。したがって、事前演出は、突当たり演出の出現を否定する演出であると言える。
【０４５３】
すなわち、青色以上の保留アイコンを表示する事前演出が実行された場合、突当たり演出が実行される確率（本実施形態では０％）よりも、他の大当たり予告が実行される確率の方が高いと言える。
【０４５４】
なお、事前演出が行われることなく白色の保留アイコンが表示されている場合、基本的には、遊技者が大当たりをほとんど期待することができない。しかしながら、本実施形態では、事前演出が行われていない場合には突当たり演出が実行される可能性がある一方で、事前演出が行われると突当たり演出が実行される可能性はなく、他の大当たり予告の出現を期待することができる。このため、事前演出を実行しない場合と事前演出を実行する場合の両方において、大当たり予告の出現を遊技者に期待させることができる。
【０４５５】
また、本実施形態では、事前判定結果に基づく事前演出が、保留アイコンを通常とは異なる表示態様の保留アイコンを表示するアイコン変化演出である場合について説明するが、事前演出は、事前判定結果に基づく演出であれば、他の演出であってもよい。例えば、事前演出は、当該変動が開始される前のハズレ報知演出の際に、所謂チャンス目と呼ばれる特定の組み合わせの装飾図柄を停止表示させるチャンス目演出であってもよい。また、事前演出は、事前判定結果に基づいて、演出モードを通常の演出モードから（ゾーンと呼ばれるような）特定の演出モードに変化させるモード移行演出等であってもよい。
【０４５６】
［客待ち状態のときに表示される各種の画面について］
図３３は、客待ちメニュー画面を例示する画面図である。遊技機１は、特別図柄判定の権利が保留されていない状態で図柄の変動表示が行われなくなると、いわゆる客待ち状態へと移行する。そして、客待ち状態へ移行してから設定時間（例えば５秒）が経過すると、液晶画面５に客待ちメニュー画面が表示される（図３３（Ａ）参照）。この客待ちメニュー画面は、図３３（Ａ）に例示されるように、本実施形態では、演出ボタン２６を操作（押下）すると大当たり予告の発生率を選択できることを示唆する画像と、演出キー２７の左キー又は右キーを操作（押下）すると音量設定が行えることを示唆する画像と、演出キー２７の上キー又は下キーを操作（押下）すると光量設定が行えることを示唆する画像とを含むように構成されている。
【０４５７】
客待ちメニュー画面が表示された状態で遊技者が演出キー２７の左キー又は右キーを操作すると、図３３（Ｂ）に例示される音量設定画面が表示される。図３３（Ｂ）に例示されるように、音量設定画面は、現在の音量を示す画像と、演出キー２７の左キー又は右キーを操作すると音量調整が行えることを示す画像と、演出ボタン２６を操作すると音量設定画面の表示が終了することを示す画像とを有して構成されている。
【０４５８】
これに対して、音量設定画面が表示された状態で遊技者が演出キー２７の左キーを操作すると音量を下げることが可能であり、逆に右キーを操作すると音量を上げることが可能である。なお、本実施形態の遊技機１は、スピーカ２４から出力される演出音の音量を５段階で切り替えることが可能であり、図３３（Ｂ）には、音量が５段階のうちの３段階目に設定された状態が示されている。
【０４５９】
一方、客待ちメニュー画面が表示された状態で遊技者が演出キー２７の上キー又は下キーを操作すると、図３３（Ｄ）に例示される光量設定画面が表示される。図３３（Ｄ）に例示されるように、光量設定画面は、現在の光量を示す画像と、演出キー２７の上キー又は下キーを操作すると光量調整が行えることを示す画像と、演出ボタン２６を操作すると光量設定画面の表示が終了することを示す画像とを有して構成されている。
【０４６０】
これに対して、光量設定画面が表示された状態で遊技者が演出キー２７の上キーを操作すると光量を上げることが可能であり、逆に下キーを操作すると音量を下げることが可能である。なお、本実施形態の遊技機１は、液晶画面５に表示される演出画像の光量を３段階で切り替えることが可能であり、図３３（Ｄ）には、光量が３段階のうちの１段階目（最少）に設定された状態が示されている。
【０４６１】
客待ちメニュー画面（図３３（Ａ）参照）が表示された状態で遊技者が演出ボタン２６を操作すると、図３３（Ｃ）に例示される大当たり予告発生率設定画面が表示される。図３３（Ｃ）に例示されるように、大当たり予告発生率設定画面は、大当たり予告の出現率に関する２つの選択項目（「通常」と「大幅ＵＰ」）と、演出キー２７の左キー又は右キーを操作すると２つの選択項目に対するカーソル移動が行えることを示す画像と、演出ボタン２６を操作すると大当たり予告の発生率に関する選択を決定できることを示す画像とを有して構成されている。
【０４６２】
本実施形態の遊技機１では、大当たり予告の出現率が相対的に低い「通常モード」と、大当たり予告の出現率が相対的に高い「大当たり予告アップモード」のいずれかに設定可能である。
図３３（Ｃ）には、「大幅ＵＰ」および「通常」の２つの選択項目のうちの「通常」にカーソルが位置していて、「通常」がハイライト表示された状態が例示されている。これに対して、この状態で遊技者が演出ボタン２６を操作すると、「通常」が選択されたと判断されて、「通常モード」に設定されることになる。具体的には、サブＲＡＭ１３３に記憶されているモード設定情報が、「通常モード」を示す情報へと更新される。
一方、図３３（Ｃ）に例示されるように「通常」にカーソルが位置している状態で遊技者が演出キー２７の左キーを操作すると、「大幅ＵＰ」にカーソルが移動して、「大幅ＵＰ」がハイライト表示されることになる。そして、この状態で遊技者が演出ボタン２６を操作すると、「大幅ＵＰ」が選択されたと判断されて、「大当たり予告アップモード」に設定される。具体的には、サブＲＡＭ１３３に記憶されているモード設定情報が、「大当たり予告アップモード」を示す情報へと更新される。
【０４６３】
このように、本実施形態の遊技機１では、大当たり予告の出現率、スピーカ２４から出力される演出音の音量、及び液晶画面５に表示される演出画像の光量を遊技者が任意に変更することが可能である。
【０４６４】
［大当たり予告の出現率について］
次に、図３４を参照しつつ、大当たり予告の出現率について説明する。ここで、図３４は、大当たり予告アップモードに設定されているときに使用される大当たり予告種別選択テーブルについて説明するための説明図である。
【０４６５】
本実施形態の遊技機１は、上述したように、大当たり予告の出現率に関して、「通常モード」又は「大当たり予告アップモード」に設定可能である。「通常モード」に設定されているときには、図２９（Ａ）〜（Ｄ）に基づいて上述した大当たり予告種別選択テーブルを参照して、各大当たり予告を実行するか否かが決定される。一方、「大当たり予告アップモード」に設定されているときには、図３４（Ａ）〜（Ｄ）に例示されている大当たり予告アップモード用の大当たり予告種別選択テーブルを参照して、各大当たり予告を実行するか否かが決定される。
【０４６６】
この図３４に例示されている各大当たり予告種別選択テーブルを用いて、各大当たり予告を実行するか否かを決定する処理は、図２９（Ａ）〜（Ｄ）を参照して各大当たり予告を実行するか否かを決定する処理と同じであるため、ここでの詳細な説明は省略する。
【０４６７】
なお、図２９に例示される大当たり予告種別選択テーブルと、図３４に例示されている大当たり予告アップモード用の大当たり予告種別選択テーブルとを比較した場合、各予告演出の「あり」に対して対応付けられている乱数値の数が異なっている。具体的には、図３４に例示されている各大当たり予告アップモード用の大当たり予告種別選択テーブルでは、図２９に例示される大当たり予告種別選択テーブルに対して、各大当たり予告の「あり」に対して対応付けられている乱数値の数が２倍になっている。このため、「大当たり予告アップモード」に設定されることで、「通常モード」に設定されているときに比べて、大当たり予告の出現率が約２倍になる。
【０４６８】
また、ここでは、大当たり予告の出現率が２倍になる例を説明したが、大当たり予告の出現率をどの程度上昇させるかは適宜変更可能であり、例えば、大当たり予告の出現率が１０倍アップするような大当たり予告アップモード用のテーブルを用意してもよい。また、ここでは、各大当たり予告の出現率が一様に２倍になる場合を例に説明したが、他の実施形態では、例えば、プレミアキャラ演出の出現率を５倍アップさせる一方で、一発告知の出現率を１０倍アップさせるというように、出現率が上昇する割合を予告演出の種別によって異ならせてもよい。
【０４６９】
ところで、通常遊技状態のときに行われる突当たり演出と奪取成功演出、及び確変遊技状態のときに行われる突当たり演出は、図１７，１８に基づく上記の説明から明らかなように、大当たり予告種別選択テーブルを用いることなく、実行の有無が決定される。そして、これらの大当たり予告の実行の有無を決定するために使用される、サブＲＯＭ１３２に記憶されている変動演出パターンテーブル（特別図柄の変動パターンと変動演出パターンとを対応付けたもの）は、「大当たり予告アップモード」に設定されたとしても、他のテーブルに切り替えられることはない。このため、通常遊技状態のときに行われる突当たり演出と奪取成功演出、及び確変遊技状態のときに行われる突当たり演出については、「大当たり予告アップモード」に設定されたとしても、他の大当たり予告のように出現率が変化することはない。
【０４７０】
［メインＲＡＭ１０３の構成例］
図３５は、メインＲＡＭ１０３の構成例およびメインＲＡＭ１０３に格納される各種情報を示すブロック図である。図３５（Ａ）に例示されるように、メインＲＡＭ１０３には、第１始動口１１又は第２始動口１２に遊技球が入賞した際に取得された取得情報等を記憶する記憶領域として、判定用記憶領域１０３０、第１保留記憶領域１０３１、第２保留記憶領域１０３２、第３保留記憶領域１０３３、第４保留記憶領域１０３４、第１保留記憶領域１０３５、第２保留記憶領域１０３６、第３保留記憶領域１０３７、及び第４保留記憶領域１０３８が設けられている。
【０４７１】
判定用記憶領域１０３０は、特別図柄判定が実際に実行されるときにその特別図柄判定に使用される各種情報が記憶される記憶領域である。第１保留記憶領域１０３１〜第４保留記憶領域１０３４は、第１特別図柄判定に係る各種情報が記憶される記憶領域であり、第１保留記憶領域１０３５〜第４保留記憶領域１０３８は、第２特別図柄判定に係る各種情報が記憶される記憶領域である。また、第２特別図柄判定は、第１特別図柄判定に対して優先消化される。このため、判定用記憶領域１０３０には、特別図柄判定の実行に際して、第２特別図柄判定が保留されている場合には第１保留記憶領域１０３５に記憶されている各種情報がシフトされ、第１特別図柄判定のみが保留されている場合には第１保留記憶領域１０３１に記憶されている各種情報がシフトされる。
【０４７２】
図３５（Ｂ）に例示されるように、保留記憶領域１０３１〜１０３８は、それぞれ、メインＣＰＵ１０１によって取得された、大当たり乱数を記憶する領域、図柄乱数を記憶する領域、リーチ乱数を記憶する領域、変動パターン乱数を記憶する領域、事前判定結果を示す情報である事前判定情報を記憶する領域等を含んでいる。すなわち、保留記憶領域１０３１〜１０３８は、特別図柄判定の権利を保留するための情報を記憶する領域である。
【０４７３】
大当たり乱数は、大当たり又はハズレを決定するための乱数である。図柄乱数は、大当たりであると判定された場合に、大当たりの種類を決定するための乱数である。リーチ乱数は、ハズレであると判定された場合に、リーチ有りの演出を行うか或いはリーチ無しの演出を行うかを決定するための乱数である。変動パターン乱数は、特別図柄が変動表示される際の特別図柄の変動パターンを決定するための乱数である。
【０４７４】
事前判定情報は、大当たり乱数、図柄乱数、リーチ乱数、及び変動パターン乱数に基づいて、後述する事前判定処理（図４０参照）によって得られる情報である。事前判定情報は、具体的には、入賞始動口情報、特別図柄判定の判定結果が大当たりであるか否かを示す情報、大当たりである場合にはその大当たりの種類が何であるかを示す情報、特別図柄の変動パターンを示す情報、遊技機１の遊技状態を示す情報等を含んでいる。ここで、入賞始動口情報は、同じ保留記憶領域内に格納される大当たり乱数、図柄乱数、リーチ乱数、及び変動パターン乱数が、遊技球が第１始動口１１に入賞したことを契機として取得されたのか、或いは遊技球が第２始動口１２に入賞したことを契機として取得されたのかを示す情報である。これらの情報を含む事前判定情報は、事前判定処理に使用された大当たり乱数、図柄乱数、リーチ乱数、及び変動パターン乱数と同じ保留記憶領域内に格納される。
【０４７５】
図３５（Ｂ）に基づいて説明した５つの情報は、第１始動口１１に遊技球が入賞する毎に第１保留記憶領域１０３１から順に第１保留記憶領域１０３１〜第４保留記憶領域１０３４のいずれかに格納され、第２始動口１２に遊技球が入賞する毎に第１保留記憶領域１０３５から順に第１保留記憶領域１０３５〜第４保留記憶領域１０３８のいずれかに格納される。
【０４７６】
例えば第１保留記憶領域１０３１〜第４保留記憶領域１０３４のいずれにも情報が記憶されていない状態で第１特別図柄判定に係る５つの情報が新たに取得された場合、この５つの情報は、第１保留記憶領域１０３１に格納される。また、例えば第１保留記憶領域１０３１及び第２保留記憶領域１０３２のそれぞれに５つの情報が記憶された状態で第１特別図柄判定に係る５つの情報が新たに取得された場合、この５つの情報は、第３保留記憶領域１０３３に格納される。
【０４７７】
また、第１特別図柄判定の実行に際して第１保留記憶領域１０３１に記憶されている情報が判定用記憶領域１０３０にシフトされると、第２保留記憶領域１０３２以降の保留記憶領域に記憶されている情報が第１保留記憶領域１０３１側にシフトされる。例えば第１保留記憶領域１０３１〜第３保留記憶領域１０３３のそれぞれに情報が記憶された状態で第１保留記憶領域１０３１に記憶されている情報が判定用記憶領域１０３０にシフトされると、第２保留記憶領域１０３２に記憶されている情報が第１保留記憶領域１０３１にシフトされると共に、第３保留記憶領域１０３３に記憶されている情報が第２保留記憶領域１０３２にシフトされる。
【０４７８】
このような情報のシフト処理は、第２特別図柄判定に係る情報が記憶される第１保留記憶領域１０３５〜第４保留記憶領域１０３８においても同様に行われる。なお、本実施形態における遊技機１では、第１特別図柄判定及び第２特別図柄判定の両方が保留されている場合、すなわち第１保留記憶領域１０３１及び第１保留記憶領域１０３５の両方に情報が記憶されている場合、第１保留記憶領域１０３１〜第４保留記憶領域１０３４におけるシフト処理に先立って、第１保留記憶領域１０３５〜第４保留記憶領域１０３８におけるシフト処理が優先して行われる。
【０４７９】
ところで、特別図柄が変動表示されているときや大当たり遊技中に第１始動口１１又は第２始動口１２に遊技球が入賞して各種乱数が取得されたとしても、特別図柄判定や特別図柄の変動表示を直ちに行うことはできない。
【０４８０】
このため、メインＣＰＵ１０１は、このような状況下で各種乱数が取得された場合には、上述したように、取得された各種乱数等を、特別図柄判定の権利を保留する情報として保留記憶領域１０３１〜１０３８のいずれかの領域に格納することとしている。その一方で、特別図柄が変動表示されておらず、特別図柄判定が保留されておらず、また、大当たり遊技中でもない場合には、メインＣＰＵ１０１は、始動口入賞を契機として取得した各種乱数等を判定用記憶領域１０３０に直接格納することとしている。
【０４８１】
このように、本実施形態の遊技機１は、特別図柄判定を直ちに実行できない場合に、特別図柄判定の権利を保留可能である。
【０４８２】
［遊技制御基板１００によるタイマ割込み処理］
次に、図３６を参照しつつ、遊技制御基板１００において実行されるタイマ割込み処理について説明する。ここで、図３６は、遊技制御基板１００において実行されるタイマ割込み処理の一例を示すフローチャートである。遊技制御基板１００は、電源投入時や電源断時等の特殊な場合を除く通常の動作時において、図３６に例示されている一連の処理を一定時間（例えば４ミリ秒）毎に繰り返し実行する。なお、図３６以降のフローチャートに基づいて説明する遊技制御基板１００の処理は、メインＲＯＭ１０２に記憶されているプログラムに基づいてメインＣＰＵ１０１が発行する命令に従って行われる。
【０４８３】
まず、メインＣＰＵ１０１は、大当たり乱数、図柄乱数、リーチ乱数、変動パターン乱数、及び普通図柄乱数の各種乱数を更新する乱数更新処理を実行する（ステップＳ１）。
【０４８４】
大当たり乱数、図柄乱数、リーチ乱数、及び変動パターン乱数は上述した通りであり、普通図柄乱数は、第２始動口１２を開放するか否かを決定するための乱数である。大当たり乱数、図柄乱数、リーチ乱数、変動パターン乱数、及び普通図柄乱数は、このステップＳ１の処理が行われる毎に「１」加算される。なお、このステップＳ１の処理を行うカウンタとしてはループカウンタが使用されており、各乱数は、予め設定された最大値に達した後は「０」に戻されて更新される。
【０４８５】
ステップＳ１の処理に続いて、メインＣＰＵ１０１は、各スイッチからの検知信号が入力されたことに応じて各種の乱数を取得する処理を含むスイッチ処理を実行する（ステップＳ２）。このスイッチ処理については、図３７に基づいて後に詳述する。
【０４８６】
ステップＳ２の処理に続いて、メインＣＰＵ１０１は、特別図柄判定を実行して、第１特別図柄表示器４１又は第２特別図柄表示器４２に特別図柄を変動表示させてから特別図柄判定の判定結果を示す特別図柄を停止表示させる処理等を含む特別図柄処理を実行する（ステップＳ３）。この特別図柄処理については、図４１に基づいて後に詳述する。
【０４８７】
ステップＳ３の処理に続いて、メインＣＰＵ１０１は、普通図柄判定を実行し、普通図柄表示器４５に普通図柄を変動表示させてから普通図柄判定の結果を示す普通図柄を停止表示させる処理等を含む普通図柄処理を実行する（ステップＳ４）。
【０４８８】
ステップＳ４の処理に続いて、メインＣＰＵ１０１は、普通図柄判定を行った結果、第２始動口１２を開放すると判定した場合に、電動チューリップ制御部１１３を介して電動チューリップ１７を動作させる電動チューリップ処理を実行する（ステップＳ５）。
【０４８９】
ステップＳ５の処理に続いて、メインＣＰＵ１０１は、ステップＳ３の処理で大当たりであると判定した場合に、大入賞口制御部１１７を制御して大入賞口１３を開放する大入賞口開放制御処理を実行する（ステップＳ６）。
【０４９０】
ステップＳ６の処理に続いて、メインＣＰＵ１０１は、遊技球の入賞に応じた賞球の払い出しを制御する賞球処理を実行する（ステップＳ７）。
【０４９１】
ステップＳ７の処理に続いて、メインＣＰＵ１０１は、ステップＳ７以前の処理ステップにおいてメインＲＡＭ１０３にセット（格納）された各種コマンドや演出内容を決定するために必要な情報を演出制御基板１３０に送信する送信処理を実行する（ステップＳ８）。
【０４９２】
［遊技制御基板１００によるスイッチ処理］
図３７は、図３６のステップＳ２におけるスイッチ処理の詳細フローチャートである。ステップＳ１の処理に続いて、メインＣＰＵ１０１は、図３７に例示されるように、第１始動口スイッチ１１１からの検知信号の入力の有無を監視して、ステップＳ１の処理によって適宜更新される各種乱数（大当たり乱数、図柄乱数、リーチ乱数、及び変動パターン乱数）について、第１始動口スイッチ１１１からの検知信号が入力された時点の値を取得する処理等を含む第１始動口スイッチ処理を実行する（ステップＳ２１）。この第１始動口スイッチ処理については、図３８に基づいて後に詳述する。
【０４９３】
次に、メインＣＰＵ１０１は、第２始動口スイッチ１１２からの検知信号の入力の有無を監視して、ステップＳ１の処理によって適宜更新される各種乱数について、第２始動口スイッチ１１２からの検知信号が入力された時点の値を取得する処理等を含む第２始動口スイッチ処理を実行する（ステップＳ２２）。この第２始動口スイッチ処理については、図３９に基づいて後に詳述する。
【０４９４】
そして、メインＣＰＵ１０１は、第１ゲートスイッチ１１４（又は第２ゲートスイッチ１１５）からの検知信号の入力の有無を監視して、ステップＳ１の処理によって適宜更新される普通図柄乱数について、第１ゲートスイッチ１１４（又は第２ゲートスイッチ１１５）からの検知信号が入力された時点の値を取得するゲートスイッチ処理を実行する（ステップＳ２３）。
【０４９５】
［遊技制御基板１００による第１始動口スイッチ処理］
図３８は、図３７のステップＳ２１における第１始動口スイッチ処理の詳細フローチャートである。図３８に例示されるように、メインＣＰＵ１０１は、ステップＳ１の乱数更新処理に続いて、第１始動口スイッチ１１１からの検知信号（具体的には第１始動口スイッチ１１１が「ＯＮ」になったことを示すＯＮ信号）が入力されたか否かに基づいて、第１始動口スイッチ１１１が「ＯＮ」になったか否かを判定する（ステップＳ２１０）。ここで、第１始動口スイッチ１１１が「ＯＮ」になったと判定した場合（ステップＳ２１０：ＹＥＳ）、メインＲＡＭ１０３に記憶されている第１特別図柄判定の保留数Ｕ１が、メインＲＯＭ１０２に記憶されている第１特別図柄判定の最大保留数Ｕｍａｘ１（本実施形態では「４」）未満であるか否かを判定する（ステップＳ２１１）。
【０４９６】
メインＣＰＵ１０１は、保留数Ｕ１が最大保留数Ｕｍａｘ１未満であると判定した場合（ステップＳ２１１：ＹＥＳ）、保留数Ｕ１の値を「１」加算した値に更新し（ステップＳ２１２）、第１特別図柄判定に使用する取得情報として、大当たり乱数、図柄乱数、リーチ乱数、及び変動パターン乱数を取得して、これらの乱数を対応付けてメインＲＡＭ１０３に格納する（ステップＳ２１３〜ステップＳ２１６）。
【０４９７】
このように、保留数Ｕ１が最大保留数Ｕｍａｘ１未満の状態で第１始動口スイッチ１１１が「ＯＮ」になるという取得条件の成立に応じて、大当たり乱数等の各種の取得情報が取得される。
なお、第１特別図柄判定および第１特別図柄の変動表示を直ちに実行可能な状況で各種乱数が取得された場合には、これらの乱数は判定用記憶領域１０３０に直接格納され、直ちに実行できない状況で各種乱数が取得された場合には、これらの乱数は第１保留記憶領域１０３１〜第４保留記憶領域１０３４のいずれかの領域に格納される。
【０４９８】
ステップＳ２１６の処理に続いて、メインＣＰＵ１０１は、現在の状態が高ベース状態であるか否かを判断する（ステップＳ２１７）。メインＲＡＭ１０３には、時短遊技フラグが記憶されている。この時短遊技フラグは、第２始動口１２に遊技球が入賞し難い状態に電動チューリップ１７を制御する場合に「ＯＦＦ」に設定され、逆に、第２始動口１２に遊技球が入賞し易い状態に電動チューリップ１７を制御する場合に「ＯＮ」に設定されるフラグである。メインＣＰＵ１０１は、ステップＳ２１７において、メインＲＡＭ１０３に記憶されている時短遊技フラグが「ＯＮ」に設定されているか否かに基づいて、現在の状態が高ベース状態であるか否かを判断する。
【０４９９】
メインＣＰＵ１０１は、現在の状態が高ベース状態ではないと判断した場合（ステップＳ２１７：ＮＯ）、すなわち時短遊技フラグが「ＯＦＦ」に設定されている場合、事前判定処理を実行する（ステップＳ２１８）。具体的には、後述する大当たり判定処理（図４２参照）や変動パターン選択処理（図４３参照）に先立って、ステップＳ２１３〜Ｓ２１６の処理によって取得された取得情報に基づいて、大当たりとなるか否かを事前判定すると共に、第１特別図柄判定が実行される際に実際に選択される第１特別図柄の変動パターンを事前判定する事前判定を実行する。この事前判定処理については、図４０に基づいて後に詳述する。
【０５００】
メインＣＰＵ１０１は、ステップＳ２１８の処理を実行した場合、又は高ベース状態である（時短遊技フラグが「ＯＮ」に設定されている）と判断した場合（ステップＳ２１７：ＹＥＳ）、第１特別図柄判定に係る保留コマンドをメインＲＡＭ１０３にセットする（ステップＳ２１９）。この保留コマンドは、第１特別図柄判定が保留されたことを通知するコマンドであって、ステップＳ２１８の処理で得られた事前判定情報を含むものであり、ステップＳ８の送信処理によって演出制御基板１３０に送信される。
【０５０１】
［遊技制御基板１００による第２始動口スイッチ処理］
図３９は、図３７のステップＳ２２における第２始動口スイッチ処理の詳細フローチャートである。図３９に例示されるように、メインＣＰＵ１０１は、ステップＳ２１の第１始動口スイッチ処理に続いて、第２始動口スイッチ１１２からの検知信号（具体的には第２始動口スイッチ１１２が「ＯＮ」になったことを示すＯＮ信号）が入力されたか否かに基づいて、第２始動口スイッチ１１２が「ＯＮ」になったか否かを判定する（ステップＳ２２０）。
【０５０２】
メインＣＰＵ１０１は、第２始動口スイッチ１１２が「ＯＮ」になったと判定した場合（ステップＳ２２０：ＹＥＳ）、メインＲＡＭ１０３に記憶されている第２特別図柄判定の保留数Ｕ２が、メインＲＯＭ１０２に記憶されている第２特別図柄判定の最大保留数Ｕｍａｘ２（本実施形態では「４」）未満であるか否かを判定する（ステップＳ２２１）。
【０５０３】
メインＣＰＵ１０１は、保留数Ｕ２が最大保留数Ｕｍａｘ２未満であると判定した場合（ステップＳ２２１：ＹＥＳ）、保留数Ｕ２の値を「１」加算した値に更新し（ステップＳ２２２）、第２特別図柄判定に使用する取得情報として、大当たり乱数、図柄乱数、リーチ乱数、及び変動パターン乱数を取得して、これらの乱数を対応付けてメインＲＡＭ１０３に格納する（ステップＳ２２３〜ステップＳ２２６）。
【０５０４】
なお、第２特別図柄判定および第２特別図柄の変動表示を直ちに実行可能な状況で各種乱数が取得された場合には、これらの乱数は判定用記憶領域１０３０に直接格納され、直ちに実行できない状況で各種乱数が取得された場合には、これらの乱数は第１保留記憶領域１０３５〜第４保留記憶領域１０３８のいずれかの領域に格納される。
【０５０５】
ステップＳ２２６の処理に続いて、メインＣＰＵ１０１は、ステップＳ２１７の処理と同様に、現在の状態が高ベース状態であるか否かを判断する（ステップＳ２２７）。ここで、現在の状態が高ベース状態であると判断した場合（ステップＳ２２７：ＹＥＳ）、すなわち時短遊技フラグが「ＯＮ」に設定されている場合、事前判定処理を実行する（ステップＳ２２８）。この事前判定処理については、図４０に基づいて後に詳述する。
【０５０６】
メインＣＰＵ１０１は、ステップＳ２２８の処理を実行した場合、又は高ベース状態ではない（時短遊技フラグが「ＯＦＦ」に設定されている）と判断した場合（ステップＳ２２７：ＮＯ）、第２特別図柄判定に係る保留コマンドをメインＲＡＭ１０３にセットする（ステップＳ２２９）。この保留コマンドは、第２特別図柄判定が保留されたことを通知するコマンドであって、ステップＳ２２８の処理で得られた事前判定情報を含むものであり、ステップＳ８の送信処理によって演出制御基板１３０に送信される。
【０５０７】
［遊技制御基板１００による事前判定処理］
以下、図４０を参照しつつ、遊技制御基板１００によって実行される事前判定処理について説明する。ここで、図４０は、図３８，３９のステップＳ２１８，Ｓ２２８における事前判定処理の詳細フローチャートである。
【０５０８】
メインＣＰＵ１０１は、図３８のステップＳ２１７の処理で高ベース状態ではないと判断した場合、又は図３９のステップＳ２２７の処理で高ベース状態であると判断した場合、大当たり判定処理を実行する（ステップＳ２１８１）。具体的には、低確率状態（本実施形態では通常遊技状態または時短遊技状態）である場合には、低確率時用大当たり乱数テーブル（図６（Ａ）参照）をメインＲＯＭ１０２から読み出してメインＲＡＭ１０３にセットする。一方、高確率状態（本実施形態では確変遊技状態）である場合には、高確率時用大当たり乱数テーブル（図６（Ａ）参照）をメインＲＯＭ１０２から読み出してメインＲＡＭ１０３にセットする。そして、図３８のステップＳ２１３の処理（又は図３９のステップＳ２２３の処理）で取得した大当たり乱数が、メインＲＡＭ１０３にセットした大当たり乱数テーブルに格納されている当選値のいずれかと一致するか否かに基づいて、当該変動開始時に大当たりと判定されることになるか否かを判定する。
【０５０９】
次に、メインＣＰＵ１０１は、ステップＳ２１８１の判定結果に基づいて、当該変動開始時に大当たりであると判定されるか否かを判断する（ステップＳ２１８２）。ここで、当該変動開始時に大当たりであると判定されると判断した場合（ステップＳ２１８２：ＹＥＳ）、大当たり用変動パターンテーブルをメインＲＯＭ１０２から読み出してメインＲＡＭ１０３にセットする（ステップＳ２１８３）。なお、通常遊技状態において第１特別図柄判定に係る事前判定処理を実行する場合には、図１７（Ａ），（Ｂ）に例示されるテーブルをセットする。また、確変遊技状態において第２特別図柄判定に係る事前判定処理を実行する場合には、図１８（Ａ），（Ｂ）に例示されるテーブルをセットする。
【０５１０】
一方、メインＣＰＵ１０１は、当該変動開始時に大当たりではないと判定されると判断した場合（ステップＳ２１８２：ＮＯ）、当該変動中にリーチ演出が行われるか否かを判定する（ステップＳ２１８４）。具体的には、ステップＳ２１８１の大当たり判定処理に使用された大当たり乱数と一緒に取得されたリーチ乱数が、メインＲＯＭ１０２に記憶されているリーチ乱数の当選値と一致するか否かに基づいて、当該変動中にリーチ演出が行われるか否かを判定する。
【０５１１】
メインＣＰＵ１０１は、リーチ演出が行われると判定した場合（ステップＳ２１８４：ＹＥＳ）、リーチ用変動パターンテーブルをメインＲＯＭ１０２から読み出してメインＲＡＭ１０３にセットする（ステップＳ２１８５）。例えば、通常遊技状態において第１特別図柄判定に係る事前判定を実行する場合には、図１７（Ｃ）に例示されるテーブルをセットする。
【０５１２】
ところで、第１特別図柄判定の判定結果が「ハズレ」であり、且つ当該変動中にリーチ演出が行われない場合、当該変動開始時における第１特別図柄判定の保留数に基づいて第１特別図柄の変動パターンが決定される。そして、保留されている第１特別図柄判定が消化される前と後とでは第１特別図柄判定の保留数が相異なる場合がある。このため、第１特別図柄判定が消化される前に取得した特別図柄の変動パターンが、その第１特別図柄判定が実際に消化される際に選択される特別図柄の変動パターンとは異なる場合がある。すなわち、当該変動中にリーチ演出が行われない第１特別図柄判定の権利に対しては、その第１特別図柄判定に先立って正確な特別図柄の変動パターンを取得できない場合がある。
【０５１３】
このため、リーチ演出が行われないと判定された場合には（ステップＳ２１８４：ＮＯ）、後述するステップＳ２１８６の変動パターン乱数判定処理が行われることなくステップＳ２１８７に処理が進められる。
【０５１４】
メインＣＰＵ１０１は、大当たり用変動パターンテーブル又はリーチ用変動パターンテーブルをセットすると、変動パターン乱数判定処理を実行する（ステップＳ２１８６）。具体的には、ステップＳ２１８１の処理で使用された大当たり乱数と一緒に始動口入賞時に取得された変動パターン乱数が、メインＲＡＭ１０３にセットされている変動パターンテーブルに規定されている乱数値のうちのどの乱数値と一致するかに基づいて、当該変動開始時に行われる第１特別図柄判定で選択されることになる第１特別図柄の変動パターンを特定する。
【０５１５】
メインＣＰＵ１０１は、ステップＳ２１８６の処理を実行した場合、又はリーチ演出が行われないと判定した場合（ステップＳ２１８４：ＮＯ）、事前判定情報を生成してメインＲＡＭ１０３に格納する（ステップＳ２１８７）。この事前判定情報が格納される領域については、図３５に基づいて上述した通りである。
【０５１６】
このように、メインＣＰＵ１０１は、遊技球が第１始動口１１（又は第２始動口１２）に入賞したことを契機として取得された大当たり乱数等の取得情報に基づいて、この取得情報に基づく大当たり判定処理や変動パターン選択処理が行われるのに先立って、第１特別図柄（又は第２特別図柄）の変動パターン（すなわち変動時間）を取得する。
【０５１７】
なお、ここでは、第１特別図柄判定の権利が保留された場合に行われる事前判定処理を例に説明を行ったが、第２特別図柄判定の権利が保留された場合にも同じような事前判定処理が行われる。また、特別図柄判定の権利が保留されずに直ちに実行される場合には、事前判定処理が行われることはない。
【０５１８】
このように、メインＣＰＵ１０１は、保留した権利に対して特別図柄判定が行われる前に、大当たり遊技を実行するか否かの事前判定を実行可能である。
【０５１９】
［遊技制御基板１００による特別図柄処理］
次に、図４１を参照しつつ、遊技制御基板１００によって実行される特別図柄処理の詳細について説明する。ここで、図４１は、図３６のステップＳ３における特別図柄処理の詳細フローチャートである。
【０５２０】
図４１に例示されるように、メインＣＰＵ１０１は、メインＲＡＭ１０３に記憶されている大当たり遊技フラグが「ＯＮ」に設定されているか否かに基づいて、大当たり遊技中であるか否かを判定する（ステップＳ３０１）。この大当たり遊技フラグは、大当たり遊技の実行中であるか否かを示すフラグであり、大当たり遊技の開始時に「ＯＮ」に設定され、大当たり遊技の終了時に「ＯＦＦ」に設定される。ここで、大当たり遊技中であると判定された場合（ステップＳ３０１：ＹＥＳ）、ステップＳ４の普通図柄処理に処理が進められる。
【０５２１】
メインＣＰＵ１０１は、大当たり遊技中ではないと判定した場合（ステップＳ３０１：ＮＯ）、特別図柄の変動表示中であるか否かを判定する（ステップＳ３０２）。ここで、特別図柄の変動表示中ではないと判定した場合（ステップＳ３０２：ＮＯ）、メインＲＡＭ１０３に記憶されている第２特別図柄判定の保留数Ｕ２が「１」以上であるか否かを判定する（ステップＳ３０３）。ここで、保留数Ｕ２が「１」以上であると判定した場合（ステップＳ３０３：ＹＥＳ）、保留数Ｕ２を「１」減算した値に更新する（ステップＳ３０４）。
【０５２２】
メインＣＰＵ１０１は、保留数Ｕ２が「１」以上ではないと判定した場合（ステップＳ３０３：ＮＯ）、メインＲＡＭ１０３に記憶されている第１特別図柄判定の保留数Ｕ１が「１」以上であるか否かを判定する（ステップＳ３０５）。ここで、保留数Ｕ１が「１」以上であると判定した場合（ステップＳ３０５：ＹＥＳ）、メインＣＰＵ１０１は、保留数Ｕ１を「１」減算した値に更新する（ステップＳ３０６）。
【０５２３】
ステップＳ３０４の処理又はステップＳ３０６の処理に続いて、メインＣＰＵ１０１は、メインＲＡＭ１０３の保留記憶領域に対するシフト処理を実行する（ステップＳ３０８）。メインＣＰＵ１０１は、ステップＳ３０４の処理に続いてステップＳ３０８のシフト処理を実行する場合には、第２特別図柄判定用の１つ目の保留記憶領域１０３５に記憶されている最先の取得情報を判定用記憶領域１０３０にシフトさせると共に、残りの取得情報を判定用記憶領域１０３０側にシフトさせる。また、ステップＳ３０６の処理に続いてシフト処理を実行する場合には、第１特別図柄判定用の１つ目の保留記憶領域１０３１に記憶されている最先の取得情報を判定用記憶領域１０３０にシフトさせると共に、残りの取得情報を判定用記憶領域１０３０側にシフトさせる。
【０５２４】
ステップＳ３０８の処理に続いて、メインＣＰＵ１０１は、判定用記憶領域１０３０に記憶されている乱数に基づいて、大当たり判定処理を実行する（ステップＳ３０９）。この大当たり判定処理が実行されることによって、大当たりか否かが判定されると共に、大当たりであると判定された場合には大当たりの種類が決定されることになる。そして、これらの処理の結果を示す特別図柄の設定情報がメインＲＡＭ１０３にセットされる。この大当たり判定処理については、図４２に基づいて後に詳述する。
【０５２５】
図４１の表記からも明らかなように、メインＣＰＵ１０１は、大当たり遊技中ではなく、図柄変動中でもないといった始動条件が成立すると、このステップＳ３０９において、始動口入賞時に取得した大当たり乱数等に基づいて、遊技者に有利な大当たり遊技を実行するか否かを判定する。
【０５２６】
ステップＳ３０９の処理に続いて、メインＣＰＵ１０１は、特別図柄の変動パターンを選択する変動パターン選択処理を実行する（ステップＳ３１０）。この変動パターン選択処理については、図４３に基づいて後に詳述する。
【０５２７】
ステップＳ３１０の処理に続いて、メインＣＰＵ１０１は、ステップＳ３０９の処理で設定した特別図柄の設定情報、この特別図柄の設定情報が第１特別図柄判定に係るものであるか或いは第２特別図柄判定に係るものであるかを示す情報、ステップＳ３１０の処理で設定した変動パターンの設定情報、遊技機１の遊技状態に関する情報等を含む変動開始コマンドをメインＲＡＭ１０３にセットする（ステップＳ３１１）。
【０５２８】
この変動開始コマンドは、特別図柄の変動表示に伴う演出の開始を指示するコマンドであって、ステップＳ８の送信処理によって演出制御基板１３０に送信される。これにより、液晶表示装置５における装飾図柄の変動表示等が開始されることになる。
【０５２９】
ステップＳ３１１の処理に続いて、メインＣＰＵ１０１は、ステップＳ３１１の処理でセットした変動開始コマンドに含まれている変動パターンの設定情報に基づいて、特別図柄の変動表示を開始する（ステップＳ３１２）。その際、判定用記憶領域１０３０に第１特別図柄判定に係る取得情報（乱数）が記憶された状態でステップＳ３０９〜ステップＳ３１１の処理が行われた場合には、第１特別図柄表示器４１において第１特別図柄の変動表示を開始する。一方、第２特別図柄判定に係る取得情報（乱数）が記憶された状態でステップＳ３０９〜ステップＳ３１１の処理が行われた場合には、第２特別図柄表示器４２において第２特別図柄の変動表示を開始する。
【０５３０】
次に、メインＣＰＵ１０１は、ステップＳ３１２における変動表示を開始してからの経過時間である変動時間の計測を開始する（ステップＳ３１３）。
【０５３１】
メインＣＰＵ１０１は、ステップＳ３１３の処理を実行した場合、又は特別図柄の変動表示中であると判定した場合（ステップＳ３０２：ＹＥＳ）、ステップＳ３１３における変動時間の計測開始から、ステップＳ３１０の処理によって選択された変動パターンに対応する変動時間が経過したか否かを判定する（ステップＳ３１５）。ここで、変動時間が経過していないと判定された場合（ステップＳ３１５：ＮＯ）、ステップＳ４の普通図柄処理に処理が進められる。
【０５３２】
メインＣＰＵ１０１は、変動時間が経過したと判定した場合（ステップＳ３１５：ＹＥＳ）、第１特別図柄表示器４１又は第２特別図柄表示器４２に特別図柄判定の判定結果を示す特別図柄が停止表示されることを通知する図柄確定コマンドをメインＲＡＭ１０３にセットする（ステップＳ３１６）。この図柄確定コマンドは、ステップＳ８における送信処理によって演出制御基板１３０に送信される。これにより、液晶画面５に変動表示されていた装飾図柄を特別図柄判定の判定結果を示す態様で停止表示させる処理等が行われることになる。
【０５３３】
ステップＳ３１６の処理に続いて、メインＣＰＵ１０１は、ステップＳ３１２の処理で開始した特別図柄の変動表示を終了させる（ステップＳ３１７）。具体的には、ステップＳ３０９の処理で設定した特別図柄（大当たり図柄又はハズレ図柄）を、特別図柄を変動表示していた特別図柄表示器に停止表示させる。なお、この特別図柄の停止表示は、少なくとも所定の図柄確定時間（例えば１秒）が経過するまで継続される。
【０５３４】
このように、メインＣＰＵ１０１は、第１特別図柄表示器４１又は第２特別図柄表示器４２に特別図柄を変動表示させてから大当たり判定処理の判定結果を示す特別図柄を第１特別図柄表示器４１又は第２特別図柄表示器４２に停止表示させる。
【０５３５】
ステップＳ３１７の処理に続いて、メインＣＰＵ１０１は、上記ステップＳ３１３の処理で計測を開始した変動時間をリセットし（ステップＳ３１８）、大当たりである場合に大当たり遊技を開始させる処理等を含む停止中処理を実行する（ステップＳ３１９）。この停止中処理については、図４４に基づいて後に詳述する。
【０５３６】
［遊技制御基板１００による大当たり判定処理］
図４２は、図４１のステップＳ３０９における大当たり判定処理の詳細フローチャートである。メインＣＰＵ１０１は、判定用記憶領域１０３０に記憶された大当たり乱数に基づいて大当たり判定を実行する（ステップＳ３０９１）。具体的には、判定用記憶領域１０３０に記憶されている大当たり乱数が、予め設定された当選値（図６（Ａ）参照）と一致するか否かに基づいて、大当たりであるか否かを判定する。
【０５３７】
ここでの当選値は、高確率時用大当たり乱数テーブル又は低確率時用大当たり乱数テーブルに規定されている大当たりの当選値である。高確率状態（本実施形態では確変遊技状態）のときに大当たり判定が実行される場合には、高確率時用大当たり乱数テーブルに格納されている当選値が使用される。一方、低確率状態（本実施形態では通常遊技状態または時短遊技状態）のときに大当たり判定が実行される場合には、低確率時用大当たり乱数テーブルに格納されている当選値が使用される。
【０５３８】
このように、メインＣＰＵ１０１は、第１始動口１１又は第２始動口１２に遊技球が入賞したことを契機として取得された大当たり乱数等の取得情報が判定用記憶領域１０３０に記憶されるといった始動条件が成立すると、その大当たり乱数に基づいて、遊技者に有利な大当たり遊技を実行するか否かを判定する。
【０５３９】
ステップＳ３０９１の処理に続いて、メインＣＰＵ１０１は、大当たり判定の判定結果が大当たりであるか否かを判断する（ステップＳ３０９２）。ここで、大当たりであると判断した場合（ステップＳ３０９２：ＹＥＳ）、メインＲＯＭ１０２に記憶されている大当たり時の図柄決定テーブル（図６（Ｂ）及び（Ｃ）参照）を参照して大当たりの種類を決定する（ステップＳ３０９３）。
【０５４０】
具体的には、ステップＳ３０９１の大当たり判定に使用された大当たり乱数と一緒に判定用記憶領域１０３０に記憶されている図柄乱数が第１特別図柄判定に係るものである場合には、その図柄乱数が、第１始動口入賞用の図柄決定テーブル（図６（Ｂ）参照）に規定されているどの乱数値と一致するかに基づいて、大当たりの種類を決定する。一方、第２特別図柄判定に係るものである場合には、その図柄乱数が、第２始動口入賞用の図柄決定テーブル（図６（Ｃ）参照）に規定されているどの乱数値と一致するかに基づいて、大当たりの種類を決定する。
【０５４１】
そして、メインＣＰＵ１０１は、決定した大当たりの種類に応じた大当たり図柄の設定情報をメインＲＡＭ１０３にセットする（ステップＳ３０９４）。これにより、上記ステップＳ３１７の処理の際にここでセットされた大当たり図柄が第１特別図柄表示器４１又は第２特別図柄表示器４２に停止表示されて、その特別図柄に応じた大当たり遊技が行われることになる。
【０５４２】
一方、メインＣＰＵ１０１は、大当たりではないと判断した場合（ステップＳ３０９２：ＮＯ）、ハズレ図柄の設定情報をメインＲＡＭ１０３にセットする（ステップＳ３０９５）。これにより、上記ステップＳ３１７の処理の際にここでセットされたハズレ図柄が第１特別図柄表示器４１又は第２特別図柄表示器４２に停止表示される。この場合、大当たり遊技は行われない。
【０５４３】
［遊技制御基板１００による変動パターン選択処理］
図４３は、図４１のステップＳ３１０における変動パターン選択処理の詳細フローチャートである。メインＣＰＵ１０１は、図４１のステップＳ３０９における大当たり判定処理を実行した後、ステップＳ３０９１の判定結果が大当たりであるか否かを判断する（ステップＳ３１０１）。ここで、大当たりであると判断した場合（ステップＳ３１０１：ＹＥＳ）、大当たり用変動パターンテーブル（図１７，１８参照）をメインＲＯＭ１０２から読み出してメインＲＡＭ１０３にセットする（ステップＳ３１０２）。
【０５４４】
一方、メインＣＰＵ１０１は、大当たりではないと判断した場合（ステップＳ３１０１：ＮＯ）、判定用記憶領域１０３０に記憶されているリーチ乱数がメインＲＯＭ１０２に記憶されているリーチ乱数の当選値と一致するか否かに基づいて、遊技者に対して大当たりを期待させるリーチ演出を行うか否かを判定する（ステップＳ３１０３）。ここで、リーチ演出を行うと判定した場合（ステップＳ３１０３：ＹＥＳ）、リーチ用変動パターンテーブル（図１７（Ｃ）参照）をメインＲＯＭ１０２から読み出してメインＲＡＭ１０３にセットする（ステップＳ３１０４）。逆に、リーチ演出を行わないと判定した場合（ステップＳ３１０３：ＮＯ）、ハズレ用変動パターンテーブルをメインＲＯＭ１０２から読み出してメインＲＡＭ１０３にセットする（ステップＳ３１０５）。
【０５４５】
続いて、メインＣＰＵ１０１は、ステップＳ３１０２の処理、ステップＳ３１０４の処理、又はステップＳ３１０５の処理によってメインＲＡＭ１０３にセットされた変動パターンテーブルを参照して変動パターン乱数判定処理を実行する（ステップＳ３１０６）。具体的には、大当たり用変動パターンテーブル又はリーチ用変動パターンテーブルがメインＲＡＭ１０３にセットされた場合、判定用記憶領域１０３０に記憶されている変動パターン乱数に対応する変動パターンを、セットされている変動パターンテーブルから読み出すことによって変動パターンを選択する。
【０５４６】
また、ハズレ用変動パターンテーブルがメインＲＡＭ１０３にセットされた場合、ステップＳ３０８のシフト処理が行われる直前に各種情報が記憶されていた保留記憶領域の数に基づいて特別図柄判定の保留数を特定し、特定した保留数と現在の時短の有無とに対応する変動パターンをハズレ用変動パターンテーブルから読み出すことによって変動パターンを選択する。
【０５４７】
このようにして特別図柄の変動パターンが選択されることによって、特別図柄の変動時間が必然的に決定されることになる。
【０５４８】
メインＣＰＵ１０１は、変動パターンを選択すると、選択した変動パターンの設定情報をメインＲＡＭ１０３にセットする（ステップＳ３１０７）。この変動パターンの設定情報は、上述したステップＳ３０９の大当たり判定処理によってメインＲＡＭ１０３にセットされた図柄の設定情報と共に変動開始コマンドに含まれて演出制御基板１３０に送信される。
【０５４９】
［遊技制御基板１００による停止中処理］
図４４は、図４１のステップＳ３１９における停止中処理の詳細フローチャートである。メインＣＰＵ１０１は、上記ステップＳ３１８の処理によって変動時間をリセットした後、図４４に例示されるように、ステップＳ３０９２（図４２参照）の処理と同様に、大当たりであるか否かを判断する（ステップＳ３１９１）。ここで、大当たりであると判断した場合（ステップＳ３１９１：ＹＥＳ）、メインＲＡＭ１０３に記憶されている大当たり遊技フラグを「ＯＮ」に設定する（ステップＳ３１９２）。
【０５５０】
次に、メインＣＰＵ１０１は、メインＲＡＭ１０３に記憶されている時短遊技フラグおよび確変遊技フラグを「ＯＦＦ」に設定する（ステップＳ３１９３）。ここで、時短遊技フラグは、電チューサポート機能が付与される時短状態であるか否かを示すフラグであり、確変遊技フラグは、特別図柄判定において大当たりであると判定される確率が相対的に高い高確率状態であるか否かを示すフラグである。
【０５５１】
本実施形態の遊技機１では、時短遊技フラグおよび確変遊技フラグの設定により遊技状態が制御される。すなわち、遊技状態を確変遊技状態に制御する場合には確変遊技フラグおよび時短遊技フラグの両方が「ＯＮ」に設定され、遊技状態を時短遊技状態に制御する場合には確変遊技フラグが「ＯＦＦ」に設定されると共に時短遊技フラグが「ＯＮ」に設定され、遊技状態を通常遊技状態に制御する場合には確変遊技フラグおよび時短遊技フラグの両方が「ＯＦＦ」に設定される。
【０５５２】
ステップＳ３１９３の処理に続いて、メインＣＰＵ１０１は、大当たり遊技が開始されることを通知するためのオープニングコマンドをメインＲＡＭ１０３にセットする（ステップＳ３１９４）。このオープニングコマンドは、大当たりの種類、大当たり遊技中の大入賞口１３の開放パターン等の情報を含むものであり、ステップＳ８の送信処理によって演出制御基板１３０に送信される。
【０５５３】
一方、メインＣＰＵ１０１は、大当たりではないと判断した場合（ステップＳ３１９１：ＮＯ）、時短遊技フラグが「ＯＮ」に設定されているか否かを判定する（ステップＳ３１９６）。ここで、時短遊技フラグが「ＯＮ」に設定されていると判定した場合（ステップＳ３１９６：ＹＥＳ）、メインＲＡＭ１０３に記憶されている時短遊技残余回数Ｊを「１」減算した値に更新する（ステップＳ３１９７）。この時短遊技残余回数Ｊは、時短状態（高ベース状態）で特別図柄判定が実行される残り回数を示すものである。
【０５５４】
ステップＳ３１９７の処理に続いて、メインＣＰＵ１０１は、時短遊技残余回数Ｊが「０」であるか否かを判定する（ステップＳ３１９８）。ここで、時短遊技残余回数Ｊが「０」であると判定した場合（ステップＳ３１９８：ＹＥＳ）、時短遊技フラグを「ＯＦＦ」に設定する（ステップＳ３１９９）。これにより、電チューサポート機能が付与されなくなる。
【０５５５】
メインＣＰＵ１０１は、ステップＳ３１９９の処理を実行した場合、時短遊技フラグが「ＯＮ」ではないと判定した場合（ステップＳ３１９６：ＮＯ）、又は時短遊技残余回数Ｊが「０」ではないと判定した場合（ステップＳ３１９８：ＮＯ）、確変遊技フラグが「ＯＮ」に設定されているか否かを判定する（ステップＳ３２０１）。
【０５５６】
メインＣＰＵ１０１は、確変遊技フラグが「ＯＮ」に設定されていると判定した場合（ステップＳ３２０１：ＹＥＳ）、メインＲＡＭ１０３に記憶されている高確率遊技残余回数Ｋを「１」減算した値に更新する（ステップＳ３２０２）。この高確率遊技残余回数Ｋは、高確率状態で特別図柄判定が実行される残り回数を示すものである。
【０５５７】
ステップＳ３２０２の処理に続いて、メインＣＰＵ１０１は、高確率遊技残余回数Ｋが「０」であるか否かを判定する（ステップＳ３２０３）。ここで、高確率遊技残余回数Ｋが「０」であると判定した場合（ステップＳ３２０３：ＹＥＳ）、確変遊技フラグを「ＯＦＦ」に設定する（ステップＳ３２０４）。これにより、特別図柄判定が低確率状態で行われるようになる。
【０５５８】
このステップＳ３２０４の処理が行われた場合、確変遊技フラグが「ＯＮ」ではないと判定された場合（ステップＳ３２０１：ＮＯ）、高確率遊技残余回数Ｋが「０」ではないと判定された場合（ステップＳ３２０３：ＮＯ）、又はステップＳ３１９４の処理が行われた場合、ステップＳ４の普通図柄処理に処理が進められる。
【０５５９】
［遊技制御基板１００による遊技状態設定処理］
図４５は、遊技制御基板１００において大当たり遊技の終了時に実行される遊技状態設定処理の一例を示すフローチャートである。遊技機１では、ステップＳ６の大入賞口開放制御処理によって大当たり遊技が実行されるが、この大当たり遊技におけるエンディングが終了すると、大当たり遊技終了後の遊技機１の遊技状態を設定する遊技状態設定処理が実行される。
【０５６０】
メインＣＰＵ１０１は、大当たり遊技におけるエンディングが終了すると、メインＲＡＭ１０３に記憶されている図柄の設定情報に基づいて、今回の大当たり遊技の契機となった大当たりが確変大当たりであるか否かを判定する（ステップＳ６２６１）。ここで、確変大当たりではないと判定された場合（ステップＳ６２６１：ＮＯ）、後述するステップＳ６２６６に処理が進められる。
【０５６１】
メインＣＰＵ１０１は、確変大当たりであると判定した場合（ステップＳ６２６１：ＹＥＳ）、確変遊技フラグを「ＯＮ」に設定し（ステップＳ６２６２）、高確率遊技残余回数Ｋを例えば「１００００」に設定する（ステップＳ６２６３）。このステップＳ６２６３の処理が行われることにより、実質的に、次の大当たりまで高確率状態が継続することになる。
【０５６２】
ステップＳ６２６３の処理に続いて、メインＣＰＵ１０１は、時短遊技フラグを「ＯＮ」に設定し（ステップＳ６２６４）、時短遊技残余回数Ｊを「１００００」に設定する（ステップＳ６２６５）。このようにしてステップＳ６２６２〜ステップＳ６２６５の一連の処理が行われることによって、大当たり遊技が終了してから次の大当たりまで確変遊技状態で遊技が制御されることになる。
【０５６３】
メインＣＰＵ１０１は、確変大当たりではないと判定した場合（ステップＳ６２６１：ＮＯ）、時短遊技フラグを「ＯＮ」に設定し（ステップＳ６２６６）、時短遊技残余回数Ｊを「５０」に設定する（ステップＳ６２６７）。
【０５６４】
このようにしてステップＳ６２６６及びステップＳ６２６７の一連の処理が行われることによって、大当たり遊技が終了してから途中で大当たりが発生しなければ５０回の特別図柄判定が行われるまで時短遊技状態で遊技が制御されることになる。
【０５６５】
［演出制御基板１３０によるタイマ割込み処理］
遊技機１の電源が投入されると、演出制御基板１３０のサブＣＰＵ１３１は、後述するタイマ割込み処理を行う周期であるＣＴＣ周期を設定する。そして、サブＣＰＵ１３１は、演出内容を決定するために用いられる演出乱数等を更新する乱数更新処理をＣＴＣ周期よりも短い所定周期で繰り返す。すなわち、サブＣＰＵ１３１は、遊技機１が起動している間、所定周期で乱数更新処理を繰り返しつつ、ＣＴＣ周期でタイマ割込み処理を繰り返す。
【０５６６】
以下、図４６を参照しつつ、演出制御基板１３０において実行されるタイマ割込み処理について説明する。ここで、図４６は、演出制御基板１３０において実行されるタイマ割込み処理の一例を示すフローチャートである。サブＣＰＵ１３１は、遊技制御基板１００で行われるタイマ割込み処理と同様に、図４６に例示されている一連の処理を一定時間（例えば４ミリ秒）毎に繰り返し実行する。なお、図４６以降のフローチャートに基づいて説明する演出制御基板１３０で行われる処理は、サブＲＯＭ１３２に記憶されているプログラムに基づいてサブＣＰＵ１３１が発行する命令に従って行われる。
【０５６７】
サブＣＰＵ１３１は、まず、遊技制御基板１００からコマンドを受信した場合にそのコマンドに応じた処理を行う処理等を含むコマンド受信処理を実行する（ステップＳ１０）。このコマンド受信処理については、図４７に基づいて後に詳述する。
【０５６８】
ステップＳ１０の処理に続いて、サブＣＰＵ１３１は、コマンド送信処理を実行する（ステップＳ３０）。具体的には、ステップＳ１０の処理によってサブＲＡＭ１３３にセットされたコマンドを画像音響制御基板１４０（及びランプ制御基板１５０）に送信する。このコマンド送信処理が実行されることによって、画像表示や音声出力等による演出の実行が画像音響制御基板１４０に対して指示され、各種ランプの点灯等による演出の実行がランプ制御基板１５０に対して指示される。
【０５６９】
そして、サブＣＰＵ１３１は、データ転送処理を実行する（ステップＳ５０）。具体的には、画像音響制御に関するデータが画像音響制御基板１４０から送信されるので、そのデータをランプ制御基板１５０に転送する。これにより、液晶画面５およびスピーカ２４で行われている演出と同期するように、盤ランプ２５、枠ランプ３７、演出役物７、演出ボタン２６等の演出媒体による演出がランプ制御基板１５０によって制御される。
【０５７０】
［演出制御基板１３０によるコマンド受信処理］
図４７は、図４６のステップＳ１０におけるコマンド受信処理の詳細フローチャートである。図４７に例示されるように、サブＣＰＵ１３１は、まず、遊技制御基板１００から送信されたコマンドを受信したか否かを判定する（ステップＳ１１）。ここで、コマンドを受信していないと判定された場合（ステップＳ１１：ＮＯ）、ステップＳ３０に処理が進められる。
【０５７１】
サブＣＰＵ１３１は、遊技制御基板１００からのコマンドを受信したと判定した場合（ステップＳ１１：ＹＥＳ）、そのコマンドがステップＳ２１９（図３８参照）又はステップＳ２２９（図３９参照）の処理に応じて遊技制御基板１００から送信された保留コマンドであるか否かを判定する（ステップＳ１２）。ここで、保留コマンドではないと判定された場合（ステップＳ１２：ＮＯ）、後述するステップＳ１４に処理が進められる。
【０５７２】
サブＣＰＵ１３１は、受信したコマンドが保留コマンドであると判定した場合（ステップＳ１２：ＹＥＳ）、保留コマンド受信処理を実行する（ステップＳ１３）。この保留コマンド受信処理については、図４８に基づいて後に詳述する。
【０５７３】
サブＣＰＵ１３１は、受信したコマンドが保留コマンドではないと判定した場合（ステップＳ１２：ＮＯ）、そのコマンドがステップＳ３１１（図４１参照）の処理に応じて遊技制御基板１００から送信された変動開始コマンドであるか否かを判定する（ステップＳ１４）。ここで、受信したコマンドが変動開始コマンドではないと判定された場合（ステップＳ１４：ＮＯ）、後述するステップＳ１８に処理が進められる。
【０５７４】
サブＣＰＵ１３１は、受信したコマンドが変動開始コマンドであると判定した場合（ステップＳ１５：ＹＥＳ）、変動開始コマンド受信処理を実行する（ステップＳ１５）。この変動開始コマンド受信処理については、図４９に基づいて後に詳述する。
【０５７５】
サブＣＰＵ１３１は、受信したコマンドが変動開始コマンドではないと判定した場合（ステップＳ１４：ＮＯ）、そのコマンドがステップＳ３１６（図４１参照）の処理に応じて遊技制御基板１００から送信された図柄確定コマンドであるか否かを判定する（ステップＳ１８）。サブＣＰＵ１３１は、図柄確定コマンドであると判定した場合（ステップＳ１８：ＹＥＳ）、装飾図柄の変動表示を終了して図柄変動開始時に実行された特別図柄判定の判定結果を示す装飾図柄を停止表示する処理の実行を指示する変動演出終了コマンドをサブＲＡＭ１３３にセットする（ステップＳ１９）。
【０５７６】
この変動演出終了コマンドがステップＳ３０の処理によって画像音響制御基板１４０およびランプ制御基板１５０に送信されることによって、第１特別図柄判定（又は第２特別図柄判定）の判定結果を示す特別図柄が第１特別図柄表示器４１（又は第２特別図柄表示器４２）に停止表示されるのに伴い、第１特別図柄判定（又は第２特別図柄判定）の判定結果を示す装飾図柄が液晶画面５に停止表示されることになる。
【０５７７】
サブＣＰＵ１３１は、受信したコマンドが図柄確定コマンドではないと判定した場合（ステップＳ１８：ＮＯ）、そのコマンドがランプ制御基板１５０から送信された操作コマンドであるか否かを判定する（ステップＳ２１）。この操作コマンドは、ランプ制御基板１５０のランプＣＰＵ１５１が演出ボタン２６や演出キー２７の操作を検知した場合に、その情報を通知するためにランプ制御基板１５０から送信されるコマンドであり、操作されたのが演出ボタン２６であるか演出キー２７であるかを示す情報、演出キー２７が操作された場合にはどのキーが操作されたかを示す情報等を含むものである。サブＣＰＵ１３１は、操作コマンドを受信したと判定した場合（ステップＳ２１：ＹＥＳ）、操作通知コマンドをサブＲＡＭ１３３Ｍにセットする（ステップＳ２２）。この操作コマンドが画像音響制御基板１４０及びランプ制御基板１５０へ送信されることによって、演出ボタン２６又は演出キー２７の操作に応じた演出や、これらの操作に基づく設定等を実現するための処理が行われる。
【０５７８】
サブＣＰＵ１３１は、受信したコマンドが操作コマンドではないと判定した場合（ステップＳ２１：ＮＯ）、その他の処理を実行する（ステップＳ２３）。
【０５７９】
［演出制御基板１３０による保留コマンド受信処理］
図４８は、図４７のステップ１３における保留コマンド受信処理の詳細フローチャートである。サブＣＰＵ１３１は、受信したコマンドが保留コマンドであると判定した場合（ステップＳ１２：ＹＥＳ）、図４８に例示されるように、サブＲＡＭ１３３に記憶されている特別図柄判定の保留数を「１」加算した値に更新する（ステップＳ１３０）。具体的には、第１特別図柄判定に係る保留コマンドを受信した場合には第１特別図柄判定の保留数を「１」加算した値に更新し、第２特別図柄判定に係る保留コマンドを受信した場合には第２特別図柄判定の保留数を「１」加算した値に更新する。
【０５８０】
次に、サブＣＰＵ１３１は、受信した保留コマンドに事前判定情報が含まれているか否かを判定し（ステップＳ１３１）、事前判定情報が含まれていないと判定した場合には（ステップＳ１３１：ＮＯ）、アイコン表示コマンドをセットする（ステップＳ１３２）。
【０５８１】
このアイコン表示コマンドは、特別図柄判定が保留されたことを示す保留アイコンの表示を指示するコマンドであり、ステップＳ３０のコマンド送信処理によって画像音響制御基板１４０及びランプ制御基板１５０に送信される。このアイコン表示コマンドには入賞始動口情報が含まれており、画像音響制御基板１４０の統括ＣＰＵ１４１は、第１特別図柄判定と第２特別図柄判定とのどちらの特別図柄判定が保留されたかを例えば入賞始動口情報に基づいて特定して、対応する表示領域（第１特別図柄判定の保留であれば第１保留アイコン表示領域５１）に保留アイコンを表示させる。
【０５８２】
なお、受信した保留コマンドに事前判定情報が含まれていない場合、上述した事前判定結果に基づく事前演出を行うことはできない。このため、ステップＳ１３１の処理に続いてステップＳ１３２の処理が行われた場合には、事前判定情報を含まないアイコン表示コマンドがセットされ、これに応じて、保留アイコンとして通常アイコンが表示されることになる。
【０５８３】
一方、サブＣＰＵ１３１は、受信した保留コマンドに事前判定情報が含まれていると判定した場合（ステップＳ１３１：ＹＥＳ）、その事前判定情報をサブＲＡＭ１３３の所定領域に格納する（ステップＳ１３３）。
【０５８４】
次に、サブＣＰＵ１３１は、事前演出抽選を実行する（ステップＳ１３４）。具体的には、まず、事前演出乱数を取得してサブＲＡＭ１３３に格納する。この事前演出乱数は、上述した乱数更新処理が行われる毎に「１」加算され、サブＣＰＵ１３１は、保留コマンドを受信した時点のカウント値を事前演出乱数として取得し、その事前演出乱数が予めサブＲＯＭ１３２に記憶されている事前演出乱数に関する乱数値のいずれかと一致するか否か否かに基づいて、事前演出を実行するか否かを決定する。
【０５８５】
なお、図には示されていないが、サブＲＯＭ１３２に記憶されている第１特別図柄判定の保留に関する乱数値には、以下のような特徴がある。すなわち、第１特別図柄判定の判定結果が「大当たり」である組み合わせに対しては、第１特別図柄判定の判定結果が「ハズレ」である組み合わせよりも、より多くの乱数値が対応付けられている。また、第１特別図柄の変動時間が相対的に長い変動パターンの組み合わせに対しては、第１特別図柄の変動時間が相対的に短い変動パターンの組み合わせよりも、より多くの乱数値が対応付けられている。このため、本実施形態の遊技機１では、大当たり信頼度が高いほど事前演出が実行され易く、逆に、大当たり信頼度が低いほど事前演出が実行され難くなっている。
【０５８６】
サブＣＰＵ１３１は、ステップＳ１３４の抽選結果に基づいて、事前演出を実行するか否かを判定し（ステップＳ１３５）、事前演出を実行すると判定した場合（ステップＳ１３５：ＹＥＳ）、例えば乱数を用いた演出抽選を行って、複数ある事前演出の演出パターンの中からいずれか１つの演出パターンを選択し、選択した事前演出パターンをサブＲＡＭ１３３にセットする（ステップＳ１３６）。
【０５８７】
なお、ここでは、事前演出を実行するか否かを決定する抽選と、事前演出の演出パターンを選択する抽選とが別抽選である場合を例に説明したが、事前演出を実行するか否かと、実行する場合には事前演出をどのような演出パターンで実行するかを、１回の抽選で決定するようにしてもよい。
【０５８８】
サブＣＰＵ１３１は、ステップＳ１３６の処理を実行した場合、サブＲＡＭ１３３にアイコン表示コマンドをセットする（ステップＳ１３２）。このように、ステップＳ１３６の処理に続いてステップＳ１３２の処理が実行されることによって、事前演出パターンを示す情報を含むアイコン表示コマンドがサブＲＡＭ１３３にセットされる。そして、このアイコン表示コマンドが画像音響制御基板１４０へ送信されることによって、事前演出が実現されることになる。
【０５８９】
［演出制御基板１３０による変動開始コマンド受信処理］
図４９は、図４７のステップＳ１５における変動開始コマンド受信処理の詳細フローチャートである。サブＣＰＵ１３１は、遊技制御基板１００から受信したコマンドが変動開始コマンドであると判定した場合（ステップＳ１４：ＹＥＳ）、図４９に例示される一連の処理を実行する。
【０５９０】
すなわち、サブＣＰＵ１３１は、上述した乱数更新処理によって適宜更新される演出乱数に関して、遊技制御基板１００から変動開始コマンドを受信した時点の値を取得してサブＲＡＭ１３３に格納する（ステップＳ１５０）。そして、受信した変動開始コマンドを解析する（ステップＳ１５１）。
【０５９１】
変動開始コマンドには、上述したように、大当たり判定処理の判定結果を示す図柄の設定情報、この図柄の設定情報が第１特別図柄判定に係るものであるか或いは第２特別図柄判定に係るものであるかを示す入賞始動口情報、特別図柄の変動パターンの設定情報、遊技機１の遊技状態を示す情報等が含まれている。したがって、変動開始コマンドを解析することによって、特別図柄判定の種類と結果を特定することができる。すなわち、大当たりであるか或いはハズレであるか、大当たりである場合にはその大当たりの種類が何であるかを特定することができる。また、変動パターンの設定情報に基づいて変動パターンがハズレ用の変動パターンであるか否かを特定することにより、リーチ有り演出とリーチ無し演出のどちらを行う必要があるのかを判断することができる。また、同じく変動パターンの設定情報に基づいて、特別図柄の変動時間を特定することができる。また、遊技状態を示す情報に基づいて、遊技機１の現在の遊技状態を特定することができる。
【０５９２】
変動開始コマンドを解析すると、サブＣＰＵ１３１は、その解析結果に基づいて、受信した変動開始コマンドが「大当たり」に係る変動開始コマンドであるか否かを判定する（ステップＳ１５２）。ここで、「大当たり」に係る変動開始コマンドではないと判定された場合、後述するステップＳ１５４に処理が進められる。
【０５９３】
一方、サブＣＰＵ１３１は、受信した変動開始コマンドが「大当たり」に係る変動開始コマンドであると判定した場合（ステップＳ１５２：ＹＥＳ）、大当たり予告演出パターン設定処理を実行する（ステップＳ１５３）。この大当たり予告演出パターン設定処理については、図５０に基づいて後に詳述する。
【０５９４】
サブＣＰＵ１３１は、ステップＳ１５３の処理を実行した場合、又は受信した変動開始コマンドが「大当たり」に係る変動開始コマンドではないと判定した場合（ステップＳ１５２：ＮＯ）、特別図柄の変動表示に伴って液晶画面５で行われる変動演出の演出パターンを設定する変動演出パターン設定処理を実行する（ステップＳ１５４）。この変動演出パターン設定処理が実行されることによって、装飾図柄の変動態様、リーチ演出の有無、リーチ図柄を構成する装飾図柄の種類、リーチ演出の種類や内容、停止表示される装飾図柄の種類等が決定される。この変動演出パターン設定処理については、図５１に基づいて後に詳述する。
【０５９５】
サブＣＰＵ１３１は、ステップＳ１５４の処理に続いて、ステップアップ演出、セリフ予告といった大当たり信頼度を示唆する信頼度示唆演出の演出パターンを設定する信頼度示唆演出パターン設定処理を実行する（ステップＳ１５５）。この信頼度示唆演出パターン設定処理については、図５２に基づいて後に詳述する。
【０５９６】
次に、サブＣＰＵ１３１は、ステップＳ１５４の処理で設定した変動演出パターンでの変動演出の開始、ステップＳ１５５の処理で設定した信頼度示唆演出パターンでの信頼度示唆演出の実行を指示する変動演出開始コマンドをサブＲＡＭ１３３にセットする（ステップＳ１５７）。
【０５９７】
この変動演出開始コマンドは、少なくとも、ステップＳ１５４の処理によって設定された変動演出パターンを示す情報と、ステップＳ１５５の処理によって設定された信頼度示唆演出パターンを示す情報とを含むものであり、ステップＳ３０のコマンド送信処理によって画像音響制御基板１４０及びランプ制御基板１５０に送信される。これにより、演出制御基板１３０において演出パターンが決定された変動演出および信頼度示唆演出が、画像音響制御基板１４０及びランプ制御基板１５０によって実現されることになる。
【０５９８】
なお、後述する大当たり予告演出パターン設定処理によって、大当たり予告に係る設定情報がサブＲＡＭ１３３にセットされた場合には、この設定情報を含む変動演出開始コマンドが画像音響制御基板１４０及びランプ制御基板１５０に送信される。これにより、サブＣＰＵ１３１が設定した大当たり予告が実現されることになる。
【０５９９】
ステップＳ１５７の処理に続いて、サブＣＰＵ１３１は、サブＲＡＭ１３３に記憶されている保留数を「１」減算する（ステップＳ１５８）。具体的には、遊技制御基板１００から受信した変動開始コマンドが第１特別図柄判定に係るコマンドである場合には、第１特別図柄判定の保留数を「１」減算した値に更新する。一方、受信した変動開始コマンドが第２特別図柄判定に係るコマンドである場合には、第２特別図柄判定の保留数を「１」減算した値に更新する。
【０６００】
［演出制御基板１３０による大当たり予告演出パターン設定処理］
図５０は、図４９のステップＳ１５３における大当たり予告演出パターン設定処理の詳細フローチャートである。サブＣＰＵ１３１は、受信した変動開始コマンドが「大当たり」に係る変動開始コマンドであると判定した場合（ステップＳ１５２：ＹＥＳ）、図５０に例示されるように、大当たり予告乱数を取得してサブＲＡＭ１３３に格納する（ステップＳ１５３０）。大当たり予告乱数は、大当たり予告を実行するか否かを決定するための乱数であり、上述した乱数更新処理が行われる毎に「１」加算される。サブＣＰＵ１３１は、大当たりに係る変動開始コマンドを受信したと判定した時点のカウント値を大当たり予告乱数として取得してサブＲＡＭ１３３に格納する。
【０６０１】
次に、サブＣＰＵ１３１は、遊技状態と変動パターンに対応する大当たり予告種別選択テーブルをサブＲＯＭ１３２から読み出して、サブＲＡＭ１３３にセットする（ステップＳ１５３１）。上記の通り、受信した変動開始コマンドには、大当たり判定処理の判定結果を示す図柄の設定情報、この図柄の設定情報が第１特別図柄判定に係るものであるか或いは第２特別図柄判定に係るものであるかを示す入賞始動口情報、特別図柄の変動パターンの設定情報、遊技機１の遊技状態を示す情報等が含まれている。サブＣＰＵ１３１は、変動開始コマンドに含まれているこれらの情報に基づいて、以下の処理を実行する。
【０６０２】
すなわち、サブＣＰＵ１３１は、第１特別図柄判定の判定結果が「大当たり」であり、且つ第１特別図柄の変動パターンが変動パターンＢであることを特定した場合、サブＲＯＭ１３２から第１大当たり予告種別選択テーブル（図２９（Ａ）参照）を読み出してサブＲＡＭ１３３にセットする。
【０６０３】
また、サブＣＰＵ１３１は、第１特別図柄判定の判定結果が「大当たり」であり、且つ第１特別図柄の変動パターンが変動パターンＣであることを特定した場合、サブＲＯＭ１３２から第２大当たり予告種別選択テーブル（図２９（Ｂ）参照）を読み出してサブＲＡＭ１３３にセットする。
【０６０４】
また、サブＣＰＵ１３１は、第１特別図柄判定の判定結果が「大当たり」であり、且つ第１特別図柄の変動パターンが変動パターンＤ（又は変動パターンＥ）であることを特定した場合、サブＲＯＭ１３２から第３大当たり予告種別選択テーブル（図２９（Ｃ）参照）を読み出してサブＲＡＭ１３３にセットする。
【０６０５】
また、サブＣＰＵ１３１は、第２特別図柄判定の判定結果が「大当たり」であり、且つ第２特別図柄の変動パターンが変動パターンＭ（又は変動パターンＮ）であることを特定した場合、サブＲＯＭ１３２から第４大当たり予告種別選択テーブル（図２９（Ｄ）参照）を読み出してサブＲＡＭ１３３にセットする。
【０６０６】
以上が、通常モードに設定されている場合の処理であり、大当たり予告アップモードに設定されている場合には、図３４に基づいて上述した大当たり予告アップモード用の４つの選択テーブルのうちのいずれか１つの選択テーブルをサブＲＯＭ１３２から読み出してサブＲＡＭ１３３にセットする。
【０６０７】
ステップＳ１５３１の処理に続いて、サブＣＰＵ１３１は、大当たり予告演出種別選択処理を実行する（ステップＳ１５３２）。この大当たり予告演出種別選択処理は、ステップＳ１５３１の処理でセットした選択テーブルから、ステップＳ１５３０の処理で取得した大当たり予告乱数に対応する大当たり予告種別を読み出すことによって、各大当たり予告を実行するか否かを決定し、大当たり予告を実行する場合にどの大当たり予告を実行するかを決定する処理である。この大当たり予告演出種別選択処理は、図２９等に基づいて上述した通りであるため、ここでの詳細な説明は省略する。
【０６０８】
次に、ステップＳ１５３２の処理結果に基づいて、サブＣＰＵ１３１は、大当たり予告を実行するか否かを判断する（ステップＳ１５３３）。ここで、大当たり予告を実行しないと判断された場合（ステップＳ１５３３：ＮＯ）、すなわち、セットした選択テーブルから読み出した大当たり予告種別が、いずれも大当たり予告なしに相当するものである場合、一連の大当たり予告演出パターン設定処理が終了して、ステップＳ１５４の変動演出パターン設定処理に処理が進められる。
【０６０９】
一方、サブＣＰＵ１３１は、大当たり予告を実行すると判断した場合（ステップＳ１５３３）、その大当たり予告が、同一変動内で複数回実行可能であるか否かを判断する（ステップＳ１５３４）。具体的には、各大当たり予告のそれぞれに関して、同一変動内で実行可能な最大回数を示す情報がサブＲＯＭ１３２に記憶されており、サブＣＰＵ１３１は、実行すると決定した大当たり予告に関して、上記の情報を参照して、同一変動内で複数回実行可能であるか否かを判断する。なお、複数種の大当たり予告を実行すると判断した場合には、これらの大当たり予告のそれぞれに関して、ステップＳ１５３４の判断処理を行う。
【０６１０】
サブＣＰＵ１３１は、実行すると決定した大当たり予告が同一変動内で複数回実行可能であると判断した場合（ステップＳ１５３４：ＹＥＳ）、実行回数および実行タイミングを選択する（ステップＳ１５３５）。具体的には、例えば、同一変動内の第１実行タイミングと第２実行タイミングにて実行可能な大当たり予告の場合、第１実行タイミングのみで大当たり予告を実行する第１のパターンと、第２実行タイミングのみで大当たり予告を実行する第２のパターンと、第１実行タイミングおよび第２実行タイミングの両方で大当たり予告を実行する第３のパターンのそれぞれに対して、予め乱数値を対応付けておく。そして、第１のパターンから第３のパターンのいずれかを選択するための乱数を取得して、取得した乱数がどのパターンに対応するかに基づいて、大当たり予告の実行回数および実行タイミングを選択する。例えば、第１のパターンに対応する乱数を取得した場合、実行回数が１回であり且つ第１実行タイミングを選択する。また、例えば、第３パターンに対応する乱数を取得した場合、実行回数が２回であり且つ第１実行タイミングと第２タイミングの両方を選択する。
【０６１１】
なお、本実施形態では、同一変動内で３回以上実行可能な大当たり予告も用意されているが、この大当たり予告についても、同様の要領で実行回数および実行タイミングを選択する。
【０６１２】
サブＣＰＵ１３１は、ステップＳ１５３５の処理を実行した場合、又は、実行すると決定した大当たり予告が同一変動内で複数回実行可能ではないと判断した場合（ステップＳ１５３４：ＮＯ）、ステップＳ１５３２の大当たり予告種別選択処理の結果を示す情報を、大当たり予告演出の設定情報としてサブＲＡＭ１３３にセットする（ステップＳ１５３６）。なお、ステップＳ１５３６の処理に先立ってステップＳ１５３５の処理を実行している場合には、実行回数および実行タイミングの選択結果を示す情報を更に含む大当たり予告演の設定情報をセットする。
【０６１３】
この大当たり予告の設定情報は、変動演出開始コマンドに含まれて、ステップＳ３０のコマンド送信処理によって画像音響制御基板１４０及びランプ制御基板１５０に送信される。これにより、大当たり予告の設定情報に対応する大当たり予告が、画像音響制御基板１４０及びランプ制御基板１５０によって実現されることになる。
【０６１４】
［演出制御基板１３０による変動演出パターン設定処理］
図５１は、図４９のステップＳ１５４における変動演出パターン設定処理の詳細フローチャートである。サブＣＰＵ１３１は、ステップＳ１５３の処理を実行した場合、又は受信した変動開始コマンドが「大当たり」に係る変動開始コマンドではないと判定した場合（ステップＳ１５２：ＮＯ）、液晶画面５に最終的に停止表示（本停止）させる装飾図柄を設定する（ステップＳ１５４０）。
【０６１５】
具体的には、遊技制御基板１００から受信した変動開始コマンドに含まれている図柄の設定情報に基づいて、図柄変動の終了時に大当たりを示す特別図柄が停止表示されるのか、或いはハズレを示す特別図柄が停止表示されるのかを特定し、大当たりを示す特別図柄が停止表示される場合には、その特別図柄が確変大当たりに係る大当たり図柄であるのか、或いは通常大当たりに係る大当たり図柄であるのかを特定する。そして、確変大当たりを示す大当たり図柄が停止表示されることを特定した場合には、確変大当たりを報知するための装飾図柄を設定する。なお、本実施形態では、第１特別図柄判定に係る確変大当たりとして、１６Ｒ確変大当たりと６Ｒ確変大当たりが用意されている（図６（Ｂ）参照）。このため、１６Ｒ確変に対応する大当たり図柄Ｘ１が停止表示される場合には、「７７７」の装飾図柄を設定し、６Ｒ確変に対応する大当たり図柄Ｘ２が停止表示される場合には、「７７７」以外の装飾図柄を設定する。また、６Ｒ通常に対応する大当たり図柄Ｘ３が停止表示される場合には、奇数図柄のゾロ目を示す装飾図柄を設定する。これらのことは、第２特別図柄判定に係る大当たりを報知する場合についても同様である。一方、ハズレを示す特別図柄が停止表示されることを特定した場合には、ハズレを報知するための装飾図柄を設定する。このハズレを報知するための装飾図柄は、バラケ目またはリーチハズレ目である。
【０６１６】
サブＣＰＵ１３１は、ステップＳ１５４０の処理に続いて、装飾図柄の変動表示を含む変動演出の変動演出パターンを選択するための変動演出パターン選択テーブルをサブＲＯＭ１３２から読み出してサブＲＡＭ１３３にセットする（ステップＳ１５４１）。なお、サブＲＯＭ１３２には、大当たり用の変動演出パターン選択テーブルとハズレ用の変動演出パターンとが記憶されており、大当たりに係る変動開始コマンドを受信した場合には、大当たり用の変動演出パターン選択テーブルを読み出してサブＲＡＭ１３３にセットし、ハズレに係る変動開始コマンドを受信した場合には、ハズレ用の変動演出パターン選択テーブルを読み出してサブＲＡＭ１３３にセットする。
【０６１７】
続いて、サブＣＰＵ１３１は、変動演出パターンを設定する（ステップＳ１５４２）。具体的には、変動演出パターン選択テーブルは、特別図柄の変動パターン毎に用意されている。図１７に例示される確変大当たりに係る変動パターンＡを示す設定情報を含む変動開始コマンドを受信した場合、リーチ成立前に突当たりとなる変動演出パターンＡを設定するための変動演出パターンＡ用変動演出パターン選択テーブルをセットする。変動演出パターンＡ用変動演出パターン選択テーブルでは、４種類の変動演出パターンＡが規定されており、それぞれの変動演出パターンＡに対して、互いに異なる演出乱数が対応付けられている。
【０６１８】
ここで、１つ目の変動演出パターンは、左図柄、中図柄、右図柄の順で各列の装飾図柄の変動表示を開始してから突当たり演出を行う変動演出パターンＡである。２つ目の変動演出パターンは、左図柄、右図柄、中図柄の順で各列の装飾図柄の変動表示を開始してから突当たり演出を行う変動演出パターンＡである。３つ目の変動演出パターンは、右図柄、中図柄、左図柄の順で各列の装飾図柄の変動表示を開始してから突当たり演出を行う変動演出パターンＡである。４つ目の変動演出パターンは、３列の装飾図柄の変動表示を同時に開始してから突当たり演出を行う変動演出パターンＡである。
【０６１９】
サブＣＰＵ１３１は、サブＲＡＭ１３３にセットした変動演出パターン選択テーブルから、ステップＳ１５０の処理で取得した演出乱数に対応する１の変動演出パターンを読み出してその情報をサブＲＡＭ１３３にセットすることによって、１の変動演出パターンを設定する。
【０６２０】
なお、変動パターンＡ以外の変動パターンに対応する変動演出パターンについても、それぞれ複数の変動演出パターンが用意されていて、上述した変動演出パターンＡと同じ要領で、１の変動演出パターンが設定される。
【０６２１】
また、ステップＳ１５４２の変動演出パターンを設定する処理では、リーチ演出を行う場合にどの図柄でリーチを成立させるか、ノーマルリーチ中やキャラＳＰリーチ中、ＳＰＳＰリーチ中にリーチ図柄としてどの装飾図柄を擬似停止させるか等も併せて決定される。この処理に応じて、通常遊技状態のときに７図柄リーチが成立した場合には、大当たり信頼度が１００％ではないものの、大当たり遊技が実行される確率が相対的に高いことが示唆される。一方、確変遊技状態のときに７図柄リーチが成立した場合には、その時点で１６Ｒ確変が濃厚となり、７図柄リーチが大当たり予告として機能する。
【０６２２】
［演出制御基板１３０による信頼度示唆演出パターン設定処理］
図５２は、図４９のステップＳ１５５における信頼度示唆演出パターン設定処理の詳細フローチャートである。サブＣＰＵ１３１は、図４９のステップＳ１５４の処理に続いて、図５２に例示されるように、信頼度示唆演出を用いる大当たり予告の設定があるか否かを判定する（ステップＳ１５５０）。具体的には、ステップＳ１５３６（図５０参照）の処理に応じて大当たり予告の設定情報がサブＲＡＭ１３３にセットされている場合に、その設定情報に、信頼度示唆演出を用いる大当たり予告に係る設定情報が含まれているか否かを判定する。例えば、タイトル表示、文字表示、カットイン等の信頼度示唆演出は、それぞれ、虹色タイトル表示、虹色文字表示、虹色カットインとして実行されることで、大当たり予告として機能する場合がある。このため、大当たり予告の設定情報に、虹色タイトル表示、虹色文字表示、虹色カットイン等の設定情報が含まれている場合には、ステップＳ１５５０の処理で「ＹＥＳ」と判定される。
【０６２３】
サブＣＰＵ１３１は、信頼度示唆演出を用いる大当たり予告の設定があると判定した場合（ステップＳ１５５０：ＹＥＳ）、大当たり予告の設定情報に虹色タイトル表示の設定が含まれているか否かを判定する（ステップＳ１５５１）。ここで、虹色タイトル表示の設定が含まれていると判定した場合（ステップＳ１５５１：ＹＥＳ）、タイトル表示の表示色を虹色に設定して、その設定情報をサブＲＡＭ１３３にセットする（ステップＳ１５５２）。一方、虹色タイトル表示の設定が含まれていないと判定された場合（ステップＳ１５５１：ＮＯ）、後述するステップＳ１５５３に処理が進められるが、信頼度示唆演出としてタイトル表示を行う場合には、その表示色が青色又は赤色に設定される。
【０６２４】
このことから明らかなように、タイトル表示は、青色又は赤色で表示されることによって、普段は、大当たり信頼度の高低を示唆する信頼度示唆演出として機能するが、虹色で表示されることによって、大当たり遊技が実行されることを確定的に予告する大当たり予告として機能する（図２３参照）。
【０６２５】
サブＣＰＵ１３１は、ステップＳ１５５２の処理を実行した場合、又は虹色タイトル表示の設定がないと判定した場合（ステップＳ１５５１：ＮＯ）、大当たり予告の設定情報に虹色カットインの設定が含まれているか否かを判定する（ステップＳ１５５３）。ここで、虹色カットインの設定が含まれていると判定した場合（ステップＳ１５５３：ＹＥＳ）、カットインの表示色を虹色に設定して（図２６（Ｄ）参照）、その設定情報をサブＲＡＭ１３３にセットする（ステップＳ１５５４）。一方、虹色カットインの設定が含まれていないと判定された場合（ステップＳ１５５３：ＮＯ）、後述するステップＳ１５５５に処理が進められるが、信頼度示唆演出として操作に応じたカットインを行う場合には、その表示色が青色又は赤色に設定される（図２６（Ｂ）及び（Ｃ）参照）。
【０６２６】
このことから明らかなように、カットインは、青色又は赤色で表示されることによって、普段は、大当たり信頼度の高低を示唆する信頼度示唆演出として機能するが、虹色で表示されることによって、大当たり遊技が実行されることを確定的に予告する大当たり予告として機能する（図２６参照）。
【０６２７】
サブＣＰＵ１３１は、ステップＳ１５５４の処理を実行した場合、又は虹色カットインの設定がないと判定した場合（ステップＳ１５５３：ＮＯ）、大当たり予告の設定情報に虹色文字表示の設定が含まれているか否かを判定する（ステップＳ１５５５）。ここで、虹色文字表示の設定が含まれていると判定した場合（ステップＳ１５５５：ＹＥＳ）、文字表示の表示色を虹色に設定して、その設定情報をサブＲＡＭ１３３にセットする（ステップＳ１５５６）。一方、虹色文字表示の設定が含まれていないと判定された場合（ステップＳ１５５５：ＮＯ）、ステップＳ１５５７に処理が進められるが、信頼度示唆演出として文字表示を行う場合には、その表示色が青色又は赤色に設定される。
【０６２８】
このことから明らかなように、文字表示は、青色又は赤色で表示されることによって、普段は、大当たり信頼度の高低を示唆する信頼度示唆演出として機能するが、虹色で表示されることによって、大当たり遊技が実行されることを確定的に予告する大当たり予告として機能する（図２５参照）。
【０６２９】
サブＣＰＵ１３１は、ステップＳ１５５６の処理を実行した場合、信頼度示唆演出を用いる大当たり予告の設定がないと判定した場合（ステップＳ１５５０：ＮＯ）、又は大当たり予告の設定情報に虹色文字表示の設定が含まれていないと判定した場合（ステップＳ１５５５：ＮＯ）、他の信頼度示唆演出の演出パターンを設定する（ステップＳ１５５７）。具体的には、他の信頼度示唆演出として、セリフ予告、ステップアップ予告などの大当たりに対する信頼度を示唆する各種の信頼度示唆演出を実行するか否かを決定し、信頼度示唆演出を実行する場合にはどのような態様で実行するかを決定する処理等を行う。
【０６３０】
信頼度示唆演出に、信頼度（大当たり期待度及び大当たりである場合に確変遊技状態に移行する期待度）が異なる複数の演出態様がある場合、特別図柄判定の判定結果が確変大当たり又は通常大当たりである場合には、概ね、信頼度の高い演出態様が選択され易く、信頼度の低い演出態様が選択され難い傾向がある（必ず信頼度の高い演出態様で実行されてもよい）。また、特別図柄判定の判定結果がハズレである場合には、信頼度の高い演出態様が選択され難く、信頼度の低い演出態様が選択され易かったり、信頼度示唆演出が実行されなかったりし易い傾向がある（必ず信頼度の低い演出態様で実行されてもよい）。これらのことから、例えば、ＳＰＳＰリーチが実行される変動パターンが選択されたような場合、ある信頼度示唆演出（例えばタイトル表示）が信頼度の高い演出態様（この場合は赤色タイトル表示：図２４（Ｂ））で実行されると、他の信頼度示唆演出（例えばカットイン）も信頼度の高い演出態様（この場合は赤カットイン：図２６（Ｃ））で実行され易いと言える。また、例えば、ノーマルリーチ演出しか実行されない変動パターンが選択されたような場合、ある信頼度示唆演出が信頼度の低い演出態様で実行されると、他の信頼度示唆演出も信頼度の低い演出態様で実行され易いと言える。このように、何れの信頼度示唆演出も、特別図柄の変動時間が長いほど信頼度の高い演出態様で実行され易く、逆に、特別図柄の変動時間が短いほど信頼度の低い演出態様で実行され易かったり実行されなかったりし易い。
【０６３１】
［画像音響制御基板１４０によるタイマ割込み処理］
次に、図５３を参照しつつ、画像音響制御基板１４０において実行されるタイマ割込み処理について説明する。ここで、図５３は、画像音響制御基板１４０において実行されるタイマ割込み処理の一例を示すフローチャートである。画像音響制御基板１４０は、電源投入時や電源断時等の特殊な場合を除く通常の動作時において、図５３に例示されている一連の処理を一定時間（例えば３３ミリ秒）毎に繰り返し実行する。
【０６３２】
まず、統括ＣＰＵ１４１は、演出制御基板１３０から受信したコマンドに基づいて液晶画面５における画像表示を制御する画像出力制御処理を実行する（ステップＳ４１）。この画像出力制御処理については、図５４に基づいて後に詳述する。
【０６３３】
ステップＳ４１の処理に続いて、統括ＣＰＵ１４１は、液晶画面５で行われる演出表示と同期するように或いは非同期に、スピーカ２４から各種の演出音を出力させるための演出音出力制御処理を実行する（ステップＳ４２）。大当たり予告として一発告知の設定に関する情報を含む変動演出開始コマンドが演出制御基板１３０から送信された場合に、このステップＳ４２の処理が実行されることで、一発告知に用いられる特殊演出音がスピーカ２４から出力されることになる。
【０６３４】
ステップＳ４２の処理に続いて、統括ＣＰＵ１４１は、データ送信制御処理を実行する（ステップＳ４４）。具体的には、画像音響制御基板１４０において行われる画像音響制御に関するデータを演出制御基板１３０に送信する。これに対して、演出制御基板１３０は、画像音響制御基板１４０から受信したデータをランプ制御基板１５０に転送する。これにより、液晶画面５およびスピーカ２４によって実行される演出と同期するように、枠ランプ２５や演出ボタン２６、演出役物７等が制御される。すなわち、例えば、図１１（Ａ）や図１５（Ｇ）に例示されている勝利示唆演出に際して演出役物７を虹色発光させながら回動させる処理が行われる。
【０６３５】
［画像音響制御基板１４０による画像出力制御処理］
図５４は、図５３のステップＳ４１における画像出力制御処理の詳細フローチャートである。統括ＣＰＵ１４１は、まず、演出制御基板１３０から送信されたコマンドを受信したか否かを判定する（ステップＳ４１１）。ここで、コマンドを受信していないと判定された場合（ステップＳ４１１：ＮＯ）、上記ステップＳ４２に処理が進められる。
【０６３６】
一方、統括ＣＰＵ１４１は、演出制御基板１３０からのコマンドを受信したと判定した場合（ステップＳ４１１：ＹＥＳ）、そのコマンドに含まれている設定情報を制御用ＲＡＭ１４３にセットする（ステップＳ４１２）。次に、統括ＣＰＵ１４１は、セットした設定情報に基づいて、液晶画面５に各種の演出画像をどのように表示すべきかを判断し、ＶＤＰ１４４の描画処理を制御するためのディスプレイリストを作成して制御用ＲＡＭ１４３に格納し（ステップＳ４１３）、そのディスプレイリストをディスプレイリスト記憶領域にセットする（ステップＳ４１４）。
【０６３７】
ここで、ディスプレイリストは、フレーム単位で描画の実行を指示するためのコマンド群で構成されており、描画する画像の種類、画像を描画する位置（座標）、表示の優先順位、表示倍率、回転角、透過率等の各種パラメータを含むものである。ディスプレイリスト記憶領域は、画像データを高速に書き込んだり読み出したりすることができるＳＲＡＭを有するＶＲＡＭに設けられており、ＶＤＰ１４４は、ディスプレイリスト記憶領域にセットされたディスプレイリストに基づいて、液晶画面５に表示される画像の描画処理を実行する。
【０６３８】
［本実施形態の作用効果］
本実施形態によれば、例えば、変動パターンＡが選択された場合と変動パターンＢが選択された場合とで、大当たり予告の実行確率が互いに異なる。このため、遊技者は、大当たり予告の実行確率がより高い方の変動パターンで特別図柄が変動表示されることを期待しながら遊技を楽しむことができる。
また、例えば、変動パターンＡが選択された場合と変動パターンＢが選択された場合とで実行される大当たり予告が互いに異なるので、これらの変動パターンで共通する大当たり予告が実行されることによって大当たり予告の出現率が必要以上に高くなってしまい、結果として大当たり予告の興趣性が低下してしまうといった問題が生じるのを効果的に抑制することができる。
また、例えば、変動パターンＢが選択された場合にはノーマルリーチが実行される一方で、変動パターンＡが選択された場合にはノーマルリーチが実行されないので、遊技者は、ノーマルリーチが実行されるか否かに基づいて、出現する可能性のある大当たり予告を識別することが可能である。
【０６３９】
また、本実施形態では、例えば、変動パターンＡが選択された場合、変動パターンＢが選択された場合に実行され得る大当たり予告（本実施形態では「プレミアキャラ演出」）が実行されないため、大当たり予告の実行確率が必要以上に高くなってしまうといった問題が生じるのをより効果的に抑制することができる。
【０６４０】
また、本実施形態では、例えば、変動パターンＢが選択された場合、変動パターンＡが選択された場合に実行され得る突当たり演出が実行されないため、大当たり予告の実行確率が必要以上に高くなってしまうといった問題が生じるのをより効果的に抑制することができる。
【０６４１】
また、本実施形態では、突当たり演出が実行されると、大当たり遊技が実行された後に確変遊技状態で遊技が制御される確率の方が、通常遊技状態で遊技が制御される確率よりも高い。このため、変動パターンＡが選択されて突当たり演出が実行されることを遊技者に効果的に期待させることができる。
【０６４２】
また、本実施形態では、例えば、変動パターンＡが選択された場合と変動パターンＢが選択された場合の両方で、例えば装飾図柄の高速変動といった共通演出が実行される。このため、どちらの変動パターンが選択されたのか、突当たり演出とプレミアキャラ演出のどちらが実行される可能性があるかが分かり難くなり、結果として、興趣性の向上を図ることができる。
【０６４３】
また、本実施形態では、例えば、大当たり予告が実行されてから当たり報知演出が実行されるまでの第３時間と、プレミアキャラ演出が実行されてから当たり報知演出が実行されるまでの第４時間とが互いに異なる。このため、例えば第３時間が第４時間よりも短い場合に、突当たり演出が行われてから割と直ぐに大当たり遊技の実行が報知されたという印象を遊技者に与えることができ、結果として高い演出効果を得ることができる。
【０６４４】
また、本実施形態では、変動パターンＡに対して同一変動内で突当たり演出が実行される回数と、他の変動パターンに対して他の大当たり予告が実行される回数とが互いに異なるので、大当たり予告が多彩になり、結果として演出効果を向上させることが可能である。
【０６４５】
また、本実施形態では、実行タイミングが１つしかない突当たり演出の他に、実行タイミングが複数ある大当たり予告を実行可能である。このため、第１実行タイミングでは大当たり予告を実行せずに第２実行タイミングで大当たり予告を実行することによって、第１実行タイミングで大当たり予告が実行されなかったことに基づいて、大当たり予告が実行されないと思っていた遊技者に対して、驚きと喜びとを感じさせることができ、結果として、高い演出効果を得ることができる。
【０６４６】
また、本実施形態では、変動パターンＣが選択された場合に、争奪演出の結果演出として、奪取成功演出または奪取失敗演出が行われる。ここで、奪取成功演出は、大当たり遊技が実行されることを予告する大当たり予告として機能するため、遊技者は、奪取成功演出が実行されることを期待しながら遊技を楽しむことができる。
【０６４７】
また、本実施形態では、リーチ成立を報知する演出やリーチ演出が実行されると、突当たり演出が実行されることなく、他の大当たり予告が実行され易い（大当たりの場合は必ず実行されてもよい）。このため、遊技者は、リーチ成立やリーチ演出が開始されて以降は、突当たり演出とは異なる他の大当たり予告の出現を期待しながら遊技を楽しむことができる。
【０６４８】
また、本実施形態では、複数の演出態様をとり得るカットインの一態様が、大当たり予告として機能する。このため、遊技者は、カットインとして青色カットインや赤色カットインではなく、虹色カットインが発生することを期待しながら遊技を楽しむことができる。
【０６４９】
また、本実施形態では、事前演出が実行された場合の方が、事前演出が実行されない場合に比べて、大当たり予告が実行され易い（大当たりの場合は必ず実行されてもよい）。このため、事前演出を実行することによって、当該変動が開始される前から、大当たり予告の出現を遊技者に期待させることができる。
【０６５０】
また、本実施形態では、例えば、突当たり演出では、大当たり遊技が実行されることに加えて、大当たり遊技終了後に確変遊技状態で遊技が制御されることが示唆される。このため、単に大当たり遊技が実行されることのみを示唆する場合に比べて、遊技者の喜びを増大させることができ、結果として高い演出効果を得ることが可能である。
【０６５１】
また、本実施形態では、通常遊技状態で遊技が制御されているときには、確変遊技状態で遊技が制御されているときとは異なる大当たり予告を実行可能である。このため、これらの遊技状態で共通する大当たり予告を実行する場合に比べて、大当たり予告のバリエーションを向上させることができ、また、共通する大当たり予告が実行されることで、大当たり予告そのものが単調になってしまうのを効果的に抑制することができる。
【０６５２】
また、本実施形態では、大当たり予告アップモードに設定されると、突当たり演出や奪取成功演出の実行確率は変化しないものの、他の大当たり予告の実行確率がアップする。このため、遊技者は、他の大当たり予告を楽しみ易くなる。一方で、突当たり演出や奪取成功演出の実行確率が変化しないので、これらの大当たり予告の希少価値が低下するのを効果的に抑制できる。
【０６５３】
また、本実施形態では、遊技者による操作に応じて大当たり予告の１つである虹色カットインが実行される。このため、遊技者に対して操作を行う動機付けを与えることができ、遊技者は、自身が操作を行うことで、自分で大当たりを引き当てたような感覚を抱くことができ、結果として、高い演出効果を得ることができる。
【０６５４】
また、本実施形態では、例えば、変動パターンＤと変動パターンＥとで、共通する大当たり予告（虹色タイトル表示や虹色カットイン、虹白文字表示）を実行可能である。このため、結果としてこれらの大当たり予告の出現率が上昇し、遊技者が大当たり予告を楽しみ易くなるという利点がある。
【０６５５】
［大当たり予告に関する第１の変形例］
次に、図５５を参照しつつ、大当たり予告の第１の変形例について説明する。ここで、図５５は、第１ミッション演出の具体例を示す画面図である。
【０６５６】
例えば、特別図柄の変動表示が開始されてから所定時間（例えば１０秒）が経過するまでの第１の特定期間において、所定のキャラクタが『「４」でリーチをかけて！』といった第１のミッションを提示する演出を行い（図５５（Ａ）参照）、図柄変動開始時に行われた特別図柄判定の判定結果が「大当たり」である場合に、この第１の特定期間中に４図柄でリーチが成立するというミッション成功演出を行い、このミッション成功演出を大当たり予告として機能させてもよい（図５５（Ｃ）及び（Ｄ）参照）。
【０６５７】
一方、特別図柄判定の判定結果が「ハズレ」である場合には、ミッション成功演出を実行せずに、提示されたミッションに失敗する様子を表すミッション失敗演出を実行する（図５５（Ｂ）参照）。なお、図５５（Ｂ）には、４図柄でリーチが成立せずに、所定のキャラクタが「残念・・・」といったセリフを発している様子が例示されている。
【０６５８】
第１のミッションを提示する演出中、ミッション成功演出中、及びミッション失敗演出中には、第１態様の装飾図柄を表示してもよいし、第２態様の装飾図柄を表示してもよい。
【０６５９】
このように、特定期間中に実行される演出（ここではミッション成功演出）を、大当たり予告として実行してもよい。なお、特別図柄判定の判定結果が「大当たり」である場合に、変動時間が第１時間である第１の変動パターンが選択されるときと、変動時間が第１時間よりも長い第２時間である第２の変動パターンが選択されるときとがあるという状況において、第２の変動パターンで特別図柄が変動表示されているときに、図５５に例示される第１ミッション演出、及びそれに続くミッション成功演出を実行することが考えられる。なお、他の実施形態においては、第１の変動パターンで第１特別図柄が変動表示されているときに、第１ミッション演出およびミッション成功演出を実行してもよい。
【０６６０】
［大当たり予告に関する第２の変形例］
次に、図５６を参照しつつ、大当たり予告の第２の変形例について説明する。ここで、図５６は、第２ミッション演出の具体例を示す画面図である。
【０６６１】
例えば、特別図柄の変動表示が開始されてから所定時間（例えば６０秒）が経過するまでの第２の特定期間において、リーチが成立した状態で「連打で敵を殲滅せよ！！」といった第２のミッションを提示する演出を行う（図５６（Ａ）参照）。この第２のミッションが提示されると、液晶画面５では、敵の残りの数を報知する演出表示と、演出ボタン２６を模したボタン画像の表示と、遊技者に連打を促す「連打！」の文字表示と、有効期間の残り時間を示すゲージ画像表示とが行われる。これに対して、図柄変動開始時に行われた特別図柄判定の判定結果が「大当たり」である場合に、この第２の特定期間中に、連打に応じて敵の残りが「０」体となって敵の殲滅に成功するというミッション成功演出を行い、このミッション成功演出を大当たり予告として機能させてもよい（図５６（Ｃ）及び（Ｄ）参照）。
【０６６２】
一方、特別図柄判定の判定結果が「ハズレ」である場合には、ミッション成功演出を実行せずに、提示されたミッションに失敗する様子を表すミッション失敗演出を実行する（図５６（Ｂ）参照）。なお、図５６（Ｂ）には、「残り０秒」という第２の特定期間が終了したことを示す演出表示と、第２の特定期間の終了時に敵があと「５０」体残っていることを示す演出表示と、有効期間が終了したことを示すゲージ画像等が表示された様子が例示されている。
【０６６３】
なお、この第２ミッション演出と、その結果演出であるミッション成功演出とは、上記第２の変動パターンで特別図柄が変動表示されているときに行ってもよいし、上記第１の変動パターンで特別図柄が変動表示されているときに行ってもよい。
【０６６４】
また、第２のミッションを提示する演出中、ミッション成功演出中、及びミッション失敗演出中には、第１態様の装飾図柄を表示してもよいし、第２態様の装飾図柄を表示してもよい。
【０６６５】
［その他の変形例］
なお、本発明は上記実施形態に限定されるものではなく、例えば以下の形態であってもよい。すなわち、上記実施形態では、本発明をいわゆる１種タイプのパチンコ遊技機に適用した場合について説明したが、本発明を、１種２種混合タイプのパチンコ遊技機などの他の遊技機に適用してもよい。
【０６６６】
また、本実施形態では、各種の大当たり予告の大当たり信頼度が１００％である場合について説明したが、大当たり予告の大当たり信頼度は、相対的に高い値であれば必ずしも１００％である必要はなく、例えば、９９．９９９９％といった１００％以外の値であってもよい。
【０６６７】
また、上記実施形態において説明した遊技機１の構成や各部材の動作態様は単なる一例に過ぎず、他の構成や動作態様であっても本発明を実現できることは言うまでもない。また、上述したフローチャートにおける処理の順序、設定値、判定に用いられる閾値等は単なる一例に過ぎず、本発明の範囲を逸脱しなければ他の順序や値であっても、本発明を実現できることは言うまでもない。上記実施形態で例示した画面図等も単なる一例であって、他の態様であってもよい。
【０６６８】
［第２実施形態］
次に、第２実施形態を説明する。第２実施形態においては、リーチ成立前に複数種類の信頼度示唆演出および大当たり予告が実行される場合について説明する。なお、以下の説明では、第１実施形態と共通する構成や処理については同じ名称、参照符号、及びステップ番号を付して説明を省略し、主に第１実施形態と異なる点について説明する。
【０６６９】
［演出モード］
第２実施形態の遊技機１では、大当たり遊技中を除き、現在の遊技状態に対応した３種類の演出モードのうちの何れかの演出モードで演出が行われる。具体的には、例えば、通常遊技状態で遊技が制御されているときには通常モードで、確変遊技状態で遊技が制御されているときには確変モードで、時短遊技状態で遊技が制御されているときには時短モードでそれぞれ演出が行われる。本実施形態では、時短モード以外の演出モードには複数の種類があり、通常モードには通常モードＡと通常モードＢとが存在し、確変モードには確変モードＡと確変モードＢとが存在する。
【０６７０】
演出モード自体は大当たりに対する信頼度がなく、通常モードＡと通常モードＢとのうち何れの通常モードでも図７に例示する各演出を実行可能であり、確変モードＡと確変モードＢとのうち何れ確変モードでも図８に例示する各演出を実行可能である。
【０６７１】
しかしながら、各演出モードは、例えば、実行可能な信頼度示唆演出の種類、特別図柄の変動表示中に表示可能な背景画像の種類、及び出力可能な演出音（例えば楽曲）の種類が互いに異なる。このような違いを設けることにより、遊技状態が同じ場合には特別図柄の変動時間自体は同じであるものの、大当たり報知までに要する時間（すなわち、信頼度示唆演出の種類）を異ならせることができ、異なる遊技性を実現できる。また、遊技者は、例えば背景画像の種類等に基づいて現在の演出モード（すなわち現在の遊技状態）を認識可能である。
【０６７２】
具体的には、例えば、通常モードＡでは、青空に雲が浮かんでいる風景を表した背景画像が表示されると共に、キャラＳＰリーチ中およびＳＰＳＰリーチ中を除いて「通常モードＡ」といった演出モードの種類を示す文字が画面左上隅に表示される。また、通常モードＢでは、曇天から雷が落ちる風景を表した背景画像が表示されると共に、キャラＳＰリーチ中およびＳＰＳＰリーチ中を除いて「通常モードＢ」といった演出モードの種類を示す文字が画面左上隅に表示される。
【０６７３】
通常モードＡと通常モードＢとは、遊技状態の移行を伴わない所定条件が満たされたことに応じて互いに切り替わる。例えば、一方の演出モード中（例えば、通常モードＡ中）に特別図柄判定の判定結果が所定回数（例えば３０回）連続してハズレであったことを条件として、次の特別図柄変動開始時（又は所定回数目の特別図柄の停止表示直前）に他方の演出モード（この場合は通常モードＢ）に切り替わる。また、信頼度の高い変動演出（例えば、変動パターンＪに対応する変動演出）でハズレが報知されたことを条件として、次の特別図柄変動開始時に他方の演出モードに切り替わる。
【０６７４】
確変モードＡでは、荒廃した街の風景を表した背景画像が表示され、確変モードＢではビル街の風景を表した背景画像が表示される。確変モードＡと確変モードＢとは、確変遊技状態で遊技が制御されたことを条件に移行できる演出モードである。本実施形態では、確変モードＡと確変モードＢとは互いに切り替わらない演出モードとして構成されており、例えば、遊技者は、確変遊技状態への移行を伴う大当たり遊技中に確変モードＡと確変モードＢとのうちの何れの演出モードで演出を行うかを選択できる。なお、例えば、一方の演出モード中（例えば、確変モードＡ中）に特別図柄判定の判定結果が所定回数（例えば５０回）連続してハズレであったことを条件として、次の特別図柄変動開始時に他方の演出モード（この場合は確変モードＢ）に切り替わってもよい。
【０６７５】
時短モードは、湖のほとりの風景を表した背景画像が表示される演出モードである。本実施形態では、時短遊技状態に対応して１つの演出モード時短モードしか用意されていないため、時短遊技状態中に他の演出モードに切り替わることはない。なお、時短遊技状態から通常遊技状態への移行に応じて、即座に時短モードから通常モードＡ又は通常モードＢに切り替わる。
【０６７６】
なお、他の実施形態では、大当たりに対する信頼度を演出モード毎に異ならせてもよく（演出モードをいわゆるゾーンとして機能させる）、通常モードＡの方が通常モードＢよりも信頼度が高くてもよいし低くてもよい。
【０６７７】
なお、通常遊技状態に対応する演出モードの数および確変遊技状態に対応する演出モードの数は２以上（例えば、４つ）でもよいし、時短遊技状態に対応する演出モードの数は１以上（例えば、２つ）でもよい。また、遊技状態が異なっても同じ演出モードで演出が行われてもよい。例えば、通常遊技状態であるときに通常モードと確変モードとのうちの何れかの演出モードで演出が行われる一方、確変遊技状態であるときは通常モード以外（例えば確変モードＡ及びＢ）で演出が行われてもよい。また、確変遊技状態または時短遊技状態であるときに時短モードで演出が行われてもよい。
【０６７８】
［第２実施形態における通常遊技状態で使用する変動パターン選択テーブル］
図５７は、第２実施形態において通常遊技状態のときに特別図柄の変動パターンを選択する処理に使用される変動パターン選択テーブルについて説明するための説明図である。
【０６７９】
図５７に例示するように、第２実施形態では、変動パターンＤ，Ｅ，Ｉ，Ｊに対応付けられている変動演出パターンの種類が第１実施形態と異なる他は、第１実施形態と共通である。以下、変動パターンＢ〜Ｅ，Ｇ〜Ｊが選択された場合に実行される演出について説明する。
【０６８０】
遊技制御基板１００のメインＣＰＵ１０１によって変動パターンＢ，Ｇが選択された場合、演出制御基板１３０のサブＣＰＵ１３１は、第１特別図柄の変動表示開始時から５秒間リーチ前演出を実行した後、ノーマルリーチを１５秒間実行する。同様に、変動パターンＣ，Ｈが選択された場合、第１特別図柄の変動表示開始時から１０秒間リーチ前演出を実行した後、ノーマルリーチを１０秒間実行してからキャラＳＰリーチ演出を２０秒間実行する。
【０６８１】
また、変動パターンＤ，Ｉが選択された場合、第１特別図柄の変動表示開始時から２０秒間リーチ前演出を実行した後、ＳＰＳＰリーチ演出を２０秒間実行する。本実施形態では、変動パターンＤ，Ｉが選択された場合、ＳＰＳＰリーチを実行可能である一方、ノーマルリーチを実行不可能である（ノーマルリーチは出現率０％）。
【０６８２】
また、変動パターンＥ，Ｊが選択された場合、第１特別図柄の変動表示開始時から２０秒間リーチ前演出を実行した後、キャラＳＰリーチを２０秒間実行してからＳＰＳＰリーチ演出を実行する。本実施形態では、変動パターンＥ，Ｊが選択された場合、キャラＳＰリーチ及びＳＰＳＰリーチを実行可能である一方、ノーマルリーチを実行不可能である（ノーマルリーチは出現率０％）。
【０６８３】
図５７に例示されるように、図５７（Ａ）〜（Ｃ）の変動パターン選択テーブルについては、第１特別図柄の変動時間と各変動パターンの選択割合とが図１７に例示する変動パターンと同じであるため、以下のことが言える。すなわち、第１特別図柄の変動表示開始時からリーチ演出が開始されるまでの経過時間（すなわちリーチ前演出の実行時間）が長い程、大当たりの場合に選択され易く、大当たりに対する信頼度が高い。また、変動パターンＤ，Ｅ，Ｉ，Ｊに対応付けられている変動演出パターンを比較すると、リーチ演出としてＳＰＳＰリーチが実行される点で共通している。リーチ前演出からＳＰＳＰリーチへと発展するよりも、リーチ前演出からキャラＳＰリーチへと発展してからＳＰＳＰリーチへと発展する方が、大当たり信頼度が高い。このため、第１特別図柄の変動表示開始時からのＳＰＳＰリーチが開始されるまでの経過時間が長い程、大当たりの場合に選択され易く、大当たりに対する信頼度が高いといえる。なお、ＳＰリーチからＳＰＳＰリーチへと発展する変動パターンは大当たりの場合にのみ選択されてもよく、ハズレの場合に選択されなくてもよい（すなわち、変動パターンＪの選択割合０％）。
【０６８４】
＜保留アイコン変化演出＞
次に、通常モードＡ又は通常モードＢにおいて、変動パターンＢ〜Ｅ，Ｇ〜Ｊが選択されることを示す事前判定結果が得られた場合に実行可能な「保留アイコン変化演出」について説明する。なお、保留アイコン変化演出は、変動パターンＡ又はリーチ無しハズレ用変動パターンが選択された場合は実行されない。「保留アイコン変化演出」は、保留アイコンが何色に変化するかを事前に示唆する信頼度示唆演出の１つであり、事前判定結果を得た対象（以下、「先読み対象」という。）の大当たりに対する信頼度を示唆する演出である。具体的には、保留アイコン変化演出では、例えば、先読み対象に係る保留アイコンが他の色に変化する直前に（例えば０．５秒前）、変化後の色と同じ色の保留変化示唆画像を、変化する保留アイコンの近くに所定時間（例えば、０．５秒間）表示する。
【０６８５】
保留変化示唆画像は、例えば、変化後の保留アイコンを拡大表示したのと同様の画像である。保留変化示唆画像の色は特別アイコンの色と同じであり、「青」、「緑」、「赤」、「金」、及び「虹」の５種類が予め用意されている。保留変化示唆画像の色毎の信頼度は特別アイコンの色の信頼度と同じであるため、ここでの説明は省略する。
【０６８６】
本実施形態では、保留アイコン変化演出が実行されたことに応じて、必ずその直後に保留アイコンの色が変化する。このため、保留アイコン変化演出は、事前演出の演出態様を変化させる演出であるといえる。
【０６８７】
演出制御基板１３０のサブＣＰＵ１３１は、遊技球が第１始動口１１に入賞したことに応じて遊技制御基板１００から保留コマンドを受信した際、事前演出パターンをセットする処理（図４８のステップＳ１３６）に続いて、保留アイコン変化演出のシナリオ（保留変化示唆画像の色および実行タイミング）をセットする。保留アイコン変化演出のシナリオは、例えば、事前演出パターンに基づいて決定される。このため、例えば、保留アイコンの色が複数回変化する事前演出パターンの場合、各変化の直前に保留アイコン変化演出を実行するシナリオがセットされる。よって、保留アイコン変化演出は事前演出と同様に、大当たりの方がハズレよりも実行され易く、第１特別図柄の変動時間が相対的に長い変動パターンが選択された場合の方が短い変動パターンが選択された場合よりも実行され易い。このため、信頼度の高い色（例えば金色）の保留変化示唆画像を表示する場合は、信頼度の低い色（例えば青色）の保留変化示唆画像を表示する場合と比べると、先読み対象の変動表示において信頼度の高い演出（例えば、当該アイコンを虹色に変化させる当該アイコン変化演出、ＳＰＳＰリーチ）が実行され易い（必ず実行されてもよい）。
【０６８８】
ところで、保留アイコン変化演出は保留アイコンに注目させる演出である。このような演出を保留アイコンの非表示中（例えばＳＰＳＰリーチ中）に実行すると、いつのまにか保留アイコンの色が変わっていたことになる。これでは、全体として粗雑な印象になってしまい演出効果を効果的に高めることができないおそれがある。
【０６８９】
そこで、本実施形態では、他の演出との関係で保留アイコン変化演出を実行不可能な期間を予め定めて、この期間中は上記シナリオを参照せず（又は上記シナリオを破棄して）、保留アイコン変化演出を実行不可能に制御する構成を採用している。なお、保留アイコン変化演出を実行不可能な期間中は、すでに表示されている特別アイコンの表示は継続するものの、事前演出パターンを参照しないことにより保留アイコンに関しては新たな事前演出は実行不可能に制御する。
【０６９０】
例えば、大当たりが報知される変動演出が実行されている場合、及び大当たりとなる保留がある場合は、保留アイコン変化演出（及び新たな事前演出）を実行しない構成を採用している（すなわち出現率０％）。なお、ハズレが報知される変動演出が実行されている場合は、図５８に例示するように保留アイコン変化演出の実行を制御する。
【０６９１】
図５８は、保留アイコン変化演出を実行可能な期間と実行不可能な期間との具体例を示すタイムチャートである。なお、ここでは主にリーチ演出との関係について説明し、他の信頼度示唆演出との関係については図６９を参照して後述する。
【０６９２】
図５８（Ａ）に例示するように、変動パターンＧが選択されたことによってリーチ前演出、ノーマルリーチ、及びハズレ態様で装飾図柄を本停止する演出が実行される場合、保留アイコン変化演出はリーチ前演出中とノーマルリーチ中に実行可能である。すなわち、ハズレ態様で装飾図柄を本停止する演出中には、保留アイコン変化演出（及び新たな事前演出）を実行不可能に制御する。
【０６９３】
また、図５８（Ｂ）に例示するように、変動パターンＩが選択されたことによってリーチ前演出、ＳＰＳＰリーチ、及びハズレ態様で装飾図柄を本停止する演出が実行される場合、保留アイコン変化演出はリーチ前演出中にのみ実行可能である。すなわち、ＳＰＳＰリーチ中、及びハズレ態様で装飾図柄を本停止する演出中には、保留アイコン変化演出（及び新たな事前演出）を実行不可能に制御する。
【０６９４】
また、図５８（Ｃ）に例示するように、変動パターンＪが選択されたことによってリーチ前演出、キャラＳＰリーチ、ＳＰＳＰリーチ、及びハズレ態様で装飾図柄を本停止する演出が実行される場合、保留アイコン変化演出はリーチ前演出中にのみ実行可能である。すなわち、キャラＳＰリーチ中、ＳＰＳＰリーチ中、及びハズレ態様で装飾図柄を本停止する演出中には、保留アイコン変化演出（及び新たな事前演出）を実行不可能に制御する。
【０６９５】
なお、変動パターンＨについては図示を省略するが、変動パターンＨが選択されたことによってリーチ前演出、ノーマルリーチ、キャラＳＰリーチ、及びハズレ態様で装飾図柄を本停止する演出が実行される場合、保留アイコン変化演出はリーチ前演出中とノーマルリーチ中に実行可能である。すなわち、キャラＳＰリーチ中、及びハズレ態様で装飾図柄を本停止する演出中には、保留アイコン変化演出（及び新たな事前演出）を実行不可能に制御する。
【０６９６】
また、リーチ無しハズレ用変動パターンについても図示を省略するが、このような変動パターンが選択されたことによってリーチ前演出、及びハズレ態様で装飾図柄を本停止する演出が実行される場合、保留アイコン変化演出はリーチ前演出中に実行可能である。すなわち、ハズレ態様で装飾図柄を本停止する演出中には、保留アイコン変化演出（及び新たな事前演出）を実行不可能に制御する。
【０６９７】
図５８に例示するように、本実施形態における保留アイコン変化演出（及び新たな事前演出）は、第１特別図柄の変動表示中においてキャラＳＰリーチ開始前およびＳＰＳＰリーチ開始前に実行可能であり、これらのリーチ演出開始後は実行されない（すなわち出現率０％）。換言すれば、保留アイコン変化演出（及び新たな事前演出）は、第１態様の装飾図柄の表示中に実行可能である一方、第２態様の装飾図柄の表示中は実行できない。
【０６９８】
また、本実施形態では、大当たりが報知される変動演出において保留アイコン変化演出が実行されない。このため、例えば、ノーマルリーチ中に保留アイコン変化演出が実行されて当該ノーマルリーチからＳＰリーチに発展したような場合は、実行中の変動演出でハズレが報知されることを保留アイコン変化演出が実行されたことによって予測できてしまうおそれがある。しかしながら、保留アイコン変化演出の実行により変化した特別アイコンに対して大当たりに対する期待感を持てるため、遊技を続けさせる動機付けを遊技者に与えることが可能である。なお、他の実施形態では、保留アイコン変化演出（及び新たな事前演出）を大当たりが報知される変動演出（すなわち、変動パターンＡ〜Ｅが選択された場合に実行される演出中）において実行してもよいし、第１特別図柄の停止表示中に実行してもよい。
【０６９９】
また、保留アイコン変化演出（及び新たな事前演出）を実行可能な変動パターンと実行不可能な変動パターンとが予め設定されていてもよい。例えば、保留アイコン変化演出（及び新たな事前演出）は、変動パターンＧが選択された場合は実行可能であり、変動パターンＨ〜Ｉが選択された場合は実行不可能でもよいし、大当たりか否かに関わらず所定の演出（例えばＳＰＳＰリーチ）が実行される変動パターンが選択された場合は実行不可能でもよい。
【０７００】
また、他の実施形態では、保留アイコン変化演出（及び新たな事前演出）をノーマルリーチ中に実行不可能に制御してもよいし、キャラＳＰリーチ中に実行してもよいし、ＳＰＳＰリーチ中に実行してもよい。また、大当たりに対する信頼度の高い演出中ほど保留アイコン変化演出（及び新たな事前演出）の出現率が低くてもよい。例えば、出現率は、リーチ前演出中＞＝ノーマルリーチ中＞キャラＳＰＳＰリーチ中＞ＳＰＳＰリーチ中＞０％の関係でもよいし、リーチ前演出中＝ノーマルリーチ中＝キャラＳＰＳＰリーチ中＞ＳＰＳＰリーチ中＞０％の関係でもよい。
【０７０１】
なお、確変モードＡ及び確変モードＢ（すなわち確変遊技状態）においても保留アイコン変化演出を実行してもよい。例えば、第２特別図柄の変動表示中において保留アイコン変化演出（及び事前演出）を、リーチ無し演出中およびバトルリーチ開始前（すなわちリーチ前演出中）は実行可能に制御する一方、バトルリーチ開始後は実行不可能に制御してもよい。例えば、保留アイコン変化演出は、通常モードよりも確変モードで実行された場合の方が、大当たり期待度と、大当たりである場合に確変遊技状態に移行する期待度とが高くてもよいし、低くてもよいし、同じでもよい。
【０７０２】
なお、保留アイコン変化演出は、例えば、所定の状況下（例えば、通常モードＡである場合、確変モードである場合、先読み対象の変動表示または先読み対象よりも前の変動表示において所定の信頼度示唆演出（例えば、後述する背景演出や図柄変化演出）が実行される場合）では、大当たりの場合にのみ実行されてもよく、ハズレの場合は実行されなくてもよい。これにより、保留アイコン変化演出のみならず他の演出（演出モード自体を含む）にも遊技者に興味を持たせることが可能である。
【０７０３】
なお、他の実施形態では、保留アイコン変化演出と事前演出とを１つの演出として構成してもよい。また、保留アイコン変化演出後に事前演出が実行される場合と事前演出が実行されない場合（いわゆるガセ）があってもよく、保留アイコン変化演出を実行不可能な期間中はガセも実行不可能に制御してもよい。
【０７０４】
＜当該アイコン変化演出＞
次に、図５９及び図６０を参照して、通常モードＡ又は通常モードＢにおいて、変動パターンＢ〜Ｅ，Ｇ〜Ｊが選択された場合に実行可能な「当該アイコン変化演出」について説明する。なお、当該アイコン変化演出は、変動パターンＡ又はリーチ無しハズレ用変動パターンが選択された場合は実行されない。
【０７０５】
「当該アイコン変化演出」は、当該アイコンが何色に変化するかを事前に示唆する信頼度示唆演出の１つであり、実行中の変動演出の大当たりに対する信頼度を示唆する演出である。本実施形態では、「当該アイコン変化演出」が実行されたことに応じて、必ずその直後に当該アイコンの色が変化する（すなわち、事前演出の演出態様が変化する）。具体的には、当該アイコン変化演出では、例えば、当該アイコンが他の色に変化する直前に（例えば０．５秒前）、変化後の色と同じ色のアイコン変化示唆画像を、変化する当該アイコンの近くに所定時間（例えば、０．５秒間）表示する。
【０７０６】
アイコン変化示唆画像は、例えば、変化後の当該アイコンを拡大表示したのと同様の画像であり、保留変化示唆画像として用いられる画像と同じ態様の画像である。アイコン変化示唆画像の色は特別アイコンの色と同じであり、「青」、「緑」、「赤」、「金」、及び「虹」の５種類が予め用意されている。本実施形態では、アイコン変化示唆画像および当該アイコンの色毎の信頼度は、「青」が３％であり、「緑」が１６％であり、「赤」が４５％であり、「金」が６５％であり、「虹」が１００％である。信頼度の高い色（例えば金色）のアイコン変化示唆画像を表示する場合は、信頼度の低い色（例えば青色）のアイコン変化示唆画像を表示する場合と比べると、信頼度の高い演出（例えば、夜背景、ＳＰＳＰリーチ）が実行され易い（必ず実行されてもよい）。
【０７０７】
当該アイコン変化演出は、保留アイコン変化演出と同様に事前演出の演出態様を変化させる演出である。しかしながら、当該アイコン変化演出は、保留アイコンではなく当該アイコンを変化させる演出である点と、事前判定情報ではなく第１特別図柄判定の判定結果に基づいて実行される演出である点とが保留アイコン変化演出と異なる。
【０７０８】
例えば、演出制御基板１３０のサブＣＰＵ１３１は、変動演出開始の際（例えば、図５２のステップＳ１５５７の処理に続いて）、当該アイコン変化演出を実行するか否かを決定する。サブＣＰＵ１３１は、例えば、サブＲＯＭ１３２に予め記憶されている当該アイコン変化演出実行抽選テーブル（不図示）を参照し、大当たりか否かの情報に基づいて当該アイコン変化演出を実行するか否かを乱数抽選で決定する。
【０７０９】
当該アイコン変化演出実行抽選テーブルは、例えば、当該アイコン変化演出の実行の有無を決定するための乱数と比較される判定値が予め定められたテーブルである。大当たりの場合、「０〜９９」の判定値のうち、当該アイコン変化演出を「実行する」との判定結果に対して「０〜３９」の判定値が割り当てられており（実行する割合４０％）、当該アイコン変化演出を「実行しない」との判定結果に対して「４０〜９９」の判定値が割り当てられている（実行しない割合６０％）。一方、ハズレの場合、「０〜９９」の判定値のうち、「実行する」との判定結果に対して「０〜２９」の判定値が割り当てられており（実行する割合３０％）、「実行しない」との判定結果に対して「３０〜９９」の判定値が割り当てられている（実行しない割合７０％）。
【０７１０】
このように、当該アイコン変化演出はハズレである場合よりも大当たりである場合の方が実行され易いため、当該アイコン変化演出が実行される場合の方が実行されない場合よりも信頼度が高いと遊技者は認識することが可能である。
【０７１１】
なお、当該アイコン変化演出は、例えば、所定の状況下（例えば、通常モードＡである場合、確変モードである場合、所定の信頼度示唆演出（例えば、後述する背景演出や図柄変化演出）が実行される場合）では、大当たりの場合にのみ実行されてもよく、ハズレの場合は実行されなくてもよい。これにより、当該アイコン変化演出のみならず他の演出（演出モード自体を含む）にも遊技者に興味を持たせることが可能である。
【０７１２】
なお、保留アイコン変化演出が実行されたことに応じて保留アイコン（事前演出の演出態様）が「虹」である場合には、事前演出の演出態様をそれ以上変化できないので、当該アイコン変化演出は実行不可能である（図５９参照）。このため、当該アイコン変化演出は、保留アイコンが虹でない場合に実行される可能性がある信頼度示唆演出である。
【０７１３】
当該アイコン変化演出を実行すると決定された場合、サブＣＰＵ１３１は、例えば、サブＲＯＭ１３２に予め記憶されている当該アイコン表示態様決定テーブル（不図示）を参照し、大当たりか否かの情報と変動パターンの種類とに基づいて当該アイコンの変化パターンを乱数抽選で決定する。
【０７１４】
当該アイコン表示態様決定テーブルは、例えば、当該アイコンの変化パターンを決定するための乱数と比較される判定値と、当該アイコンとして表示される直前の保留アイコンの色（以下、「保留時最終色」と呼ぶ。）と、当該アイコンが消去されるまでの当該アイコンの色の変化パターンとが予め対応付けられたテーブルである。
【０７１５】
ここで、当該アイコンの変化パターンについて説明する。図５９は、大当たり時における当該アイコンの表示態様について説明するための説明図であり、図６０は、ハズレ時における当該アイコンの表示態様について説明するための説明図である。なお、図５９及び図６０における「第１変化色」は、保留アイコンが当該アイコンとして表示されてから最初に変化する色であり、「当該時最終色」は、当該アイコンが消去される直前の色である。また、「変化なし」は、当該アイコン変化演出が実行されない（すなわち、当該アイコンの色が変化しない又はそれ以上変化できない）ことを示している。なお、図５９及び図６０における「割合」の欄は、当該アイコンの変化パターンを決定するための乱数と比較される「０〜９９」の判定値のうち何個の判定値が割り当てられているかを示している。
【０７１６】
本実施形態では、当該アイコンの変化パターンには、第１変化色から当該時最終色に直接変化するパターンと（当該アイコン変化演出の実行回数２回）、第１変化色が当該時最終色となるパターンと（当該アイコン変化演出の実行回数１回）、第１変化色から他の色への変化を介して当該時最終色に変化するパターン（当該アイコン変化演出の実行回数３回以上）とがある。
【０７１７】
図５９に例示するように、大当たりであって変動パターンＢ〜Ｅが選択された場合、保留時最終色が「白」であれば、当該時最終色が「青」、「緑」、「赤」、「金」、又は「虹」である割合は、それぞれ２％、５％、３９％、５３％、１％である。このため、「０〜９９」の判定値のうち、当該時最終色が「青」との判定結果に対して「０、１」の判定値が割り当てられており、「緑」との判定結果に対して「２〜６」の判定値が割り当てられており、「赤」との判定結果に対して「７〜４５」の判定値が割り当てられており、「金」との判定結果に対して「４６〜９８」の判定値が割り当てられており、「虹」との判定結果に対して「９９」が判定値として割り当てられている。
【０７１８】
また、大当たりであって変動パターンＢ〜Ｅが選択された場合、保留時最終色が「青」又は「緑」であれば、当該時最終色が「赤」、「金」、又は「虹」である割合は、それぞれ４０％、５８％、２％である。このため、「０〜９９」の判定値のうち、当該時最終色が「赤」との判定結果に対して「０〜３９」の判定値が割り当てられており、「金」との判定結果に対して「４０〜９７」の判定値が割り当てられており、「虹」との判定結果に対して「９８、９９」が判定値として割り当てられている。
【０７１９】
図６０に例示するように、ハズレの場合は、第１特別図柄の変動表示開始時における第１特別図柄判定の保留数が０〜３のうちの何れであるかに応じて変化パターン毎の割合が異なる。具体的には、例えば、ハズレであって変動パターンＧ〜Ｊが選択された場合であって、保留時最終色が「白」である場合に、第１特別図柄判定の保留数が０であるときと１であるときとについて説明する。
【０７２０】
この場合、第１特別図柄判定の保留数が０であれば、当該時最終色が「青」、「緑」、「赤」、「金」、又は「虹」である割合は、それぞれ６０％、２７％、１０％、３％、０％である。このため、「０〜９９」の判定値のうち、当該時最終色が「青」との判定結果に対して「０〜５９」の判定値が割り当てられており、「緑」との判定結果に対して「６０〜８６」の判定値が割り当てられており、「赤」との判定結果に対して「８７〜９６」の判定値が割り当てられており、「金」との判定結果に対して「９７〜９９」の判定値が割り当てられており、「虹」との判定結果に対して判定値が割り当てられていない（ハズレ時は虹の出現率０％）。
【０７２１】
また、第１特別図柄判定の保留数が１であれば、当該時最終色が「青」、「緑」、「赤」、「金」、又は「虹」である割合は、それぞれ６５％、２６％、７％、２％、０％である。このため、「０〜９９」の判定値のうち、当該時最終色が「青」との判定結果に対して「０〜６４」の判定値が割り当てられており、「緑」との判定結果に対して「６５〜９０」の判定値が割り当てられており、「赤」との判定結果に対して「９１〜９７」の判定値が割り当てられており、「金」との判定結果に対して「９８、９９」の判定値が割り当てられており、「虹」との判定結果に対して判定値が割り当てられていない（ハズレ時は虹の出現率０％）。
【０７２２】
図５９及び図６０に例示するように、本実施形態では、保留時最終色の信頼度が高いほど当該時最終色が信頼度の高い色になり易い。具体的には、大当たり時において保留時最終色が白であり、その後に当該アイコン変化演出が実行されたことに応じて当該アイコンの色（事前演出の演出態様）が青になった後に金になる確率は２１％（＝０．４×０．５３×１００）である。また、大当たり時において保留アイコン変化演出が実行されたことに応じて保留アイコンの色（事前演出の演出態様）が青になった場合、その後に当該アイコン変化演出が実行されたことに応じて当該アイコンが金になる確率は２３％（＝０．４×０．５８×１００）である。
【０７２３】
また、ハズレ時において保留時最終色が白であり、その後に当該アイコン変化演出が実行されたことに応じて当該アイコンの色が青になった後に金になる確率は０．９％（＝０．３×０．０３×１００）である。また、ハズレ時において保留アイコン変化演出が実行されたことに応じて保留アイコンの色が青になった場合、その後に当該アイコン変化演出が実行されたことに応じて当該アイコンが金になる確率は３．９％（＝０．３×０．１３×１００）である。
【０７２４】
また、当該アイコン変化演出が実行されたことに応じて当該時最終色が虹になる保留時最終色毎の確率は、白＜青（又は緑）＜赤＜金の順に高い。これにより、保留アイコンが信頼度の高い色になるほど当該アイコンが虹になることを期待させることが可能である。
【０７２５】
これにより、保留アイコンが信頼度の高い態様になるほど当該アイコンが信頼度の高い態様になり易い。また、保留アイコンの色が同じ色でも、大当たりの方がハズレよりも当該アイコンが信頼度の高い色になり易い。これにより、保留アイコンが信頼度の高い態様で表示されたときから大当たりに対する期待感を抱き続けることができる。なお、保留アイコンが第１所定態様（例えば、緑色）以上であるときは、この保留アイコンに対応する当該アイコンは必ず第２所定態様（例えば、虹色や金色）でもよい。
【０７２６】
図６０に例示するように、本実施形態では、ハズレの場合は保留数が少ないほど当該時最終色が信頼度の高い色になり易い。なお、所定の保留数（例えば、０）である場合は必ず当該時最終色が所定の色（例えば青色）でもよい。
【０７２７】
なお、他の実施形態では、保留時最終色の信頼度が高いほど当該時最終色がそれ以上信頼度の高い色になり難くてもよいし（当該時最終色が必ず保留時最終色以上にならなくてもよい）。また、保留時最終色の信頼度が低いほど当該時最終色が信頼度の高い色になり易くてもよい（例えば、保留時最終色が所定の色（例えば青色）であるときは必ず当該時最終色が虹色でもよい）。また、大当たりの場合は保留時最終色の信頼度が高いほど当該時最終色が信頼度の高い色になり易い一方で、ハズレの場合は保留時最終色の信頼度が高いほど当該時最終色が信頼度の高い色になり難くてもよい。
【０７２８】
また、他の実施形態では、大当たりに対する信頼度が高い演出（例えばＳＰＳＰリーチ）を実行可能な変動パターンと、信頼度が低い演出（例えばノーマルリーチ）しか実行されない変動パターンとで当該アイコン変化演出の変化パターンを異なる割合で決定してもよい。例えば、変動パターンＢよりも変動パターンＥの方が、当該時最終色が信頼度の高い色になり易くてもよいし（変動パターンＥに対応して必ず信頼度の高い所定の色になってもよい。）。また、変動パターンＧよりも変動パターンＪの方が、当該時最終色が信頼度の高い色になり易くてもよい（変動パターンＪに対応して必ず信頼度の高い所定の色になってもよい。）。また、第１特別図柄の変動時間が長い変動パターンほど当該時最終色が信頼度の高い色になり易くてもよいし、なり難くてもよい。
【０７２９】
次に、図６１を参照して、当該アイコン変化演出を実行可能な期間と実行不可能な期間とについて説明する。図６１は、当該アイコン変化演出を実行可能な期間と実行不可能な期間との具体例を示すタイムチャートである。なお、ここでは主にリーチ演出との関係について説明し、他の信頼度示唆演出との関係については図６９を参照して後述する。
【０７３０】
本実施形態では、第１特別図柄が停止表示する直前まで当該アイコンを表示する構成を採用している。このため、第１特別図柄の変動表示中における様々なタイミングで当該アイコンを変化させることにより、実行中の変動演出で大当たりが報知されることに対して期待感を抱かせることが可能である。しかしながら、当該アイコン変化演出の実行により当該アイコンに注目させることによって、実行中の他の演出から遊技者の意識がそれてしまい、かえって興趣を高められないおそれがある。
【０７３１】
そこで、本実施形態では、他の演出との関係で当該アイコン変化演出を実行不可能な期間を予め定めて、この期間中以外に当該アイコン変化演出を実行可能に制御する構成を採用している。なお、本実施形態では、当該アイコン変化演出が実行されなければ当該アイコンの色（すなわち、当該アイコンに係る事前演出の演出態様）は変化しない構成も採用している。このため、当該アイコン変化演出が実行不可能な期間中は当該アイコンに係る事前演出の演出態様も変化しない。
【０７３２】
図６１（Ａ）に例示するように、変動パターンＡが選択された場合、第１特別図柄の変動開始時から停止表示まで当該アイコン変化演出は実行不可能である。
【０７３３】
図６１（Ｂ）に例示するように、変動パターンＢ又はＧが選択されたことによってリーチ前演出、ノーマルリーチ、及び装飾図柄を本停止する演出が実行される場合、当該アイコン変化演出はリーチ前演出中にのみ実行可能である。すなわち、ノーマルリーチ中、及び装飾図柄を本停止する演出中には、当該アイコン変化演出を実行不可能に制御する。変動パターンＢ及びＧでは、ノーマルリーチ開始後すぐ（例えば１０秒後）に当落が報知されるため、ノーマルリーチ中に当該アイコンが変化するとせわしない印象になるおそれがある。そこで、本実施形態では変動パターンＢ及びＧが選択された場合はノーマルリーチ中に当該アイコン変化が変化しない構成を採用することにより、遊技者に対してせわしない印象を与えることを効果的に防止している。
【０７３４】
図６１（Ｃ）に例示するように、変動パターンＤ又はＩが選択されたことによってリーチ前演出、ＳＰＳＰリーチ、及び装飾図柄を本停止する演出が実行される場合、当該アイコン変化演出はリーチ前演出中と、ＳＰＳＰリーチ中における一部の期間中に実行可能である。具体的には、ＳＰＳＰリーチ中においては、タイトル表示中および操作促進演出以降の演出中は実行不可能であり、バトル演出中は実行可能である。
【０７３５】
図２３と図２４（Ｃ）及び（Ｄ）とに例示するように、タイトル表示はそれ自体が信頼度示唆演出として機能するため、タイトル表示中は同様の機能を有する当該アイコン変化演出を実行しないように構成している。なお、他の実施形態では、タイトル表示中に当該アイコン変化演出を実行可能に制御してもよい。このような構成の場合、仮に大当たりに対する信頼度が相対的に低い青色タイトル表示が表示されても、このタイトル表示中に当該アイコン変化演出によって当該アイコンが信頼度の高い色（例えば、金色や虹色）に変化する可能性がある。これにより、遊技者はその後の展開に対する期待感を失わずに遊技を続けることが可能である。
【０７３６】
図２６に例示するように、操作促進演出は遊技者に演出ボタン２６の操作を促す演出であり、遊技者の意識をボタン画像とゲージ画像と演出ボタン２６（及び上キーや下キー）に対して向けさせる演出である。このような演出中に当該アイコンが変化すると、遊技者が驚いてしまって適切な操作を行えないおそれがある。そこで、本実施形態では操作促進演出中に当該アイコン変化が変化しない構成を採用することにより、遊技者を操作促進演出に集中させて適切な操作を行えるようにしている。
【０７３７】
図２６（Ｂ）〜（Ｄ）に例示するように、カットインはそれ自体が信頼度示唆演出として機能する。このため、本実施形態では、タイトル表示中と同様の理由によりカットイン中は当該アイコン変化演出を実行しないように構成している。
【０７３８】
カットイン後には、大当たりの場合は、勝利報知演出と第２態様の装飾図柄が図柄揃いで擬似停止される演出が実行された後に、第１態様の装飾図柄が図柄揃いで擬似停止してから本停止することにより大当たりが報知される。また、ハズレの場合は、第２態様の装飾図柄がリーチハズレ目で擬似停止された後に、第１態様の装飾図柄がリーチハズレ目で擬似停止してから本停止することによりハズレが報知される。このような当落報知の演出中に当該アイコンが今さら変化しても、演出効果を効果的に高めることができないおそれがある。そこで、本実施形態では、カットイン後に当該アイコン変化演出を実行しない構成を採用している。
【０７３９】
図６１（Ｄ）に例示するように、変動パターンＥ又はＪが選択されたことによってリーチ前演出、キャラＳＰリーチ、ＳＰＳＰリーチ、及び装飾図柄を本停止する演出が実行される場合、当該アイコン変化演出はリーチ前演出中と、キャラＳＰリーチ中およびＳＰＳＰリーチ中における一部の期間中とに実行可能である。具体的には、キャラＳＰリーチ中においては、タイトル表示中および奪取失敗演出中（及び発展示唆演出中）は実行不可能であり、争奪演出中は実行可能である。なお、ＳＰＳＰリーチ中においては図６１（Ｃ）で説明したのと同様に制御されるためここでの説明は省略する。
【０７４０】
図２４（Ａ）及び（Ｂ）に例示するように、キャラＳＰリーチに係るタイトル表示はそれ自体が信頼度示唆演出として機能する。このため、本実施形態では、ＳＰＳＰリーチに係るタイトル表示中と同様の理由によりキャラＳＰリーチに係るタイトル表示中は当該アイコン変化演出を実行しないように構成している。
【０７４１】
奪取失敗演出中は、ハズレかもしれないが、もしかしたら発展示唆演出が実行されるかもしれないといった期待感を抱きながら遊技者は演出の進行を見守る可能性がある。このような演出中に当該アイコンが変化（例えば、大当たりであることを予告する虹色に変化）すると、ハズレかもしれないとの危機感を効果的に高められないおそれがある。そこで、本実施形態では、奪取失敗演出中は当該アイコン変化演出を実行しないように構成している。
【０７４２】
また、キャラＳＰリーチからＳＰＳＰリーチへと発展する際に実行される発展示唆演出中は、遊技者は、変動演出が続くことを喜びながらＳＰＳＰリーチに対する期待感を高める可能性がある。このような演出中に当該アイコンが変化すると、期待感が高まり過ぎて、仮にＳＰＳＰリーチ開始時に青色タイトル表示が表示されたような場合にガッカリさせてしまうおそれがある。そこで、本実施形態では、発展示唆演出中は当該アイコン変化が変化しない構成を採用している。
【０７４３】
なお、変動パターンＣ及びＨについては図示を省略するが、変動パターンＣ又はＨが選択されたことによってリーチ前演出、ノーマルリーチ、キャラＳＰリーチ、及び装飾図柄を本停止する演出が実行される場合、当該アイコン変化演出は、リーチ前演出中とノーマルリーチ中とキャラＳＰリーチにおける争奪演出中とに実行可能である。一方、キャラＳＰリーチにおけるタイトル表示中と奪取失敗演出中と奪取成功演出中と装飾図柄を本停止する演出中には当該アイコン変化演出を実行不可能に制御する。
【０７４４】
また、リーチ無しハズレ用変動パターンについても図示を省略するが、仮に、リーチ無しハズレ用変動パターンが選択された場合に当該アイコン変化演出を実行してしまうと、遊技者に不快感を与え、かえって演出効果を低下させてしまうおそれがある。そこで、リーチ無しハズレ用変動パターンが選択された場合は、当該アイコン変化演出は実行不可能に制御する。
【０７４５】
このように、本実施形態では、短い変動パターン（例えば、１３．５秒以下であるリーチ無しハズレ用変動パターン及び変動パターンＡ）が選択された場合は当該アイコン変化演出を実行せず、相対的に長い変動パターンＢ〜Ｅ又はＧ〜Ｊが選択された場合は当該アイコン変化演出を実行可能にしている。
【０７４６】
本実施形態では、第１態様の装飾図柄と、第２態様の装飾図柄とのうちの何れの表示中にも当該アイコン変化演出（及び当該アイコンに係る事前演出）を実行可能である。
【０７４７】
詳細な説明は省略するが、本実施形態では、当該アイコン変化演出がリーチ前演出中またはノーマルリーチ中に実行された場合の方が、キャラＳＰリーチ中またはＳＰＳＰリーチ中に実行された場合よりも、大当たりが報知され易いように構成されている。換言すれば、当該アイコン変化演出が第１態様の装飾図柄の表示中に実行された場合の方が、第２態様の装飾図柄の表示中に実行された場合よりも大当たりが報知され易い（必ず大当たりとなってもよい）。なお、当該アイコン変化演出がリーチ前演出中またはノーマルリーチ中に実行された場合よりも、キャラＳＰリーチ中またはＳＰＳＰリーチ中に実行された場合の方が、大当たりが報知され易くてもよいし（必ず大当たりとなってもよい）、大当たり期待度は異ならなくてもよい。
【０７４８】
なお、ＳＰＳＰリーチの終盤でハズレと見せ掛けておいてから図柄揃いの３つの装飾図柄を擬似停止させる復活演出が実行される場合には、当該アイコンを実行してもよい。例えば、第１態様の装飾図柄をリーチハズレ目で擬似停止することによりハズレと見せ掛ける演出後であって、第１態様の装飾図柄を図柄揃いの態様で擬似停止させる復活演出開始前（又は復活演出開始時）に、当該アイコン変化演出の実行に応じて当該アイコンの色を虹色に変化させてもよい。なお、当該アイコン変化演出中は、第１態様の装飾図柄を表示してもよいし、第２態様の装飾図柄を表示してもよい。
【０７４９】
また、ＳＰＳＰリーチにおいて操作促進演出以降に当該アイコン変化演出を実行可能に制御してもよい。このような構成の場合、例えば、操作促進演出以降に当該アイコン変化演出が実行される方が、操作促進演出以降に当該アイコン変化演出が実行されない場合よりも、大当たりが報知され易いように構成されてもよいし（必ず大当たりとなってもよい）、大当たり期待度は異ならなくてもよい。
【０７５０】
また、奪取失敗演出に続いて発展示唆演出が実行される場合は奪取失敗演出中に当該アイコン変化演出を実行可能であり、奪取失敗演出に続いて非発展示唆演出が実行される場合は奪取失敗演出中に当該アイコン変化演出を実行不可能に制御してもよい。このような構成では、奪取失敗演出中に当該アイコン変化演出が実行されたことによって、ＳＰＳＰリーチに発展することと大当たり期待度が高いこととを示唆することが可能である。
【０７５１】
また、発展示唆演出中に当該アイコン変化演出を実行可能に制御してもよい。このような構成では、発展示唆演出と当該アイコン変化演出との相乗効果により、大当たりに対する期待感を効果的に高めることが可能である。
【０７５２】
なお、確変モードＡ及び確変モードＢ（すなわち確変遊技状態）においても当該アイコン変化演出を実行してもよい。例えば、第２特別図柄の変動表示中において当該アイコン変化演出（及び当該アイコンに係る事前演出）を、リーチ無し演出中およびバトルリーチ開始前（すなわちリーチ前演出中）は実行可能に制御する一方、バトルリーチ開始後は実行不可能（すなわち出現率０％）に制御してもよい。または、当該アイコン変化演出の出現率の関係が、リーチ無し演出中およびバトルリーチ開始前（すなわちリーチ前演出中）＞バトルリーチ開始後＞０％の関係になるように制御してもよい。例えば、当該アイコン変化演出は、通常モードよりも確変モードで実行された場合の方が、大当たり期待度と、大当たりである場合に確変遊技状態に移行する期待度とが高くてもよいし、低くてもよいし、同じでもよい。
【０７５３】
＜擬似連演出＞
次に、図６２〜図６３を参照して、通常モードＡ又は通常モードＢにおいて、変動パターンＢ〜Ｅ，Ｇ〜Ｊ、又は変動時間が１３．５秒のリーチ無しハズレ用変動パターンが選択された場合に実行可能な「擬似連演出」について説明する。なお、変動時間が１３．５秒よりも短いリーチ無しハズレ用変動パターン、又は変動パターンＡが選択された場合は、擬似連演出は実行されない。
【０７５４】
図６２は、擬似連演出における一連の演出の具体例について説明するための説明図であり、図６３は、擬似連演出の実行回数と信頼度との関係について説明するための説明図である。なお、図６２では、説明の便宜上、演出モードの種類を示す文字の表記が省略されている。
【０７５５】
擬似連演出（図６２参照）は、第１特別図柄判定の判定結果に基づいて実行される演出であり、擬似停止された全ての第１態様の装飾図柄を再び高速でスクロールするように変動表示（以下、「再始動」とも呼ぶ。）させる信頼度示唆演出の１つである。例えば、擬似連演出によって装飾図柄が１回再始動されることにより、特別図柄の１回の変動表示中において装飾図柄が２回変動表示されたようにみえる。例えば、有効ライン上に中図柄として「擬似連図柄」（図６２（Ａ）（ｃ）及び（Ｂ）（ｃ））が所定時間（例えば２秒間）擬似停止されると、擬似連演出によって全ての装飾図柄が再始動される（例えば図１６（Ａ）（ｃ）及び（ｄ）参照）。擬似連図柄は、擬似連演出の実行を示唆する特殊図柄（通常の変動表示中には用いられない装飾図柄）である。
【０７５６】
擬似連続演出は、０〜３回実行可能であり、何回実行されたかによって大当たりに対する信頼度を示唆する演出である。大当たりの方がハズレよりも実行回数が多くなり易く、大当たりの場合にのみ３回実行可能である。また、第１特別図柄の変動時間が長いと実行回数が多く（例えば２回）なり易く、変動時間が短いと実行回数が少なく（例えば、０回又は１回）なり易い。なお、実行回数は、大当たりである場合は１回以上であり、ハズレの場合は０回でもよい。
【０７５７】
擬似連演出には、「通常擬似連演出」と「ストーリー擬似連演出」とがあり、リーチ無し演出中またはリーチ前演出中（すなわち、第１態様の装飾図柄の表示中）に何れか１種類の擬似連演出を実行可能である。「通常擬似連演出」は、背景画像の変更を伴わない演出であり、「ストーリー擬似連演出」は、背景画像の変更を伴う演出である。
【０７５８】
本実施形態では、第１特別図柄の変動表示が開始される際に決定された変動パターンに基づいて、擬似連演出の種類と、その実行回数が０回〜３回のうちの何れかに決まる。具体的には、変動時間が１３．５秒のリーチ無しハズレ用変動パターン又は変動パターンＢ，Ｃ，Ｇ，Ｈが選択された場合は０回または１回実行可能であり、変動パターンＤ，Ｉ，Ｊが選択された場合は０〜２回実行可能である（必ず２回実行してもよい。）。また、変動パターンＥが選択された場合は０〜３回実行可能である（必ず２回以上実行してもよい。）。なお、変動パターンに基づいて擬似連演出の実行回数が一義的に決まってもよい。
【０７５９】
擬似連演出はリーチ無し演出中またはリーチ前演出中に実行されるので、擬似連演出実行後にリーチ成立となる場合と、リーチ不成立となる場合とがある。なお、変動パターンＢ〜Ｅ，Ｇ〜Ｊが選択された場合に擬似連演出を実行可能にして、擬似連演出実行後に必ずリーチ成立となるようにしてもよい。
【０７６０】
図６２（Ａ）に例示するように、「通常擬似連演出」が１回行われる場合、例えば以下のような演出が行われる。具体的には、第１特別図柄の変動表示開始に伴って、まず、特別図柄の変動時間よりも短い時間だけ第１態様の装飾図柄を高速でスクロールさせる擬似１連目の変動表示が開始される（図６２（Ａ）（ａ）参照）。
【０７６１】
そして、例えば、擬似１連目の変動表示の終盤で、異なる装飾図柄からなる左図柄と右図柄（いずれも第１態様の装飾図柄）が画面中央に擬似停止された後、中図柄として擬似連図柄（例えば、漢字の「連」を表す特殊図柄）が有効ライン上に擬似停止される（図６２（Ａ）（ｂ）及び（ｃ）参照）。中図柄として擬似連図柄が所定時間（例えば１．５秒間）擬似停止されると、１回目の擬似連演出が行われることにより、左図柄、中図柄、及び右図柄が再始動される。これより、擬似２連目の変動表示が開始される（例えば図６２（Ａ）（ｄ）参照）。
【０７６２】
本実施形態では、装飾図柄（第１態様の装飾図柄）が再始動される際、液晶画面５の中央方向に向かって擬似連演出の実行を報知する動作パターンで演出役物７が動作される（図６２（Ａ）（ｄ）参照）。これに伴い、演出役物７の背景として、擬似連続演出の実行を報知するエフェクト画像が表示される。
【０７６３】
演出役物７の動作が終了すると、図６２（Ａ）（ｅ）に例示するように、「×２」といった擬似連数を示す文字（擬似２連目であることを示す文字）が画面左上隅に表示される。また、画面周縁部の内側に沿って、擬似連数を示す所定色（例えば擬似２連目であることを示す緑色）の擬似連エフェクト画像が表示される。再始動中の装飾図柄は、第１態様の装飾図柄である。
【０７６４】
図６２（Ｂ）に例示するように、「ストーリー擬似連演出」が１回行われる場合、例えば以下のような演出が行われる。具体的には、第１特別図柄の変動表示開始に伴って、まず、特別図柄の変動時間よりも短い時間だけ第１態様の装飾図柄を高速でスクロールさせる擬似１連目の変動表示が開始される（図６２（Ｂ）（ａ）参照）。
【０７６５】
本実施形態では、擬似１連目の変動表示が開始されるのに伴って、ストーリー擬似連演出が実行される可能性があることを示唆する動作パターンで演出役物７が液晶画面５の中央方向に向かって動作される（図６２（Ｂ）（ａ）参照）。これに伴い、演出役物７の背景として、通常擬似連演出の実行を報知するエフェクト画像と同様のエフェクト画像が表示される。
【０７６６】
演出役物７の動作が終了すると、図６２（Ｂ）（ｂ）に例示するように、味方キャラが過去を表すストーリー画像が画面全体に表示される。これに伴って、この画像の内容に関連する演出音（例えば、味方キャラの過去を紹介するナレーション）がスピーカ２４から出力される。これにより、遊技者は、味方キャラの生い立ちを知ると共に、ストーリー擬似連演出が実行される可能性があることを認識可能である。
【０７６７】
そして、例えば、擬似１連目の変動表示の終盤で、ストーリー画像が画面全体に表示されたまま異なる装飾図柄からなる左図柄と右図柄（いずれも第１態様の装飾図柄）が画面中央に擬似停止された後、中図柄として擬似連図柄（例えば、片仮名の「ス」を表す特殊図柄）が有効ライン上に擬似停止される（図６２（Ｂ）（ｃ）参照）。本実施形態では、ストーリー擬似連演出に係る擬似連図柄は、通常擬似連演出の実行時には用いられない。これにより、擬似連図柄の種類によっていずれの擬似連演出が実行されるかを遊技者に示唆することが可能である。なお、通常擬似連演出とストーリー擬似連演出とで同じ擬似連図柄を用いてもよい。
【０７６８】
中図柄として擬似連図柄が所定時間（例えば１．５秒間）擬似停止されると、１回目のストーリー擬似連演出が行われることにより、左図柄、中図柄、及び右図柄が再始動される。これより、擬似２連目の変動表示が開始される（例えば図６２（Ａ）（ｄ）参照）。
【０７６９】
本実施形態では、ストーリー擬似連演出の実行により装飾図柄（第１態様の装飾図柄）が再始動される際、通常擬似連演出が実行されたときと同じ動作パターンで演出役物７が動作される（図６２（Ｂ）（ｄ）参照）。これに伴い、演出役物７の背景として、通常擬似連演出の実行を報知するエフェクト画像と同様のエフェクト画像が表示される。
【０７７０】
演出役物７の動作が終了すると、図６２（Ｂ）（ｅ）に例示するように、擬似１連目に係るストーリー画像の続きである、擬似２連目に係るストーリー画像が画面全体に表示される。これに伴って、この画像の内容に関連する演出音（例えば、味方キャラの過去を紹介するナレーション）がスピーカ２４から出力される。再始動中の装飾図柄は、第１態様の装飾図柄である。なお、通常擬似連演出が実行された場合とは異なり、擬似連エフェクト画像は表示されない。
【０７７１】
本実施形態では、変動パターンＤ，Ｅ，Ｉ，Ｊが選択された場合に擬似連演出を２回実行可能である。擬似連演出が２回行われる場合、１回目の擬似連演出が行われた後に、２回目の擬似連演出が行われる。擬似１連目の変動表示中ではなく擬似２連目の変動表示中に擬似連演出が行われる点が異なることを除き、２回目の擬似連演出が行われる際には、図６２を参照して説明した演出と概ね同じような流れの演出が行われる。詳細な説明は省略するが、例えば、擬似２連目の変動表示の終盤で左図柄および右図柄（いずれも第１態様の装飾図柄）が擬似停止された後、中図柄として擬似連図柄が擬似停止される（図６３（ｃ）参照）。中図柄として擬似連図柄が所定時間（例えば１．５秒間）擬似停止されると、２回目の擬似連続演出が行われることにより、全ての装飾図柄が再始動される。これより、擬似３連目の変動表示が開始される。例えば、通常擬似連演出が実行された場合は、擬似３連目の変動表示中には、「×３」といった擬似連数を示す文字が画面左上隅に表示されたり、擬似３連目であることを示す所定色（例えば赤色）の擬似連エフェクト画像が画面周縁部の内側に沿って表示されたりする（例えば図７２（Ｆ）参照）。擬似３連目の変動表示中にリーチ成立となると、例えば、擬似連演出に係る全ての画像が消去されて、リーチ演出に発展し、必ずＳＰＳＰリーチが実行される（図６３（ｄ）参照）。
【０７７２】
本実施形態では、変動パターンＤ，Ｅが選択された場合に擬似連演出を３回実行可能である。擬似連演出が３回行われる場合、２回目の擬似連演出が行われた後に、３回目の擬似連演出が行われる。この３回目の擬似連演出は、大当たりとなることを確定的に予告する大当たり予告として機能する。擬似１連目の変動表示中ではなく擬似３連目の変動表示中に擬似連演出が行われる点が異なることを除き、３回目の擬似連演出が行われる際には、図６２を参照して説明した演出と概ね同じような流れの演出が行われる。詳細な説明は省略するが、３回目の擬似連演出が行われる場合、擬似３連目の変動表示の終盤で左図柄および右図柄（いずれも第１態様の装飾図柄）が擬似停止された後、中図柄として擬似連図柄が擬似停止される（図６３（ｅ）参照）。中図柄として擬似連図柄が所定時間（例えば１．５秒間）擬似停止されると、３回目の擬似連演出が行われることにより、全ての装飾図柄が再始動される。これより、擬似４連目の変動表示が開始される。例えば、通常擬似連演出が実行された場合は、擬似４連目の変動表示中には、「×４」といった擬似連数を示す文字が画面左上隅に表示されたり、擬似４連目であることを示す所定色（例えば虹色）の擬似連エフェクト画像が画面周縁部の内側に沿って表示されたりする（不図示）。また、これらの画像の表示中に枠ランプ３７が虹色で発光される。擬似４連目の変動表示中にリーチ成立となると、例えば、擬似連演出に係る全ての画像が消去されて、リーチ演出に発展し、必ずＳＰＳＰリーチの終盤で大当たりが報知される（図６３（ｆ）参照）。
【０７７３】
本実施形態では、擬似連演出が行われる回数毎の信頼度は、０回＜１回＜２回＜３回の順で高くなるように予め定められている。変動パターンＢ〜Ｅ，Ｇ〜Ｊ、又は変動時間が１３．５秒のリーチ無しハズレ用変動パターンが選択された場合に少ない回数（例えば１回）の擬似連演出を実行可能である。このため、擬似連演出の回数が少ないときに（例えば、０回や１回）、ノーマルリーチとキャラＳＰリーチとＳＰＳＰリーチとを実行可能であり、リーチ前演出に続いて装飾図柄が第１態様になる場合と第２態様になる場合とがある。
【０７７４】
また、変動パターンＤ，Ｅ，Ｉ，Ｊが選択された場合に、多い回数（例えば２回）の擬似連演出を実行可能であり、変動パターンＤ，Ｅが選択された場合に、より多い回数（例えば３回）の擬似連演出を実行可能である。このため、擬似連演出の回数が多いときに（例えば２回）、ＳＰＳＰリーチを実行可能であり、リーチ前演出に続いて装飾図柄が第２態様になり易い。なお、擬似連演出の実行回数が２回以上の場合必ずＳＰＳＰリーチが実行されてもよい。
【０７７５】
なお、擬似連演出が３回行われてからリーチ成立となった場合にのみ、装飾図柄を図柄揃いの態様のまま低速でスクロールする「全回転リーチ演出」が実行されてもよい。「全回転リーチ演出」は、例えば、「１１１」の組み合わせが表示されたら、次は「２２２」の組み合わせが表示されるというように、同一の左図柄と中図柄と右図柄とを同期させて図柄揃いの態様のままゆっくりスクロールするリーチ演出である。全回転リーチ演出は大当たりの場合にしか実行されないリーチ演出であり、ハズレの場合には実行されない（信頼度１００％）。このため、全回転リーチ演出は、大当たり遊技が実行されることを確定的に予告する大当たり予告と捉えることができる。例えば、変動パターンＥが選択された場合に、ノーマルリーチを介して（又は介さずに）わずかな確率（例えば１％）で全回転リーチに発展し、残りの確率（この場合は９９％）でＳＰＳＰリーチに発展してもよい。
【０７７６】
なお、全回転リーチは、第１態様の装飾図柄のみを用いて実行してもよいし、第２態様の装飾図柄のみを用いて実行してもよいし、第１態様の装飾図柄と第２態様の装飾図柄とを用いて実行してもよい。例えば、全回転リーチにおいて、開始時は第１態様の装飾図柄を表示し、途中で第２態様の装飾図柄を表示し、終盤で第１態様の装飾図柄を表示してもよい。また、例えば、全回転リーチにおいて、開始時は第２態様の装飾図柄を表示し、途中から第１態様の装飾図柄を表示してもよい。
【０７７７】
なお、通常擬似連演出は、実行中の変動表示において「大当たり」となる可能性が相対的に低いことを示唆する擬似連演出であり、ストーリー擬似連演出は、実行中の変動表示において「大当たり」となる可能性が相対的に高いことを示唆する擬似連演出でもよい。換言すれば、大当たりの方がハズレよりも、通常擬似連演出が実行され難くストーリー擬似連演出が実行され易くてもよい。例えば、通常擬似連演出が実行された場合は大当たり又はハズレであり、ストーリー擬似連演出が実行された場合は大当たりでもよい。また、例えば、ストーリー擬似連演出が実行された場合の方が、通常擬似連演出が実行された場合よりその後に信頼度の高い演出（例えばＳＰＳＰリーチ）が実行され易くてもよい（必ず実行されてもよい）。
【０７７８】
また、実行中の変動表示において「大当たり」となる可能性は、通常擬似連演出の方がストーリー擬似連演出よりも高くてもよい。換言すれば、大当たりの方がハズレよりも、通常擬似連演出が実行され易くストーリー擬似連演出が実行され難くてもよい。例えば、通常擬似連演出が実行された場合は大当たりであり、ストーリー擬似連演出が実行された場合はハズレ又は大当たりでもよい。また、例えば、通常擬似連演出が実行された場合の方が、ストーリー擬似連演出が実行された場合よりその後に信頼度の高い演出（例えばＳＰＳＰリーチ）が実行され易くてもよい（必ず実行されてもよい）。
【０７７９】
なお、複数の演出モードで実行可能な信頼度示唆演出については、演出モードによって大当たり期待度と、大当たりである場合に確変遊技状態に移行する期待度とが異なる演出があってもよいし、異なる演出がなくてもよい。例えば、通常擬似連演出および背景演出は、通常モードＡで実行された方が通常モードＢで実行されるよりも上記２つの期待度が高く、保留アイコン変化演出および当該アイコン変化演出は何れの通常モードでも上記２つの期待度が変わらなくてもよい。
【０７８０】
＜背景演出＞
次に、図６４を参照して、通常モードＡにおいて、変動パターンＢ〜Ｅ，Ｇ〜Ｊ、又は全てのリーチ無しハズレ用変動パターン（例えば、変動時間は３秒、８秒、及び１３．５秒のうちの何れか）が選択された場合に実行可能な「背景演出」について説明する。なお、背景演出は、変動パターンＡが選択された場合は実行されない。図６４は、背景演出が実行される場合における一連の演出の具体例について説明するための説明図である。
【０７８１】
背景演出（図６４（Ｄ）及び（Ｅ）参照）は、第１特別図柄判定の判定結果に基づいて実行される演出であり、通常モードＡのデフォルト背景画像が表示された状態から、予め用意された複数種類（本実施形態では２種類）の背景画像が表示された状態へと移行させる演出である。背景演出によって表示される移行後の背景画像には、鳥が表示される鳥背景と、月や星が表示される夜背景との２種類が存在する。鳥背景は、実行中の変動表示において「大当たり」となる可能性が相対的に低いことを示唆する態様の背景演出である。夜背景は、実行中の変動表示において「大当たり」となる可能性が相対的に高いことを示唆する態様の背景演出であり、鳥背景が実行された場合と比べて信頼度の高い演出（例えばＳＰＳＰリーチ）がその後に実行され易い演出である（必ず実行されてもよい）。鳥背景よりも夜背景の方が大当たりになり易く、それぞれの信頼度は１０％、２５％である。どちらも画面全体に対する表示領域が広い画像（具体的には、画面全体に表示される画像）である。
【０７８２】
背景演出は、リーチ無し演出中またはリーチ前演出中（すなわち、第１態様の装飾図柄が低速または高速でスクロールされているとき）に実行される信頼度示唆演出の１つである。背景演出は、変動演出開始の際と、通常擬似連演出に係る擬似２連目の再始動開始の際および擬似３連目の再始動開始の際とのうちの何れかのタイミングで実行される。大当たり期待度と、大当たりである場合に確変遊技状態に移行する期待度とは、背景演出の実行タイミングによって異なってもよいし、同じでもよい。例えば、変動演出開始時から背景演出が実行されるまでの時間が長い程、上記２つの期待度が高く（又は低く）なるように予め設定してもよい。また、例えば、擬似３連目の再始動開始の際に実行された方が他のタイミングで実行されるよりも上記２つの期待度が高くてもよい。なお、通常擬似連演出が実行される場合は実行されない場合よりも夜背景が実行され易くてもよい（必ず夜背景でもよい）。
【０７８３】
背景演出の実行中は、装飾性の低い第２態様の装飾図柄ではなく装飾性の高い第１態様の装飾図柄が表示されることによって、背景演出に係る背景画像が彩られ、変動演出開始時を華やかな印象にすることが可能である。
【０７８４】
例えば、演出制御基板１３０のサブＣＰＵ１３１は、変動演出開始の際（例えば、図５２のステップＳ１５５７の処理に続いて）、背景演出を実行するか否かを決定し、実行する場合には鳥背景と夜背景との何れを表示するかと表示タイミングとを乱数抽選で決定する。
【０７８５】
例えば、サブＣＰＵ１３１は、サブＲＯＭ１３２に予め記憶されている背景演出実行抽選テーブル（不図示）を参照し、大当たりか否かの情報に基づいて背景演出を実行するか否かを乱数抽選で決定する。背景演出実行抽選テーブルは、例えば、背景演出の実行の有無を決定するための乱数と比較される判定値が予め定められたテーブルである。大当たりの場合、「０〜９９」の判定値のうち、背景演出を「実行する」との判定結果に対して「０〜３９」の判定値が割り当てられており（実行する割合４０％）、背景演出を「実行しない」との判定結果に対して「４０〜９９」の判定値が割り当てられている（実行しない割合６０％）。一方、ハズレの場合、「０〜９９」の判定値のうち、「実行する」との判定結果に対して「０〜２９」の判定値が割り当てられており（実行する割合３０％）、「実行しない」との判定結果に対して「３０〜９９」の判定値が割り当てられている（実行しない割合７０％）。
【０７８６】
このように、背景演出はハズレである場合よりも大当たりである場合の方が実行され易いため、背景演出が実行される場合の方が実行されない場合よりも信頼度が高いと遊技者は認識することが可能である。なお、背景演出は、大当たりである場合は実行され、ハズレである場合は実行されなくてもよい。
【０７８７】
図６４（Ａ）には、通常モードＡにおいて、第１保留アイコン表示領域５１に２つの保留アイコンが表示された状態で、当該領域５３に表示された当該アイコンに対応する第１特別図柄判定の判定結果がハズレであることを示す態様の装飾図柄（第１態様の装飾図柄）が停止表示している様子が例示されている。なお、最先の保留アイコンは、白保留として表示されている。
【０７８８】
第１特別図柄および装飾図柄の停止表示が開始されてから所定の確定時間（例えば１秒）が経過すると、第１保留アイコン表示領域５１に表示されている最先の保留アイコンに対応する第１特別図柄判定が実行されて第１特別図柄の変動表示が開始される。これに伴い、通常モードＡにおいて、装飾図柄（第１態様の装飾図柄）の変動表示が開始される（図６４（Ｃ）参照）。なお、この例では、変動演出開始の際に背景演出が実行されることが予め決まっている。
【０７８９】
装飾図柄の変動表示が開始された際には、まず、停止表示されていた装飾図柄（第１態様の装飾図柄）が微動しながら少し上方向に移動した後に低速で下方向にスクロールが開始され、だんだんスクロール速度が上がっていく演出表示が行われる。
【０７９０】
図６５は、背景演出の開始直前に実行される操作促進演出の具体例について説明するための説明図である。本実施形態では、背景演出が実行される場合、この背景演出の開始直前に必ず操作促進演出が開始される。図６４（Ｃ）は、装飾図柄（第１態様の装飾図柄）の変動表示開始直後に操作促進演出が実行されている様子を例示している。このような第１態様の装飾図柄の表示中に実行される操作促進演出は、通常モードＡであるときに実行可能であるが通常モードＢでは実行できない。これに対して、第２態様の装飾図柄の表示中であってカットイン直前に実行される操作促進演出は、通常モードＡ及びＢであるときに実行可能である。
【０７９１】
背景演出の開始直前に実行される操作促進演出では、通常状態の演出ボタン２６を模した通常ボタン画像（図６４（Ｃ）及び図６５（Ａ）参照）と、突出状態の演出ボタン２６を模した突出ボタン画像（図６５（Ｂ）参照）とのうちの何れか１つがゲージ画像と共に表示される。通常ボタン画像を表示する操作促進演出（弱態様）は、実行中の変動表示において「大当たり」となる可能性が相対的に低いことを示唆する操作促進演出である（例えば信頼度１０％）。突出ボタン画像を表示する操作促進演出（強態様）は、実行中の変動表示において「大当たり」となる可能性が相対的に高いことを示唆する操作促進演出であり（例えば信頼度６０％）、弱態様で実行された場合と比べて信頼度の高い演出（例えばＳＰＳＰリーチ）がその後に実行され易い態様である（必ず実行されてもよい）。なお、操作促進演出（強態様）は、大当たりである場合は実行され、ハズレである場合は実行されなくてもよい。
【０７９２】
図６５（Ａ）に例示するように、操作促進演出（弱態様）では、予め定められた有効期間中（例えば操作促進演出開始時から３秒間）に演出ボタン２６が通常状態のまま白色に発光されるように、演出ボタン２６に内蔵された発光素子であるボタンランプが制御される。また、図６５（Ｂ）に例示するように、操作促進演出（強態様）では、有効期間中に演出ボタン２６が突出状態になると共に赤色に発光するように、演出ボタン用モータ及びボタンランプが制御される。なお、有効期間中は枠ランプ３７が消灯状態に制御される。
【０７９３】
例えば、ランプ制御基板１５０のランプＣＰＵ１５１は、図５３のステップＳ４４の処理が実行されることによって画像音響制御基板１４０から送信されたデータを受信することにより、突出ボタン画像が表示されるタイミングで演出役物用モータを作動させて演出ボタン２６の高さを通常状態から突出状態に変化させる。演出ボタン２６は、通常状態と突出状態との何れの状態でも操作できる。
【０７９４】
有効期間中に演出ボタン２６が操作（例えば押下）されると、操作に応じて有効期間が終了すると共に通常ボタン画像（又は突出ボタン画像）及びゲージ画像が消去されて、背景演出が開始される。図６４（Ｃ）及び（Ｄ）は、装飾図柄（第１態様の装飾図柄）が低速でスクロールされているときに背景画像が鳥背景または夜背景に変化した様子を例示している。
【０７９５】
有効期間中に演出ボタン２６が操作されない場合、予め定められた有効期間の終了タイミングで操作促進演出が終了し、これに伴って背景画像が鳥背景または夜背景に変化する。操作されずに背景演出が実行される場合、夜背景よりも鳥背景が表示された状態に移行し易い。
【０７９６】
ここで、本実施形態では、背景演出に係る背景画像が表示されるのは実行中の変動演出だけである。背景演出に係る背景画像は、キャラＳＰリーチ発展時、ＳＰＳＰリーチ発展時、又は装飾図柄がバラケ目で停止表示されたタイミングで表示されなくなる。例えば、この変動演出においてハズレが報知される場合、第１特別図柄の停止表示に伴って、通常モードＡ（又は通常モードＢ）のデフォルト背景画像（図６４（Ａ）又は（Ｂ））が表示されることになる。リーチ発展タイミング及び第１特別図柄の停止表示タイミングは、何れも変動パターンに対応して一義的に決まり、有効期間中の操作の有無に関わらず変化しないタイミングである。このため、例えば、有効期間中に操作された場合の方が、有効期間中に操作されなかった場合よりも背景演出に係る背景画像の表示時間が長くなる。
【０７９７】
なお、背景演出は通常モードＡで実行可能な演出である一方、通常モードＢで実行不可能な演出である。ここで、第１特別図柄および装飾図柄の停止表示中は通常モードＢであり、第１特別図柄の変動表示に伴って装飾図柄の変動表示が開始すると同時に通常モードＡに移行する場合がある。このような場合も背景演出は実行可能であり、装飾図柄の変動表示開始直後に操作促進演出が実行された後に背景演出が実行される（図６４（Ｅ）から（Ｂ）への流れ）。
【０７９８】
なお、例えば、第１態様の装飾図柄がハズレ態様で擬似停止しているときに通常モードＢから通常モードＡに（又は、通常モードＡから通常モードＢに）移行し、第１態様の装飾図柄をそのままの状態で変化させずに第１特別図柄の停止表示に伴って停止表示させてもよい。すなわち、第１態様の装飾図柄が停止表示してから第１特別図柄の変動表示に伴って第１態様の装飾図柄の変動表示が開始するまでの間に演出モードが移行する確率は０％である。この場合、背景演出が実行される変動表示において、第１態様の装飾図柄の変動表示開始時には必ず通常モードＡであるように制御できる。これにより、装飾図柄の変動表示が開始する際の演出の流れをスムーズにできると共に演出が煩雑になることを効果的に防止できる。
【０７９９】
なお、背景演出の実行タイミングで通常モードＡ用のＢＧＭから背景演出用のＢＧＭに切り替えてもよい。例えば、鳥背景の表示中は鳥背景用のＢＧＭを、夜背景の表示中は夜背景用のＢＧＭをスピーカ２４から出力してもよい。
【０８００】
＜背景演出の開始直前に実行される操作促進演出中の操作の有無と演出態様の関係＞
図６６及び図６７を参照して、背景演出の開始直前に実行される操作促進演出中の操作の有無と、操作促進演出後の演出の演出態様との関係について説明する。図６６は、大当たり時における、背景演出の開始直前に実行される操作促進演出後の演出の流れについて説明するための説明図である。図６７は、ハズレ時における、背景演出の開始直前に実行される操作促進演出後の演出の流れについて説明するための説明図である。
【０８０１】
本実施形態では、リーチ無しハズレ用変動パターン、変動パターンＢ，Ｇが選択された場合、通常モードＡであれば背景演出（及びその直前の操作促進演出）を実行可能であるが、タイトル表示（図２３及び図２４参照）を実行できない。これに対して、変動パターンＣ〜Ｅ，Ｈ〜Ｊが選択された場合、通常モードＡであれば背景演出（及びその直前の操作促進演出）とタイトル表示とを実行可能である。このため、背景演出のみが実行される場合と、背景演出とタイトル表示とが実行される場合とでは、大当たりに対する期待度が異なる。
【０８０２】
背景演出は、背景演出の開始直前に実行される操作促進演出中の操作の有無に関わらず実行可能であり、操作促進演出中に演出ボタン２６が操作されない場合は操作された場合よりも鳥背景に移行し易いものの、何れかの背景に移行する。本実施形態では、このような操作促進演出と背景演出とを、タイトル表示の信頼度がアップするようなチャンスアップとして用いることで、操作する動機付けを遊技者に与える構成を採用している。なお、タイトル表示はキャラＳＰリーチとＳＰＳＰリーチとで実行されるが、説明の便宜上、ここではＳＰＳＰリーチのタイトル表示について説明し、キャラＳＰリーチのタイトル表示については説明を省略する。
【０８０３】
大当たりの場合、背景演出の開始直前に実行される操作促進演出として、弱態様よりも強態様の操作促進演出の方が出現し易い。この操作促進演出中に演出ボタン２６が操作された場合、変動演出開始の際（例えば、図５２のステップＳ１５５７の処理に続いて）に決定した演出態様の背景演出が実行される。大当たりの場合、鳥背景よりも夜背景の方が表示され易い（図６６（Ａ）（ａ）から（ｂ）よりも（ｃ）に進み易い）。
【０８０４】
また、本実施形態では、変動パターンＤ，Ｅが選択された場合であって背景演出の開始直前に実行される操作促進演出中に演出ボタン２６が操作された場合、鳥背景と夜背景とのうちの何れが表示されても、変動演出開始の際に決定した演出態様のタイトル表示がＳＰＳＰリーチ中に表示される。このため、ＳＰＳＰリーチ中には、青色タイトル表示と、赤色タイトル表示と、虹色タイトル表示とのうちの何れかを表示可能である（図６６（Ａ）（ｂ）又は（ｃ）から（ｄ）〜（ｈ）に進むパターン）。
【０８０５】
一方、背景演出の開始直前に実行される操作促進演出中に演出ボタン２６が操作されなかった場合、変動演出開始の際に夜背景を表示すると決定されていても、有効期間の終了に応じて鳥背景が表示される場合がある。このため、操作促進演出中の操作が無かった場合の方が、操作が有った場合よりも夜背景が表示され難い（図６６（Ｂ）（ｃ）の出現率＜図６６（Ａ）（ｃ）の出現率）。なお、大当たりの場合、操作が無かった場合は必ず鳥背景が表示されてもよいし（夜背景の出現率０％）、夜背景よりも鳥背景の方が表示され易くてもよいし（０％＜夜背景の出現率＜鳥背景の出現率）、夜背景の方が鳥背景よりも表示され易くてもよい（夜背景の出現率＞鳥背景の出現率＞０％）。
【０８０６】
また、本実施形態では、変動パターンＤ，Ｅが選択された場合であって背景演出の開始直前に実行される操作促進演出中の操作が無かった場合、ＳＰＳＰリーチ中に青色タイトル表示または赤色タイトル表示を表示可能である一方、虹色タイトル表示が表示されることがない（図６６（Ｂ）（ｂ）又は（ｃ）から（ｄ）〜（ｇ）に進むパターン）。また、例えば、変動演出開始の際に赤色タイトル表示を表示することが決定されていても、実際には青色タイトル表示が表示される場合がある。
【０８０７】
このように、操作促進演出中の操作が無かった場合、変動演出開始の際に決定した演出態様以外のタイトル表示がＳＰＳＰリーチ中に表示される場合があり、操作促進演出中の操作が無かった場合の方が、操作が有った場合よりも赤色タイトル表示が表示され難い（図６６（Ｂ）（ｅ）及び（ｇ）の合計出現率＜図６６（Ａ）（ｅ）及び（ｇ）の合計出現率）。なお、大当たりの場合、操作が無かった場合は必ず青色タイトル表示が表示されてもよいし（赤色タイトル表示の出現率０％）、赤色タイトル表示よりも青色タイトル表示の方が表示され易くてもよい（０％＜赤色タイトル表示の出現率＜青色タイトル表示の出現率）。また、赤色タイトル表示の方が青色タイトル表示よりも表示され易くてもよい（赤色タイトル表示の出現率＞青色タイトル表示の出現率＞０％）。
【０８０８】
ハズレの場合、背景演出の開始直前に実行される操作促進演出として、弱態様の方が強態様の操作促進演出よりも出現し易い。この操作促進演出中に演出ボタン２６が操作された場合、変動演出開始の際に決定した演出態様の背景演出が実行される。ハズレの場合、鳥背景よりも夜背景の方が表示され難い（図６７（ａ）から（ｂ）よりも（ｃ）に進み難い）。
【０８０９】
また、本実施形態では、変動パターンＩ，Ｊが選択された場合であって背景演出の開始直前に実行される操作促進演出中に演出ボタン２６が操作された場合、鳥背景と夜背景とのうちの何れが表示されても、変動演出開始の際に決定した演出態様のタイトル表示がＳＰＳＰリーチ中に表示される。このため、ＳＰＳＰリーチ中には、青色タイトル表示と赤色タイトル表示とのうちの何れかを表示可能である（図６６（ｂ）又は（ｃ）から（ｄ）〜（ｇ）に進むパターン）。
【０８１０】
一方、背景演出の開始直前に実行される操作促進演出中に演出ボタン２６が操作されなかった場合、変動演出開始の際に夜背景を表示すると決定されていても、有効期間の終了に応じて鳥背景が表示される場合がある。このため、操作促進演出中の操作が無かった場合の方が、操作が有った場合よりも夜背景が表示され難い。なお、ハズレの場合、操作が無かった場合は必ず鳥背景が表示されてもよいし（夜背景の出現率０％）、夜背景よりも鳥背景の方が表示され易くてもよいし（０％＜夜背景の出現率＜鳥背景の出現率）、夜背景の方が鳥背景よりも表示され易くてもよい（夜背景の出現率＞鳥背景の出現率＞０％）。
【０８１１】
また、本実施形態では、変動パターンＩ，Ｊが選択された場合であって背景演出の開始直前に実行される操作促進演出中に演出ボタン２６の操作が無かった場合、操作が有った場合よりも赤色タイトル表示が表示され難い。なお、ハズレの場合、操作が無かった場合は必ず青色タイトル表示が表示されてもよいし（赤色タイトル表示の出現率０％）、赤色タイトル表示よりも青色タイトル表示の方が表示され易くてもよい（０％＜赤色タイトル表示の出現率＜青色タイトル表示の出現率）。また、赤色タイトル表示の方が青色タイトル表示よりも表示され易くてもよい（赤色タイトル表示の出現率＞青色タイトル表示の出現率＞０％）。
【０８１２】
このように、背景演出の開始直前に実行される操作促進演出中の操作が有った場合、仮に操作に応じて鳥背景が表示されてもＳＰＳＰリーチ中に赤色タイトル表示が出現し易くなる。また、操作が無かった場合、仮に操作に応じて夜背景が表示されてもＳＰＳＰリーチ中に青色タイトル表示が出現し易くなる。このように、変動演出開始の際の操作の有無が、操作直後に実行される背景演出の演出態様のみならずＳＰＳＰリーチ中の演出態様にも影響する。このような構成により、操作する動機付けを遊技者に与えることが可能であり、遊技者参加型の演出の興趣を効果的に向上できる。
【０８１３】
また、虹色タイトル表示は、操作された場合は表示可能であるのに対し、操作されなかった場合は表示されることがない。これにより、変動演出開始の際から積極的に操作する動機付けを遊技者に与えることが可能である。
【０８１４】
ここで、仮に、大当たりとなることを確定的に予告する態様で背景演出（又はその直前の操作促進演出）を実行すると、いきなり変動演出開始の際から大当たりとなることが分かってしまう。これでは、例えば奪取失敗演出のような遊技者に不安感を与えることで興趣を高めるような演出を実行しても、演出効果を効果的に高められないおそれがある。これに対して、例えば、変動演出の中盤や終盤で、その後の演出と内容が関係する演出を大当たり予告として実行すると、遊技者に特別感を与えることができてその後の演出に集中させることが可能である。例えば、ＳＰＳＰリーチのバトル演出の内容を表すタイトル表示を大当たり予告としたり、勝利演出の内容を表すカットインを大当たり予告としたりすることで、演出効果を効果的に高められる可能性がある。
【０８１５】
そこで、本実施形態では、大当たり予告として機能する態様は、変動演出開始の際に実行される背景演出（及びその直前の操作促進演出）には設けない一方で、タイトル表示およびカットインには設けている。
【０８１６】
他の実施形態では、背景演出の演出態様には、鳥背景と夜背景との他に、大当たり予告として機能する虹色の背景画像を表示する、虹背景があってもよい。また、背景演出の開始直前に実行される操作促進演出の演出態様には、弱態様と強態様の他に、大当たり予告として機能する、虹色の突出ボタン画像が表示される虹態様があってもよい。例えば、大当たり用変動パターンＢ〜Ｅが選択された場合に所定の確率（例えば１％）で、虹背景の背景演出と、虹態様の操作促進演出とをそれぞれ別の乱数抽選で実行可能にする。例えば、虹態様の操作促進演出が実行された後は虹背景の背景演出が実行され難くてもよいし、実行され易くてもよい。また、虹態様以外の操作促進演出が実行された後は虹背景の背景演出が実行され難くてもよいし、実行され易くてもよい。また、虹背景の背景演出および／または虹態様の操作促進演出が実行された後は虹色タイトル表示が実行され難くてもよいし、実行され易くてもよい。
【０８１７】
なお、背景演出の開始直前に実行される操作促進演出中の操作が無かった場合でも、変動演出開始の際に決定した演出態様で背景演出およびタイトル表示を実行してもよいし、虹色タイトル表示を表示してもよい。
【０８１８】
なお、操作促進演出と背景演出との組み合わせによって大当たりに対する信頼度が異なってもよい。これにより、これらの演出に対して興味を持たせることができる。
【０８１９】
例えば、操作促進演出と背景演出との演出態様の組み合わせに係る信頼度の高低の関係は下記（１）〜（４）の何れでもよい。
（１）操作促進演出（弱態様）後に鳥背景＜操作促進演出（弱態様）後に夜背景＜操作促進演出（強態様）後に鳥背景＜操作促進演出（強態様）後に夜背景。
上記（１）では、背景演出の演出態様に関わらず操作促進演出（強態様）が実行されると信頼度が高く、操作促進演出（弱態様）が実行されると信頼度が低いので、信頼度の関係が分かり易い。
（２）操作促進演出（弱態様）後に夜背景＜操作促進演出（強態様）後に鳥背景＜操作促進演出（強態様）後に夜背景＜操作促進演出（弱態様）後に鳥背景。
上記（２）では、背景演出のみの信頼度の関係と逆の場合がある。これにより、鳥背景が表示されたことによって夜背景が表示された場合よりも期待感が高められる場合があり、鳥背景の興趣が低下するのを効果的に防止することが可能である。また、操作促進演出（弱態様）が開始されても期待感を失わずに遊技を続けさせることが可能である。
（３）操作促進演出（弱態様）後に鳥背景＜操作促進演出（強態様）後に鳥背景＜操作促進演出（弱態様）後に夜背景＜操作促進演出（強態様）後に夜背景。
上記（３）では、操作促進演出の演出態様に関わらず夜背景が表示されると信頼度が高く、鳥背景が表示されると信頼度が低いので、信頼度が分かり易い。
（４）操作促進演出（強態様）後に鳥背景＜操作促進演出（弱態様）後に鳥背景＜操作促進演出（弱態様）後に夜＜操作促進演出（強態様）後に夜背景。
上記（４）では、成り下がりは信頼度が一番低く、成り上がりは中程度の信頼度であり、信頼度の高い演出態様同士は信頼度が一番高いので、信頼度の関係が分かり易い。
なお、操作促進演出と背景演出との組み合わせに係る信頼度の高低の関係は上記（１）〜（４）の関係に限らず、どのような関係でもよい。
【０８２０】
なお、他の実施形態では、背景演出の開始直前に操作促進演出が実行されなくてもよいし（出現率０％）、実行されない場合があってもよい（出現率０％以上１００％未満）。例えば、第１特別図柄の変動表示に伴って第１態様の装飾図柄の変動表示を開始するタイミングで（操作促進演出を実行せずに）、背景演出を実行してもよい。
【０８２１】
また、背景演出とタイトル表示との演出態様の組み合わせによって大当たりに対する信頼度が異なってもよい。これにより、背景演出に対して興味を持たせることができ、背景演出とタイトル表示との両方が実行された場合の興趣を効果的に高めることが可能である。
【０８２２】
例えば、背景演出とタイトル表示との演出態様の組み合わせに係る信頼度の高低の関係は下記（１）〜（４）の何れでもよい。
（１）鳥背景後に青色タイトル表示＜鳥背景後に赤色タイトル表示＜夜背景後に青色タイトル表示＜夜背景後に赤色タイトル表示。
上記（１）では、背景演出とタイトル表示との組み合わせに係る信頼度の関係は、タイトル表示の演出態様に関わらず夜背景が実行されると信頼度が高く、鳥背景が実行されると信頼度が低いので、信頼度の関係が分かり易い。
（２）鳥背景後に赤色タイトル表示＜夜背景後に青色タイトル表示＜夜背景後に赤色タイトル表示＜鳥背景後に青色タイトル表示。
上記（２）では、背景演出とタイトル表示との組み合わせに係る信頼度の関係は、タイトル表示のみの信頼度の関係と逆の場合がある。これにより、青色タイトル表示が表示されたことによって赤色タイトル表示が表示された場合よりも期待感が高められる場合があり、青色タイトル表示の興趣が低下するのを効果的に防止することが可能である。また、鳥背景が表示されても期待感を失わずに遊技を続けさせることが可能である。
（３）鳥背景後に青色タイトル表示＜夜背景後に青色タイトル表示＜鳥背景後に赤色タイトル表示＜夜背景後に赤色タイトル表示。
上記（３）では、背景演出の演出態様に関わらず赤色タイトル表示が表示されると信頼度が高く、青色タイトル表示が表示されると信頼度が低いので、信頼度が分かり易い。
（４）夜背景後に青色タイトル表示＜鳥背景後に青色タイトル表示＜鳥背景後に赤色タイトル表示＜夜背景後に赤色タイトル表示。
上記（４）では、成り下がりは信頼度が一番低く、成り上がりは中程度の信頼度であり、信頼度の高い演出態様同士は信頼度が一番高いので、信頼度の関係が分かり易い。
なお、背景演出とタイトル表示との組み合わせに係る信頼度の高低の関係は上記（１）〜（４）の関係に限らず、どのような関係でもよい。
【０８２３】
なお、例えば、キャラＳＰリーチ及びＳＰＳＰリーチを実行可能な変動パターンＥ，Ｊが選択された場合は背景演出を実行し、キャラＳＰリーチ及びＳＰＳＰリーチの両方を実行できない変動パターンＡ〜Ｄ，Ｇ〜Ｉ又はリーチ無しハズレ用変動パターンが選択された場合は背景演出を実行しなくてもよい（出現率０％）。また、前者よりも後者の場合に背景演出の出現率を低くしてもよいし、高くしてもよい。
【０８２４】
また、背景演出の開始直前に実行される操作促進演出中は、第２態様の装飾図柄を表示してもよい。このような場合、通常ボタン画像（又は突出ボタン画像）及びゲージ画像の後ろ側に装飾図柄（第１態様の装飾図柄）が重畳表示されないために画面構成が分かり易く、操作促進演出が実行されていることに遊技者が気付き易い。
【０８２５】
なお、例えば、操作促進演出（弱態様）中は第１態様の装飾図柄を表示し、操作促進演出（強態様）中は第２態様の装飾図柄を表示してもよい。
【０８２６】
また、背景演出の開始直前に実行される操作促進演出（弱態様）は、ＳＰＳＰリーチ中にカットイン直前に実行される操作促進演出の演出態様とは異なり、有効期間中に「押せ！」といったメッセージが表示されない。なお、背景演出の開始直前に実行される操作促進演出の演出態様は、ＳＰＳＰリーチ中に実行される操作促進演出の演出態様と同じでもよい。
【０８２７】
また、背景演出は演出役物７を動作させない演出であり、演出役物７が初期位置にあるときに実行される演出である。他の実施形態では、背景演出の開始タイミングで演出役物７を動作させてもよい。
【０８２８】
本実施形態では、リーチ演出開始後に背景演出は実行されない（すなわち出現率０％）。他の実施形態では、背景演出をＳＰＳＰリーチ中に実行可能でもよいし、昇格演出（前半）で実行可能でもよい。例えば、ＳＰＳＰリーチは、鳥背景が表示されるよりも夜背景が表示された方が、大当たりに対する期待度が高くてもよい（必ず大当たりでもよい）。また、昇格演出（前半）は、鳥背景が表示されるよりも夜背景が表示された方が、昇格成功演出が実行され易く、昇格失敗演出が実行され難くてもよい（必ず昇格成功演出が実行されてもよい）。
【０８２９】
＜チャンス目演出＞
次に、図６８を参照して、通常モードＡにおいて、変動パターンＢ〜Ｅ，Ｇ〜Ｊ、又は全てのリーチ無しハズレ用変動パターン（例えば、変動時間は３秒、８秒、及び１３．５秒のうちの何れか）選択されることを示す事前判定結果が得られた場合に実行可能な「チャンス目演出」について説明する。なお、チャンス目演出は、変動パターンＡが選択された場合は実行されない。「チャンス目演出」は、第１特別図柄判定の判定結果が「ハズレ」であることを報知する際に装飾図柄（第１態様の装飾図柄）を予め定められた特定の数字の組み合わせで停止表示することによって、第１特別図柄判定の保留の中に「大当たり」と判定されるものが存在する可能性があることを示唆する演出である。すなわち、チャンス目演出は、大当たり遊技が行われる可能性があることを事前に示唆する信頼度示唆演出の１つである。
【０８３０】
なお、ハズレ時において、装飾図柄が停止表示される直前には、停止表示される数字の組み合わせと同じ組み合わせで装飾図柄（第１態様の装飾図柄）が擬似停止される。また、次の第１特別図柄の変動表示が開始されたのに伴って装飾図柄の変動表示が開始された際には、停止表示されていた装飾図柄（第１態様の装飾図柄）が微動しながら表示される（例えば図７４（Ｂ）参照）。このため、チャンス目は、第１特別図柄が停止表示される直前（例えば、０．５秒前）から次の第１特別図柄の変動表示開始後の所定タイミング（例えば変動表示開始から１秒後）まで表示される。
【０８３１】
このように、チャンス目演出の実行中は、装飾図柄を構成する数字のサイズが小さい第２態様の装飾図柄ではなく、数字のサイズが大きい第１態様の装飾図柄が表示される。これにより、チャンス目が表示されたことを分かり易くできる。
【０８３２】
チャンス目演出によって表示されるチャンス目には、弱チャンス目と強チャンス目との２種類が存在する。弱チャンス目は、第１特別図柄判定の保留の中に「大当たり」と判定されるものが存在する可能性が相対的に低いことを示唆するチャンス目である。言い換えれば、先読み対象の変動表示がチャンスかもしれないといった印象を遊技者に与えるためのチャンス目である。本実施形態における弱チャンス目は、３つの偶数図柄から構成されるバラケ目である（例えば、「８」「４」「４」の組み合わせ：図７４（Ａ）参照）。先読み対象の変動表示が始まる前に弱チャンス目しか表示されなかった場合、先読み対象の変動表示では、リーチが成立する場合もあるがリーチが成立し難くい。また、先読み対象の変動表示でリーチが成立したとしても低信頼度のリーチ演出（例えば、ノーマルリーチ）しか行われず、大抵の場合はハズレが報知されることになる。
【０８３３】
強チャンス目は、第１特別図柄判定の保留の中に「大当たり」と判定されるものが存在する可能性が相対的に高いことを示唆するチャンス目である。本実施形態における強チャンス目は、３つの奇数図柄から構成されるバラケ目である（例えば、「７」「３」「３」の組み合わせ：図７５（Ｄ）参照）。先読み対象の変動表示が始まる前に強チャンス目が表示された場合、先読み対象の変動表示中に必ずリーチが成立してリーチ演出（例えばキャラＳＰリーチ）が行われる。すなわち、強チャンス目は、先読み対象の変動表示で例えばノーマルリーチ以上のリーチ演出に発展することを示唆するチャンス目である。このため、強チャンス目は、図３２を参照して説明した青色の保留アイコンと同様の機能を有する演出といえる。なお、強チャンス目が表示された場合、先読み対象の変動表示中にＳＰＳＰリーチが実行される場合もある。このため、先読み対象の変動表示が始まる前に強チャンス目を表示することによって、遊技者の大当たりに対する期待感を効果的に高めることが可能である。
【０８３４】
なお、本実施形態では、先読み対象の変動表示が始まる前に、チャンス目が複数回表示される場合がある。例えば、先読み対象の２つ前の変動表示において弱チャンス目が表示され、先読み対象の１つ前の変動表示においても弱チャンス目が表示される場合がある。また、先読み対象の２つ前の変動表示において弱チャンス目が表示され、先読み対象の１つ前の変動表示において強チャンス目が表示される場合がある。また、先読み対象の２つ前の変動表示において強チャンス目が表示され、先読み対象の１つ前の変動表示において強チャンス目が表示される場合がある。
【０８３５】
このように、先読み対象の変動表示が始まる前にチャンス目が複数回表示される場合は、先読み対象の１つ前の変動表示において表示されるチャンス目の種類が先読み対象の変動表示の大当たりに対する信頼度を示唆する役割を持つ。このため、遊技者は、弱チャンス目が表示された場合に、先読み対象の変動表示が始まる前に強チャンス目が表示されることを期待しながら、チャンス目演出を楽しむことができる。
【０８３６】
なお、本実施形態では、連続的に行われる第１特別図柄の２回の変動表示を用いてチャンス目が表示される場合を説明するが、３回以上の変動表示を用いて、先読み対象の変動表示が始まる前にチャンス目が３回以上表示されてもよい。
【０８３７】
演出制御基板１３０のサブＣＰＵ１３１は、遊技球が第１始動口１１に入賞したことに応じて遊技制御基板１００から保留コマンドを受信した際、事前演出パターンをセットする処理（図４８のステップＳ１３６）に続いて、チャンス目演出を実行するか否かを乱数抽選で決定する。そして、チャンス目演出を実行すると決定された場合には、サブＣＰＵ１３１は、どのような演出パターンのチャンス目演出を実行するかを乱数抽選で決定する。
【０８３８】
ところで、チャンス目の導出表示はリーチ無しハズレの変動を用いて行われる。このため、先読み対象の事前判定結果に基づいてチャンス目演出を実行すると決定された場合、先読み対象の変動表示の前に実行される変動表示に係る変動演出が全てリーチ無し演出であるか否かが判定され、リーチ有り演出が行われる変動演出が１つでもある場合には、チャンス目演出を実行しないといった制御が行われる。
【０８３９】
なお、チャンス目演出を実行するか否かは、以下のような処理で決定してもよい。具体的には、保留コマンドを受信した際にチャンス目演出の実行対象になり得る事前判定結果（例えば、リーチ演出を実行可能な変動パターンを示す事前判定結果）が得られた場合、サブＣＰＵ１３１は、先読み対象の変動表示より先に実行される変動表示に係る変動演出においてリーチ有り演出が行われるものが含まれるか否かを判定する。そして、サブＣＰＵ１３１は、含まれると判定した場合はチャンス目演出を実行しないと決定し、含まれないと判定した場合はチャンス目演出を実行すると決定する。
【０８４０】
＜図柄変化演出＞
チャンス目演出は、先読み対象の大当たりに対する信頼度を示唆する機能を備える演出である。このため、チャンス目の態様で停止表示された装飾図柄が変動表示を開始した後においても、前回の変動表示でどのチャンス目が表示されたかを遊技者が容易に認識できることが好ましい。そこで、本実施形態では、チャンス目の態様で表示された装飾図柄（第１態様の装飾図柄）の一部（又は全部）を変化させることにより、大当たりとなる可能性を示唆すると共に、チャンス目演出が実行されたことを示唆する「図柄変化演出」を実行する。なお、図柄変化演出は、第１態様の装飾図柄を用いて実行される演出であるため、画面全体に対する表示領域が広い画像を表示する演出である。
【０８４１】
本実施形態では、チャンス目演出が実行された場合は必ず図柄変化演出も実行される。このため、図柄変化演出はチャンス目演出と同様に、通常モードＡにおいて、変動パターンＢ〜Ｅ，Ｇ〜Ｊ、又は全てのリーチ無しハズレ用変動パターン（例えば、変動時間は３秒、８秒、及び１３．５秒のうちの何れか）が選択されることを示す事前判定結果が得られた場合に実行可能な演出である。なお、図柄変化演出は、変動パターンＡが選択された場合は実行されない。また、図柄変化演出は、大当たり遊技が行われる可能性があることを事前に示唆する信頼度示唆演出の１つである。
【０８４２】
図６８は、チャンス目演出および図柄変化演出について説明するためのタイムチャートである。図６８（Ａ）に例示されるように、チャンス目演出が実行されない場合、第１特別図柄の変動表示に伴う装飾図柄の変動表示と、第１特別図柄の停止表示（ハズレ報知）に伴う装飾図柄の停止表示（バラケ目の停止表示）とが繰り返されることになる。
【０８４３】
一方、チャンス目演出が実行される場合、先読み対象の２つ前の変動演出において弱チャンス目が停止表示され、先読み対象の１つ前の変動演出において強チャンス目が表示される場合がある（図６８（Ｂ）参照）。このような場合、先読み対象の１つ前の変動演出開始時に、先読み対象の２つ前の変動演出において弱チャンス目が表示されたことを示唆する図柄変化演出が実行される。具体的には、弱チャンス目を形成する３つの偶数図柄（第１態様の装飾図柄）のうち、偶数図柄を構成する数字をデフォルト色（例えば青色）から所定色（本実施形態では緑色）へと一斉に変化させる演出表示が行われる。
【０８４４】
また、先読み対象の１つ前の変動演出において強チャンス目が表示されると、先読み対象の変動演出開始時に、先読み対象の１つ前の変動演出において強チャンス目が表示されたことを示唆する図柄変化演出が実行される。具体的には、強チャンス目を形成する３つの奇数図柄（第１態様の装飾図柄）のうち、奇数図柄を構成する数字をデフォルト色（例えば緑色）から所定色以外の他の色（本実施形態では赤色）へと一斉に変化させる演出表示が行われる。
【０８４５】
なお、図柄変化演出中は、チャンス目を形成する装飾図柄は微動している。図柄変化演出によって変化した装飾図柄がデフォルト状態に戻されるタイミングは、スクロールを開始する際でもよいし、スクロールにより液晶画面５に表示されなくなったタイミングでもよいし、高速スクロール中でもよい。
【０８４６】
このように、変動表示を開始する際に、停止表示されていたが装飾図柄を用いて装飾図柄の色彩に関する要素を変更する図柄変化演出を実行することにより、先読み対象が大当たりとなる可能性を示唆することが可能である。図柄変化演出には、装飾図柄の色彩に関する要素を赤色に変化させる態様と、緑色に変化させる態様との２種類が存在する。赤色に変化させる態様は、第１特別図柄判定の保留の中に「大当たり」と判定されるものが存在する可能性が相対的に低いことを示唆する態様の図柄変化演出である。緑色に変化させる態様は、第１特別図柄判定の保留の中に「大当たり」と判定されるものが存在する可能性が相対的に高いことを示唆する態様の図柄変化演出である。図柄変化演出は、赤色に変化させる態様で実行された場合の方が、緑色に変化させる態様で実行された場合よりも先読み対象の大当たりに対する信頼度が高い。
【０８４７】
図柄変化演出は、装飾図柄を構成する数字のサイズが小さい第２態様の装飾図柄ではなく、数字のサイズが大きい第１態様の装飾図柄を用いて実行される。これにより、どのような演出態様で図柄変化演出が実行されたかを分かり易くできる。
【０８４８】
また、図柄変化演出は、装飾性の低い第２態様の装飾図柄ではなく装飾性の高い第１態様の装飾図柄を用いて実行される。これにより、もともと高い第１態様の装飾図柄の装飾性を、図柄変化演出によってより高めることができる。これにより、変動演出開始時を華やかな印象にすることが可能である。
【０８４９】
なお、上述した図柄変化演出の演出表示に伴って（又は、上述した図柄変化演出の演出表示に代えて）、装飾図柄を構成する数字に付されたキャラクタの服だけの色を変化させる演出表示が行われてもよい。例えば、弱チャンス目が表示されたことを示唆する図柄変化演出では、キャラクタの服を緑色へと一斉に変化させ、強チャンス目が表示されたことを示唆する図柄変化演出では、キャラクタの服を赤色へと一斉に変化させてもよい。
【０８５０】
チャンス目演出と図柄変化演出とは、実行タイミングが先読み対象よりも前の第１特別図柄の変動パターンにひも付いて一義的に決まる演出である。このため、チャンス目演出が２回以上実行される場合の実行間隔は一定ではなく、図柄変化演出が２回以上実行される場合の実行間隔は一定ではない。これに対して、チャンス目演出とその直後の図柄変化演出との実行間隔は、これらの演出が何回実行されたとしても一定である。
【０８５１】
なお、他の実施形態では、チャンス目演出を実行せずに図柄変化演出が実行されてもよい。この場合、第１特別図柄判定の判定結果が「ハズレ」であることを報知する際に停止表示されていた装飾図柄（第１態様の装飾図柄）を用いて図柄変化演出を実行することにより、第１特別図柄判定の保留の中に「大当たり」と判定されるものが存在する可能性があることを示唆することが可能である。
【０８５２】
また、他の実施形態では、チャンス目演出と図柄変化演出とが１つの演出として構成されてもよい。また、チャンス目演出は、チャンス目を形成する装飾図柄が停止表示される際に、チャンス目の強弱に対応した発光色で装飾図柄の周囲を発光させる演出表示を伴う演出として構成されてもよい。
【０８５３】
また、他の実施形態では、チャンス目演出と図柄変化演出との演出態様には、大当たりとなることを確定的に予告する大当たり予告として機能する態様があってもよく、大当たり用変動パターンＢ〜Ｅが選択された場合に所定の確率（例えば１％）で実行してもよい。
【０８５４】
また、チャンス目演出と図柄変化演出とは演出役物７を動作させない演出であり、演出役物７が初期位置にあるときに実行される演出である。他の実施形態では、チャンス目演出では演出役物７を動作させず、図柄変化演出の開始タイミングで演出役物７を動作させてもよい。
【０８５５】
本実施形態では、リーチ演出開始後にチャンス目演出および図柄背景演出は実行されない（すなわち、どちらも出現率０％）。他の実施形態では、チャンス目演出および図柄背景演出をＳＰＳＰリーチ中に実行可能でもよいし、昇格演出（前半）で実行可能でもよい。例えば、ＳＰＳＰリーチにおいてリーチ図柄に代えてチャンス目が表示されてもよく、弱チャンス目が表示されるよりも強チャンス目が表示された方が、大当たりに対する期待度が高くてもよい。また、例えば、ＳＰＳＰリーチにおいて装飾図柄（リーチ図柄）を構成する数字の色をデフォルト色から他の色に変える図柄変化演出を実行してもよく、偶数図柄のリーチ図柄の色をデフォルト色から緑色に変化させてもよいし、奇数図柄のリーチ図柄の色をデフォルト色から赤色に変化させてもよい。リーチ図柄は、デフォルト色、緑色、及び赤色で表示可能であり、大当たりに対する信頼度はこの順に高い。また、例えば、昇格演出（前半）において大当たり態様の装飾図柄の色をデフォルト色から他の色に変える図柄変化演出を実行してもよく、大当たり態様の装飾図柄の色は、デフォルト色よりも他の色（例えば赤色）の方が、確変遊技状態に移行する確率が高い（例えば、１００％の確率で移行する）。
【０８５６】
＜信頼度示唆演出同士の関係＞
図６９を参照して、通常モードＡにおいて実行可能な信頼度示唆演出同士の関係について説明する。図６９は、信頼度示唆演出同士の関係について説明するための説明図である。上述したように、保留アイコン変化演出と、当該アイコン変化演出と、通常擬似連演出と、ストーリー擬似連演出とは、通常モードＡ又は通常モードＢで演出が実行されているときに実行可能な信頼度示唆演出である。また、背景演出（及び操作促進演出）と、チャンス目演出と、図柄変化演出とは、通常モードＡで演出が実行されているときに実行可能な信頼度示唆演出である。
【０８５７】
ある信頼度示唆演出が信頼度の高い態様で実行される場合は、信頼度の高い態様で実行されない場合（具体的には、信頼度の低い態様で実行される場合および実行すらされない場合）と比べると、複数の信頼度示唆演出が信頼度の高い態様で実行され易く、大当たりである可能性が高い。例えば、背景演出についていえば、信頼度の高い夜背景が実行される場合は、信頼度の低い鳥背景が実行される場合と比べると以下のことがいえる。
・夜背景が実行される変動表示開始前に、保留アイコンが信頼度の高い色になり易い（すなわち、信頼度の高い態様で保留アイコン変化演出および事前演出が実行され易い（必ず実行されてもよい））。
・夜背景が実行される変動表示開始前と、夜背景が実行される変動表示において、この変動表示を先読み対象とするチャンス目演出および図柄変化演出が実行され易い（必ず実行されてもよい））。
・夜背景が実行される変動表示において、他の信頼度示唆演出（例えば、擬似連演出）が実行され易い（必ず実行されてもよい）。
これらのことは、背景演出以外の信頼度示唆演出が信頼度の高い演出態様で実行された場合についても同様である。このため、場合によってはこれら全ての実行が決定されるような状況も発生し得る。
【０８５８】
しかしながら、各演出の態様によっては、同時に実行することが冗長に感じられたり過度な演出に感じられたりするおそれがある。また、画像データのデータ量が大きくなり、処理落ちが生じたり、ダブルバッファリングによるコマ落ちが生じたりするおそれもある。
【０８５９】
そこで、本実施形態では、以下の理由などにより信頼度示唆演出同士に禁則条件を予め設けている。また、禁則条件が成立したときの変更内容を規定している場合もある。
【０８６０】
図６９（Ａ）の行を参照しつつ、保留アイコン変化演出と他の演出との関係について説明する。
【０８６１】
まず、保留アイコン変化演出と当該アイコン変化演出との関係について説明する。本実施形態では、保留アイコン変化演出で表示される保留変化示唆画像として、当該アイコン変化演出で表示されるアイコン変化示唆画像と同じ演出画像が用いられる。このため、これら２種類の演出が同時に実行されると、何が起きているのか分かり難くなり、煩雑な印象になるおそれがある。また、例えば、保留アイコンと当該アイコンとが同時に変化し、当該アイコンがより信頼度の高い態様（例えば金色）に変化したような場合、当該アイコンに対応する変動演出に対して大当たりに対する期待感を抱く可能性が高い。このような場合に、当該アイコンに対応する変動演出においてハズレが報知されると、より信頼度の低い態様（例えば緑色）である保留アイコンに対して期待感を抱けなくなる可能性がある。また、例えば、保留アイコンが信頼度の高い態様（例えば、大当たりを示す虹色）に変化したような場合、実行中の変動演出に対して興味がなくなる可能性が高い。
【０８６２】
そこで、図６９（Ａ）の行における「当該アイコン変化演出」の列に示すように、保留アイコン変化演出と当該アイコン変化演出とは同時に実行できないものとし、一方の演出の実行が決定されている場合は、同じタイミングで他方の演出を実行しないように制御する。「実行しないように制御」とは、例えば、一方の演出の実行が決定されている場合は、他方の演出を実行するか否かを決定するための乱数抽選処理自体を実行しないようにすることが考えられる。
【０８６３】
なお、他の実施形態では、保留アイコン変化演出の実行中に当該アイコン変化演出を実行可能でもよいし、当該アイコン変化演出の実行中に保留アイコン変化演出を実行可能でもよい。また、例えば、変化後の態様がより信頼度の高い方に係る演出を実行し、変化後の態様がより信頼度の低い方に係る演出を実行しないように制御してもよい。
【０８６４】
次に、保留アイコン変化演出と通常擬似連演出との関係、及び保留アイコン変化演出とストーリー擬似連演出との関係について説明する。
【０８６５】
保留アイコン変化演出と通常擬似連演出との関係について、例えば、保留アイコンが信頼度の高い態様（例えば、大当たりを示す虹色）に変化したような場合、実行中の変動演出に対して興味がなくなる可能性が高い。また、本実施形態では、通常擬似連演出が実行されると画面周縁部の内側に沿って、擬似連数を示す所定色（例えば擬似２連目であることを示す緑色）の擬似連エフェクト画像が表示される。擬似連エフェクト画像は保留アイコンの手前側に重畳して表示されるので、保留アイコンの視認性が低下する。このため、擬似連エフェクト画像の表示中に保留アイコン変化演出が実行されて保留アイコンの色が変化しても、演出効果を効果的に向上できないおそれがある。
【０８６６】
また、保留アイコン変化演出とストーリー擬似連演出との関係について、ストーリー擬似連演出は、画面全体に表示されたストーリー画像と、この画像の内容に関連する演出音とに注目させる演出である。このような演出中に、例えば、ストーリー画像の手前側に重畳して保留変化示唆画像が表示されたり、保留アイコン変化演出に係る演出音（例えば「ピコン」といった演出音）が出力されたりすると、遊技者の意識が保留アイコンにそれてしまう。また、ストーリー擬似連演出に係る演出音によって、保留アイコン変化演出に係る演出音が聞こえ難くなり、どちらの演出も興趣が低下するおそれがある。
【０８６７】
そこで、図６９（Ａ）の行における「通常擬似連演出」及び「ストーリー擬似連演出」の列に示すように、保留アイコン変化演出と通常擬似連演出とは同時に実行できないものとし、保留アイコン変化演出とストーリー擬似連演出とは同時に実行できないものとする。
【０８６８】
例えば、擬似連演出（通常擬似連演出およびストーリー擬似連演出）の実行中に保留アイコン変化演出の実行タイミングが到来するような場合には、擬似連演出に係る変動演出が終了して次の変動演出が開始される際まで保留アイコン変化演出の実行が持ち越される。また、例えば、保留アイコン変化演出の実行が決定されている場合は、擬似連演出の実行回数を減らしたり、保留アイコン変化演出の実行タイミングと重ならないタイミングで擬似連演出が実行したりするように制御される。
【０８６９】
なお、他の実施形態では、保留アイコン変化演出の実行中に擬似連演出を実行可能でもよいし、擬似連演出の実行中に保留アイコン変化演出を実行可能でもよい。また、保留アイコン変化演出と擬似連演出とは、例えば、保留アイコンが所定の色以上（例えば金以上）に変化する場合は同時に実行可能とし、所定の色より信頼度が低い色に変化する場合は保留アイコン変化演出を実行しないように制御してもよい。また、擬似連演出が所定回数以上（例えば２回以上）実行される場合は保留アイコン変化演出を実行せずに擬似連演出を実行し、所定回数より少なく実行される場合は保留アイコン変化演出を実行してもよい。
【０８７０】
次に、保留アイコン変化演出と背景演出（及び、背景演出の直前に実行される操作促進演出）との関係について説明する。本実施形態では、保留アイコン変化演出で表示される保留変化示唆画像は、画面全体に対する表示領域が狭い画像である。これに対して、背景演出で表示される鳥背景および夜背景は、表示領域が広い画像である。このため、これら２種類の演出が同時に実行されたとしても、画面全体として何が起きているのか分かり易い。
【０８７１】
そこで、図６９（Ａ）の行における「背景演出（操作促進演出）」の列に示すように、保留アイコン変化演出と背景演出とは同時に実行可能に制御する。すなわち、保留アイコン変化演出の実行中に背景演出を実行可能であり、背景演出の実行中に保留アイコン変化演出を実行可能である。
【０８７２】
なお、保留変化示唆画像が、画面全体に対する表示領域が広い画像（例えば、画面全体に表示される画像）である他の実施形態では、保留アイコン変化演出と背景演出とは同時に実行できないものとしてもよい。保留変化示唆画像によって背景画像が全く（又はほとんど）見えなくなり、いつの間にか背景画像が変化していたことになると、結果として演出が煩雑になるおそれがあるためである。このような場合、例えば、一方の演出の実行が決定されている場合は、同じタイミングで他方の演出を実行しないように制御してもよい。また、例えば、背景演出の実行中に保留アイコン変化演出の実行タイミングが到来するような場合には、背景演出に係る変動演出が終了して次の変動演出が開始される際まで保留アイコン変化演出の実行が持ち越されてもよい。
【０８７３】
また、他の実施形態では、保留アイコンが所定の色以上（例えば金以上）に変化する場合は背景演出を実行せずに保留アイコン変化演出を実行し、所定の色より信頼度が低い色に変化する場合は保留アイコン変化演出を実行せずに背景演出を実行してもよい。また、例えば、夜背景が表示される場合は保留アイコン変化演出を実行せずに背景演出を実行し、鳥背景が表示される場合は背景演出を実行せずに保留アイコン変化演出を実行してもよい。
【０８７４】
次に、保留アイコン変化演出とチャンス目演出（及び図柄変化演出）との関係について説明する。保留アイコン変化演出は保留アイコンに注目させる演出であり、チャンス目演出（及び図柄変化演出）は装飾図柄（第１態様の装飾図柄）に注目させる演出である。これら２種類の演出が同時に実行されると、例えば、装飾図柄の手前側に重畳して保留変化画像が表示されるため装飾図柄の視認性が低下すると共に、全体として演出が分かり難くなるおそれがある。また、チャンス目演出（及び図柄変化演出）の実行中にスピーカ２４から出力される演出音（例えば、「ズゴー」といった演出音）によって保留アイコン変化演出に係る演出音が聞こえ難いおそれがある。
【０８７５】
そこで、図６９（Ａ）の行における「チャンス目演出」及び「図柄変化演出」の列に示すように、保留アイコン変化演出とこれらの演出とは同時に実行できないものとする。
【０８７６】
なお、他の実施形態では、保留アイコン変化演出の実行中にチャンス目演出（及び図柄変化演出）を実行可能でもよいし、チャンス目演出（及び図柄変化演出）の実行中に保留アイコン変化演出を実行可能でもよい。また、例えば、保留アイコンが所定の色以上（例えば金以上）に変化する場合はチャンス目演出（及び図柄変化演出）を実行せずに保留アイコン変化演出を実行し、所定の色より信頼度が低い色に変化する場合は保留アイコン変化演出を実行せずにチャンス目演出（及び図柄変化演出）を実行してもよい。また、例えば、強チャンス目が表示される場合は保留アイコン変化演出を実行せずにチャンス目演出（及び図柄変化演出）を実行し、弱チャンス目が表示される場合はチャンス目演出（及び図柄変化演出）を実行せずに保留アイコン変化演出を実行してもよい。
【０８７７】
次に、図６９（Ｂ）の行を参照しつつ、当該アイコン変化演出と他の演出との関係について説明する。
【０８７８】
まず、当該アイコン変化演出と通常擬似連演出との関係について説明する。通常擬似連演出で表示される擬似連エフェクト画像と、当該アイコン変化演出で表示されるアイコン変化示唆画像とは、どちらも画面全体に対する表示領域が狭い画像である。これら２種類の演出が同時に実行された場合、相乗効果により実行中の変動演出に対する期待感を高めることが可能である。
【０８７９】
そこで、図６９（Ｂ）の行における「通常擬似連演出」の列に示すように、当該アイコン変化演出と通常擬似連演出とは同時に実行可能に制御する。すなわち、当該アイコン変化演出の実行中に通常擬似連演出を実行可能であり、通常擬似連演出の実行中に当該アイコン変化演出を実行可能である。例えば、当該アイコン変化演出によって当該アイコンが所定の色以上（例えば金以上）に変化する場合は、所定の色に変化しない場合と比べると通常擬似連演出の実行回数が多く（例えば２回）なり易くてもよいし、必ず通常擬似連演出が実行されてもよい。
【０８８０】
なお、他の実施形態では、当該アイコン変化演出と通常擬似連演出とは同時に実行できないものとしてもよい。例えば、一方の演出の実行が決定されている場合は、同じタイミングで他方の演出を実行しないように制御してもよい。また、例えば、当該アイコンが所定の色以上（例えば金以上）に変化する場合は当該アイコン変化演出と通常擬似連演出と同時に実行可能とし、所定の色より信頼度が低い色に変化する場合は当該アイコン変化演出を実行せずに通常擬似連演出を実行してもよい。また、通常擬似連演出が所定回数以上（例えば２回以上）実行される場合は当該アイコン変化演出を実行せずに通常擬似連演出を実行し、所定回数より少なく実行される場合は当該アイコン変化演出を実行してもよい。
【０８８１】
次に、当該アイコン変化演出とストーリー擬似連演出との関係について説明する。上述したように、ストーリー擬似連演出は、ストーリー画像と、この画像の内容に関連する演出音とに注目させる演出である。このような演出中に、例えば、ストーリー画像の手前側に重畳してアイコン変化示唆画像が表示されたり、当該アイコン変化演出に係る演出音（例えば「シュワー」といった演出音）が出力されたりすると、遊技者の意識が当該アイコンにそれてしまう。また、ストーリー擬似連演出に係る演出音によって、当該アイコン変化演出に係る演出音が聞こえ難くなり、どちらの演出も興趣が低下するおそれがある。
【０８８２】
そこで、図６９（Ｂ）の行における「ストーリー擬似連演出」の列に示すように、当該アイコン変化演出とストーリー擬似連演出とは同時に実行できないものとする。例えば、当該アイコンが所定の色以上（例えば金以上）に変化する場合はストーリー擬似連演出を実行せずに当該アイコン変化演出を実行し、所定の色より信頼度が低い色に変化する場合は当該アイコン変化演出を実行せずにストーリー擬似連演出を実行してもよい。また、ストーリー擬似連演出が所定回数以上（例えば２回以上）実行される場合は当該アイコン変化演出を実行せずにストーリー擬似連演出を実行し、所定回数より少なく実行される場合は当該アイコン変化演出を実行してもよい。
【０８８３】
なお、他の実施形態では、当該アイコン変化演出の実行中にストーリー擬似連演出を実行可能でもよいし、ストーリー擬似連演出の実行中に当該アイコン変化演出を実行可能でもよい。例えば、当該アイコンが所定の色以上（例えば金以上）に変化する場合は同時に実行可能とし、所定の色より信頼度が低い色に変化する場合は当該アイコン変化演出を実行せずにストーリー擬似連演出を実行してもよい。また、ストーリー擬似連演出が所定回数以上（例えば２回以上）実行される場合は当該アイコン変化演出を実行せずにストーリー擬似連演出を実行し、所定回数より少なく実行される場合は同時に実行可能としてもよい。
【０８８４】
次に、当該アイコン変化演出と背景演出（及び、背景演出の直前に実行される操作促進演出）との関係について説明する。本実施形態では、アイコン変化示唆画像は表示領域が狭い画像であり、背景演出で表示される鳥背景および夜背景は表示領域が広い画像である。このため、これら２種類の演出が同時に実行されたとしても、画面全体として何が起きているのか分かり易い。
【０８８５】
そこで、図６９（Ｂ）の行における「背景演出（操作促進演出）」の列に示すように、当該アイコン変化演出と背景演出とは同時に実行可能に制御する。すなわち、当該アイコン変化演出の実行中に背景演出を実行可能であり、背景演出の実行中に当該アイコン変化演出を実行可能である。
【０８８６】
なお、アイコン変化示唆画像が、画面全体に対する表示領域が広い画像（例えば、画面全体に表示される画像）である他の実施形態では、当該アイコン変化演出と背景演出とは同時に実行できないものとしてもよい。アイコン変化示唆画像によって背景画像が全く（又はほとんど）見えなくなり、いつの間にか何の説明もなく背景画像が変化していたことになって粗雑な印象を与えかねないおそれがあるからである。このような場合、例えば、当該アイコンが所定の色以上（例えば金以上）に変化する場合は背景演出を実行せずに当該アイコン変化演出を実行し、所定の色より信頼度が低い色に変化する場合は当該アイコン変化演出を実行せずに背景演出を実行してもよい。また、夜背景が表示される背景演出が実行される場合は当該アイコン変化演出を実行せずに背景演出を実行し、鳥背景が表示される背景演出が実行される場合は背景演出を実行せずに当該アイコン変化演出を実行してもよい。
【０８８７】
次に、当該アイコン変化演出とチャンス目演出（及び図柄変化演出）との関係について説明する。本実施形態では、当該アイコンが青以上になると必ずリーチ演出が実行される。これに対して、チャンス目演出（及び図柄変化演出）はリーチ無し演出に係る変動演出を用いて実行される。このため、先読み対象の前の変動表示において当該アイコン変化演出は実行されない。なお、チャンス目演出（及び図柄変化演出）の先読み対象が当該アイコン変化演出に対応するものである場合は、当該アイコン変化演出とチャンス目演出（及び図柄変化演出）とを同時に実行可能である。
【０８８８】
なお、他の実施形態では、どのような場合においても当該アイコン変化演出とチャンス目演出（及び図柄変化演出）とが同時に実行できなくてもよいし、同時に実行できてもよい。
【０８８９】
次に、図６９（Ｃ）の行を参照しつつ、通常擬似連演出と他の演出との関係について説明する。
【０８９０】
通常擬似連演出とストーリー擬似連演出との関係については、１つの変動演出において何れか１種類の擬似連演出を実行可能である。このため、擬似１連目は通常擬似連演出が実行されて擬似２連目はストーリー擬似連演出が実行されるといった状況は発生しない。また、これら２種類の擬似連演出が同時に実行されることはない。
【０８９１】
次に、通常擬似連演出と背景演出（及び、背景演出の直前に実行される操作促進演出）の関係について説明する。擬似連エフェクト画像は画面全体に対する表示領域が狭い画像であり、背景画像は表示領域が広い画像である。このため、これら２種類の演出が同時に実行されたとしても、画面全体として何が起きているのか分かり易い。また、相乗効果により実行中の変動演出に対する期待感を高めることが可能である。
【０８９２】
そこで、図６９（Ｃ）の行における「背景演出（操作促進演出）」の列に示すように、通常擬似連演出と背景演出とは同時に実行可能に制御する。すなわち、通常擬似連演出の実行中に背景演出を実行可能であり、背景演出の実行中に通常擬似連演出を実行可能である。例えば、夜背景を実行する場合は、夜背景を実行せずに鳥背景を実行する場合と比べると通常擬似連演出の実行回数が多く（例えば２回）なり易くてもよいし、必ず通常擬似連演出が実行されてもよい。
【０８９３】
次に、通常擬似連演出とチャンス目演出（及び図柄変化演出）との関係について説明する。本実施形態では、これらの演出は実行タイミングが異なるため、同時に実行されない。このことは、ストーリー擬似連演出とチャンス目演出（及び図柄変化演出）との関係についても同じである（図６９（Ｃ）及び（Ｄ）の行の「チャンス目演出」及び「図柄変化演出」の列）。
【０８９４】
なお、他の実施形態では、擬似連演出（通常擬似連演出およびストーリー擬似連演出）の実行中にチャンス目演出（及び図柄変化演出）を実行可能でもよいし、チャンス目演出（及び図柄変化演出）の実行中に擬似連演出を実行可能でもよい。具体的には、例えば、チャンス目を擬似連図柄として機能させることにより、チャンス目が擬似停止されたことに応じて擬似連演出を実行してもよく、この擬似停止されたチャンス目を用いて図柄変化演出を行ってもよい。
【０８９５】
次に、図６９（Ｄ）の行を参照しつつ、ストーリー擬似連演出と他の演出との関係について説明する。
【０８９６】
ストーリー擬似連演出と背景演出（及び、背景演出の直前に実行される操作促進演出）との関係について説明する。上述したように、ストーリー画像と背景画像とは、どちらも画面全体に対する表示領域が広く、画面全体に表示される画像である。例えば、ストーリー画像の後ろ側で背景画像が変更されても視認できないため、いつの間にか何の説明もなく背景画像が変化していたことになって粗雑な印象を与えかねないおそれがある。
【０８９７】
そこで、図６９（Ｄ）の行における「背景演出（操作促進演出）」の列に示すように、ストーリー擬似連演出と背景演出とは同時に実行できないものとし、一方の演出の実行が決定されている場合は、同じタイミングで他方の演出を実行しないように制御する。すなわち、ストーリー擬似連演出の実行回数が少ないとき（具体的には０回）に背景演出を実行可能であり、ストーリー擬似連演出の実行回数が多いとき（例えば２回）に背景演出を実行しない。具体的には、例えば、変動時間が１３．５秒よりも短いリーチ無しハズレ用変動パターンが選択されたときは背景演出を実行可能であり、変動パターンＤ，Ｉ，Ｊが選択された場合にストーリー擬似連が２回実行されるときは背景演出を実行しなくてもよい。
【０８９８】
なお、他の実施形態では、例えば、ストーリー擬似連演出が所定回数以上（例えば２回以上）実行される場合は背景演出を実行せずにストーリー擬似連演出を実行し、所定回数より少なく実行される場合は背景演出を実行してもよい。また、例えば、夜背景が表示される場合はストーリー擬似連演出を実行せずに背景演出を実行し、鳥背景が表示される場合は背景演出を実行せずにストーリー擬似連演出を実行してもよい。
【０８９９】
なお、擬似連演出（通常擬似連演出およびストーリー擬似連）は、ノーマルリーチ中、キャラＳＰリーチ中、又はＳＰＳＰリーチ中に実行される可能性があってもよく、このような擬似連演出と他の演出との関係は、図６９（Ｃ）及び（Ｄ）の行を参照して説明したのと同様の関係でもよい。以下の説明では、リーチ無し演出中またはリーチ前演出中に実行される擬似連演出をリーチ前擬似連と呼び、リーチ成立後に実行される擬似連演出をリーチ後擬似連と呼ぶ。
【０９００】
なお、リーチ後擬似連後には必ずリーチ成立となるが、リーチ後擬似連の前後で同じリーチ図柄でリーチ成立となるときと、異なるリーチ図柄でリーチ成立となるときとがある。例えば、偶数図柄のリーチ図柄でリーチ成立となった後にリーチ後擬似連を介して、再び偶数図柄でリーチ成立となる場合と奇数図柄でリーチ成立となる場合とがあり、前者よりも後者の方が、ＳＰＳＰリーチが実行される割合が高くてもよいし、大当たりになり易くてもよい。例えば、リーチ後擬似連演出を介して７図柄でリーチ成立となった場合は必ず大当たりでもよい。
【０９０１】
例えば、擬似連演出が実行されるタイミングに応じて、ＳＰＳＰリーチが実行される割合が異なってもよい。具体的には、第１特別図柄の変動表示中には、リーチ前擬似連のみが実行される場合と、リーチ前擬似連とリーチ後擬似連が実行される場合と、リーチ後擬似連のみが実行される場合があってもよく、この順にＳＰＳＰリーチに発展する割合が高くてもよいし、低くてもよい。なお、リーチ後擬似連を実行すると必ずＳＰＳＰリーチが実行されてもよい。
【０９０２】
リーチ後擬似連の大当たりに対する信頼度は、リーチ前擬似連の信頼度より高くてもよいし、ほぼ同じでもよいし、低くてもよい。例えば、第１特別図柄の変動表示中に擬似連演出が１回しか行われないときの信頼度は相対的に低いが、この擬似連演出がリーチ後擬似連であれば信頼度が非常に高くなるように（例えば信頼度７０％）、リーチ後擬似連とリーチ前擬似連との出現率が予め定められてもよい。信頼度の高い擬似連演出が実行された方が、ＳＰＳＰリーチが実行され易くてもよい（必ず実行されてもよい）。
【０９０３】
ノーマルリーチ中にリーチ後擬似連が行われる場合、リーチ成立前ではなくリーチ成立後に擬似連続演出が行われる点が異なることを除き、図６２を参照して説明した演出と概ね同じような流れの演出が行われる。詳細な説明は省略するが、例えば、リーチ図柄（第１態様の装飾図柄）を構成する左図柄と右図柄との間に、中図柄として擬似連図柄が擬似停止される。そして、全ての装飾図柄（第１態様の装飾図柄）が再始動し、その後第１態様の装飾図柄で必ず再びリーチ成立となる。
【０９０４】
キャラＳＰリーチ中またはＳＰＳＰリーチ中にリーチ後擬似連が行われる場合、第１態様の装飾図柄ではなく第２態様の装飾図柄が表示された状態で擬似連続演出が行われる点が異なることを除き、図６２を参照して説明した演出と概ね同じような流れの演出が行われる。詳細な説明は省略するが、例えば、リーチ図柄（第２態様の装飾図柄）を構成する左図柄と右図柄とが画面左上隅に擬似停止しているときに、画面中央に中図柄として擬似連図柄が擬似停止される。そして、リーチ図柄が表示されていた状態から第１態様の装飾図柄が全て再始動している状態になる。その後第１態様の装飾図柄で必ず再びリーチ成立となり、例えば図１０（Ｅ）〜（Ｇ）を参照して説明した演出表示と同様に第１態様の装飾図柄が表示された状態から第２態様の装飾図柄が表示された状態になる。なお、リーチ後擬似連の前後で同じリーチ図柄でリーチ成立となるときもあるが、異なるリーチ図柄でリーチ成立となるときもある。
【０９０５】
なお、リーチ後擬似連は、キャラＳＰリーチ中において争奪演出中は実行可能であり他のタイミングでは実行されなくてもよく、ＳＰＳＰリーチ中においてバトル演出中は実行可能であり他のタイミングでは実行されなくてもよい。
【０９０６】
次に、図６９（Ｅ）の行を参照しつつ、背景演出（及び、背景演出の直前に実行される操作促進演出）とチャンス目演出（及び図柄変化演出）との関係について説明する。
【０９０７】
背景演出は、背景画像がどのように変化するかについて注目させる演出である。背景画像の手前側にチャンス目が表示されると、背景画像の変化が分かり難いおそれがある。そこで、図６９（Ｅ）の行における「チャンス目演出」及び「図柄変化演出」の列に示すように、これらの演出は同時に実行できないものとする。例えば、チャンス目演出（及び図柄変化演出）が実行されないことが決定されている場合は背景演出を実行可能であり、逆の場合は背景画像を実行しないように制御する。
【０９０８】
チャンス目演出と図柄変化演出との関係については、上述したように図柄変化演出はチャンス目を用いる演出であるから、これらの演出は同時に実行可能である（図６９（Ｆ）の行における「図柄変化演出」の列）。すなわち、チャンス目演出の実行中に図柄変化演出を実行可能であり、図柄変化演出の実行中にチャンス目演出を実行可能である。
【０９０９】
［具体例：通常モードＡにおいて背景演出および通常擬似連演出が実行されるパターン］
図７０は、通常モードＡにおいて背景演出および通常擬似連演出が実行される様子を例示する画面図である。図７０は、第１特別図柄の変動パターンＢ〜Ｅ，Ｇ〜Ｊのうちの何れかの変動パターンが選択された場合に実行される演出の具体例を示している。なお、変動演出開始の際に、操作促進演出、鳥背景を表示する背景演出、及び１回の通常擬似連演出がリーチ前演出中に実行されることが決定されているものとする。
【０９１０】
図７０（Ａ）には、通常モードＡにおいて第１保留アイコン表示領域５１に２つの保留アイコンが表示された状態で、当該領域５３に表示された当該アイコンに対応する第１特別図柄判定の判定結果がハズレであることを示す態様の装飾図柄（第１態様の装飾図柄）が停止表示するハズレ報知演出が行われている様子が例示されている。なお、最先の保留アイコンは、保留アイコン変化演出が実行されたことに応じて青保留となっている。
【０９１１】
第１特別図柄および装飾図柄の停止表示が開始されてから所定の確定時間（例えば１秒）が経過すると、青保留に対応する第１特別図柄判定が実行されて、第１特別図柄の変動表示が開始される。これに伴って、装飾図柄（第１態様の装飾図柄）の変動表示が開始される（図７０（Ａ）及び（Ｂ）参照）。図７０（Ｂ）には、通常モードＡのデフォルト背景画像が表示された状態で、青保留がそのままの状態で変化せずに当該領域５３にシフトされて青色の当該アイコンとして表示される様子が例示されている。また、下方向にスクロールを開始した第１態様の装飾図柄のスクロール速度がだんだん上がっており、装飾図柄の変動表示開始直後に操作促進演出が開始されたことによって通常ボタン画像とゲージ画像とが表示されている様子が例示されている。
【０９１２】
操作促進演出に係る有効期間中に遊技者が演出ボタン２６を操作すると、操作に応じて有効期間が終了すると共に操作促進演出が終了する。そして、操作に応じて背景演出が実行されることにより、背景画像が鳥背景に変化する（図７０（Ｃ）参照）。図７０（Ｃ）には、背景演出が実行されることにより鳥背景が表示された状態で、左図柄（第１態様の装飾図柄）が擬似停止している様子が例示されている。
【０９１３】
その後、鳥背景が表示された状態で右図柄（第１態様の装飾図柄）が擬似停止した後に中図柄として擬似連図柄が擬似停止すると、通常擬似連演出が実行される（図７０（Ｄ）参照）。通常擬似連演出の演出態様の具体例については図６２（Ａ）を参照して上述したため、ここでの説明は省略する。図７０（Ｄ）には、鳥背景が表示された状態で左図柄および右図柄（何れも第１態様の装飾図柄）が擬似停止しており、通常擬似連演出の実行を示唆する擬似連図柄が中図柄として擬似停止している様子が例示されている。図７０（Ｅ）には、鳥背景が表示された状態で「×２」といった擬似連数を示す文字と擬似連エフェクト画像とが表示されており、擬似２連目でリーチ成立となった様子が例示されている。
【０９１４】
擬似２連目において４図柄でリーチ成立となると、例えば、リーチ成立に伴ってリーチが成立したことが報知される。リーチが成立したことは、リーチ図柄（第１態様の装飾図柄）の手前側に白色のリーチラインが所定時間（例えば２秒間）重畳表示されたり（図７０（Ｅ）参照）、「リーチ！」といったキャラクタの声（以下、「リーチ成立音」と呼ぶ。）がスピーカ２４から出力されたりして報知される。これらは、リーチ演出が開始されることを示唆する演出であり、リーチ演出が実行されない場合よりも大当たりに対する信頼度が高いことを示唆する演出である。
【０９１５】
リーチ成立後に鳥背景が表示された状態でノーマルリーチが開始されると、鳥背景が表示されたままノーマルリーチ終盤でハズレが報知される場合がある（図７０（Ｆ）から（Ｇ）に進むパターン）。また、ノーマルリーチ終盤で鳥背景が消去されてキャラＳＰリーチに発展し、このキャラＳＰリーチ終盤で当落が報知されたりする（図７０（Ｆ）から（Ｈ）に進むパターン）。
【０９１６】
なお、ノーマルリーチ終盤で大当たりが報知される場合もある（図７０（Ｆ）から（Ｉ）に進むパターン）。図７０（Ｉ）には、鳥背景は表示が継続されている一方で擬似連演出に係る演出画像は消去された状態で、大当たり態様の装飾図柄（第１態様の装飾図柄）が擬似停止している様子が例示されている。図７０（Ｉ）に示す例に続いて鳥背景が消去され、図１１及び図１２（Ａ）を参照して説明した流れと同様に、第１反射演出、昇格演出、及び第２反射演出が実行されることになる。
【０９１７】
また、リーチ成立後に鳥背景が消去されると、キャラＳＰリーチを介して（又は介さずに）ＳＰＳＰリーチに発展し、このＳＰＳＰリーチ終盤で当落が報知される場合もある（図７０（Ｅ）、（Ｊ）、（Ｋ）の順に進むパターン）。
【０９１８】
［具体例：通常モードＡにおいて当該アイコン変化演出（大当たり予告）、背景演出、及び通常擬似連演出が実行されるパターン］
図７１は、通常モードＡにおいて当該アイコン変化演出（大当たり予告）、背景演出、及び通常擬似連演出が実行される様子を例示する画面図である。図７１は、第１特別図柄の大当たり用変動パターンＢ〜Ｅのうちの何れかの変動パターンが選択された場合に実行される演出の具体例を示している。なお、変動演出開始の際に、当該アイコンを虹に変化させる１回の当該アイコン変化演出（大当たり予告）、操作促進演出、夜背景を表示する背景演出、及び１回の通常擬似連演出がリーチ前演出中に実行されることが決定されているものとする。
【０９１９】
図７１（Ａ）には、図７０（Ａ）と同様に、通常モードＡにおいて第１保留アイコン表示領域５１に２つの保留アイコンが表示された状態で、当該領域５３に表示された当該アイコンに対応する第１特別図柄判定の判定結果がハズレであることを示す態様の装飾図柄（第１態様の装飾図柄）が停止表示するハズレ報知演出が行われている様子が例示されている。なお、最先の保留アイコンは、保留アイコン変化演出が実行されたことに応じて青保留となっている。
【０９２０】
装飾図柄が停止表示されてから所定の確定時間（例えば１秒）が経過すると、青保留に対応する第１特別図柄判定が実行されて、第１特別図柄の変動表示が開始される。これに伴って、装飾図柄（第１態様の装飾図柄）の変動表示が開始される（図７１（Ａ）及び（Ｂ）参照）。図７１（Ｂ）には、通常モードＡのデフォルト背景画像が表示された状態で、第１態様の装飾図柄がスクロール表示されており、青保留がそのままの状態で変化せずに当該領域５３にシフトされて青色の当該アイコンとして表示されており、当該アイコン変化演出が実行されている様子が例示されている。この当該アイコン変化演出は、当該アイコンが虹に変化することを示唆するアイコン変化示唆画像を表示する態様で実行されており、大当たりとなることを確定的に予告する大当たり予告として機能する。この当該アイコン変化演出が実行されたことに応じて、青色の当該アイコンが、大当たりとなることを確定的に予告する大当たり予告として機能する虹色の当該アイコンに変化することになる。なお、図７１（Ｂ）に示す例では、装飾図柄の変動表示開始直後に操作促進演出が開始されたことによって、通常ボタン画像とゲージ画像とが表示されている。
【０９２１】
操作促進演出に係る有効期間中に遊技者が演出ボタン２６を操作すると、操作に応じて有効期間が終了すると共に操作促進演出が終了する。そして、操作に応じて背景演出が実行されることにより、背景画像が夜背景に変化する（図７１（Ｃ）参照）。図７１（Ｃ）には、背景演出が実行されることにより夜背景が表示された状態で、虹色の当該アイコン（大当たり予告）が表示されており、左図柄（第１態様の装飾図柄）が擬似停止している様子が例示されている。
【０９２２】
その後、夜背景が表示された状態で、通常擬似連演出の実行を示唆する擬似連図柄が中図柄として擬似停止すると、通常擬似連演出が実行される（図７１（Ｄ）参照）。図７１（Ｄ）には、夜背景と虹色の当該アイコンとが表示された状態で、左図柄および右図柄（何れも第１態様の装飾図柄）と擬似連図柄とが擬似停止している様子が例示されている。図７１（Ｅ）には、夜背景が表示された状態で「×２」といった擬似連数を示す文字と擬似連エフェクト画像とが表示されており、擬似２連目でリーチ成立となった様子が例示されている。
【０９２３】
擬似２連目において３図柄でリーチ成立となると、例えば、リーチ成立に伴って白色のリーチラインが所定時間（例えば２秒間）重畳表示されたり（図７１（Ｅ）参照）、リーチ成立音がスピーカ２４から出力されたりする。リーチ成立後に夜背景が表示された状態でノーマルリーチが開始されると、このノーマルリーチ終盤で夜背景が消去されてキャラＳＰリーチに発展し、このキャラＳＰリーチ終盤で大当たりが報知される場合がある（図７１（Ｆ）から（Ｇ）に進むパターン）。
【０９２４】
また、ノーマルリーチ終盤で大当たりが報知される場合もある（図７１（Ｆ）から（Ｈ）に進むパターン）。図７１（Ｈ）には、夜背景は表示が継続されている一方で擬似連演出に係る演出画像は消去された状態で、大当たり態様の装飾図柄（第１態様の装飾図柄）が擬似停止している様子が例示されている。
【０９２５】
また、リーチ成立後に夜背景が消去されると、キャラＳＰリーチを介して（又は介さずに）ＳＰＳＰリーチに発展し、このＳＰＳＰリーチ終盤で大当たりが報知される（図７１（Ｅ）、（Ｉ）、（Ｊ）の順に進むパターン）。
【０９２６】
なお、この具体例では何れのパターンでも図１１及び図１２（Ａ）を参照して説明した流れと同様に、大当たり態様で装飾図柄（第１態様の装飾図柄）が停止表示される前には第１反射演出、昇格演出、及び第２反射演出が実行されることになる（図１１及び図１２（Ａ）参照）。
【０９２７】
図７１では、大当たり予告としての当該アイコン変化演出が操作促進演出中に実行され、大当たり予告としての事前演出（虹色の当該アイコンを表示する演出）が背景演出中、擬似連演出中、及びリーチ成立を報知する演出中に実行されている。このため、これらの演出中に大当たり予告が実行されていない（すなわち、ハズレかもしれない）図７０の流れと比較して、図７１の流れでは、例えば、リーチ図柄が相対的に信頼度の高い３図柄（又は７図柄）になり易く、信頼度の高いＳＰＳＰリーチが実行される割合が高く、大当たりとなる割合が高い（大当たりとなる確率１００％）。
【０９２８】
［具体例：通常モードＡにおいて当該アイコン変化演出、背景演出、及び通常擬似連演出が実行されるパターン］
図７２は、通常モードＡにおいて当該アイコン変化演出、背景演出、及び通常擬似連演出が実行される様子を例示する画面図である。図７２は、第１特別図柄の変動パターンＤ，Ｅ，Ｉ，Ｊのうちの何れかの変動パターンが選択された場合に実行される演出の具体例を示している。なお、変動演出開始の際に、当該アイコンを青に変化させる１回の当該アイコン変化演出、操作促進演出、夜背景を表示する背景演出、及び２回の通常擬似連演出がリーチ前演出中に実行されることが決定されているものとする。
【０９２９】
図７２（Ａ）には、通常モードＡにおいて第１保留アイコン表示領域５１に２つの保留アイコンが表示された状態で、当該領域５３に表示された当該アイコンに対応する第１特別図柄判定の判定結果がハズレであることを示す態様の装飾図柄（第１態様の装飾図柄）が停止表示するハズレ報知演出が行われている様子が例示されている。なお、最先の保留アイコンは、白保留として表示されている。
【０９３０】
装飾図柄の停止表示後に最先の白保留に対応する第１特別図柄判定が実行されて、第１特別図柄の変動表示が開始される。これに伴って、装飾図柄（第１態様の装飾図柄）の変動表示が開始される（図７２（Ａ）及び（Ｂ）参照）。図７２（Ｂ）には、通常モードＡのデフォルト背景画像が表示された状態で、第１態様の装飾図柄がスクロール表示されており、白保留がそのままの状態で変化せずに当該領域５３にシフトされて白色の当該アイコンとして表示されており、当該アイコン変化演出が実行されている様子が例示されている。この当該アイコン変化演出は、当該アイコンが青に変化することを示唆するアイコン変化示唆画像を表示する態様で実行されている。この当該アイコン変化演出が実行されたことに応じて、白色の当該アイコンが青色の当該アイコンに変化することになる。なお、図７２（Ｂ）に示す例では、装飾図柄の変動表示開始直後に操作促進演出が開始されたことによって、通常ボタン画像とゲージ画像とが表示されている。
【０９３１】
操作促進演出に係る有効期間中に遊技者が演出ボタン２６を操作すると、操作に応じて操作促進演出が終了し、背景演出が実行されることによって背景画像が夜背景に変化する（図７２（Ｃ）参照）。図７２（Ｃ）には、背景演出が実行されることにより夜背景が表示された状態で、青色に変化した当該アイコンが表示されており、左図柄（第１態様の装飾図柄）が擬似停止している様子が例示されている。
【０９３２】
その後、夜背景が表示された状態で、通常擬似連演出の実行を示唆する擬似連図柄が中図柄として擬似停止すると、通常擬似連演出が実行される（図７２（Ｄ）参照）。図７２（Ｄ）には、夜背景と青色の当該アイコンとが表示された状態で、左図柄および右図柄（何れも第１態様の装飾図柄）と擬似連図柄とが擬似停止している様子が例示されている。
【０９３３】
擬似２連目において、通常擬似連演出の実行を示唆する擬似連図柄が中図柄として擬似停止すると、２回目の擬似連続演出が実行されることによって擬似３連目の変動表示が開始される（図７２（Ｅ）参照）。なお、図７２（Ｅ）には、夜背景と擬似連数を示す文字と擬似連エフェクト画像とが表示された状態で、左図柄および右図柄（何れも第１態様の装飾図柄）と擬似連図柄とが擬似停止している様子が例示されている。
【０９３４】
擬似３連目において４図柄でリーチ成立となると、例えば、リーチ成立に伴って白色のリーチラインが所定時間（例えば２秒間）重畳表示されたり（図７２（Ｆ）参照）、リーチ成立音がスピーカ２４から出力されたりする。図７２（Ｆ）には、夜背景と、「×３」といった擬似連数を示す文字とが表示された状態で、赤色の擬似連エフェクト画像が画面周縁部の内側に沿って表示されており、擬似３連目でリーチ成立となった様子が例示されている。
【０９３５】
リーチ成立後に夜背景が消去されると、キャラＳＰリーチを介して（又は介さずに）ＳＰＳＰリーチに発展し、このＳＰＳＰリーチ終盤で当落が報知される（図７２（Ｆ）、（Ｇ）、（Ｉ）の順に進むパターン、又は（Ｆ）、（Ｈ）、（Ｉ）の順に進むパターン）。
【０９３６】
なお、大当たりとなる場合（すなわち、変動パターンＤ，Ｅが選択されていた場合）、図１１及び図１２（Ａ）を参照して説明した流れと同様に、大当たり態様で装飾図柄（第１態様の装飾図柄）が停止表示される前には第１反射演出、昇格演出、及び第２反射演出が実行されることになる。
【０９３７】
［具体例：通常モードＡにおいて当該アイコン変化演出（大当たり予告）、背景演出、及び通常擬似連演出が実行されるパターン］
図７３は、通常モードＡにおいて当該アイコン変化演出（大当たり予告）、背景演出、及び通常擬似連演出が実行される様子を例示する画面図である。図７３は、第１特別図柄の大当たり用変動パターンＤ，Ｅのうちの何れかの変動パターンが選択された場合に実行される演出の具体例を示している。なお、変動演出開始の際に、当該アイコンを青に変化させてから虹に変化させる２回の当該アイコン変化演出（大当たり予告）、操作促進演出、夜背景を表示する背景演出、及び２回の通常擬似連演出がリーチ前演出中に実行されることが決定されているものとする。
【０９３８】
図７３（Ａ）には、図７２（Ａ）と同様に、通常モードＡにおいて第１保留アイコン表示領域５１に２つの保留アイコンが表示された状態で、当該領域５３に表示された当該アイコンに対応する第１特別図柄判定の判定結果がハズレであることを示す態様の装飾図柄（第１態様の装飾図柄）が停止表示するハズレ報知演出が行われている様子が例示されている。なお、最先の保留アイコンは、白保留として表示されている。
【０９３９】
装飾図柄の停止表示後に最先の白保留に対応する第１特別図柄判定が実行されて、第１特別図柄の変動表示が開始される。これに伴って、装飾図柄（第１態様の装飾図柄）の変動表示が開始される（図７３（Ａ）及び（Ｂ）参照）。図７３（Ｂ）には、通常モードＡのデフォルト背景画像が表示された状態で、第１態様の装飾図柄がスクロール表示されており、白保留がそのままの状態で変化せずに当該領域５３にシフトされて白色の当該アイコンとして表示されており、当該アイコン変化演出が実行されている様子が例示されている。この当該アイコン変化演出は、当該アイコンが青に変化することを示唆するアイコン変化示唆画像を表示する態様で実行されている。この当該アイコン変化演出が実行されたことに応じて、白色の当該アイコンが青色の当該アイコンに変化することになる。なお、図７３（Ｂ）に示す例では、装飾図柄の変動表示開始直後に操作促進演出が開始されたことによって、通常ボタン画像とゲージ画像とが表示されている。
【０９４０】
操作促進演出に係る有効期間中に遊技者が演出ボタン２６を操作すると、操作に応じて操作促進演出が終了し、背景演出が実行されることによって背景画像が夜背景に変化する（図７３（Ｃ）参照）。図７３（Ｃ）には、背景演出が実行されることにより夜背景が表示された状態で、青色に変化した当該アイコンが表示されており、左図柄（第１態様の装飾図柄）が擬似停止している様子が例示されている。また、図７３に示す例では、当該アイコンが虹に変化することを示唆するアイコン変化示唆画像を表示する当該アイコン変化演出（大当たり予告）が実行されている。この当該アイコン変化演出が実行されたことに応じて、青色の当該アイコンが虹色の当該アイコン（大当たり予告）に変化することになる。
【０９４１】
その後、夜背景が表示された状態で、通常擬似連演出の実行を示唆する擬似連図柄が中図柄として擬似停止すると、通常擬似連演出が実行される（図７３（Ｄ）参照）。図７３（Ｄ）には、夜背景と虹色の当該アイコン（大当たり予告）とが表示された状態で、左図柄および右図柄（何れも第１態様の装飾図柄）と擬似連図柄とが擬似停止している様子が例示されている。
【０９４２】
その後、擬似２連目において通常擬似連演出の実行を示唆する擬似連図柄が中図柄として擬似停止すると、２回目の擬似連続演出が実行されることによって擬似３連目の変動表示が開始される（図７３（Ｅ）参照）。なお、図７３（Ｅ）には、夜背景と虹色の当該アイコンと擬似連数を示す文字と擬似連エフェクト画像とが表示された状態で、左図柄および右図柄（何れも第１態様の装飾図柄）と擬似連図柄とが擬似停止している様子が例示されている。
【０９４３】
擬似３連目において３図柄でリーチ成立となると、例えば、リーチ成立に伴って白色のリーチラインが所定時間（例えば２秒間）重畳表示されたり（図７３（Ｆ）参照）、リーチ成立音がスピーカ２４から出力されたりする。図７３（Ｆ）には、夜背景と、虹色の当該アイコンと、「×３」といった擬似連数を示す文字と、赤色の擬似連エフェクト画像とが表示された状態で、擬似３連目でリーチ成立となった様子が例示されている。
【０９４４】
リーチ成立後に夜背景が消去されると、キャラＳＰリーチを介して（又は介さずに）ＳＰＳＰリーチに発展し、このＳＰＳＰリーチ終盤で大当たりが報知される（図７３（Ｆ）、（Ｇ）、（Ｉ）の順に進むパターン、又は（Ｆ）、（Ｈ）、（Ｉ）の順に進むパターン）。大当たり態様で装飾図柄（第１態様の装飾図柄）が停止表示される前には、図１１及び図１２（Ａ）を参照して説明した流れと同様に、第１反射演出、昇格演出、及び第２反射演出が実行されることになる。
【０９４５】
図７３では、大当たり予告としての当該アイコン変化演出が背景演出中に実行され、大当たり予告としての事前演出（虹色の当該アイコンを表示する演出）が背景演出中、擬似連演出中、及びリーチ成立を報知する演出中に実行されている。このため、これらの演出中に大当たり予告が実行されていない（すなわち、ハズレかもしれない）図７２の流れと比較して、図７３の流れでは、例えば、リーチ図柄が相対的に信頼度の高い３図柄（又は７図柄）になり易く、信頼度の高いＳＰＳＰリーチが実行される割合が高く、大当たりとなる割合が高い（大当たりとなる確率１００％）。
【０９４６】
［具体例：通常モードＡにおいてチャンス目演出および図柄変化演出が実行されるパターン］
図７４は、通常モードＡにおいてチャンス目演出および図柄変化演出が実行される様子を例示する画面図である。図７４は、第１特別図柄の変動パターンＢ〜Ｅ，Ｇ〜Ｊのうちの何れかの変動パターンが選択されることを示す事前判定結果が得られた場合に通常モードＡにおいて実行される演出の具体例を示している。なお、先読み対象に係る保留アイコンの表示が開始される際に、先読み対象の２つ前および１つ前の変動演出において弱チャンス目を表示するチャンス目演出と、図柄変化演出とが実行されることが決定されているものとする。
【０９４７】
図７４（Ａ）には、通常モードＡにおいて第１保留アイコン表示領域５１に２つの保留アイコンが表示されると共に、先読み対象の２つ前の変動演出の終了時に弱チャンス目を形成する３つの偶数図柄（第１態様の装飾図柄）が停止表示されてハズレが報知された状態が例示されている。なお、最先の保留アイコンは白保留として表示されており、先読み対象に係る保留アイコンは、保留アイコン変化演出が実行されたことに応じて青保留となっている。
【０９４８】
第１特別図柄および弱チャンス目を形成する３つの偶数図柄の停止表示が開始されてから所定の確定時間（例えば１秒）が経過すると、先読み対象の１つ前の第１特別図柄判定が実行されて、第１特別図柄の変動表示が開始される。これに伴って、最先の白保留がそのままの状態で変化せずに当該アイコンとして表示されると共に、先読み対象に係る青保留が当該領域５３側にシフト表示される（図７４（Ａ）及び（Ｂ）参照）。
【０９４９】
当該アイコン及び保留アイコンがシフト表示されるのとほぼ同時に、図柄変化演出が実行されることによって、弱チャンス目を形成する態様で停止表示していた３つの偶数図柄を構成する数字がデフォルト色（例えば青色）から緑色へと一斉に変化される（図７４（Ｂ）参照）。なお、図柄変化演出中は、弱チャンス目を形成する偶数図柄は微動している。
【０９５０】
その後、図７４（Ｃ）に例示されるように、装飾図柄（第１態様の装飾図柄）が、下方向にスクロールを開始してだんだんスクロール速度が上がり、高速スクロールされる。そして、スクロール速度が徐々に低下して、例えば、左図柄、右図柄、中図柄の順に装飾図柄（第１態様の装飾図柄）が擬似停止する。なお、ここでは、先読み対象の１つ前の変動演出において弱チャンス目を表示することが予め決められているので、図７４（Ｄ）に例示されるように、弱チャンス目を形成する３つの偶数図柄（第１態様の装飾図柄）が擬似停止された後に停止表示される。
【０９５１】
第１特別図柄および弱チャンス目を形成する３つの偶数図柄の停止表示が開始されてから所定の確定時間が経過すると、先読み対象に係る第１特別図柄判定が実行されて、第１特別図柄の変動表示が開始される。これに伴って、先読み対象に係る青保留がそのままの状態で変化せずに当該アイコンとして表示される（図７４（Ｅ）参照）。
【０９５２】
当該アイコン及び保留アイコンがシフト表示されるのとほぼ同時に、図柄変化演出が実行されることによって、弱チャンス目を形成する態様で微動している偶数図柄を構成する数字がデフォルト色（例えば青色）から緑色へと一斉に変化される（図７４（Ｅ）参照）。その後、装飾図柄（第１態様の装飾図柄）が高速スクロールされた後に擬似停止し（図７４（Ｆ）参照）、リーチ演出に発展した後に当落が報知される。なお、先読み対象に係る変動演出開始の際に擬似連演出を実行することが決定されている場合には、リーチ演出に発展する前に擬似連演出が実行される。
【０９５３】
［具体例：通常モードＡにおいてチャンス目演出、図柄変化演出、及び当該アイコン変化演出が実行されるパターン］
図７５は、通常モードＡにおいてチャンス目演出、図柄変化演出、及び当該アイコン変化演出が実行される様子を例示する画面図である。図７５は、第１特別図柄の変動パターンＢ〜Ｅのうちの何れかの変動パターンが選択されることを示す事前判定結果が得られた場合に通常モードＡにおいて実行される演出の具体例を示している。なお、先読み対象に係る保留アイコンの表示が開始される際に、先読み対象の２つ前の変動演出において弱チャンス目を表示し、１つ前の変動演出において強チャンス目を表示するチャンス目演出と、図柄変化演出とが実行されることが決定されているものとする。また、先読み対象に係る変動演出開始の際に、当該アイコンを虹に変化させる当該アイコン変化演出（大当たり予告）が実行されることが決定されている。
【０９５４】
図７５（Ａ）〜（Ｃ）までの流れについては、図７４（Ａ）〜（Ｃ）と同じであるためここでの説明は省略する。図７５（Ｄ）に例示されるように、先読み対象の１つ前の変動演出において、強チャンス目を形成する３つの奇数図柄（第１態様の装飾図柄）が擬似停止された後に停止表示される。
【０９５５】
第１特別図柄および弱チャンス目を形成する３つの奇数図柄の停止表示が開始されてから所定の確定時間が経過すると、先読み対象に係る第１特別図柄判定が実行されて、第１特別図柄の変動表示が開始される。これに伴って、保留アイコン変化演出が実行されたことに応じて青保留となっていた先読み対象に係る保留アイコンがそのままの状態で変化せずに当該アイコンとして表示される（図７５（Ｅ）参照）。
【０９５６】
当該アイコン及び保留アイコンがシフト表示されるのとほぼ同時に、図柄変化演出が実行されることによって、強チャンス目を形成する態様で微動している奇数図柄を構成する数字がデフォルト色（例えば緑色）から赤色へと一斉に変化される（図７５（Ｅ）参照）。また、当該アイコンが虹に変化することを示唆するアイコン変化示唆画像を表示する当該アイコン変化演出（大当たり予告）が実行される。この当該アイコン変化演出が実行されたことに応じて、青色の当該アイコンが虹色の当該アイコン（大当たり予告）に変化することになる。
【０９５７】
その後、虹色の当該アイコンが表示された状態で、装飾図柄（第１態様の装飾図柄）が高速スクロールされた後に擬似停止し（図７５（Ｆ）参照）、リーチ演出に発展した後に大当たりが報知される。なお、先読み対象に係る変動演出開始の際に擬似連演出を実行することが決定されている場合には、リーチ演出に発展する前に擬似連演出が実行される。
【０９５８】
図７５では、大当たり予告としての当該アイコン変化演出がチャンス目の表示中であって図柄変化演出中に実行されている。このため、これらの演出中に大当たり予告が実行されていない（すなわち、ハズレかもしれない）図７４の流れと比較して、図７５の流れでは、例えば、相対的に信頼度の高い３図柄または７図柄でリーチ成立となり易く、信頼度の高いＳＰＳＰリーチが実行される割合が高く、大当たりとなる割合が高い（大当たりとなる確率１００％）。
【０９５９】
［ＳＰＳＰリーチの態様の変形例］
例えば、ＳＰＳＰリーチ中（具体的にはバトル演出中）に第１態様の装飾図柄または第２態様の装飾図柄を表示することが可能でもよい。図７６は、ＳＰＳＰリーチ（バトル演出）の態様について説明するための説明図である。図７６に例示するように、ＳＰＳＰリーチにおけるバトル演出の演出態様が予め２種類用意されており、これらの態様はリーチ図柄として表示される装飾図柄の態様が互いに異なってもよい。具体的には、バトル演出中には、液晶画面５の画面左上隅においてリーチを形成する３つの図柄列に第１態様の装飾図柄が表示される態様Ａ（図７６（Ａ）参照）と、第２態様の装飾図柄が表示される態様Ｂ（図７６（Ａ）参照）とがある。大当たり時には態様Ａよりも態様Ｂの方が出現し易く、ハズレ時には態様Ａよりも態様Ｂの方が出現し難い。このため、態様Ａよりも態様Ｂの方が大当たりに対する信頼度が高い。遊技者はバトル演出が態様Ｂで実行されることを期待しながら遊技を楽しむことができる。なお、ＳＰＳＰリーチ中のタイトル表示、操作促進演出、及びカットインは、ＳＰＳＰリーチが態様Ｂであるときは実行する一方、ＳＰＳＰリーチが態様Ａであるときは実行しなくてもよいし出現率を低くしてもよい。
【０９６０】
例えば、演出制御基板１３０のサブＣＰＵ１３１は、変動演出開始の際（例えば、図５２のステップＳ１５５７の処理に続いて）、今回開始される変動演出に対応する変動パターンがＤ，Ｅ，Ｉ，Ｊである場合はバトル演出を態様Ａと態様Ｂとのうちの何れの演出態様で実行するかを決定する。サブＣＰＵ１３１は、例えば、サブＲＯＭ１３２に予め記憶されているバトル演出態様抽選テーブル（不図示）を参照し、大当たりか否かの情報と対応する変動パターンの種類とに基づいてバトル演出の演出態様を乱数抽選で決定する。
【０９６１】
バトル演出態様抽選テーブルは、例えば、バトル演出の演出態様を決定するための乱数と比較される判定値が予め定められたテーブルである。態様Ｂに決定される割合（態様Ｂに割り当てられた判定値の数）は、大当たりの方がハズレよりも高く、変動パターンＥ＞Ｄ＞Ｊ＞Ｉの順に低い。また、態様Ａに決定される割合は、大当たりの方がハズレよりも低く、変動パターンＥ＜Ｄ＜Ｊ＜Ｉの順に高い。
【０９６２】
また、他の実施形態では、ＳＰＳＰリーチ中に、通常ボタン画像を表示する操作促進演出（弱態様）と、突出ボタン画像を表示する操作促進演出（強態様）とのうちの何れかを実行してもよい（図６５参照）。弱態様よりも強態様の方が大当たりに対する信頼度が高い場合において、ＳＰＳＰリーチ中に操作促進演出（弱態様）が実行された場合の方が、操作促進演出（強態様）が実行された場合よりも、青カットインが表示され易く赤カットインが表示され難くてもよいし、青カットインが表示され難く赤カットインが表示され易くてもよい。
【０９６３】
具体的には、例えば、操作促進演出とカットインとの組み合わせに係る信頼度の高低の関係は下記（１）〜（４）の何れでもよい。
（１）操作促進演出（弱態様）後に青カットイン＜操作促進演出（弱態様）後に赤カットイン＜操作促進演出（強態様）後に青カットイン＜操作促進演出（強態様）後に赤カットイン。
上記（１）では、カットインの演出態様に関わらず操作促進演出（強態様）が実行されると信頼度が高く、操作促進演出（弱態様）が実行されると信頼度が低いので、信頼度の関係が分かり易い。
（２）操作促進演出（弱態様）後に赤カットイン＜操作促進演出（強態様）後に青カットイン＜操作促進演出（強態様）後に赤カットイン＜操作促進演出（弱態様）後に青カットイン。
上記（２）では、カットインのみの信頼度の関係と逆の場合がある。これにより、青カットインが表示されたことによって赤カットインが表示された場合よりも期待感が高められる場合があり、青カットインの興趣が低下するのを効果的に防止することが可能である。また、操作促進演出（弱態様）が開始されても期待感を失わずに遊技を続けさせることが可能である。
（３）操作促進演出（弱態様）後に青カットイン＜操作促進演出（強態様）後に青カットイン＜操作促進演出（弱態様）後に赤カットイン＜操作促進演出（強態様）後に赤カットイン。
上記（３）では、操作促進演出の演出態様に関わらず赤カットインが表示されると信頼度が高く、青カットインが表示されると信頼度が低いので、信頼度が分かり易い。
（４）操作促進演出（強態様）後に青カットイン＜操作促進演出（弱態様）後に青カットイン＜操作促進演出（弱態様）後に赤カットイン＜操作促進演出（強態様）後に赤カットイン。
上記（４）では、成り下がりは信頼度が一番低く、成り上がりは中程度の信頼度であり、信頼度の高い演出態様同士は信頼度が一番高いので、信頼度の関係が分かり易い。
なお、操作促進演出とカットインとの組み合わせに係る信頼度の高低の関係は上記（１）〜（４）の関係に限らず、どのような関係でもよい。
【０９６４】
［小図柄］
他の実施形態では、特別図柄の変動表示に伴って変動表示を開始し、特別図柄の停止表示に伴って停止表示される「小図柄」を液晶画面５の左下に表示してもよい。例えば、小図柄は、例えば、第２態様の装飾図柄を１／８の大きさに縮小表示した態様の図柄であり、左小図柄、中小図柄、右小図柄の３つの小図柄で構成される。
【０９６５】
小図柄は、停止表示される３つの小図柄が示す数字の組み合わせによって、特別図柄判定の判定結果が大当たりであるか、ハズレであるかを報知する。具体的には、例えば、大当たり時には、大当たりを報知する組み合わせとなるように左図柄（及び右図柄）、中図柄の順番で装飾図柄を擬似停止し、その後に３つの装飾図柄を停止表示する。このとき、中図柄の擬似停止に伴って、装飾図柄と同じ数字の組み合わせで小図柄（左小図柄、中小図柄、及び右小図柄）を擬似停止し、その後に３つの小図柄の組合せを装飾図柄と同じ数字の組合せで停止表示して大当たりを報知する。また、ハズレ時には、ハズレを報知する組み合わせ（バラケ目またはリーチハズレ目）となるように左図柄（及び右図柄）、中図柄の順番で装飾図柄を擬似停止し、その後に３つの装飾図柄の組合せが変化することなくそのままでの態様で停止表示する。このとき、３つの装飾図柄の停止表示に伴って、装飾図柄と同じ数字の組み合わせで小図柄（左小図柄、中小図柄、及び右小図柄）を停止表示する。このため、例えば、客待ち状態へ移行した際には、装飾図柄と同じ数字の組み合わせで小図柄が停止表示している。
【０９６６】
このように、小図柄の変動表示と装飾図柄の変動表示とは同期する。このため、小図柄も装飾図柄と同様に、実行中の特別図柄の変動表示に対応する対応表示である。
【０９６７】
なお、小図柄は、予め定められた特定の組み合わせを順番に表示することにより変動表示を行ってもよい。例えば、「左小図柄・中小図柄・右小図柄」として「１・３・５」→「２・４・６」→「３・５・７」→「４・６・８」→・・・といった組み合わせを変動表示し、大当たり時には装飾図柄と同じ数字の組み合わせで小図柄を擬似停止してから停止表示し、ハズレ時には装飾図柄と異なる組み合わせで小図柄を停止表示してもよい。これにより、小図柄として用いる図柄の数を装飾図柄よりも少なくでき、データ容量を減らすことができる。
【０９６８】
装飾図柄と小図柄とは、特別図柄の変動表示開始に伴って変動表示を開始し、特別図柄の停止表示に伴って停止表示する点で共通する。
【０９６９】
しかしながら、装飾図柄と小図柄とでは、次の点で相違する。まず、装飾図柄は通常は画面の中央において比較的大きく表示されるのに対して、小図柄は、画面の左下に比較的小さく表示され、変動演出の状況に応じて表示態様（例えば、形状、大きさ、変動表示するスピード、変動表示する方向）が変化したり、変動演出中に表示位置が変化したりすることはない。
【０９７０】
例えば、特別図柄の変動表示に伴って、装飾図柄がゆっくり変動表示を開始したり少し上方向に移動してから下方向にスクロールを開始したりするのに対し、小図柄は一定速度で一定方向に高速変動表示を開始する。なお、小図柄が変動表示するスピードは、第１態様および第２態様の装飾図柄が高速でスクロールする速度よりも速く（又は遅く）てもよいし、同じでもよい。また、第４図柄が変動表示するスピードよりも速く（又は遅く）てもよいし、同じでもよい。
【０９７１】
また、装飾図柄は、特別図柄の変動表示中に３列の装飾図柄のうちの一部が擬似停止することがある。これに対して、小図柄は、３列の小図柄のうちの一部が擬似停止することはない。例えば、装飾図柄は、リーチ演出が実行される際、左図柄が擬似停止しているときに右図柄がゆっくりスクロールして（例えば、リーチ成立煽り演出での演出表示）、右図柄が左図柄と同一の図柄で擬似停止し、中図柄が変動表示することがある。また、左図柄と右図柄とが同一の図柄で擬似停止しているときに、リーチハズレ目で中図柄が停止しそうな態様で中図柄を変動表示した後に信頼度の高いリーチ演出（例えばＳＰＳＰリーチ）に発展することがある。また、擬似連演出が実行されると、左図柄、中図柄、右図柄が異なる図柄で擬似停止する。
【０９７２】
一方、小図柄は、リーチ成立煽り演出やリーチ演出が実行されても、変動表示するスピードが遅くなったり左小図柄および右小図柄が擬似停止しつつ中小図柄が変動表示したりすることがない。また、擬似連演出が実行されても、左小図柄、中小図柄、及び右小図柄が擬似停止することがない。すなわち、装飾図柄が擬似停止しているときでも、３列の小図柄は擬似停止することなく変動表示されたままである。
【０９７３】
また、装飾図柄は、所定タイミング（例えば、ＳＰＳＰリーチ開始時）に第１態様の装飾図柄が縮小表示されて第２態様の装飾図柄となる。これに対して、小図柄は縮小表示されることがない。すなわち、装飾図柄が縮小されているときでも、３列の小図柄は縮小表示されることなくそのままの大きさで変動表示される。
【０９７４】
また、装飾図柄は第１反射演出、第２反射演出、及び第３反射演出に用いられるが、小図柄はこれらの演出に用いられることがない。このため、大当たり態様で擬似停止した装飾図柄がハイライト光を付加されているときでも、小図柄にはハイライト光が付加されることがない。
【０９７５】
また、装飾図柄は、特別図柄の変動表示中に、他の演出画像（例えば、ボタン画像）が手前側に重畳表示されたり、演出役物７が手前側に動作されたりして一部または全部が視認できなくなることがある。これに対して、小図柄は、他の演出画像の手前側に表示され、演出役物７が動作されても視認できる位置に表示されるため、一部または全部が視認できなくなることがない。例えば、操作促進演出が実行されると、３列の装飾図柄のうちの中図柄が視認できなくなることがあるのに対して、３列の小図柄は一部が視認できなくなることはなく、中図柄が視認できない（又は非表示となっている）間も、中小図柄は表示（変動表示）されたままである。なお、他の実施形態では、演出役物７が動作されたときに小図柄が視認できなくなってもよい。
【０９７６】
［装飾図柄についての変形例］
上述した実施形態の遊技機１では、特別図柄判定の判定結果がハズレである場合に参照される通常時ハズレ用リーチ図柄選択テーブル（図１９（Ａ）参照）において、１図柄〜６図柄、８図柄、及び９図柄が選択される割合がそれぞれ等しくなるように予め設定されている。また、確変時ハズレ用リーチ図柄選択テーブル（図２０（Ａ）参照）において、３図柄、５図柄、及び７図柄以外の装飾図柄が選択される割合がそれぞれ等しくなるように予め設定されている。これにより、１〜９のうちの何れの数字であるかという装飾図柄を構成する数字の種類に対しては大当たりに対する信頼度を示唆する機能を持たせることができていた。
【０９７７】
しかしながら、全ての奇数図柄が偶数図柄よりもハズレ時に選択され難いわけではなかった。このため、数字の種類に関わらず、奇数図柄を構成する数字のデフォルト色は緑色であり、偶数図柄を構成する数字のデフォルト色は青色であったものの、この装飾図柄（具体的には数字）の色彩に関する要素に対しては大当たりに対する信頼度を示唆する機能を持たせることはできていなかった。
【０９７８】
そこで、装飾図柄の色彩に関する要素に対して信頼度を示唆する機能を持たせるべく、通常時ハズレ用リーチ図柄選択テーブル及び確変時ハズレ用リーチ図柄選択テーブル（図１９（Ａ）及び図２０（Ａ）参照）を下記構成にして、偶数図柄の方が奇数図柄よりも選択割合が高くなるように予め設定してもよい。
【０９７９】
具体的には、例えば、通常時ハズレ用リーチ図柄選択テーブルにおいて、「０」〜「９９」のリーチ図柄選択乱数のうち、１図柄、５図柄、及び９図柄に対してそれぞれ９個の乱数値を、３図柄に対して７個の乱数値を、７図柄に対して６個の乱数値をそれぞれ割り当てる。また、２図柄、４図柄、６図柄、及び８図柄に対してそれぞれ１５個の乱数値を割り当てる。
【０９８０】
また、例えば、確変時ハズレ用リーチ図柄選択テーブルにおいて、例えば、「０」〜「９９」のリーチ図柄選択乱数のうち、１図柄、３図柄、５図柄、及び９図柄に対してそれぞれ５個の乱数値を、７図柄に対して０個の乱数値をそれぞれ割り当てる。また、２図柄、４図柄、６図柄、及び８図柄に対してそれぞれ２０個の乱数値を割り当てる。
【０９８１】
ハズレ用リーチ図柄選択テーブルを上記構成にすることにより、奇数図柄でリーチが成立した場合偶数図柄でリーチが成立した場合よりも大当たりになり易くできる。これにより、装飾図柄（具体的には数字）の色彩に関する要素に対して大当たりに対する信頼度を示唆する機能を持たせることができる。なお、第１特別図柄判定の判定結果が１６Ｒ確変である場合はリーチ図柄として偶数図柄および奇数図柄が選択される場合がある一方で、第１特別図柄判定の判定結果が６Ｒ通常である場合は奇数図柄が選択されない（図１９（Ｂ）及び（Ｃ）、図２０（Ｂ）及び（Ｃ）参照）。このため、装飾図柄の色彩に関する要素に対して確変遊技状態に移行することに対する信頼度を示唆する機能も持たせることができる。すなわち、例えば、ＳＰＳＰリーチは、所定色の奇数図柄（例えば７図柄）が表示された場合の方が、所定色以外の偶数図柄（例えば２図柄）が表示された場合よりも大当たり期待度と、確変遊技状態に移行する期待度とが高いといえる。なお、リーチ図柄が偶数図柄の場合はハズレ又は大当たりであり、リーチ図柄が奇数図柄の場合は大当たりでもよい。
【０９８２】
なお、ハズレ用リーチ図柄選択テーブルを上記構成にすると共に、ハズレを報知するために停止表示するバラケ目としても、偶数図柄の方が奇数図柄よりも表示され易くなるように予め設定してもよい。具体的には、例えば、図５１のステップＳ１５４０の処理においてバラケ目を決定するために、偶数図柄の方が全ての奇数図柄よりもバラケ目を形成する装飾図柄として決定され易いように構成されたテーブルを参照してもよい。なお、バラケ目を形成する全ての装飾図柄は必ず偶数図柄でもよいし、バラケ目のうち所定の装飾図柄（例えば左図柄）は奇数図柄であり他の装飾図柄（例えば、右図柄）は偶数図柄でもよい。
【０９８３】
なお、装飾図柄を構成する数字のデフォルト色（装飾図柄の色彩に関する要素）は上述した色に限らず、何色でもよい。例えば、奇数図柄を構成する数字の色は赤色でもよいし、偶数図柄を構成する数字の色は紫色でもよい。
【０９８４】
また、奇数図柄を構成する数字と偶数図柄を構成する数字とが異なる色であればよく、奇数図柄を構成する数字の色が複数でもよいし、偶数図柄を構成する数字の色が複数でもよい。具体的には、奇数図柄のうち、７図柄を構成する数字の「７」の色は赤色であり、７図柄以外の奇数図柄を構成する数字の色は緑色である場合に、偶数図柄を構成する数字の色が青色（すなわち、赤色および緑色以外の色）でもよい。
【０９８５】
なお、各装飾図柄を構成する数字１つに対して複数種類の色が対応付けられていてもよい。例えば、各装飾図柄を構成する数字の色として白色、青色、緑色、赤色、金色、及び虹色が予め用意されており、この順に大当たりに対する信頼度と、確変遊技状態に移行することに対する信頼度（すなわち、時短遊技状態に移行しない期待度）とが高くなるように予め設定されていてもよい。例えば、リーチ図柄が白色の偶数図柄である場合よりもリーチ図柄が白色の奇数図柄である場合の方が信頼度が高く、さらに、リーチ図柄が赤色の奇数図柄である方がより信頼度が高い（大当たり確定でもよい）。このような構成により、装飾図柄の色彩に関する要素に対して遊技者により興味を持たせることが可能である。
【０９８６】
また、各装飾図柄を構成する数字１つに対して複数種類のキャラクタが付加表示として予め用意されていてもよい。例えば、装飾図柄を構成する数字毎に付加表示であるキャラクタが異なり、数字１つに対して複数のキャラクタが付加表示として対応付けられていてもよい。具体的には、７図柄の付加表示であるキャラクタＡ〜Ｃは、他の数字を示す装飾図柄の付加表示となる場合がなくてもよい。例えば、キャラクタＡ〜Ｃの順に大当たりに対する信頼度と、確変遊技状態に移行することに対する信頼度（すなわち、時短遊技状態に移行しない期待度）とが高くなるように予め設定されていてもよい。例えば、キャラクタＡが付加された第１態様の装飾図柄でリーチが成立する場合よりもキャラクタＢが付加された第１態様の装飾図柄でリーチが成立する場合の方が信頼度が高く、さらに、キャラクタＣが付加された第１態様の装飾図柄でリーチが成立する場合の方が信頼度が高い（大当たり確定でもよい）。このような構成により、装飾図柄の付加表示に関する要素に対して遊技者により興味を持たせることが可能である。なお、付加表示として１〜９図柄の何れにも対応する複数種類のキャラクタが予め用意されていてもよく、例えば、キャラクタＡ〜Ｃが１〜９図柄の全てに対応した付加表示として用意されていてもよい。
【０９８７】
図７７及び図７８を参照して、第１態様および第２態様の装飾図柄の変形例について説明する。図７７は、装飾図柄を構成する数字に付加して表示される付加表示の変形例について説明するための説明図である。図７８は、第１態様および第２態様の装飾図柄の変形例について説明するための説明図である。
【０９８８】
上述した実施形態の遊技機１では、第１態様の装飾図柄は、数字と、この数字に対応した付加表示であるキャラクタとによって構成され、第２態様の装飾図柄は、付加表示がない数字によって構成される。図７７及び図７８を参照して説明する変形例では、装飾図柄が何れの態様であっても、上記キャラクタとは異なる演出画像である付加画像Ａ〜Ｃのうちの何れか１つが、装飾図柄を構成する数字に対して常に付加される。付加画像Ａ〜Ｃは、第１態様と第２態様との何れの装飾図柄においても、装飾図柄を構成する数字の後ろ側に重畳される付加表示である。
【０９８９】
具体的には、第１態様の装飾図柄では、数字の後ろ側であってもう一つの付加表示であるキャラクタの前側に、付加画像Ａ〜Ｃのうちの何れか１つ重畳表示される（図７８（Ａ）参照）。また、第２態様の装飾図柄では、付加画像Ａ〜Ｃのうちの何れか１つが数字の後ろ側に重畳表示される（図７８（Ｂ）参照）。
【０９９０】
付加画像Ａ〜Ｃは、付加表示であるキャラクタと同様に、動いたり動かなかったりする。具体的には、付加画像Ａ〜Ｃは、例えば、第１態様の装飾図柄が擬似停止しているときと、第１態様の装飾図柄から第２態様の装飾図柄である状態になるとき（及びその逆のとき）には、装飾図柄を構成する数字の微動と同期するようにゆらゆら揺らめく。また、スクロールしているときはその速度に関わらず付加画像Ａ〜Ｃは揺らめかない。また、特別図柄が停止表示しているときは、装飾図柄を構成する数字が静止画像となると共に、付加表示であるキャラクタと同様に付加画像Ａ〜Ｃも全く動かず静止画像となる。なお、他の実施形態では、特別図柄の停止表示中は装飾図柄を構成する数字が静止画像となる一方で、付加画像Ａ〜Ｃがゆらゆら揺らめいてもよい。
【０９９１】
付加画像Ａは、黄土色の画像であり、７図柄以外の奇数図柄に対応する付加表示である（図７７（Ａ）参照）。付加画像Ｂは、付加画像Ａと同じ模様が施された銀色の画像であり、偶数図柄に対応する付加表示である（図７７（Ｂ）参照）。また、付加表示Ｃは、付加画像Ａ及びＢとは異なる模様が付された金色の画像であり、７図柄に対応する付加表示である。
【０９９２】
１つの装飾図柄に対して付加画像の種類が一義的に決まるので、付加画像の種類によって装飾図柄を構成する数字が奇数なのか偶数なのか「７」なのかを判別することができる。これにより、例えば、装飾図柄（具体的には数字）の色彩に関する要素が緑色であり付加画像Ａである場合（すなわち、７図柄以外の奇数図柄）よりも、装飾図柄の色彩に関する要素が青色であり付加画像Ｂである場合（すなわち偶数図柄）の方が、大当たりに対する信頼度と、確変遊技状態に移行することに対する信頼度とが高いことを示唆できる。また、例えば、装飾図柄の色彩に関する要素が緑色であり付加画像Ｃである場合（すなわち７図柄）は、他の組み合わせである場合よりも、大当たりに対する信頼度と、確変遊技状態に移行することに対する信頼度とが高いことを示唆できる。
【０９９３】
付加表示Ａ〜Ｃは、第１態様の装飾図柄と、第２態様の装飾図柄とに付されるため、特別図柄の変動表示中において装飾図柄が表示されるときには常に表示されることになる。通常モードＡ及びＢ（通常遊技状態中）と、確変モードＡ及びＢ（確変遊技状態中）とにおいて、装飾図柄を構成する数字は同じであり、付加画像Ａ〜Ｃを表示することが可能である。これにより、これら異なる演出モードに対して統一感を与えることができる。
【０９９４】
なお、付加画像Ａと付加画像Ｂとは色違いの画像でもよいし、一部が同じ態様で他部が異なる態様の画像でもよい。
【０９９５】
また、装飾図柄を構成する数字１つに対して複数の付加画像が対応付けられていてもよい。例えば、数字１つに対して付加画像Ａ又は付加画像Ｃが付加される場合、大当たりに対する信頼度が高いほど付加画像Ｃが付加され易く、信頼度が低いほど付加画像Ａが付加され易くてもよい。なお、付加画像Ｃは、大当たりである場合は付加される一方、ハズレである場合は付加されなくてもよい。
【０９９６】
［信頼度示唆演出の変形例］
他の実施形態では、第１態様の装飾図柄の表示中に実行可能な信頼度示唆演出として、以下の演出を実行してもよい。
【０９９７】
例えば、背景演出に代えて、所定のキャラクタと共にこのキャラクタのセリフを表すセリフ画像を表示することにより大当たりに対する信頼度を示唆するセリフ演出を実行してもよい。セリフ演出には、弱セリフ、強セリフ、及び大当たりとなることを確定的に予告する大当たり予告として機能する虹セリフとがあり、この順に大当たりに対する信頼度が高い。例えば、操作促進演出中の操作に応じて、鳥背景に代えて弱セリフを実行し、夜背景に代えて強セリフを実行し、大当たりの場合は虹セリフを実行してもよい。なお、セリフ演出は、画面全体に対する表示領域が狭いセリフ画像を表示する点で、表示領域の広い背景画像を表示する背景演出と異なる。
【０９９８】
また、例えば、背景演出に代えて、予め定められた上限ステップ数（例えば４）を上限として、上限ステップ数以下の何れかのステップまで段階的に発展して終了するステップアップ演出を実行してもよい。ステップアップ演出では、例えば、予め用意された複数種類の演出画像を順番に切り替えて表示させることにより、演出態様が複数段階に変化するような演出表示が行われる。ステップアップ演出は、演出が何ステップ目まで発展するかによって、大当たりに対する信頼度を示唆する演出である。多いステップ（例えば３）まで発展する場合の方が少ないステップ（例えば１）までしか発展しない場合よりも信頼度が高く、上限ステップまで発展するステップアップ演出は大当たり予告として機能する。例えば、操作促進演出中の操作に応じて、背景演出に代えてステップアップ演出を実行してもよい。なお、ステップアップ演出は、表示領域が狭い演出画像を表示する点で、表示領域の広い背景画像を表示する背景演出と異なる。
【０９９９】
なお、例えば、通常擬似連演出を通常モードＡのみで実行可能とし、ストーリー擬似連演出を通常モードＢのみで実行可能としてもよい。また、擬似連演出、チャンス目演出、図柄背景演出を通常モードＡのみで実行可能としてもよいし、通常モードＢのみで実行可能としてもよい。また、操作促進演出（弱態様）は通常モードＡ及びＢで実行可能である一方、操作促進演出（強態様）は通常モードＡのみで実行可能としてもよい。
【１０００】
また、大当たり確率に係る設定値の値に応じて、全ての信頼度示唆演出の実行割合を異ならせてもよいし一部の信頼度示唆演出（例えば背景演出のみ）の実行割合を異ならせてもよい。例えば、設定値が「１」〜「３」である順に、所定の信頼度示唆演出の実行割合が高く（又は低く）てもよい。一例として、設定値が「３」であれば通常モードＡで背景演出を実行可能であり、設定値が「２」又は「１」であれば通常モードＡであっても背景演出を実行しない（すなわち出現率０％）ことにより、設定値が「３」に設定されていることを背景演出の実行によって示唆してもよい。
【１００１】
なお、他の実施形態として、画像音響制御基板１４０（又はランプ制御基板１５０）において実行される処理の一部を演出制御基板１３０に実行させたり、或いは、演出制御基板１３０において実行される処理の一部を画像音響制御基板１４０（又はランプ制御基板１５０）に実行させたりしてもよい。また、演出制御基板１３０、画像音響制御基板１４０、及びランプ制御基板１５０を一体に構成して、演出制御基板１３０において実行される処理と画像音響制御基板１４０において実行される処理とランプ制御基板１５０において実行される処理とを１つの制御基板で実行するようにしてもよい。
【１００２】
また、上記実施形態は互いに適用可能である。例えば、第１実施形態と第１実施形態の変形例と第２実施形態とを組み合わせた構成により、本発明が実現されてもよい。
【１００３】
また、上記実施形態において説明した遊技機１の構成は単なる一例に過ぎず、他の構成であっても本発明を実現できることは言うまでもない。また、上述したフローチャートにおける処理の順序、設定値、判定に用いられる閾値等は単なる一例に過ぎず、本発明の範囲を逸脱しなければ他の順序や値であっても、本発明を実現できることは言うまでもない。上記実施形態で例示した説明図等も単なる一例であって、他の態様であってもよい。
【１００４】
また、上述した演出は単なる一例であり、本発明は、上記実施形態に限定されず、様々な変形および応用が可能である。また、上記実施形態および変形例は互いに適用可能であり、様々な組み合わせで本発明が実現されてもよい。
【１００５】
［本発明に係るパチンコ遊技機の構成と作用効果］
以上説明したように、本実施形態の遊技機は、以下のような構成であっても構わない。
【１００６】
一実施形態に係る遊技機（例えば１）は、遊技者に有利な特別遊技を実行するか否かを判定し、識別可能な識別情報を変動表示してから前記判定の結果を導出表示する遊技機であって、
演出を制御する演出制御手段（例えば１３０）を備え、
前記演出制御手段は、
前記識別情報の変動表示に対応する対応表示（例えば装飾図柄）を表示し、
複数のタイミングのうちの何れかのタイミングで前記特別遊技が実行される可能性を示唆する予告演出を実行することが可能であり、
前記予告演出には、
前記対応表示が通常態様（例えば、第１態様の装飾図柄）であるときに実行される第１予告演出（例えば背景演出）と、
前記対応表示が特別態様（例えば、第２態様の装飾図柄）であるときに実行される第２予告演出（例えばタイトル表示）と、があり、
前記対応表示を前記通常態様または前記特別態様で表示可能な共通演出（例えばリーチ演出）を実行することが可能である。
【１００７】
かかる構成によれば、対応表示は、共通演出では通常態様または特別態様であるのに対し、予告演出では何れの態様であるかに応じて適切に予告演出を実行することができる。これにより、予告演出を効果的に目立たせるように実行することが可能である。また、対応表示の表示と予告演出の実行とが同時に実行されたときに違和感が生じることを防止することが可能である。
【１００８】
また、遊技機（例えば１）は、遊技者に有利な特別遊技を実行するか否かを判定し、識別可能な識別情報を変動表示してから前記判定の結果を導出表示する遊技機であって、
前記判定の結果に基づいて、前記識別情報の変動パターンを第１変動パターン及び第２変動パターンを含む複数種類の変動パターンから選択する選択手段（例えば１００）と、
演出を制御する演出制御手段（例えば１３０）と、を備え、
前記演出制御手段は、
前記識別情報の変動表示に対応する対応表示（例えば装飾図柄）を表示し、
複数のタイミングのうちの何れかのタイミングで前記特別遊技が実行される可能性を示唆する予告演出を実行することが可能であり、
前記予告演出には、
前記対応表示が通常態様（例えば、第１態様の装飾図柄）であるときに実行される第１予告演出（例えば背景演出）と、
前記対応表示が特別態様（例えば、第２態様の装飾図柄）であるときに実行される第２予告演出（例えばタイトル表示）と、があり、
前記対応表示を前記通常態様または前記特別態様で表示可能な共通演出（例えばリーチ演出）を実行することが可能であり、
前記第１変動パターンが選択されると、第１予告演出を実行可能であり、
前記第２変動パターンが選択されると、前記第１予告演出と前記第２予告演出とを実行可能であり、
前記特別遊技を実行すると判定された場合は、
前記第１変動パターンよりも前記第２変動パターンの方が選択され易い。
【１００９】
かかる構成によれば、変動パターンの種類に応じて適切な予告演出を実行することができる。これにより、冗長に感じられたり過度な演出に感じられたりする演出を実行してしまうことを効果的に防止できる。また、特別遊技が実行される場合は実行されない場合よりも予告演出を多く実行できるため、対応表示の表示中に興趣の高い演出を実現できる。
【１０１０】
また、遊技機（例えば１）は、遊技者に有利な特別遊技を実行するか否かを判定し、識別可能な識別情報を変動表示してから前記判定の結果を導出表示する遊技機であって、
演出を制御する演出制御手段（例えば１３０）を備え、
前記演出制御手段は、
前記識別情報の変動表示に対応する対応表示を表示し、
複数のタイミングのうちの何れかのタイミングで前記特別遊技が実行される可能性を示唆する予告演出を実行することが可能であり、
前記予告演出には、
前記対応表示が通常態様（例えば、第１態様の装飾図柄）であるときに実行される第１予告演出（例えば背景演出）と、
前記対応表示が特別態様（例えば、第２態様の装飾図柄）であるときに実行される第２予告演出（例えばタイトル表示）と、があり、
前記対応表示を前記通常態様または前記特別態様で表示可能な共通演出（例えばリーチ演出）を実行することが可能であり、
前記共通演出の開始前に前記第１予告演出を実行可能であり、
前記共通演出の開始後に前記第２予告演出を実行可能である。
【１０１１】
かかる構成によれば、共通演出の前後で異なる演出を実行できる。これにより、めりはりのある演出を実現できる。
【１０１２】
また、遊技機（例えば１）は、遊技者に有利な特別遊技を実行するか否かを判定し、識別可能な識別情報を変動表示してから前記判定の結果を導出表示する遊技機であって、
演出を制御する演出制御手段（例えば１３０）を備え、
前記演出制御手段は、
前記識別情報の変動表示に対応する対応表示を表示し、
複数のタイミングのうちの何れかのタイミングで前記特別遊技が実行される可能性を示唆する予告演出を実行することが可能であり、
前記予告演出には、
前記対応表示が通常態様（例えば、第１態様の装飾図柄）であるときに実行される第１予告演出（例えば背景演出）と、
前記対応表示が特別態様（例えば、第２態様の装飾図柄）であるときに実行される第２予告演出（例えばタイトル表示）と、があり、
前記対応表示を前記通常態様または前記特別態様で表示可能な共通演出（例えばリーチ演出）を実行することが可能であり、
前記共通演出の開始前に前記第１予告演出を実行可能であり、
前記共通演出の開始後に前記第２予告演出を実行可能であり、
前記第１予告演出は、前記共通演出の開始前よりも開始後に実行され難い。
【１０１３】
かかる構成によれば、共通演出の前後で演出性を異ならせることができ、さらに、共通演出開始後もの第１予告演出が実行されることを期待できる。
【１０１４】
また、遊技機（例えば１）は、遊技者に有利な特別遊技を実行するか否かを判定し、識別可能な識別情報を変動表示してから前記判定の結果を導出表示する遊技機であって、
演出を制御する演出制御手段（例えば１３０）を備え、
前記演出制御手段は、
前記識別情報の変動表示に対応する対応表示を表示し、
複数のタイミングのうちの何れかのタイミングで前記特別遊技が実行される可能性を示唆する予告演出を実行することが可能であり、
前記予告演出には、
前記対応表示が通常態様（例えば、第１態様の装飾図柄）であるときに実行される第１予告演出（例えば背景演出）と、
前記対応表示が特別態様（例えば、第２態様の装飾図柄）であるときに実行される第２予告演出（例えばタイトル表示）と、があり、
前記対応表示を前記通常態様または前記特別態様で表示可能な共通演出（例えばリーチ演出）を実行した後に、前記対応表示を特定の態様（例えば、大当たり態様）で表示する特定演出（例えば昇格演出）を実行することが可能であり、
複数のタイミングのうちの何れのタイミングで前記共通演出を実行するかに応じて、前記特定演出が実行される割合が異なる。
【１０１５】
かかる構成によれば、共通演出がどのようなタイミングで実行されたかについて遊技者に興味を抱かせることができるため、共通演出が開始されるまでの演出にも注視させることが可能である。
【１０１６】
また、遊技機（例えば１）は、遊技者に有利な特別遊技を実行するか否かを判定し、識別可能な識別情報を変動表示してから前記判定の結果を導出表示する遊技機であって、
演出を制御する演出制御手段（例えば１３０）を備え、
前記演出制御手段は、
前記識別情報の変動表示に対応する対応表示を表示し、
複数のタイミングのうちの何れかのタイミングで前記特別遊技が実行される可能性を示唆する予告演出を実行することが可能であり、
前記予告演出には、
前記対応表示が通常態様（例えば、第１態様の装飾図柄）であるときに実行される第１予告演出（例えば背景演出）と、
前記対応表示が特別態様（例えば、第２態様の装飾図柄）であるときに実行される第２予告演出（例えばタイトル表示）と、があり、
前記対応表示を前記通常態様または前記特別態様で表示可能な共通演出（例えばリーチ演出）を実行した後に、前記対応表示を特定の態様（例えば、大当たり態様）で表示する特定演出（例えば昇格演出）を実行することが可能であり、
前記共通演出における前記対応表示の表示態様が前記特別態様であるか否かに応じて、前記特定演出が実行される割合が異なる。
【１０１７】
かかる構成によれば、共通演出でどのような対応表示が表示されるかについて遊技者に興味を抱かせることができるため、共通演出中の演出に対しても注目させることが可能である。
【１０１８】
また、遊技機（例えば１）は、遊技者に有利な特別遊技を実行するか否かを判定し、識別可能な識別情報を変動表示してから前記判定の結果を導出表示する遊技機であって、
演出を制御する演出制御手段（例えば１３０）を備え、
前記演出制御手段は、
第１演出モードと第２演出モードとを含む複数の演出モードのうちの何れかの演出モードで演出を実行することが可能であり、
前記識別情報の変動表示に対応する対応表示を表示し、
複数のタイミングのうちの何れかのタイミングで前記特別遊技が実行される可能性を示唆する予告演出を実行することが可能であり、
前記予告演出には、
前記第１演出モード（例えば通常モードＡ）に制御されており、前記対応表示が通常態様（例えば、第１態様の装飾図柄）および特別態様（例えば、第２態様の装飾図柄）のうちの何れか一方であるときに実行される第１予告演出（例えば背景演出）と、
前記第１演出モード又は前記第２演出モード（例えば通常モードＢ）に制御されており、前記対応表示の表示態様が前記第１予告演出中と異なるときに実行される第２予告演出（例えばタイトル表示）と、があり、
前記対応表示を前記通常態様または前記特別態様で表示可能な共通演出（例えばリーチ演出）を実行することが可能である。
【１０１９】
かかる構成によれば、演出モードの種類に応じて予告演出の種類を異ならせたり同じにしたりできるので、演出モード毎に演出性を変えつつも遊技機で実行される演出全体に対して統一感を出すことが可能である。
【１０２０】
また、遊技機（例えば１）は、遊技者に有利な特別遊技を実行するか否かを判定し、識別可能な識別情報を変動表示してから前記判定の結果を導出表示する遊技機であって、
前記判定の結果に基づいて、前記識別情報の変動パターンを第１変動パターン及び第２変動パターンを含む複数種類の変動パターンから選択する選択手段と、
演出を制御する演出制御手段（例えば１３０）と、を備え、
前記演出制御手段は、
前記識別情報の変動表示に対応する対応表示を表示し、
複数のタイミングのうちの何れかのタイミングで前記特別遊技が実行される可能性を示唆する予告演出を実行することが可能であり、
前記予告演出には、
前記対応表示が通常態様（例えば、第１態様の装飾図柄）であるときに実行される第１予告演出（例えば背景演出）と、
前記対応表示が特別態様（例えば、第２態様の装飾図柄）であるときに実行される第２予告演出（例えばタイトル表示）と、があり、
前記対応表示を前記通常態様または前記特別態様で表示可能な共通演出（例えばリーチ演出）を実行することが可能であり、
前記第１変動パターンが選択されると前記第１予告演出を実行可能であり、
前記第２変動パターンが選択されると前記第１予告演出を実行しない。
【１０２１】
また、遊技機（例えば１）は、遊技者に有利な特別遊技を実行するか否かを判定し、識別可能な識別情報を変動表示してから前記判定の結果を導出表示する遊技機であって、
前記判定の結果に基づいて、前記識別情報の変動パターンを第１変動パターン及び第２変動パターンを含む複数種類の変動パターンから選択する選択手段と、
演出を制御する演出制御手段（例えば１３０）と、を備え、
前記演出制御手段は、
前記識別情報の変動表示に対応する対応表示を表示し、
複数のタイミングのうちの何れかのタイミングで前記特別遊技が実行される可能性を示唆する予告演出を実行することが可能であり、
前記予告演出には、
前記対応表示が通常態様（例えば、第１態様の装飾図柄）であるときに実行される第１予告演出（例えば背景演出）と、
前記対応表示が特別態様（例えば、第２態様の装飾図柄）であるときに実行される第２予告演出（例えばタイトル表示）と、があり、
前記対応表示を前記通常態様または前記特別態様で表示可能な共通演出（例えばリーチ演出）を実行することが可能であり、
前記第１変動パターンが選択されると第２予告演出を実行せず、
前記第２変動パターンが選択されると前記第２予告演出を実行可能である。
【１０２２】
上記２つの構成によれば、変動パターンの種類に応じて適切な予告演出を実行することができる。これにより、冗長に感じられたり過度な演出に感じられたりする演出を実行してしまうことを効果的に防止できる。
【１０２３】
また、遊技機（例えば１）は、遊技者に有利な特別遊技を実行するか否かを判定し、識別可能な識別情報を変動表示してから前記判定の結果を導出表示する遊技機であって、
演出を制御する演出制御手段（例えば１３０）を備え、
前記演出制御手段は、
前記識別情報の変動表示に対応する対応表示を表示し、
複数のタイミングのうちの何れかのタイミングで前記特別遊技が実行される可能性を示唆する予告演出を実行することが可能であり、
前記予告演出には、
前記対応表示が通常態様（例えば、第１態様の装飾図柄）であるときに実行される第１予告演出（例えば背景演出）と、
前記対応表示が特別態様（例えば、第２態様の装飾図柄）であるときに実行される第２予告演出（例えばタイトル表示）と、
第３予告演出（例えば、保留アイコン変化演出）と、があり、
前記第１予告演出の実行中に前記第３予告演出を実行可能であり、
前記第２予告演出の実行中に前記第３予告演出を実行せず、
前記対応表示を前記通常態様または前記特別態様で表示可能な共通演出（例えばリーチ演出）を実行することが可能である。
【１０２４】
かかる構成によれば、第２予告演出の実行中に第３予告演出が実行されないので、第３予告演出によって第２予告演出の興趣が低下することを効果的に防止することが可能である。
【１０２５】
また、遊技機（例えば１）は、遊技者に有利な特別遊技を実行するか否かを判定し、識別可能な識別情報を変動表示してから前記判定の結果を導出表示する遊技機であって、
演出を制御する演出制御手段（例えば１３０）を備え、
前記演出制御手段は、
前記識別情報の変動表示に対応する対応表示を表示し、
複数のタイミングのうちの何れかのタイミングで前記特別遊技が実行される可能性を示唆する予告演出を実行することが可能であり、
前記予告演出には、
前記対応表示が通常態様（例えば、第１態様の装飾図柄）であるときに実行される第１予告演出（例えば背景演出）と、
前記対応表示が特別態様（例えば、第２態様の装飾図柄）であるときに実行される第２予告演出（例えばタイトル表示）と、があり、
前記対応表示を前記通常態様または前記特別態様で表示可能な共通演出（例えばリーチ演出）を実行することが可能であり、
前記第１予告演出の演出態様には第１態様（例えば鳥背景）と第２態様（例えば夜背景）とがあり、
前記第２予告演出の演出態様には第３態様（例えば、青色タイトル表示）と第４態様（例えば、赤色タイトル表示）とがあり、
前記第１予告演出と前記第２予告演出とが実行される場合、
当該第１予告演出と当該第２予告演出との演出態様の組み合わせに応じて前記特別遊技が実行される期待度が異なる。
【１０２６】
かかる構成によれば、実行される予告演出の種類とその演出態様に注目させることが可能になり、対応表示が通常態様であるときも特別態様であるときも遊技者に注意を向けさせることが可能である。
【１０２７】
また、遊技機（例えば１）は、遊技者に有利な特別遊技を実行するか否かを判定し、識別可能な識別情報を変動表示してから前記判定の結果を導出表示する遊技機であって、
演出を制御する演出制御手段（例えば１３０）を備え、
前記演出制御手段は、
前記識別情報の変動表示に伴って、当該変動表示に対応する対応表示を変動表示し、
前記判定の結果の導出表示に伴って、前記対応表示を停止表示し、
前記対応表示の変動表示が開始されてから停止表示されるまでに、前記対応表示を一旦擬似停止させた後に再び変動表示させる再変動演出（例えば、ストーリー擬似連演出）を所定回数実行することが可能であり、
複数のタイミングのうちの何れかのタイミングで、前記特別遊技が実行される可能性を示唆する演出を実行することが可能であり、
前記特別遊技が実行される可能性を示唆する演出には、
前記対応表示が通常態様（例えば、第１態様の装飾図柄）であるときに実行される第１演出（例えば背景演出）と、
前記対応表示が特別態様（例えば、第２態様の装飾図柄）であるときに実行される第２演出（例えばタイトル表示）と、があり、
前記再変動演出の回数が少ないとき（例えば１回）に、前記第１演出と前記第２演出とを実行可能であり、
前記再変動演出の回数が多いとき（例えば２回）に、前記第２演出を実行可能である。
【１０２８】
かかる構成によれば、再変動演出の回数に応じて実行されない予告演出があるが、このような場合は再変動演出の回数が多いため遊技者を退屈にさせ難くできる。
【１０２９】
また、遊技機（例えば１）は、遊技者によって入力可能な入力手段を備え、
遊技者に有利な特別遊技を実行するか否かを判定し、識別可能な識別情報を変動表示してから前記判定の結果を導出表示する遊技機であって、
演出を制御する演出制御手段（例えば１３０）を備え、
前記演出制御手段は、
前記識別情報の変動表示に対応する対応表示を表示し、
複数のタイミングのうちの何れかのタイミングで前記特別遊技が実行される可能性を示唆する予告演出を実行することが可能であり、
前記予告演出には、
前記対応表示が通常態様（例えば、第１態様の装飾図柄）であるときに、前記入力手段に対する入力に応じて実行可能な第１予告演出（例えば背景演出）と、
前記対応表示が特別態様（例えば、第２態様の装飾図柄）であるときに実行される第２予告演出（例えばタイトル表示）と、があり、
前記対応表示を前記通常態様または前記特別態様で表示可能な共通演出（例えばリーチ演出）を実行することが可能であり、
前記第１予告演出の演出態様には第１態様（例えば鳥背景）と第２態様（例えば夜背景）とがあり、
前記第２予告演出の演出態様には第３態様（例えば、青色タイトル表示）と第４態様（例えば、赤色タイトル表示）とがあり、
前記第１予告演出と前記第２予告演出とが実行される場合、
当該第１予告演出と当該第２予告演出との演出態様の組み合わせに応じて前記特別遊技が実行される期待度が異なる。
【１０３０】
かかる構成によれば、予告演出自体に期待度を持たせることが可能なだけでなく、複数の予告演出の組み合わせによって期待度を異ならせることが可能である。これにより、予告演出単体だけでなく、対応表示が通常態様であるときと特別態様であるときとの複数の予告演出の種類に対しても興味を抱かせることが可能である。
【１０３１】
また、遊技機（例えば１）は、特別遊技を実行するか否かを判定し、識別可能な識別情報を変動表示してから前記判定の結果を導出表示したことに応じて遊技者にとって有利な有利状態（例えば、大当たり遊技）に制御可能な遊技機であって、
演出を制御する演出制御手段（例えば１３０）を備え、
前記演出制御手段は、
前記識別情報の変動表示に対応する対応表示を表示し、
複数のタイミングのうちの何れかのタイミングで前記特別遊技が実行される可能性を示唆する予告演出を実行することが可能であり、
前記予告演出には、
前記対応表示が通常態様（例えば、第１態様の装飾図柄）であるときに実行される第１予告演出（例えば背景演出）と、
前記対応表示が特別態様（例えば、第２態様の装飾図柄）であるときに実行される第２予告演出（例えばタイトル表示）と、があり、
前記対応表示を前記通常態様または前記特別態様で表示可能な共通演出（例えばリーチ演出）を実行することが可能であり、
前記対応表示は、
色彩に関する第１要素（例えば、装飾図柄を構成する数字の色）と、
前記第１要素に付加する第２要素（例えば、付加画像）と、を含み、
前記対応表示の要素の態様によって、前記有利状態に制御される割合が異なる。
【１０３２】
かかる構成によれば、対応表示に対して遊技者に注目させることができ、結果として、対応表示が通常態様であるときと特別態様であるときとの予告演出に対しても遊技者の注意を引き付けることが可能である。
【１０３３】
また、遊技機（例えば１）は、特別遊技を実行するか否かを判定し、識別可能な識別情報を変動表示してから前記判定の結果を導出表示したことに応じて遊技者にとって有利な第１有利状態（例えば６Ｒ通常）、又は当該第１有利状態よりも有利な第２有利状態（例えば１６Ｒ確変）に制御可能な遊技機であって、
演出を制御する演出制御手段（例えば１３０）を備え、
前記演出制御手段は、
前記識別情報の変動表示に対応する対応表示を表示し、
複数のタイミングのうちの何れかのタイミングで前記特別遊技が実行される可能性を示唆する予告演出を実行することが可能であり、
前記予告演出には、
前記対応表示が通常態様（例えば、第１態様の装飾図柄）であるときに実行される第１予告演出（例えば背景演出）と、
前記対応表示が特別態様（例えば、第２態様の装飾図柄）であるときに実行される第２予告演出（例えばタイトル表示）と、があり、
前記対応表示を前記通常態様または前記特別態様で表示可能な共通演出（例えばリーチ演出）を実行することが可能であり、
前記対応表示は、
色彩に関する第１要素（例えば、装飾図柄を構成する数字の色）と、
前記第１要素に付加する第２要素（例えば、付加画像）と、を含み、
前記第１要素と前記第２要素とが特定の態様（例えば、装飾図柄を構成する数字が赤色かつ付加画像Ｃ）である場合の方が、特定の態様でない場合よりも前記第２有利状態に制御され易い。
【１０３４】
かかる構成によれば、対応表示に対して遊技者に注目させることができ、対応表示の要素が特定の態様であるときに、遊技者に対して特別感を与えることが可能である。
【１０３５】
また、遊技機（例えば１）は、遊技者に有利な特別遊技を実行するか否かを判定し、識別可能な識別情報を変動表示してから前記判定の結果を導出表示する遊技機であって、
演出を制御する演出制御手段（例えば１３０）を備え、
前記演出制御手段は、
前記識別情報の変動表示に対応する対応表示を表示し、
前記特別遊技が実行されることを示唆する示唆演出（例えば、当該アイコンを虹色に変化させる当該アイコン変化演出）と、
複数のタイミングのうちの何れかのタイミングで前記特別遊技が実行される可能性を示唆する予告演出と、を実行することが可能であり、
前記予告演出には、
前記対応表示が通常態様（例えば、第１態様の装飾図柄）であるときに実行される第１予告演出（例えば背景演出）と、
前記対応表示が特別態様（例えば、第２態様の装飾図柄）であるときに実行される第２予告演出（例えばタイトル表示）と、があり、
前記第１予告演出の後に、前記対応表示を前記通常態様または前記特別態様で表示可能な共通演出（例えばリーチ演出）を実行することが可能であり、
前記第１予告演出の実行中に前記示唆演出が実行された場合と、
前記第１予告演出の実行中に前記示唆演出が実行されない場合とでは、
前記共通演出において前記対応表示が前記特別態様で表示される割合が異なる。
【１０３６】
かかる構成によれば、第１予告演出の実行中に示唆演出が実行される場合があるので、第１予告演出中は遊技者に注目させることが可能である。また、第１予告演出の後には共通演出が実行されるので、第１予告演出に続いて共通演出にも遊技者の関心を向けさせることが可能である。
【１０３７】
また、遊技機（例えば１）は、遊技者に有利な特別遊技を実行するか否かを判定し、識別可能な識別情報を変動表示してから前記判定の結果を導出表示する遊技機であって、
演出を制御する演出制御手段（例えば１３０）を備え、
前記演出制御手段は、
前記識別情報の変動表示に対応する対応表示を表示し、
複数のタイミングのうちの何れかのタイミングで前記特別遊技が実行される可能性を示唆する予告演出と、対象演出（例えば、事前演出）と、を実行することが可能であり、
前記予告演出には、
前記対応表示が通常態様（例えば、第１態様の装飾図柄）であるときに実行される第１予告演出（例えば、保留アイコン変化演出）と、
前記対応表示が特別態様（例えば、当該アイコン変化演出）であるときに実行される第２予告演出（例えばタイトル表示）と、があり、
前記対応表示を前記通常態様または前記特別態様で表示可能な共通演出（例えばリーチ演出）を実行することが可能であり、
前記第１予告演出が実行されたことに応じて前記対象演出が第１演出態様（例えば青色）であるときは、当該対象演出が第２演出態様（例えば虹色）となる割合は第１割合であり、
前記第２予告演出が実行されたことに応じて前記対象演出が前記第１演出態様であるときは、当該対象演出が前記第２演出態様となる割合は第２割合（例えば、上記第１割合よりも高い割合）である。
【１０３８】
かかる構成によれば、対象演出が、第１予告演出によって第１演出態様となったのか第２予告演出によって第１態様になったのか注目させることが可能である。これにより、対応表示が通常態様であるときも特別態様であるときも遊技者の注意を引き付けることが可能である。
【符号の説明】
【１０３９】
１    遊技機
５    液晶表示装置（液晶画面）
７    演出役物
１３    大入賞口
２４    スピーカ
１００    遊技制御基板
１０１    メインＣＰＵ
１０２    メインＲＯＭ
１０３    メインＲＡＭ
１３０    演出制御基板
１３１    サブＣＰＵ
１３２    サブＲＯＭ
１３３    サブＲＡＭ
１３４    ＲＴＣ
１４０    画像音響制御基板
１４１    統括ＣＰＵ
１４２    制御用ＲＯＭ
１４３    制御用ＲＡＭ
１４４    ＶＤＰ
１４５    音響ＤＳＰ
【図１】
2019201791.tif 000003
【図２】
2019201791.tif 000004
【図３】
2019201791.tif 000005
【図４】
2019201791.tif 000006
【図５】
2019201791.tif 000007
【図６】
2019201791.tif 000008
【図７】
2019201791.tif 000009
【図８】
2019201791.tif 000010
【図９】
2019201791.tif 000011
【図１０】
2019201791.tif 000012
【図１１】
2019201791.tif 000013
【図１２】
2019201791.tif 000014
【図１３】
2019201791.tif 000015
【図１４】
2019201791.tif 000016
【図１５】
2019201791.tif 000017
【図１６】
2019201791.tif 000018
【図１７】
2019201791.tif 000019
【図１８】
2019201791.tif 000020
【図１９】
2019201791.tif 000021
【図２０】
2019201791.tif 000022
【図２１】
2019201791.tif 000023
【図２２】
2019201791.tif 000024
【図２３】
2019201791.tif 000025
【図２４】
2019201791.tif 000026
【図２５】
2019201791.tif 000027
【図２６】
2019201791.tif 000028
【図２７】
2019201791.tif 000029
【図２８】
2019201791.tif 000030
【図２９】
2019201791.tif 000031
【図３０】
2019201791.tif 000032
【図３１】
2019201791.tif 000033
【図３２】
2019201791.tif 000034
【図３３】
2019201791.tif 000035
【図３４】
2019201791.tif 000036
【図３５】
2019201791.tif 000037
【図３６】
2019201791.tif 000038
【図３７】
2019201791.tif 000039
【図３８】
2019201791.tif 000040
【図３９】
2019201791.tif 000041
【図４０】
2019201791.tif 000042
【図４１】
2019201791.tif 000043
【図４２】
2019201791.tif 000044
【図４３】
2019201791.tif 000045
【図４４】
2019201791.tif 000046
【図４５】
2019201791.tif 000047
【図４６】
2019201791.tif 000048
【図４７】
2019201791.tif 000049
【図４８】
2019201791.tif 000050
【図４９】
2019201791.tif 000051
【図５０】
2019201791.tif 000052
【図５１】
2019201791.tif 000053
【図５２】
2019201791.tif 000054
【図５３】
2019201791.tif 000055
【図５４】
2019201791.tif 000056
【図５５】
2019201791.tif 000057
【図５６】
2019201791.tif 000058
【図５７】
2019201791.tif 000059
【図５８】
2019201791.tif 000060
【図５９】
2019201791.tif 000061
【図６０】
2019201791.tif 000062
【図６１】
2019201791.tif 000063
【図６２】
2019201791.tif 000064
【図６３】
2019201791.tif 000065
【図６４】
2019201791.tif 000066
【図６５】
2019201791.tif 000067
【図６６】
2019201791.tif 000068
【図６７】
2019201791.tif 000069
【図６８】
2019201791.tif 000070
【図６９】
2019201791.tif 000071
【図７０】
2019201791.tif 000072
【図７１】
2019201791.tif 000073
【図７２】
2019201791.tif 000074
【図７３】
2019201791.tif 000075
【図７４】
2019201791.tif 000076
【図７５】
2019201791.tif 000077
【図７６】
2019201791.tif 000078
【図７７】
2019201791.tif 000079
【図７８】
2019201791.tif 000080